(57)【要約】  本発明は、（ａ）ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０及び／又は個々の株を識別する全ての特性を有しているそれら株の突然変異体、並びに／又は、昆虫類、ダニ類、線虫類及び／若しくは植物病原体に対して活性を示す個々の株及び／又は個々の株を識別する全ての特性を有しているそれら株の突然変異体によって産生される少なくとも１種類の代謝産物、並びに／又は、昆虫類、ダニ類、線虫類及び／若しくは植物病原体に対して活性を示す個々の株によって産生される少なくとも１種類の代謝産物、及び、（ｂ）少なくとも１種類のさらなる生物的防除剤〔ここで、該生物的防除剤は、特定の微生物及び／若しくは個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物から選択される〕を相乗的に有効な量で含んでいる組成物に関する。さらに、本発明は、該組成物の使用、並びに、植物及び植物の部分の全体的な損傷を低減させる方法にも関する。【特許請求の範囲】
【請求項１】
組成物であって、
（ａ）  ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０及び／又は個々の株を識別する全ての特性を有しているそれら株の突然変異体、並びに／又は、昆虫類、ダニ類、線虫類及び／若しくは植物病原体に対して活性を示す個々の株及び／又は個々の株を識別する全ての特性を有しているそれら株の突然変異体によって産生される少なくとも１種類の代謝産物、並びに／又は、昆虫類、ダニ類、線虫類及び／若しくは植物病原体に対して活性を示す個々の株によって産生される少なくとも１種類の代謝産物；及び、
（ｂ）  少なくとも１種類のさらなる生物的防除剤及び／若しくは個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物；
を、相乗的に有効な量で含んでいる、前記組成物。
【請求項２】
前記少なくとも１種類のさらなる生物的防除剤が、バシルス・プミルス（Ｂａｃｉｌｌｕｓ  ｐｕｍｉｌｕｓ）〔好ましくは、株ＱＳＴ２８０８〕及びバシルス・スブチリス（Ｂａｃｉｌｌｕｓ  ｓｕｂｔｉｌｉｓ）〔好ましくは、株ＱＳＴ７１３、又は、Ｂ＋ＱＳＴ３０００２、又は、Ｂ＋ＱＳＴ３０００４〕からなる群から選択される、請求項１に記載の組成物。
【請求項３】
さらに、（ｃ）少なくとも１種類の殺菌剤及び／又は（ｄ）少なくとも１種類の殺虫剤を含んでいる、請求項１又は２に記載の組成物。
【請求項４】
前記殺菌剤が合成殺菌剤である、請求項３に記載の組成物。
【請求項５】
前記殺虫剤が合成殺虫剤である、請求項３又は４に記載の組成物。
【請求項６】
前記殺菌剤が、以下のものからなる群から選択される、請求項１〜５のいずれか１項に記載の組成物：
エルゴステロール生合成の阻害薬、複合体Ｉ又はＩＩにおける呼吸鎖の阻害薬、複合体ＩＩＩにおける呼吸鎖の阻害薬、有糸分裂及び細胞分裂の阻害薬、多部位に作用し得る化合物、宿主の防御を誘発し得る化合物、アミノ酸及び／又はタンパク質の生合成の阻害薬、ＡＴＰ産生の阻害薬、細胞壁合成の阻害薬、脂質及び膜の合成の阻害薬、メラニン生合成の阻害薬、核酸合成の阻害薬、シグナル伝達の阻害薬、脱共役剤として作用し得る化合物、さらに別の化合物、例えば、ベンチアゾール、ベトキサジン、カプシマイシン（ｃａｐｓｉｍｙｃｉｎ）、カルボン、キノメチオネート、ピリオフェノン（クラザフェノン（ｃｈｌａｚａｆｅｎｏｎｅ））、クフラネブ、シフルフェナミド、シモキサニル、シプロスルファミド、ダゾメット、デバカルブ、ジクロロフェン、ジクロメジン、ジフェンゾコート、ジフェンゾコートメチル硫酸塩、ジフェニルアミン、エコメイト、フェンピラザミン、フルメトベル、フルオルイミド、フルスルファミド、フルチアニル、ホセチル−アルミニウム、ホセチル−カルシウム、ホセチル−ナトリウム、ヘキサクロロベンゼン、イルママイシン、メタスルホカルブ、イソチオシアン酸メチル、メトラフェノン、ミルディオマイシン、ナタマイシン、ジメチルジチオカルバミン酸ニッケル、ニトロタル−イソプロピル、オクチリノン、オキサモカルブ（ｏｘａｍｏｃａｒｂ）、オキシフェンチイン（ｏｘｙｆｅｎｔｈｉｉｎ）、ペンタクロロフェノール及び塩（８７−８６−５）、（Ｆ２９７）フェノトリン、（Ｆ２９８）亜リン酸及びその塩、プロパモカルブ−ホセチレート（ｐｒｏｐａｍｏｃａｒｂ−ｆｏｓｅｔｙｌａｔｅ）、プロパノシン−ナトリウム（ｐｒｏｐａｎｏｓｉｎｅ−ｓｏｄｉｕｍ）、プロキナジド、ピリモルフ、（２Ｅ）−３−（４−ｔｅｒｔ−ブチルフェニル）−３−（２−クロロピリジン−４−イル）−１−（モルホリン−４−イル）プロパ−２−エン−１−オン、（２Ｚ）−３−（４−ｔｅｒｔ−ブチルフェニル）−３−（２−クロロピリジン−４−イル）−１−（モルホリン−４−イル）プロパ−２−エン−１−オン、ピロールニトリン、テブフロキン、テクロフタラム、トルニファニド、トリアゾキシド、トリクラミド、ザリラミド、（３Ｓ，６Ｓ，７Ｒ，８Ｒ）−８−ベンジル−３−［（｛３−［（イソブチリルオキシ）メトキシ］−４−メトキシピリジン−２−イル｝カルボニル）アミノ］−６−メチル−４，９−ジオキソ−１，５−ジオキソナン−７−イル  ２−メチルプロパノエート、１−（４−｛４−［（５Ｒ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、１−（４−｛４−［（５Ｓ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、１−（４−｛４−［５−（２，６−ジフルオロフェニル）−４，５−ジヒドロ−１，２−オキサゾール−３−イ���］−１，３−チアゾール−２−イル｝ピペリジン−１−イル）−２−［５−メチル−３−（トリフルオロメチル）−１Ｈ−ピラゾール−１−イル］エタノン、１−（４−メトキシフェノキシ）−３，３−ジメチルブタン−２−イル  １Ｈ−イミダゾール−１−カルボキシレート、２，３，５，６−テトラクロロ−４−（メチルスルホニル）ピリジン、２，３−ジブチル−６−クロロチエノ［２，３−ｄ］ピリミジン−４（３Ｈ）−オン、２，６−ジメチル−１Ｈ，５Ｈ−［１，４］ジチイノ［２，３−ｃ：５，６−ｃ’］ジピロール−１，３，５，７（２Ｈ，６Ｈ）−テトロン、２−［５−メチル−３−（トリフルオロメチル）−１Ｈ−ピラゾール−１−イル］−１−（４−｛４−［（５Ｒ）−５−フェニル−４，５−ジヒドロ−１，２−オキサゾール−３−イル］−１，３−チアゾール−２−イル｝ピペリジン−１−イル）エタノン、２−［５−メチル−３−（トリフルオロメチル）−１Ｈ−ピラゾール−１−イル］−１−（４−｛４−［（５Ｓ）−５−フェニル−４，５−ジヒドロ−１，２−オキサゾール−３−イル］−１，３−チアゾール−２−イル｝ピペリジン−１−イル）エタノン、２−［５−メチル−３−（トリフルオロメチル）−１Ｈ−ピラゾール−１−イル］−１−｛４−［４−（５−フェニル−４，５−ジヒドロ−１，２−オキサゾール−３−イル）−１，３−チアゾール−２−イル］ピペリジン−１−イル｝エタノン、２−ブトキシ−６−ヨード−３−プロピル−４Ｈ−クロメン−４−オン、２−クロロ−５−［２−クロロ−１−（２，６−ジフルオロ−４−メトキシフェニル）−４−メチル−１Ｈ−イミダゾール−５−イル］ピリジン、２−フェニルフェノール及び塩、３−（４，４，５−トリフルオロ−３，３−ジメチル−３，４−ジヒドロイソキノリン−１−イル）キノロン、３，４，５−トリクロロピリジン−２，６−ジカルボニトリル、３−［５−（４−クロロフェニル）−２，３−ジメチル−１，２−オキサゾリジン−３−イル］ピリジン、３−クロロ−５−（４−クロロフェニル）−４−（２，６−ジフルオロフェニル）−６−メチルピリダジン、４−（４−クロロフェニル）−５−（２，６−ジフルオロフェニル）−３，６−ジメチルピリダジン、５−アミノ−１，３，４−チアジアゾール−２−チオール、５−クロロ−Ｎ’−フェニル−Ｎ’−（プロパ−２−イン−１−イル）チオフェン−２−スルホノヒドラジド、５−フルオロ−２−［（４−フルオロベンジル）オキシ］ピリミジン−４−アミン、５−フルオロ−２−［（４−メチルベンジル）オキシ］ピリミジン−４−アミン、５−メチル−６−オクチル［１，２，４］トリアゾロ［１，５−ａ］ピリミジン−７−アミン、（２Ｚ）−３−アミノ−２−シアノ−３−フェニルプロパ−２−エン酸エチル、Ｎ’−（４−｛［３−（４−クロロベンジル）−１，２，４−チアジアゾール−５−イル］オキシ｝−２，５−ジメチルフェニル）−Ｎ−エチル−Ｎ−メチルイミドホルムアミド、Ｎ−（４−クロロベンジル）−３−［３−メトキシ−４−（プロパ−２−イン−１−イルオキシ）フェニル］プロパンアミド、Ｎ−［（４−クロロフェニル）（シアノ）メチル］−３−［３−メトキシ−４−（プロパ−２−イン−１−イルオキシ）フェ��ル］プロパンアミド、Ｎ−［（５−ブロモ−３−クロロピリジン−２−イル）メチル］−２，４−ジクロロピリジン−３−カルボキサミド、Ｎ−［１−（５−ブロモ−３−クロロピリジン−２−イル）エチル］−２，４−ジクロロピリジン−３−カルボキサミド、Ｎ−［１−（５−ブロモ−３−クロロピリジン−２−イル）エチル］−２−フルオロ−４−ヨードピリジン−３−カルボキサミド、Ｎ−｛（Ｅ）−［（シクロプロピルメトキシ）イミノ］［６−（ジフルオロメトキシ）−２，３−ジフルオロフェニル］メチル｝−２−フェニルアセトアミド、Ｎ−｛（Ｚ）−［（シクロプロピルメトキシ）イミノ］［６−（ジフルオロメトキシ）−２，３−ジフルオロフェニル］メチル｝−２−フェニルアセトアミド、Ｎ’−｛４−［（３−ｔｅｒｔ−ブチル−４−シアノ−１，２−チアゾール−５−イル）オキシ］−２−クロロ−５−メチルフェニル｝−Ｎ−エチル−Ｎ−メチルイミドホルムアミド、Ｎ−メチル−２−（１−｛［５−メチル−３−（トリフルオロメチル）−１Ｈ−ピラゾール−１−イル］アセチル｝ピペリジン−４−イル）−Ｎ−（１，２，３，４−テトラヒドロナフタレン−１−イル）−１，３−チアゾール−４−カルボキサミド、Ｎ−メチル−２−（１−｛［５−メチル−３−（トリフルオロメチル）−１Ｈ−ピラゾール−１−イル］アセチル｝ピペリジン−４−イル）−Ｎ−［（１Ｒ）−１，２，３，４−テトラヒドロナフタレン−１−イル］−１，３−チアゾール−４−カルボキサミド、Ｎ−メチル−２−（１−｛［５−メチル−３−（トリフルオロメチル）−１Ｈ−ピラゾール−１−イル］アセチル｝ピペリジン−４−イル）−Ｎ−［（１Ｓ）−１，２，３，４−テトラヒドロナフタレン−１−イル］−１，３−チアゾール−４−カルボキサミド、｛６−［（｛［（１−メチル−１Ｈ−テトラゾール−５−イル）（フェニル）メチリデン］アミノ｝オキシ）メチル］ピリジン−２−イル｝カルバミン酸ペンチル、フェナジン−１−カルボン酸、キノリン−８−オール（１３４−３１−６）、キノリン−８−オールスルフェート（２：１）、｛６−［（｛［（１−メチル−１Ｈ−テトラゾール−５−イル）（フェニル）メチレン］アミノ｝オキシ）メチル］ピリジン−２−イル｝カルバミン酸ｔｅｒｔ−ブチル、１−メチル−３−（トリフルオロメチル）−Ｎ−［２’−（トリフルオロメチル）ビフェニル−２−イル］−１Ｈ−ピラゾール−４−カルボキサミド、Ｎ−（４’−クロロビフェニル−２−イル）−３−（ジフルオロメチル）−１−メチル−１Ｈ−ピラゾール−４−カルボキサミド、Ｎ−（２’，４’−ジクロロビフェニル−２−イル）−３−（ジフルオロメチル）−１−メチル−１Ｈ−ピラゾール−４−カルボキサミド、３−（ジフルオロメチル）−１−メチル−Ｎ−［４’−（トリフルオロメチル）ビフェニル−２−イル］−１Ｈ−ピラゾール−４−カルボキサミド、Ｎ−（２’，５’−ジフルオロビフェニル−２−イル）−１−メチル−３−（トリフルオロメチル）−１Ｈ−ピラゾール−４−カルボキサミド、３−（ジフルオロメチル）−１−メチル−Ｎ−［４’−（プロパ−１−イン−１−イル）ビフェニル−２−イル］−１Ｈ−ピラゾール−４−カルボキサミド、５−フルオロ−１，３��ジメチル−Ｎ−［４’−（プロパ−１−イン−１−イル）ビフェニル−２−イル］−１Ｈ−ピラゾール−４−カルボキサミド、２−クロロ−Ｎ−［４’−（プロパ−１−イン−１−イル）ビフェニル−２−イル］ピリジン−３−カルボキサミド、３−（ジフルオロメチル）−Ｎ−［４’−（３，３−ジメチルブタ−１−イン−１−イル）ビフェニル−２−イル］−１−メチル−１Ｈ−ピラゾール−４−カルボキサミド、Ｎ−［４’−（３，３−ジメチルブタ−１−イン−１−イル）ビフェニル−２−イル］−５−フルオロ−１，３−ジメチル−１Ｈ−ピラゾール−４−カルボキサミド、３−（ジフルオロメチル）−Ｎ−（４’−エチニルビフェニル−２−イル）−１−メチル−１Ｈ−ピラゾール−４−カルボキサミド、Ｎ−（４’−エチニルビフェニル−２−イル）−５−フルオロ−１，３−ジメチル−１Ｈ−ピラゾール−４−カルボキサミド、２−クロロ−Ｎ−（４’−エチニルビフェニル−２−イル）ピリジン−３−カルボキサミド、２−クロロ−Ｎ−［４’−（３，３−ジメチルブタ−１−イン−１−イル）ビフェニル−２−イル］ピリジン−３−カルボキサミド、４−（ジフルオロメチル）−２−メチル−Ｎ−［４’−（トリフルオロメチル）ビフェニル−２−イル］−１，３−チアゾール−５−カルボキサミド、５−フルオロ−Ｎ−［４’−（３−ヒドロキシ−３−メチルブタ−１−イン−１−イル）ビフェニル−２−イル］−１，３−ジメチル−１Ｈ−ピラゾール−４−カルボキサミド、２−クロロ−Ｎ−［４’−（３−ヒドロキシ−３−メチルブタ−１−イン−１−イル）ビフェニル−２−イル］ピリジン−３−カルボキサミド、３−（ジフルオロメチル）−Ｎ−［４’−（３−メトキシ−３−メチルブタ−１−イン−１−イル）ビフェニル−２−イル］−１−メチル−１Ｈ−ピラゾール−４−カルボキサミド、５−フルオロ−Ｎ−［４’−（３−メトキシ−３−メチルブタ−１−イン−１−イル）ビフェニル−２−イル］−１，３−ジメチル−１Ｈ−ピラゾール−４−カルボキサミド、２−クロロ−Ｎ−［４’−（３−メトキシ−３−メチルブタ−１−イン−１−イル）ビフェニル−２−イル］ピリジン−３−カルボキサミド、（５−ブロモ−２−メトキシ−４−メチルピリジン−３−イル）（２，３，４−トリメトキシ−６−メチルフェニル）メタノン、Ｎ−［２−（４−｛［３−（４−クロロフェニル）プロパ−２−イン−１−イル］オキシ｝−３−メトキ
シフェニル）エチル］−Ｎ２−（メチルスルホニル）バリンアミド、４−オキソ−４−［（２−フェニルエチル）アミノ］ブタン酸、ブタ−３−イン−１−イル  ｛６−［（｛［（Ｚ）−（１−メチル−１Ｈ−テトラゾール−５−イル）（フェニル）メチレン］アミノ｝オキシ）メチル］ピリジン−２−イル｝カルバメート、４−アミノ−５−フルオロピリミジン−２−オール（メソメリック形態：６−アミノ−５−フルオロピリミジン−２（１Ｈ）−オン）、３，４，５−トリヒドロキシ安息香酸プロピル、及び、オリザストロビン。
【請求項７】
前記殺菌剤が、以下のものからなる群から選択される、請求項１〜６のいずれか１項に記載の組成物：
ビテルタノール、ブロムコナゾール、シプロコナゾール、ジフェノコナゾール、エポキシコナゾール、フェンヘキサミド、フェンプロピジン、フェンプロピモルフ、フルキンコナゾール、フルトリアホール、イマザリル、イプコナゾール、メトコナゾール、ミクロブタニル、ペンコナゾール、プロクロラズ、プロピコナゾール、プロチオコナゾール、キンコナゾール、スピロキサミン、テブコナゾール、トリアジメノール、トリチコナゾール、ビキサフェン、ボスカリド、カルボキシン、フルオピラム、フルトラニル、フルキサピロキサド、フラメトピル、イソピラザム（シン−エピマー性ラセミ化合物（１ＲＳ，４ＳＲ，９ＲＳ）とアンチ−エピマー性ラセミ化合物（１ＲＳ，４ＳＲ，９ＳＲ）の混合物）、イソピラザム（アンチ−エピマー性ラセミ化合物  １ＲＳ，４ＳＲ，９ＳＲ）、イソピラザム（アンチ−エピマー性エナンチオマー  １Ｒ，４Ｓ，９Ｓ）、イソピラザム（アンチ−エピマー性エナンチオマー  １Ｓ，４Ｒ，９Ｒ）、イソピラザム（シン−エピマー性ラセミ化合物  １ＲＳ，４ＳＲ，９ＲＳ）、イソピラザム（シン−エピマー性エナンチオマー  １Ｒ，４Ｓ，９Ｒ）、イソピラザム（シン−エピマー性エナンチオマー  １Ｓ，４Ｒ，９Ｓ）、ペンフルフェン、ペンチオピラド、セダキサン、チフルザミド、Ｎ−［１−（２，４−ジクロロフェニル）−１−メトキシプロパン−２−イル］−３−（ジフルオロメチル）−１−メチル−１Ｈ−ピラゾール−４−カルボキサミド、１−メチル−３−（トリフルオロメチル）−Ｎ−（１，３，３−トリメチル−２，３−ジヒドロ−１Ｈ−インデン−４−イル）−１Ｈ−ピラゾール−４−カルボキサミド、１−メチル−３−（トリフルオロメチル）−Ｎ−［（１Ｓ）−１，３，３−トリメチル−２，３−ジヒドロ−１Ｈ−インデン−４−イル］−１Ｈ−ピラゾール−４−カルボキサミド、１−メチル−３−（トリフルオロメチル）−Ｎ−［（１Ｒ）−１，３，３−トリメチル−２，３−ジヒドロ−１Ｈ−インデン−４−イル］−１Ｈ−ピラゾール−４−カルボキサミド、３−（ジフルオロメチル）−１−メチル−Ｎ−［（３Ｓ）−１，１，３−トリメチル−２，３−ジヒドロ−１Ｈ−インデン−４−イル］−１Ｈ−ピラゾール−４−カルボキサミド、３−（ジフルオロメチル）−１−メチル−Ｎ−［（３Ｒ）−１，１，３−トリメチル−２，３−ジヒドロ−１Ｈ−インデン−４−イル］−１Ｈ−ピラゾール−４−カルボキサミド、アメトクトラジン、アミスルブロム、アゾキシストロビン、シアゾファミド、ジモキシストロビン、エネストロブリン、ファモキサドン、フェンアミドン、フルオキサストロビン、クレソキシム−メチル、メトミノストロビン、オリサストロビン、ピコキシストロビン、ピラクロストロビン、ピリベンカルブ、トリフロキシストロビン、カルベンダジム、クロルフェナゾール、ジエトフェンカルブ、エタボキサム、フルオピコリド、フベリダゾール、ペンシクロン、チオファネート−メチル、ゾキサミド、キャプタン、クロロタロニル、水酸化銅、塩基性塩化銅、ジチアノン、ドジン、ホルペット、グアザチン、イミノクタジン三酢酸塩、マンゼブ、プロピネブ、硫黄及び硫黄剤、例えば、多硫化カルシウム、アシベンゾラル−Ｓ−メチル、イソチアニル、チアジニル、シプロジニル、ピリメタニル、ベンチアバリカルブ、ジメトモルフ、イプロバリカルブ、マンジプロパミド、バリフェナレート、ヨードカルブ（ｉｏｄｏｃａｒｂ）、イプロベンホス、プロパモカルブ塩酸塩、トルクロホス−メチル、カルプロパミド、ベナラキシル、ベナラキシル−Ｍ（キララキシル（ｋｉｒａｌａｘｙｌ））、フララキシル、ヒメキサゾール、メタラキシル、メタラキシル−Ｍ（メフェノキサム）、オキサジキシル、フェンピクロニル、フルジオキソニル、イプロジオン、キノキシフェン、ビンクロゾリン、フルアジナム、シモキサニル、フルチアニル、ホセチル−アルミニウム、メタスルホカルブ、イソチオシアン酸メチル、メトラフェノン、亜リン酸及びその塩、プロキナジド、トリアゾキシド、及び、２，６−ジメチル−１Ｈ，５Ｈ−［１，４］ジチイノ［２，３−ｃ：５，６−ｃ’］ジピロール−１，３，５，７（２Ｈ，６Ｈ）−テトロン。
【請求項８】
前記殺虫剤が、以下のものからなる群から選択される、請求項１〜７のいずれか１項に記載の組成物：
アバメクチン、アセフェート、アセタミプリド、アクリナトリン、アフィドピロペン、アルファ−シペルメトリン、アザジラクチン、バシルス・フィルムス（Ｂａｃｉｌｌｕｓ  ｆｉｒｍｕｓ）、ベータ−シフルトリン、ビフェントリン、ブプロフェジン、クロチアニジン、クロラントラニリプロール、クロルフェナピル、クロルピリホス、カルボフラン、シアントラニリプロール、シエノピラフェン、シフルメトフェン、シフルトリン、シペルメトリン、デルタメトリン、ジアフェンチウロン、ジノテフラン、エマメクチン安息香酸塩、エチプロール、フェンピロキシメート、フィプロニル、フロメトキン、フロニカミド、フルベンジアミド、フルエンスルホン、フルオピラム、フルピラジフロン（Ｆｌｕｐｙｒａｄｉｆｕｒｏｎｅ）、ガンマ−シハロトリン、イミダクロプリド、インドキサカルブ、ラムダ−シハロトリン、ルフェヌロン、メタフルミゾン、メチオカルブ、メトキシフェノジド、ミルベメクチン、プロフェノホス、ピフルブミド、ピメトロジン、ピリフルキナゾン、スピネトラム、スピノサド、スピロジクロフェン、スピロメシフェン、スピロテトラマト、スルホキサフロル、テブフェンピラド、テフルトリン、チアクロプリド、チアメトキサム、チオジカルブ、トリフルムロン、１−（３−クロロピリジン−２−イル）−Ｎ−［４−シアノ−２−メチル−６−（メチルカルバモイル）フェニル］−３−｛［５−（トリフルオロメチル）−１Ｈ−テトラゾール−１−イル］メチル｝−１Ｈ−ピラゾール−５−カルボキサミド、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミド、及び、１−｛２−フルオロ−４−メチル−５−［（２，２，２−トリフルオロエチル）スルフィニル］フェニル｝−３−（トリフルオロメチル）−１Ｈ−１，２，４−トリアゾール−５−アミン。
【請求項９】
増量剤、溶媒、自発性促進剤（ｓｐｏｎｔａｎｅｉｔｙ  ｐｒｏｍｏｔｅｒ）、担体、乳化剤、分散剤、凍結防止剤（ｆｒｏｓｔ  ｐｒｏｔｅｃｔａｎｔ）、増粘剤及びアジュバントからなる群から選択される少なくとも１種類の補助剤を付加的に含んでいる、請求項１〜８のいずれか１項に記載の組成物。
【請求項１０】
請求項１〜９のいずれか１項に記載の組成物で処理された種子。
【請求項１１】
殺菌剤及び／又は殺虫剤としての、請求項１〜１０のいずれか１項に記載の組成物の使用。
【請求項１２】
昆虫類、ダニ類、線虫類及び／又は植物病原体に起因する植物及び植物の部分の全体的な損傷並びに収穫された果実又は野菜における損失を低減させるための、請求項１１に記載の使用。
【請求項１３】
慣習的な植物又はトランスジェニック植物又はそれらの種子を処理するための、請求項１１又は１２に記載の使用。
【請求項１４】
昆虫類、ダニ類、線虫類及び／又は植物病原体に起因する植物及び植物の部分の全体的な損傷並びに収穫された果実又は野菜における損失を低減させる方法であって、
（ａ）  ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０及び／又は個々の株を識別する全ての特性を有しているそれら株の突然変異体、並びに／又は、昆虫類、ダニ類、線虫類及び／若しくは植物病原体に対して活性を示す個々の株及び／又は個々の株を識別する全ての特性を有しているそれら株の突然変異体によって産生される少なくとも１種類の代謝産物、並びに／又は、昆虫類、ダニ類、線虫類及び／若しくは植物病原体に対して活性を示す個々の株によって産生される少なくとも１種類の代謝産物；及び、
（ｂ）  少なくとも１種類のさらなる生物的防除剤及び／若しくは個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物；
を、相乗的に有効な量で、同時に又は順次に施用する段階を含んでいる、前記方法。
【請求項１５】
さらに、（ｃ）少なくとも１種類の殺菌剤及び／又は（ｄ）少なくとも１種類の殺虫剤を施用することを含む〔但し、前記ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤、前記殺虫剤及び前記殺菌剤は、同一ではない〕、請求項１４に記載の方法。
【発明の詳細な説明】
【技術分野】
【０００１】
本発明は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０及び／又は個々の株を識別する全ての特性を有しているそれら株の突然変異体、並びに／又は、昆虫類、ダニ類、線虫類及び／若しくは植物病原体に対して活性を示す個々の株及び／又は個々の株を識別する全ての特性を有しているそれら株の突然変異体によって産生される少なくとも１種類の代謝産物、並びに／又は、昆虫類、ダニ類、線虫類及び／若しくは植物病原体に対して活性を示す個々の株によって産生される少なくとも１種類の代謝産物と、少なくとも１種類のさらなる生物的防除剤〔ここで、該生物的防除剤は、特定の微生物及び／若しくは個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物から選択される〕を、相乗的に有効な量で含んでいる組成物に関する。さらに、本発明は、この組成物の使用、並びに、植物及び植物の部分の全体的な損傷を低減させる方法にも関する。
【背景技術】
【０００２】
合成殺虫剤又は合成殺菌剤は、多くの場合、非特異的であり、従って、天然の有益な別の生物を包含する、標的生物以外の生物に対しても作用し得る。それらは、その化学的性質に起因して、有毒且つ非生物分解性でもあり得る。化学物質の残留物（特に、食品中の残留物）に関連した潜在的な環境問題及び健康問題に対して、世界中の消費者の意識はますます高くなっている。その結果、化学的な（即ち、合成された）殺有害生物剤の使用を低減させること又は少なくともその量を低減させることに対して、消費者の圧力が増大している。かくして、有害生物を効果的に防除することを可能としながら、同時に、食物連鎖における要件を成し遂げることが求められている。
【０００３】
合成殺虫剤又は合成殺菌剤の使用に伴って生じるさらなる問題は、殺虫剤又は殺菌剤を独占的に繰り返し施用することによって、多くの場合、抵抗性の害虫又は微生物が選抜されてしまうということである。通常、そのような微生物株は、同様の作用機序を有する別の活性成分に対しても交差抵抗性を示す。従って、そのような活性化合物を用いた該病原体の効果的な防除は、もはや不可能である。しかしながら、新たな作用機序を有する活性成分を開発することは、困難であり、且つ、費用がかかる。
【０００４】
病原体集団における抵抗性発達のリスク並びに環境及び健康に関する懸念によって、植物害虫及び植物病害を管理するための合成殺虫剤及び合成殺菌剤に代わるものを確認することに関心が持たれるようになってきた。
【０００５】
天然の殺虫剤は、上記問題を解決するための１つのアプローチである。しかしながら、それらは、今までのところ、完全に満足のできるものではない。
【０００６】
生物的防除剤（ＢＣＡ）を使用することは、もう１つの代替案である。一部の例では、ＢＣＡ類の有効性は、特に、感染圧が高い場合には、慣習的な殺虫剤及び殺菌剤と同じレベルにはない。従って、一部の状況下においては、生物的防除剤、それらの突然変異体及びそれらによって産生される代謝産物は、特に、低施用量の場合、完全に満足のいくものであるとは限らない。
【０００７】
かくして、少なくとも一部の領域において上記要件を満たすのに役立つ代替的な新規植物保護剤を開発することが絶えず求められている。
【０００８】
ＷＯ  ００／５８４４２Ａ１に記載されているように、バシルス・プミルス（Ｂａｃｉｌｌｕｓ  ｐｕｍｉｌｕｓ）ＱＳＴ２８０８（ＮＲＲＬ受託番号Ｎｏ．Ｂ−３００８７）は、インビボにおいて、広範囲の植物菌類病を阻害することができる。
【０００９】
バシルス・ツリンギエンシス（Ｂａｃｉｌｌｕｓ  ｔｈｕｒｉｎｇｉｅｎｓｉｓ）ＢＤ＃３２（ＮＲＲＬ受託番号Ｎｏ．Ｂ−２１５３０）は、殺虫活性を示す（ＵＳ  ５，６４５，８３１Ａ）。それは、コーンルートワーム（ｃｏｒｎ  ｒｏｏｔｗｏｒｍ）を殺す上で１００％の効果を示す溶媒抽出可能な非外毒素性非タンパク質性代謝産物を産生する。この細菌株によって産生されるバイオ農薬は、コーンルートワーム（ｃｏｒｎ  ｒｏｏｔｗｏｒｍ）に対して活性を示すが、ハエ類に対しては活性を示さない。
【先行技術文献】
【特許文献】
【００１０】
【特許文献１】国際特許出願公開第２０００／５８４４２Ａ１号
【特許文献２】米国特許第５，６４５，８３１Ａ号
【発明の概要】
【発明が解決しようとする課題】
【００１１】
上記に鑑みて、本発明の目的は、特に、昆虫類、ダニ類、線虫類及び／又は植物病原体に対して活性を示す組成物を提供することであった。さらに、本発明のさらなる特定の目的は、当該生物的防除剤又は当該殺虫剤の施用量を低減させ且つ活性スペクトルを拡大し、それによって、昆虫類、ダニ類、線虫類及び／又は植物病原体に対して改善された活性を示す組成物、好ましくは、活性化合物の低減された総施用量で昆虫類、ダニ類、線虫類及び／又は植物病原体に対して改善された活性を示す組成物を提供することであった。特に、本発明のさらなる目的は、作物に対して施用されたときにその作物において残留物の量が低減されている（それによって、抵抗性が形成されるリスクは低減される）が、それにもかかわらず、害虫及び／又は病害を効率的に防除する組成物を提供することであった。
【課題を解決するための手段】
【００１２】
従って、上記目的は、以下で定義されている本発明の組成物によって、少なくとも部分的に解決されるということが分かった。本発明による組成物は、好ましくは、上記で記載されている要求を満たす。驚くべきことに、本発明による組成物を植物、植物の部分、収穫された果実、野菜及び／又は植物の成育場所に同時に又は順次に施用することによって、好ましくは、該個々の株、それらの突然変異体及び／又は該株によって産生される少なくとも１種類の代謝産物を単独で用いた場合に可能な防除と比較して、昆虫類、ダニ類、線虫類及び／又は植物病原体の優れた防除が可能となるということが見いだされた（相乗作用的混合物）。グーゲロチンを産生するストレプトミセス（Ｓｔｒｅｐｔｏｍｙｃｅｓ）株〔例えば、株ＮＲＲＬ  Ｂ−５０５５０〕に基づく生物的防除剤と、該グーゲロチンを産生するストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕以外の少なくとも１種類の株、それらの突然変異体及び／又は本発明による該株によって産生される代謝産物（１種類又は複数種類）を施用することによって、昆虫類、ダニ類、線虫類及び／又は植物病原体に対する活性は、好ましくは、相加的なものを超えて増大される。好ましくは、本発明による組成物を施用することによって、植物病原体に対する活性が、相加的なものを超えて増大される。
【００１３】
結果として、本発明による組成物は、好ましくは、使用するストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤の総量を低減させることを可能とする。さらに、害虫の抵抗性が形成されるリスクも低減される。
【００１４】
本発明は、グーゲロチンを産生するストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕及び／又は個々の株を識別する全ての特性を有しているそれら株の突然変異体〔例えば、ストレプトミセス・ミクロフラブス（Ｓｔｒｅｐｔｏｍｙｃｅｓ  ｍｉｃｒｏｆｌａｖｕｓ）株Ｍ〕、並びに／又は、昆虫類、ダニ類、線虫類及び／若しくは植物病原体に対して活性を示す個々の株及び／又は個々の株を識別する全ての特性を有しているそれらの突然変異体若しくは変異株によって産生される少なくとも１種類の代謝産物、並びに／又は、昆虫類、ダニ類、線虫類及び／若しくは植物病原体に対して活性を示す個々の株によって産生される少なくとも１種類の代謝産物（以下では、「ストレプトミセス（Ｓｔｒｅｐｔｏｍｙｃｅｓ）に基づく生物的防除剤」と称されるか、又は、より特定的に、「ストレプトミセス（Ｓｔｒｅｐｔｏｍｙｃｅｓ）株ＮＲＲＬ  Ｂ−５０５５０に基づく生物的防除剤」と称される）と、少なくとも１種類のさらなる異なった生物的防除剤及び／又は個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物を、相乗的に有効な量で含んでいる組成物を対象とする。
【００１５】
さらに、本発明は、（ａ）ストレプトミセス（Ｓｔｒｅｐｔｏｍｙｃｅｓ）又はストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤（１種類又は複数種類）と、少なくとも１種類のさらなる生物的防除剤及び／又は個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物を含んでいるキット・オブ・パーツにも関する。本発明は、さらに、殺虫剤及び／又は殺ダニ剤及び／又は殺線虫剤及び／又は殺菌剤としての該組成物の使用も対象とする。さらに、本発明は、昆虫類、ダニ類、線虫類及び／又は植物病原体に起因する植物及び植物の部分の全体的な損傷並びに収穫された果実又は野菜における損失を低減させるための該組成物の使用も対象とする。
【００１６】
さらに、本発明は、昆虫類、ダニ類、線虫類及び／又は植物病原体に起因する植物及び植物の部分の全体的な損傷並びに収穫された果実又は野菜における損失を低減させる方法も提供する。
【発明を実施するための形態】
【００１７】
ストレプトミセス（Ｓｔｒｅｐｔｏｍｙｃｅｓ）に基づく生物的防除剤、特に、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤
一般に、「殺有害生物性（ｐｅｓｔｉｃｉｄａｌ）」は、ある物質が植物有害生物の死亡率を増大させる能力又は植物有害生物の増殖速度を抑制する能力を意味する。該用語は、本明細書中においては、ある物質が昆虫類、ダニ類、線虫類及び／又は植物病原体に対して活性を示す特性について記載するために使用される。本発明の意味において、用語「有害生物（ｐｅｓｔｓ）」は、昆虫類、ダニ類、線虫類及び／又は植物病原体を包含する。
【００１８】
本明細書中で使用される場合、「生物的防除（ｂｉｏｌｏｇｉｃａｌ  ｃｏｎｔｒｏｌ）」は、第２の生物を使用することによる、病原体及び／又は昆虫及び／又はダニ及び／又は線虫の防除であると定義される。生物的防除の既知機序としては、根の表面上の領域又は栄養物に関して菌類と競合して打ち勝つことによって根腐れを防除する細菌などがある。病原体を防除するために、抗生物質などの細菌毒素が使用されてきた。そのような毒素は、単離することが可能であり、そして、植物に直接施用することが可能である。あるいは、そのような細菌種を投与して、それらがその場で毒素を産生するようにすることができる。生物的防除を発揮する別の手段としては、標的とする病原体、昆虫、ダニ若しくは線虫に対して活性を示す成分を産生する特定の菌類を施用すること、又は、標的とする害虫／病原体を攻撃する特定の菌類を施用することなどがある。本発明に関連して使用される場合、「生物的防除」には、植物の健康、成長、活力、ストレス反応及び収穫量に対して有益な効果を有する微生物も包含され得る。施用方法としては、噴霧施用、土壌施用及び種子処理などがある。
【００１９】
用語「代謝産物」は、殺有害生物活性、殺菌活性又は殺線虫活性を有する該微生物の発酵に由来する任意の化合物、物質又は副産物を意味する。そのような１種類の代謝産物、例えば、株ＮＲＲＬ  Ｂ−５０５５０及びその本発明による突然変異体〔例えば、ストレプトミセス・ミクロフラブス（Ｓｔｒｅｐｔｏｍｙｃｅｓ  ｍｉｃｒｏｆｌａｖｕｓ）株Ｍ〕による代謝産物は、グーゲロチンである。該代謝産物は、発酵ブロスの中にも含まれ得る。例えば、そのような発酵ブロスは、該代謝産物（例えば、グーゲロチン）を、少なくとも約１ｇ／Ｌ、少なくとも約２ｇ／Ｌ、少なくとも約３ｇ／Ｌ、少なくとも約４ｇ／Ｌ、少なくとも約５ｇ／Ｌ  少なくとも約６ｇ／Ｌ、少なくとも約７ｇ／Ｌ又は少なくとも約８ｇ／Ｌの濃度で、含んでいる。別の実施形態では、該発酵ブロスは、グーゲロチンを、約２ｇ／Ｌ〜約１５ｇ／Ｌの範囲内にある濃度で、例えば、約３ｇ／Ｌの濃度で、約４ｇ／Ｌの濃度で、約５ｇ／Ｌの濃度で、約６ｇ／Ｌの濃度で、約７ｇ／Ｌの濃度で、約８ｇ／Ｌの濃度で、約９ｇ／Ｌの濃度で、約１０ｇ／Ｌの濃度で、約１１ｇ／Ｌの濃度で、約１２ｇ／Ｌの濃度で、約１３ｇ／Ｌの濃度で、約１４ｇ／Ｌの濃度で、含んでいる。
【００２０】
用語「突然変異体（ｍｕｔａｎｔ）」は、親株の変異株、及び、その殺有害生物活性が親株によって発現される殺有害生物活性よりも大きい突然変異体又は変異株を得るための方法を意味する。「親株」は、本明細書中では、突然変異誘発以前の原株又は寄託された株として定義される。そのような突然変異体を得るために、親株を、化学物質（例えば、Ｎ−メチル−Ｎ’−ニトロ−Ｎ−ニトロソグアニジン、エチルメタンスルホン）で処理することができるか、又は、ガンマ線、Ｘ線若しくは紫外線を用いて照射することによって処理することができるか、又は、当業者にはよく知られている別の方法で処理することができる。一実施形態において、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０の植物食性−殺ダニ性突然変異体株が提供される。用語「突然変異体」は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０から誘導された遺伝的変異株を意味する。一実施形態において、該突然変異体は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０を識別する１種類以上又は全ての（機能的）特性を有している。特定の例において、該突然変異体又はその発酵産物は、親のストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０株と同様に、（識別するための機能的特性として）少なくともダニ類を防除する。さらに、該突然変異体又はその発酵産物は、以下の特性のうちの１、２、３、４又は５の全てを有し得る：殺ダニ活性に関する層透過活性、殺ダニ活性に関する残効性、殺卵活性、殺虫活性〔特に、ジアブロチカ（ｄｉａｂｒｏｔｉｃａ）に対する殺虫活性〕、又は、菌類植物病原体に対する活性〔特に、白カビ（ｍｉｌｄｅｗ）及びさび病に対する活性〕。そのような突然変異体は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に対して、約８５％より大きい、約９０％より大きい、約９５％より大きい、約９８％より大きい、又は、約９９％より大きい、配列同一性を有するゲノム配列を有する遺伝的変異株であり得る。突然変異体は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０細胞を化学物質若しくは照射で処理することによって、又は、ＮＲＲＬ  Ｂ−５０５５０細胞の集団から自然突然変異体（例えば、ファージ抵抗性突然変異体又は抗生物質抵抗性突然変異体）を選抜することによって、又は、当業者にはよく知られている他の手段によって、得ることができる。
【００２１】
ストレプトミセス・ミクロフラブス（Ｓｔｒｅｐｔｏｍｙｃｅｓ  ｍｉｃｒｏｆｌａｖｕｓ）の突然変異誘発に適した化学物質としては、少しだけ例を挙げると、ヒドロキシルアミン塩酸塩、メタンスルホン酸メチル（ＭＭＳ）、メタンスルホン酸エチル（ＥＭＳ）、４−ニトロキノリン１−オキシド（ＮＱＯ）、マイトマイシンＣ又はＮ−メチル−Ｎ’−ニトロ−Ｎ−ニトロソグアニジン（ＮＴＧ）などがある（ｃｆ．，例えば、「Ｓｔｏｎｅｓｉｆｅｒ  ＆  Ｂａｌｔｚ，  Ｐｒｏｃ．  Ｎａｔｌ．  Ａｃａｄ．  Ｓｃｉ．  ＵＳＡ  Ｖｏｌ．  ８２，  ｐｐ．  １１８０−１１８３，  Ｆｅｂｒｕａｒｙ  １９８５」）。それぞれのストレプトミセス（Ｓｔｒｅｐｔｏｍｙｃｅｓ）株の胞子溶液を用いた、例えばＮＴＧによる、ストレプトミセス（Ｓｔｒｅｐｔｏｍｙｃｅｓ）株の突然変異誘発は、当業者によく知られている。例えば、「Ｄｅｌｉｃ  ｅｔ  ａｌ，  Ｍｕｔａｔｉｏｎ  Ｒｅｓｅａｒｃｈ／Ｆｕｎｄａｍｅｎｔａｌ  ａｎｄ  Ｍｏｌｅｃｕｌａｒ  Ｍｅｃｈａｎｉｓｍｓ  ｏｆ  Ｍｕｔａｇｅｎｅｓｉｓ，  Ｖｏｌｕｍｅ  ９，  Ｉｓｓｕｅ  ２，  Ｆｅｂｒｕａｒｙ  １９７０，  ｐａｇｅｓ  １６７−１８２」又は「Ｃｈｅｎ  ｅｔ  ａｌ．，  Ｊ  Ａｎｔｉｂｉｏｔ  （Ｔｏｋｙｏ），  ２００１  Ｎｏｖ；５４（１１），  ｐａｇｅｓ  ９６７−９７２」を参照されたい。より詳細には、ストレプトミセス・ミクロフラブス（Ｓｔｒｅｐｔｏｍｙｃｅｓ  ｍｉｃｒｏｆｌａｖｕｓ）は、「Ｋｉｅｓｅｒ，  Ｔ．，  ｅｔ  ａｌ．，  ２０００，  上掲  Ｐｒａｃｔｉｃａｌ  Ｓｔｒｅｐｔｏｍｙｃｅｓ  Ｇｅｎｅｔｉｃｓ，  Ｃｈ．  ５  Ｊｏｈｎ  Ｉｎｎｅｓ  Ｃｅｎｔｒｅ，  Ｎｏｒｗｉｃｈ  Ｒｅｓｅａｒｃｈ  Ｐａｒｋ，  Ｅｎｇｌａｎｄ  （２０００），  ｐｐ．  ９９−１０７」に記載されているプロトコルを用いて、ＮＴＧによる突然変異に付すことができる。ストレプトミセス・ミクロフラブス（Ｓｔｒｅｐｔｏｍｙｃｅｓ  ｍｉｃｒｏｆｌａｖｕｓ）の胞子の紫外線（ＵＶ）による突然変異誘発は、標準的なプロトコルを用いて実施することができる。例えば、ストレプトミセス（Ｓｔｒｅｐｔｏｍｙｃｅｓ）株の胞子懸濁液（２０％グリセロール中で新たに調製又は凍結したもの）を、２５４ｎｍの波長のＵＶ光を吸収しない培地（例えば、水又は２０％グリセロールが適している）に懸濁させることができる。次いで、該胞子懸濁液をガラス製シャーレの中に入れ、絶えず撹拌しながら３０℃で、適切な時間、エネルギーの大部分を２５４ｎｍで放射する低圧水銀ランプで照射する（照射の最も適当な時間は、線量−生存曲線を最初にプロットすることにより決定することができる）。次に、その照射された濃厚胞子懸濁液を、例えば、非選択培地のスラント又はプレートに植え付けることができ、そして、そのようにして得られた突然変異株を、それらの特性に関して、以下で説明されているように評価することができる。以下のものを参照されたい：Ｋｉｅｓｅｒ，  Ｔ．，  ｅｔ  ａｌ．，  ２０００，  上掲。
【００２２】
該突然変異株は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０を識別する１以上の又は全ての特性を有する任意の突然変異株、特に、ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０に匹敵するか若しくはそれより良好な殺ダニ活性を有する任意の突然変異株〔例えば、ストレプトミセス・ミクロフラブス（Ｓｔｒｅｐｔｏｍｙｃｅｓ  ｍｉｃｒｏｆｌａｖｕｓ）株Ｍ〕であることができる。殺ダニ活性は、例えば、本明細書の実施例２において説明されているように、ナミハダニ（「ＴＳＳＭ」）に対して決定することができる。即ち、ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の突然変異株の培養ストックを、１Ｌ容振盪フラスコ内で、２０〜３０℃で３〜５日間、実施例２の培地（Ｍｅｄｉａ）１又は培地２の中で増殖させることができ、次いで、希釈した発酵産物を２個体の植物のライマメの葉の上面と下面に塗布することができ、その処理の後、同じ日に、植物に５０−１００のＴＳＳＭを寄生させ、温室内に５日間放置することができる。
【００２３】
「変異株」は、本明細書中に示されているＮＲＲＬ受託番号又はＡＴＣＣ受託番号の全ての識別特性を有していて且つ高ストリンジェンシー条件下で該ＮＲＲＬ受託番号又は該ＡＴＣＣ受託番号のゲノムとハイブリダイズするゲノムを有しているものとして識別し得る株である。
【００２４】
「ハイブリダイゼーション」は、１以上のポリヌクレオチドが反応して、ヌクレオチド残基の塩基の間の水素結合によって安定化されている複合体を形成するような、反応を意味する。該水素結合は、ワトソン−クリック塩基対によって、又は、フーグスティーン結合によって、又は、任意の別の配列特異的方法によって、生じ得る。該複合体は、二重鎖構造を形成する二本の鎖、多重鎖複合体を形成する３本以上の鎖、自己ハイブリダイズする１本の鎖又はそれらの任意の組合せを含み得る。ハイブリダイゼーション反応は、種々の「ストリンジェンシー」条件下で実施することができる。一般に、低ストリンジェンシーハイブリダイゼーション反応は、１０×ＳＳＣの中で約４０℃で実施するか、又は、等価なイオン強度／温度の溶液の中で実施する。中ストリンジェンシーハイブリダイゼーションは、典型的には、６×ＳＳＣの中で約５０℃で実施し、及び、高ストリンジェンシーハイブリダイゼーション反応は、一般に、１×ＳＳＣの中で約６０℃で実施する。
【００２５】
示されているＮＲＲＬ受託番号又はＡＴＣＣ受託番号の変異株は、示されているＮＲＲＬ受託番号又はＡＴＣＣ受託番号のゲノムと８５％を超える配列同一性（さらに好ましくは、９０％を超える配列同一性、さらに好ましくは、９５％を超える配列同一性）であるゲノム配列を有する株であると定義することもできる。ポリヌクレオチド又はポリヌクレオチド領域（又は、ポリペプチド又はポリペプチド領域）は、別の配列に対して特定の割合（％）（例えば、８０％、８５％、９０％、９５％、９６％、９７％、９８％、又は、９９％）の「配列同一性」を有しており、このことは、アラインメントさせたときに、塩基（又は、アミノ酸）のその割合（％）がその２つの配列を比較して同一であることを意味する。このアラインメント及び相同性（％）又は配列同一性（％）は、当技術分野で知られているソフトウェアプログラム〔例えば、「Ｃｕｒｒｅｎｔ  Ｐｒｏｔｏｃｏｌｓ  ｉｎ  Ｍｏｌｅｃｕｌａｒ  Ｂｉｏｌｏｇｙ  （Ｆ．Ｍ．Ａｕｓｕｂｅｌ  ｅｔ  ａｌ．，  ｅｄｓ．，  １９８７）  Ｓｕｐｐｌｅｍｅｎｔ  ３０，  ｓｅｃｔｉｏｎ  ７．７．１８，  Ｔａｂｌｅ  ７．７．１．」に記載されているソフトウェアプログラム〕を用いて求めることができる。
【００２６】
ＮＲＲＬは、「Ａｇｒｉｃｕｌｔｕｒａｌ  Ｒｅｓｅａｒｃｈ  Ｓｅｒｖｉｃｅ  Ｃｕｌｔｕｒｅ  Ｃｏｌｌｅｃｔｉｏｎ」の略称であって、これは、特許手続きを目的とした微生物の寄託の国際的承認に関するブダペスト条約のもとで微生物株を寄託するための公的な国際寄託機関であり、「Ｎａｔｉｏｎａｌ  Ｃｅｎｔｅｒ  ｆｏｒ  Ａｇｒｉｃｕｌｔｕｒａｌ  Ｕｔｉｌｉｚａｔｉｏｎ  Ｒｅｓｅａｒｃｈ，  Ａｇｒｉｃｕｌｔｕｒａｌ  Ｒｅｓｅａｒｃｈ  ｓｅｒｖｉｃｅ，  Ｕ．Ｓ．  Ｄｅｐａｒｔｍｅｎｔ  ｏｆ  Ａｇｒｉｃｕｌｔｕｒｅ，  １８１５  Ｎｏｒｔｈ  ｕｎｉｖｅｒｓｉｔｙ  Ｓｔｒｅｅｔ，  Ｐｅｒｏｉｒａ，  Ｉｌｌｉｎｏｉｓ  ６１６０４  ＵＳＡ」に住所を有している。
【００２７】
ＡＴＣＣは、「Ａｍｅｒｉｃａｎ  Ｔｙｐｅ  Ｃｕｌｔｕｒｅ  Ｃｏｌｌｅｃｔｉｏｎ」の略称であって、これは、特許手続きを目的とした微生物の寄託の国際的承認に関するブダペスト条約のもとで微生物株を寄託するための公的な国際寄託機関であり、「ＡＴＣＣ  Ｐａｔｅｎｔ  Ｄｅｐｏｓｉｔｏｒｙ，  １０８０１  Ｕｎｉｖｅｒｓｉｔｙ  Ｂｌｖｄ．，  Ｍａｎａｓｓａｓ，  ＶＡ  １０１１０  ＵＳＡ」に住所を有している。
【００２８】
数種類のストレプトミセス（Ｓｔｒｅｐｔｏｍｙｃｅｓ）株は、農業における使用に関して記載されている。可能な農業用途に関して、ストレプトミセス（Ｓｔｒｅｐｔｏｍｙｃｅｓ）株は、主として、１９６０年代後期から１９７０年代早期にかけて、刊行物に記載された。例えば、抗生物質Ｂ−９８８９１を産生するＡＴＣＣ  ３１１２０として寄託されたストレプトミセス・リモファシエンス（Ｓｔｒｅｐｔｏｍｙｃｅｓ  ｒｉｍｏｆａｃｉｅｎｓ）株Ｎｏ．Ｂ−９８８９１について記載している英国特許ＧＢ  １５０７１９３を参照されたい。１９７５年３月に出願されたＧＢ  １５０７１９３によれば、抗生物質Ｂ−９８８９１は、ストレプトミセス・リモファシエンス（Ｓｔｒｅｐｔｏｍｙｃｅｓ  ｒｉｍｏｆａｃｉｅｎｓ）株Ｎｏ．Ｂ−９８８９１の、うどんこ病に対する抗真菌活性を提供する活性成分である。１９７２年８月２日に出願された米国特許第３，８４９，３９８号は、株ストレプトミセス・トヨカエンシス  ｖａｒ．  アスピクラミセチクス（Ｓｔｒｅｐｔｏｍｙｃｅｓ  ｔｏｙｏｃａｅｎｓｉｓ  ｖａｒ．  ａｓｐｉｃｕｌａｍｙｃｅｔｉｃｕｓ）が、グーゲロチンとしても知られている抗生物質アスピクラマイシン（ａｓｐｉｃｕｌａｍｙｃｉｎ）を産生することについて記載している（以下のものを参照されたい：Ｔｏｒｕ  Ｉｋｅｕｃｈｉ  ｅｔ  ａｌ．，  ２５  Ｊ．  ＡＮＴＩＢＩＯＴＩＣＳ  ５４８  （Ｓｅｐｔ．  １９７２））。米国特許第３，８４９，３９８号によれば、グーゲロチンは、動物に寄生する寄生生物（例えば、ギョウ虫など）に対して殺寄生生物作用を有しているが、グーゲロチンは、グラム陽性、グラム陰性細菌及び結核菌に対する抗菌活性が弱いといわれている。同様に、１９７８年に公開された日本特許出願第５３１０９９９８（Ａ）は、株ストレプトミセス・トヨカエンシス（Ｓｔｒｅｐｔｏｍｙｃｅｓ  ｔｏｙｏｃａｅｎｓｉｓ）（ＬＡ−６８１）及び殺ダニ剤として使用されるグーゲロチンを産生するその能力について報告している。しかしながら、該ストレプトミセス（Ｓｔｒｅｐｔｏｍｙｃｅｓ）株に基づく殺ダニ性製品は市販されてないことに留意されたい。
【００２９】
上記で挙げられているストレプトミセス（Ｓｔｒｅｐｔｏｍｙｃｅｓ）株に加えて、別のストレプトミセス（Ｓｔｒｅｐｔｏｍｙｃｅｓ）株〔例えば、「Ｄｕ  ｅｔ  ａｌ．  （Ａｐｐｌ  Ｍｉｃｒｏｂｉｏｌ  Ｂｉｏｔｅｃｈｎｏｌ  ２０１３；９７（１４））」において記載されている、グーゲロチン産生に関する修飾遺伝子クラスターを有しているストレプトミセス・コエリコロル（Ｓｔｒｅｐｔｏｍｙｃｅｓ  ｃｏｅｌｉｃｏｌｏｒ）株Ｍ１１４６、及び、「Ｎｉｕ  ｅｔ  ａｌ．  （Ｃｈｅｍ  Ｃｉｏｌ  ２０１３；２０（１））」において記載されているストレプトミセス・グラミネアルス（Ｓｔｒｅｐｔｏｍｙｃｅｓ  ｇｒａｍｉｎｅａｒｕｓ）〕も、本発明の範囲内で使用することができる。本発明の範囲内で使用し得る、グーゲロチンを産生する別のストレプトミセス（Ｓｔｒｅｐｔｏｍｙｃｅｓ）種は、以下のものである：ストレプトミセス・ミクロフラブス（Ｓ．ｍｉｃｒｏｆｌａｖｕｓ）、ストレプトミセス・グリセウス（Ｓ．ｇｒｉｓｅｕｓ）、ストレプトミセス・アヌラツス（Ｓ．ａｎｕｌａｔｕｓ）、ストレプトミセス・フィミカリウス（Ｓ．ｆｉｍｉｃａｒｉｕｓ）、ストレプトミセス・パルブス（Ｓ．ｐａｒｖｕｓ）、ストレプトミセス・ラベンズラエ（Ｓ．ｌａｖｅｎｄｕｌａｅ）、ストレプトミセス・アルボビリディス（Ｓ．ａｌｂｏｖｉｒｉｄｉｓ）、ストレプトミセス・プニセウス（Ｓ．ｐｕｎｉｃｅｕｓ）、又は、ストレプトミセス・グラミネアルス（Ｓ．ｇｒａｍｉｎｅａｒｕｓ）。
【００３０】
ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０（以下では、時には、「Ｂ」と称される）又はその発酵産物は、殺ダニ活性（ａｃａｒｉｃｉｄａｌ  ａｃｔｉｖｉｔｙ）を有し、さらに、広範囲のダニ類（ｍｉｔｅｓ）に対しても活性を示す（実施例の欄を参照されたい）。さらに、株ＮＲＲＬ  Ｂ−５０５５０は、殺虫活性及びさまざまな菌類植物病原体〔例えば、赤さび病及び白カビ（ｍｉｌｄｅｗ）〕に対する活性の両方を有している。該株は、抗生物質グーゲロチン（１−（４−アミノ−２−オキソ−１（２Ｈ）−ピリミジニル）−１，４−ジデオキシ−４−［［Ｎ−（Ｎ−メチルグリシル）−Ｄ−セリル］アミノ］−ｂ−Ｄ−グルコピラヌロンアミド）を産生する。上記で記載した有利な特性に加えて、株ＮＲＲＬ  Ｂ−５０５５０は、高いＵＶ安定性、良好な層透過活性、良好な殺卵活性、長い残効性、潅注活性も示す。
【００３１】
この独特な活性の組合せによって、株ＮＲＲＬ  Ｂ−５０５５０は極めて多目的に使用できる候補となり、また、この株は、植物を処理して植物病害及び／又は植物害虫を防除する方法で広く使用するのに適切となる。そのような広範囲の活性及び農業における可能な応用は、既知のストレプトミセス（Ｓｔｒｅｐｔｏｍｙｃｅｓ）株に関して未だに報告されていない。かくして、ダニ類（ａｃａｒｉ）（グーゲロチン産生に基づく）、菌類及び昆虫類に対する広範な効力を有し且つ作用機序に関する望ましい特性（例えば、層透過活性及び残効性）を有しているストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０は、生物学的な有利な特性〔これは、それ自体、既知ストレプトミセス（Ｓｔｒｅｐｔｏｍｙｃｅｓ）株に対しては報告されていない〕に関して、重要で予想外の進歩を表している。
【００３２】
本発明の１つの態様において、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕又はその植物食性−殺ダニ性の突然変異株は、層透過活性を有する。用語「層透過活性」は、本明細書において、当技術分野におけるその普通の意味で用いられており、従って、「層透過活性」は、化合物又は組成物〔ここでは、例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０又はその突然変異株を含有する発酵産物のような組成物〕が処理される植物の葉の組織を通って移動する能力を意味する。層透過性の化合物／組成物は、葉の組織に浸透し、そして、葉の内部に活性成分のリザーバーを形成する。従って、この層透過活性は、葉を摂食する昆虫類及びダニ類に対する残効性も提供する。該組成物（又は、その１種類以上の活性成分）は、葉を通って移動することができるので、噴霧によって完全に被覆することは、通常葉の裏面を摂食するダニ類（ｍｉｔｅｓ）のようなダニ目（ａｃａｒｉ）を防除するのにあまり重要ではない。突然変異株単独の層透過活性又はストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０と比較した層透過活性は、例えば、本明細書中の実施例６で説明されているように、ナミハダニ（「ＴＳＳＭ」）に対して決定することができる。
【００３３】
本発明の別の態様において、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕又はその植物食性−殺ダニ性の突然変異株は、残効性を有する。用語「残効性」は、本明細書において、当技術分野におけるその普通の意味で用いられており、従って、「残効性」は、化合物又は組成物〔ここでは、例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０又はその突然変異株を含有する発酵産物のような組成物〕が施用されたあとで長期間に渡り有効な状態にある能力を意味する。時間の長さは、製剤（粉剤、液剤など）、植物又は生息場所のタイプ、及び、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０又はその突然変異株を含有する組成物を施用する植物表面又は土壌表面の状態（湿潤、乾燥など）に依存し得る。突然変異株単独の残効性又はストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０と比較した残効性は、例えば、本明細書中の実施例２又は実施例７で説明されるようにナミハダニ（「ＴＳＳＭ」）に対して決定することができ、このことは、殺ダニ効果に関して、実施例２又は実施例５の条件下で、数日（例えば、１２日）後でも、坑殺ダニ効果が観察され得るということを意味する。
【００３４】
本発明の別の態様において、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕又はその植物食性−殺ダニ性の突然変異株は、殺卵活性を有する。用語「殺卵活性」は、本明細書において、当技術分野におけるその普通の意味で用いられていて、「卵の破壊又は死を引き起こす能力」を意味し、そして、本明細書では、ダニ類（ｍｉｔｅｓ）のようなダニ目（ａｃａｒｉ）の卵に関して使用されている。ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の突然変異株単独の殺卵活性又はストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０と比較した殺卵活性は、実施例７に記載されている方法を用いて決定することができる。
【００３５】
本発明の別の態様において、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕又はその植物食性−殺ダニ性の突然変異株は、潅注活性を有する。用語「潅注活性」は、本明細書において、当技術分野におけるその普通の意味で用いられていて、土壌又は別の成長培地から木質部を介して植物の中を通って上方へ移動する殺虫活性を意味する。ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の突然変異株単独の潅注活性又はストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０と比較した潅注活性は、実施例８に記載されている方法を用いて決定することができる。
【００３６】
本発明の別の態様において、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕又はその植物食性−殺ダニ性の突然変異株は、実施例において例証されるているように、限定するものではないが、ナミハダニに対する活性、ミカンサビダニ（Ｐｈｙｌｌｏｃｏｐｔｒｕｔａ  ｏｌｅｉｖｏｒａ）、フシダニ科（ｅｒｉｏｐｈｙｉｄ）（ｒｕｓｓｅｔ）ダニ及びチャノホコリダニ（ｂｒｏａｄ  ｍｉｔｅｓ）に対する活性を包含する、さまざまなダニ種に対する殺ダニ活性を有している。
【００３７】
本発明の別の態様において、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕又はその植物食性−殺ダニ性の突然変異株〔例えば、ストレプトミセス・ミクロフラブス（Ｓｔｒｅｐｔｏｍｙｃｅｓ  ｍｉｃｒｏｆｌａｖｕｓ）株Ｍ〕は、殺菌活性（これは、菌類によって引き起こされる植物病害に対する活性を意味する）を有する。該植物病害は、白カビ（ｍｉｌｄｅｗ）又はさび病であり得る。ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０又はその植物食性−殺ダニ性突然変異株で処理することができる白カビ（ｍｉｌｄｅｗ）の例としては、限定するものではないが、うどんこ病〔例えば、スフェロテカ・フリギネア（Ｓｐｈａｅｒｏｔｈｅｃａ  ｆｕｌｉｇｉｎｅａ）によって引き起こされるキュウリうどんこ病〕、又は、ベと病〔例えば、ペロノスポラ・パラシチカ（Ｐｅｒｏｎｏｓｐｏｒａ  ｐａｒａｓｉｔｉｃａ）によって引き起こされるアブラナ科ベと病〕などがある。ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０又はその植物食性−殺ダニ性突然変異株で処理し得るさび病の例としては、限定するものではないが、プッシニア・トリシチナ（Ｐｕｃｃｉｎｉａ  ｔｒｉｔｉｃｉｎａ）〔プッシニア・レコンジタ（Ｐ．ｒｅｃｏｎｄｉｔａ）としても知られている〕によって引き起こされるコムギ赤さび病、プッシニア・グラミニス（Ｐｕｃｃｉｎｉａ  ｇｒａｍｍｉｓ）によって引き起こされるコムギ黒さび病、プッシニア・ストリイホルミス（Ｐｕｃｃｉｎｉａ  ｓｔｒｉｉｆｏｒｍｉｓ）によって引き起こされるコムギ黄さび病、プッシニア・ホルデイ（Ｐｕｃｃｉｎｉａ  ｈｏｒｄｅｉ）によって引き起こされるオオムギの小さび病、プッシニア・レコンジタ（Ｐｕｃｃｉｎｉａ  ｒｅｃｏｎｄｉｔａ）によって引き起こされるライ麦の赤さび病、赤さび病（ｂｒｏｗｎ  ｌｅａｆ  ｒｕｓｔ）、冠さび病（ｃｒｏｗｎ  ｒｕｓｔ）及び黒さび病（ｓｔｅｍ  ｒｕｓｔ）などがある。ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の突然変異株単独の殺菌活性又はストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０と比較した殺菌活性は、実施例９に記載されている方法を用いてキュウリうどんこ病に対して決定することができる。
【００３８】
用語「少なくとも１の」は、いずれの場合にも、特定されている物質〔例えば、代謝産物、又は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０以外の生物的防除剤〕が本発明による組成物の中に存在していることを示している。しかしながら、２種以上、例えば、（少なくとも）２種、（少なくとも）３種、（少なくとも）４種、（少なくとも）５種又はさらに多い種類の該物質も、本発明による組成物の中に存在させ得る。
【００３９】
本発明の組成物は、ストレプトミセス（Ｓｔｒｅｐｔｏｍｙｃｅｓ）株、例えば、ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０又はそれから誘導される突然変異体を、液中発酵、固相発酵又は液面培養のような慣習的な大規模微生物発酵プロセス〔これは、以下のものに記載されている方法を包含する：例えば、米国特許第３，８４９，３９８号、英国特許第ＧＢ  １５０７１９３号、「Ｔｏｓｈｉｋｏ  Ｋａｎｚａｋｉ  ｅｔ  ａｌ．，  Ｊｏｕｒｎａｌ  ｏｆ  Ａｎｔｉｂｉｏｔｉｃｓ，  Ｓｅｒ．  Ａ，  Ｖｏｌ．  １５，  Ｎｏ．２，  Ｊｕｎ．  １９６１，  ｐａｇｅｓ  ９３  ｔｏ  ９７」、又は、「Ｔｏｒｕ  Ｉｋｅｕｃｈｉ  ｅｔ  ａｌ．，  Ｊｏｕｒｎａｌ  ｏｆ  Ａｎｔｉｂｉｏｔｉｃｓ，  （Ｓｅｐｔ．  １９７２），  ｐａｇｅｓ  ５４８  ｔｏ  ５５０」〕を用いて培養することによって、得ることができる。発酵は、生きているバイオマス（特に、胞子）及び望ましい二次代謝産物が発酵容器中で高レベルで得られるように構成される。高レベルの胞子形成、ｃｆｕ（コロニー形成単位）及び二次代謝産物を達成するために本発明の株に適している特定の発酵方法は、実施例の欄に記載されている。
【００４０】
発酵によって得られる培養ブロス（「全ブロス」又は「発酵ブロス」）の中の細菌細胞、胞子及び代謝産物は、直接使用し得るか、又は、慣習的な工業的方法（例えば、遠心分離、濾過、及び、蒸発）で濃縮し得るか、又は、例えば噴霧乾燥、ドラム乾燥及び凍結乾燥などによって、乾燥粉末及び顆粒に加工し得る。
【００４１】
用語「全ブロス」及び「発酵ブロス」は、本明細書で使用されている場合、（少なくとも約１ｇ／Ｌの濃度のグーゲロチンを含有する培養ブロスの産生を含めて）発酵の結果得られ、下流の後処理をする前の培養ブロスを意味する。この全ブロスは、微生物（例えば、ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０又はその植物食性−殺ダニ性の突然変異株）及びその構成部分、未使用の生の基質、並びに、発酵中に微生物が産生した代謝産物を含んでいる。用語「ブロス濃縮液」は、本明細書で使用されている場合、上記のように慣習的な工業的方法によって濃縮されてはいるが、液体形態のままである全ブロス（発酵ブロス）を意味する。用語「発酵固体」は、本明細書で使用されている場合、乾燥された発酵ブロスを意味する。用語「発酵産物」は、本明細書で使用されている場合、全ブロス、ブロス濃縮液及び／又は発酵固体を意味する。本発明の組成物は、発酵産物を包含する。幾つかの実施形態において、濃縮された発酵ブロスは、残留している発酵ブロス及び代謝産物を除去するために、例えばダイアフィルトレーションプロセスによって、洗浄する。
【００４２】
別の実施形態において、発酵ブロス又はブロス濃縮液は、担体、不活性物質又は添加剤を添加して、又は、添加しないで、慣習的な乾燥プロセスを用いて、又は、噴霧乾燥、凍結乾燥、トレー乾燥、流動床乾燥、ドラム乾燥若しくは蒸発のような方法を用いて、乾燥させることができる。
【００４３】
一実施形態において、本発明のストレプトミセス各種（Ｓｔｒｅｐｔｏｍｙｃｅｓ  ｓｐ．）の株〔例えば、ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０、及び、ストレプトミセス・ミクロフラブス（Ｓｔｒｅｐｔｏｍｙｃｅｓ  ｍｉｃｒｏｆｌａｖｕｓ）株Ｍ〕の発酵産物（例えば、発酵ブロス、ブロス濃縮液又は発酵固体）は、少なくとも約４０％、少なくとも約５０％又は少なくとも約６０％の効力を有し、ここで、該効力は、以下のようにして測定される。発酵産物を界面活性剤水溶液（界面活性剤製品ラベルにおいて推奨されている界面活性剤の量を用いる）の中で希釈して５％全ブロスの溶液（又は、全ブロスに由来する発酵固体を扱う場合には、濃度レベルに基づいて等価な全ブロス）を得る。その希釈した溶液を葉（例えば、ライマメの葉）の上面と下面に両面が濡れるまで施用するが、流れ落ちるまでには施用しない。植物を乾燥させ、次いで、１０〜２０匹のナミハダニ（Ｔｅｔｒａｎｙｃｈｕｓ  ｕｒｔｉｃａｅ  Ｋｏｃｈ）を寄生させる。処理の４日後、処理された葉を検査し、葉面上の生きている雌成虫と死んだ雌成虫の数及び生きている第２若虫と死んだ第２若虫の数を数える。Ｓｕｎ−Ｓｈｅｐａｒｄ式を用いて効力（即ち、補正された死亡率）を計算する。補正された％＝１００（処理されたプロットにおける低下率％±未処理集団における変化率％）／（１００±未処理集団における変化率％）。本出願においては、上記方法で計算された効力を「ハダニ効力（Ｓｐｉｄｅｒ  Ｍｉｔｅ  Ｐｏｔｅｎｃｙ）」と称する。特定の例においては、該発酵産物は、少なくとも約４０％、少なくとも約５０％又は少なくとも約６０％のハダニ効力を有している。
【００４４】
微生物〔例えば、ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０、又は、その植物食性−殺ダニ性突然変異株、例えば、ストレプトミセス・ミクロフラブス（Ｓｔｒｅｐｔｏｍｙｃｅｓ  ｍｉｃｒｏｆｌａｖｕｓ）株Ｍ〕）／ｍＬの発酵産物、例えば、全ブロス培養物又はブロス濃縮液又は発酵固体（これは、凍結乾燥粉末を包含する）を希釈し、植物に茎葉施用する。施用量は、１エーカー当たりのガロン又はポンドで与えられ、そして、より小規模の施用（例えば、実施例に記載されているマイクロプロットトライアル）に対して、比例的に調節することができる。実施例において記載されているように、より大規模の施用の場合、発酵産物を、施用の前に、１００ガロンの水の中で希釈する。一実施形態においては、１エーカー当たり、約０．１ガロン〜約１５ガロン、約１ガロン〜約１２ガロン、又は、約１．２５ガロン〜約１０ガロンの全ブロス培養物（水と、場合により界面活性剤の中で、希釈する）を植物に茎葉施用する。別の実施形態においては、１エーカー当たり、約０．２ポンド〜約８ポンド、約０．４ポンド〜約７ポンド、又は、約０．４ポンド〜約６ポンドの凍結乾燥粉末（水と、場合により界面活性剤の中で、希釈する）を植物に茎葉施用する。あるいは、メートル単位で示せば、１ヘクタール当たり、０．２ｋｇ〜約９ｋｇ、約０．４ｋｇ〜約８ｋｇ、又は、約０．４ｋｇ〜約７ｋｇの凍結乾燥粉末（水と、場合により界面活性剤の中で、希釈する）を植物に茎葉施用する。本発明の相乗的な組合せにおいては、上記で記載した施用量の発酵産物よりも少ない施用量の発酵産物であっても、使用することができる。
【００４５】
発酵産物を単独で施用する特定の実施形態においては、１エーカー当たり１．２５ポンド（即ち、１．４０ｋｇ／ｈａ）の発酵産物（例えば、凍結乾燥粉末又は噴霧乾燥粉末）（水と、場合により界面活性剤の中で、希釈する）を植物に茎葉施用する。これらの実施形態においては、最終使用の製剤は、少なくとも約１×１０６のコロニー形成単位／ｍＬ、少なくとも約１×１０７のコロニー形成単位／ｍＬ、少なくとも約１×１０８のコロニー形成単位／ｍＬ、少なくとも約１×１０９コロニー形成単位／ｍＬ、又は、少なくとも約１×１０１０コロニー形成単位／ｍＬを含有する出発の発酵ブロスに基づいている。別の例においては、この発酵産物は、少なくとも約０．５重量％のグーゲロチン、少なくとも約１重量％のグーゲロチン、少なくとも約２重量％のグーゲロチン、少なくとも約３重量％のグーゲロチン、少なくとも約４重量％のグーゲロチン、少なくとも約５重量％のグーゲロチン、少なくとも約６重量％のグーゲロチン、少なくとも約７重量％のグーゲロチン、又は、少なくとも約８重量％のグーゲロチンを含有している。
【００４６】
本発明のストレプトミセス・ミクロフラブス（Ｓｔｒｅｐｔｏｍｙｃｅｓ  ｍｉｃｒｏｆｌａｖｕｓ）株のサンプルは、２０１１年８月１９日に、ブダペスト条約の下で、「Ａｇｒｉｃｕｌｔｕｒａｌ  Ｒｅｓｅａｒｃｈ  Ｓｅｒｖｉｃｅ  Ｃｕｌｔｕｒｅ  Ｃｏｌｌｅｃｔｉｏｎ  ｌｏｃａｔｅｄ  ａｔ  ｔｈｅ  Ｎａｔｉｏｎａｌ  Ｃｅｎｔｅｒ  ｆｏｒ  Ａｇｒｉｃｕｌｔｕｒａｌ  Ｕｔｉｌｉｚａｔｉｏｎ  Ｒｅｓｅａｒｃｈ，  Ａｇｒｉｃｕｌｔｕｒａｌ  Ｒｅｓｅａｒｃｈ  Ｓｅｒｖｉｃｅ，  Ｕ．Ｓ．  Ｄｅｐａｒｔｍｅｎｔ  ｏｆ  Ａｇｒｉｃｕｌｔｕｒｅ，  １８１５  Ｎｏｒｔｈ  Ｕｎｉｖｅｒｓｉｔｙ  Ｓｔｒｅｅｔ，  Ｐｅｏｒｉａ，  ＩＬ  ６１６０４」に寄託され、そして、以下の受託番号が割り当てられている：ＮＲＲＬ  Ｂ−５０５５０。
【００４７】
ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０の突然変異体（本明細書においては、ストレプトミセス・ミクロフラブス（Ｓｔｒｅｐｔｏｍｙｃｅｓ  ｍｉｃｒｏｆｌａｖｕｓ）株Ｍと称され、また、ＡＱ６１２１．００２としても知られている）のサンプルは、２０１３年１０月９日に、「Ｉｎｔｅｒｎａｔｉｏｎａｌ  Ｄｅｐｏｓｉｔａｒｙ  Ａｕｔｈｏｒｉｔｙ  ｏｆ  Ｃａｎａｄａ  ｌｏｃａｔｅｄ  ａｔ  １０１５  Ａｒｌｉｎｇｔｏｎ  Ｓｔｒｅｅｔ  Ｗｉｎｎｉｐｅｇ，  Ｍａｎｉｔｏｂａ  Ｃａｎａｄａ  Ｒ３Ｅ  ３Ｒ２」に寄託され、そして、「受託番号Ｎｏ．０９１０１３−０２」が割り当てられている。
【００４８】
生物的防除剤
生物的防除剤としては、とりわけ、以下のものを挙げることができる：細菌類、菌類若しくは酵母類、原生動物、ウイルス類、昆虫病原性線虫類、接種原及び植物性物質（ｂｏｔａｎｉｃａｌｓ）、並びに／又は、個々の株を識別する全ての特性を有しているそれらの突然変異体、並びに／又は、昆虫類、ダニ類、線虫類及び／若しくは植物病原体に対して活性を示す個々の株によって産生される少なくとも１種類の代謝産物。
【００４９】
本発明によれば、用語「細菌類」のもとで要約されている生物的防除剤としては、根にコロニーを形成する芽胞形成性細菌類、又は、生物的殺虫剤、生物的殺線虫剤、生物的殺ダニ剤若しくは生物的殺菌剤として又は植物の健康及び成長を改善する土壌改良資材として有用な細菌類及びそれらの代謝産物などがある。本発明に従って使用又は利用される該細菌類の例は、以下のとおりである（下記番号付けは、本発明に関する以下の全ての記載を通して使用される）：
（１．１）アグロバクテリウム・ラジオバクテル（Ａｇｒｏｂａｃｔｅｒｉｕｍ  ｒａｄｉｏｂａｃｔｅｒ）、（１．２）バシルス・アシドカルダリウス（Ｂａｃｉｌｌｕｓ  ａｃｉｄｏｃａｌｄａｒｉｕｓ）、（１．３）バシルス・アシドテレストリス（Ｂａｃｉｌｌｕｓ  ａｃｉｄｏｔｅｒｒｅｓｔｒｉｓ）、（１．４）バシルス・アグリ（Ｂａｃｉｌｌｕｓ  ａｇｒｉ）、（１．５）バシルス・アイザワイ（Ｂａｃｉｌｌｕｓ  ａｉｚａｗａｉ）、（１．６）バシルス・アルボラクチス（Ｂａｃｉｌｌｕｓ  ａｌｂｏｌａｃｔｉｓ）、（１．７）バシルス・アルカロフィルス（Ｂａｃｉｌｌｕｓ  ａｌｃａｌｏｐｈｉｌｕｓ）、（１．８）バシルス・アルベイ（Ｂａｃｉｌｌｕｓ  ａｌｖｅｉ）、（１．９）バシルス・アミノグルコシジクス（Ｂａｃｉｌｌｕｓ  ａｍｉｎｏｇｌｕｃｏｓｉｄｉｃｕｓ）、（１．１０）バシルス・アミノボランス（Ｂａｃｉｌｌｕｓ  ａｍｉｎｏｖｏｒａｎｓ）、（１．１１）バシルス・アミロリチクス（Ｂａｃｉｌｌｕｓ  ａｍｙｌｏｌｙｔｉｃｕｓ）（パエニバシルス・アミロリチクス（Ｐａｅｎｉｂａｃｉｌｌｕｓ  ａｍｙｌｏｌｙｔｉｃｕｓ）としても知られている）、（１．１２）バシルス・アミロリクエファシエンス（Ｂａｃｉｌｌｕｓ  ａｍｙｌｏｌｉｑｕｅｆａｃｉｅｎｓ）、特に、株ＩＮ９３７ａ、又は、株ＦＺＢ４２（ＲｈｉｚｏＶｉｔａｌ（登録商標）としてとして知られている製品）、又は、株Ｂ３、（１．１３）バシルス・アネウリノリチクス（Ｂａｃｉｌｌｕｓ  ａｎｅｕｒｉｎｏｌｙｔｉｃｕｓ）、（１．１４）バシルス・アトロファエウス（Ｂａｃｉｌｌｕｓ  ａｔｒｏｐｈａｅｕｓ）、（１．１５）バシルス・アゾトホルマンス（Ｂａｃｉｌｌｕｓ  ａｚｏｔｏｆｏｒｍａｎｓ）、（１．１６）バシルス・バジウス（Ｂａｃｉｌｌｕｓ  ｂａｄｉｕｓ）、（１．１７）バシルス・セレウス（Ｂａｃｉｌｌｕｓ  ｃｅｒｅｕｓ）（異名：バシルス・エンドリトモス（Ｂａｃｉｌｌｕｓ  ｅｎｄｏｒｈｙｔｈｍｏｓ）、バシルス・メデュサ（Ｂａｃｉｌｌｕｓ  ｍｅｄｕｓａ））、特に、バシルス・セレウス（Ｂ．  ｃｅｒｅｕｓ）株ＣＮＣＭ  Ｉ−１５６２の胞子（ｃｆ．  ＵＳ  ６，４０６，６９０）、（１．１８）バシルス・キチノスポルス（Ｂａｃｉｌｌｕｓ  ｃｈｉｔｉｎｏｓｐｏｒｕｓ）、（１．１９）バシルス・シルクランス（Ｂａｃｉｌｌｕｓ  ｃｉｒｃｕｌａｎｓ）、（１．２０）バシルス・コアグランス（Ｂａｃｉｌｌｕｓ  ｃｏａｇｕｌａｎｓ）、（１．２１）バシルス・エンドパラシチクス（Ｂａｃｉｌｌｕｓ  ｅｎｄｏｐａｒａｓｉｔｉｃｕｓ）、（１．２２）バシルス・ファスチジオスス（Ｂａｃｉｌｌｕｓ  ｆａｓｔｉｄｉｏｓｕｓ）、（１．２３）バシルス・フィルムス（Ｂａｃｉｌｌｕｓ  ｆｉｒｍｕｓ）、特に、株Ｉ−１５８２（Ｂｉｏｎｅｍ、Ｖｏｔｉｖｏ、Ｆｌｏｃｔｅｒとして知られている製品）、（１．２４）バシルス・クルスタキ（Ｂａｃｉｌｌｕｓ  ｋｕｒｓｔａｋｉ）、（１．２５）バシルス・ラクチコラ（Ｂａｃｉｌｌｕｓ  ｌａｃｔｉｃｏｌａ）、（１．２６）バシルス・ラクチモルブス（Ｂａｃｉｌｌｕｓ  ｌａｃｔｉｍｏｒｂｕｓ）、（１．２７）バシルス・ラクチス（Ｂａｃｉｌｌｕｓ  ｌａｃｔｉｓ）、（１．２８）���シルス・ラテロスポルス（Ｂａｃｉｌｌｕｓ  ｌａｔｅｒｏｓｐｏｒｕｓ）（ブレビバシルス・ラテロスポルス（Ｂｒｅｖｉｂａｃｉｌｌｕｓ  ｌａｔｅｒｏｓｐｏｒｕｓ）としても知られている）、（１．２９）バシルス・ラウツス（Ｂａｃｉｌｌｕｓ  ｌａｕｔｕｓ）、（１．３０）バシルス・レンチモルブス（Ｂａｃｉｌｌｕｓ  ｌｅｎｔｉｍｏｒｂｕｓ）、（１．３１）バシルス・レンツス（Ｂａｃｉｌｌｕｓ  ｌｅｎｔｕｓ）、（１．３２）バシルス・リケニホルミス（Ｂａｃｉｌｌｕｓ  ｌｉｃｈｅｎｉｆｏｒｍｉｓ）、（１．３３）バシルス・マロカヌス（Ｂａｃｉｌｌｕｓ  ｍａｒｏｃｃａｎｕｓ）、（１．３４）バシルス・メガテリウム（Ｂａｃｉｌｌｕｓ  ｍｅｇａｔｅｒｉｕｍ）（ＢｉｏＡｒｃとして知られている製品）、（１．３５）バシルス・メチエンス（Ｂａｃｉｌｌｕｓ  ｍｅｔｉｅｎｓ）、（１．３６）バシルス・ミコイデス（Ｂａｃｉｌｌｕｓ  ｍｙｃｏｉｄｅｓ）分離株Ｊ、（１．３７）バシルス・ナット（Ｂａｃｉｌｌｕｓ  ｎａｔｔｏ）、（１．３８）バシルス・ネマトシダ（Ｂａｃｉｌｌｕｓ  ｎｅｍａｔｏｃｉｄａ）、（１．３９）バシルス・ニグリフィカンス（Ｂａｃｉｌｌｕｓ  ｎｉｇｒｉｆｉｃａｎｓ）、（１．４０）バシルス・ニグルム（Ｂａｃｉｌｌｕｓ  ｎｉｇｒｕｍ）、（１．４１）バシルス・パントテンチクス（Ｂａｃｉｌｌｕｓ  ｐａｎｔｏｔｈｅｎｔｉｃｕｓ）、（１．４２）バシルス・ポピラエ（Ｂａｃｉｌｌｕｓ  ｐｏｐｉｌｌａｅ）（Ｃｒｏｎｏｘとして知られている製品）、（１．４３）バシルス・プシクロサッカロリチクス（Ｂａｃｉｌｌｕｓ  ｐｓｙｃｈｒｏｓａｃｃｈａｒｏｌｙｔｉｃｕｓ）、（１．４４）バシルス・プミルス（Ｂａｃｉｌｌｕｓ  ｐｕｍｉｌｕｓ）、特に、株ＧＢ３４（Ｙｉｅｌｄ  Ｓｈｉｅｌｄ（登録商標）として知られている製品）、及び、株ＱＳＴ２８０８（Ｓｏｎａｔａ  ＱＳＴ  ２８０８（登録商標）として知られている製品）、（１．４５）バシルス・シアメンシス（Ｂａｃｉｌｌｕｓ  ｓｉａｍｅｎｓｉｓ）、（１．４６）バシルス・スミチイ（Ｂａｃｉｌｌｕｓ  ｓｍｉｔｈｉｉ）、（１．４７）バシルス・スファエリクス（Ｂａｃｉｌｌｕｓ  ｓｐｈａｅｒｉｃｕｓ）（ＶｅｃｔｏＬｅｘｓ（登録商標）として知られている製品）、（１．４８）バシルス・スブチリス（Ｂａｃｉｌｌｕｓ  ｓｕｂｔｉｌｉｓ）、特に、株ＧＢ０３（Ｋｏｄｉａｋ（登録商標）として知られている製品）、株ＱＳＴ７１３（Ｓｅｒｅｎａｄｅ  ＱＳＴ  ７１３（登録商標）として知られている製品）、株ＡＱ３０００２（ａｋａ  ＱＳＴ３０００２；ＮＲＲＬ受託番号Ｎｏ．Ｂ−５０４２１；ＷＯ  ２０１２／０８７９８０（これは、参照により本明細書に組み入れる）から既知）、株ＡＱ３０００４（ａｋａ  ＱＳＴ３０００４；ＮＲＲＬ受託番号Ｎｏ．Ｂ−５０４５５；ＷＯ  ２０１２／０８７９８０（これは、参照により本明細書に組み入れる）から既知）、株ＡＱ７４３（ＮＲＲＬ受託番号Ｎｏ．Ｂ−２１６６５）、株ＡＱ１５３（ＡＴＣＣ受託番号Ｎｏ．５５６１４；ＷＯ  ９８／２１９６４に記載されている）、又は、バシルス・スブチリス  ｖａｒ．  アミロリクエファシエンス（Ｂ．  ｓｕｂｔｉｌｉｓ  ｖａｒ．  ａｍｙｌｏｌｉ��ｕｅｆａｃｉｅｎｓ）株ＦＺＢ２４（Ｔａｅｇｒｏ（登録商標）として知られている製品）、（１．４９）バシルス・ツリンギエンシス（Ｂａｃｉｌｌｕｓ  ｔｈｕｒｉｎｇｉｅｎｓｉｓ）、特に、バシルス・ツリンギエンシス  ｖａｒ．  イスラエレンシス（Ｂ．  ｔｈｕｒｉｎｇｉｅｎｓｉｓ  ｖａｒ．  ｉｓｒａｅｌｅｎｓｉｓ）（ＶｅｃｔｏＢａｃ（登録商標）として知られている製品）、又は、バシルス・ツリンギエンシス  ｓｕｂｓｐ．  アイザワイ（Ｂ．  ｔｈｕｒｉｎｇｉｅｎｓｉｓ  ｓｕｂｓｐ．  ａｉｚａｗａｉ）株ＡＢＴＳ−１８５７（ＸｅｎＴａｒｉ（登録商標）として知られている製品）、又は、バシルス・ツリンギエンシス  ｓｕｂｓｐ．  クルスタキ（Ｂ．  ｔｈｕｒｉｎｇｉｅｎｓｉｓ  ｓｕｂｓｐ．  ｋｕｒｓｔａｋｉ）株ＨＤ−１（Ｄｉｐｅｌ（登録商標）ＥＳとして知られている製品）、又は、バシルス・ツリンギエンシス  ｓｕｂｓｐ．  テネブリオニス（Ｂ．  ｔｈｕｒｉｎｇｉｅｎｓｉｓ  ｓｕｂｓｐ．  ｔｅｎｅｂｒｉｏｎｉｓ）株ＮＢ１７６（Ｎｏｖｏｄｏｒ（登録商標）ＦＣとして知られている製品）、又は、バシルス・ツリンギエンシス  ｖａｒ．  アエギプチイ（Ｂ．  ｔｈ．  ｖａｒ．  ａｅｇｙｐｔｉｉ）（Ａｇｅｒｉｎとして知られている製品）、又は、バシルス・ツリンギエンシス  ｖａｒ．  コルメリ（Ｂ．  ｔｈ．  ｖａｒ．  ｃｏｌｍｅｒｉ）（ＴｉａｎＢａｏＢＴｃとして知られている製品）、又は、バシルス・ツリンギエンシス  ｖａｒ．  ダルムスタジエンシス（Ｂ．  ｔｈ．  ｖａｒ．  ｄａｒｍｓｔａｄｉｅｎｓｉｓ）（Ｂａｃｉｔｕｒｉｎ、Ｋｏｌｅｐｔｅｒｉｎとして知られている製品）、又は、バシルス・ツリンギエンシス  ｖａｒ．  デンドロリムス（Ｂ．  ｔｈ．  ｖａｒ．  ｄｅｎｄｒｏｌｉｍｕｓ）（Ｄｅｎｄｒｏｂａｃｉｌｌｉｎとして知られている製品）、又は、バシルス・ツリンギエンシス  ｖａｒ．  ガレリアエ（Ｂ．  ｔｈ．  ｖａｒ．  ｇａｌｌｅｒｉａｅ）（Ｅｎｔｅｒｏｂａｃｔｉｎとして知られている製品）、又は、バシルス・ツリンギエンシス  ｖａｒ．  ジャポネンシス（Ｂ．  ｔｈ．  ｖａｒ．  ｊａｐｏｎｅｎｓｉｓ）（Ｂｕｉｈｕｎｔｅｒとして知られている製品）、又は、バシルス・ツリンギエンシス  ｓｕｂｓｐ．  モリソニ（Ｂ．ｔｈ．  ｓｕｂｓｐ．  Ｍｏｒｒｉｓｏｎｉ）、又は、バシルス・ツリンギエンシス  ｖａｒ．  サンディエゴ（Ｂ．  ｔｈ．  ｖａｒ．  ｓａｎ  ｄｉｅｇｏ）、又は、バシルス・ツリンギエンシス  ｓｕｂｓｐ．  ツリンギエンシス（Ｂ．  ｔｈ．  ｓｕｂｓｐ．  ｔｈｕｒｉｎｇｉｅｎｓｉｓ）株ＭＰＰＬ００２、又は、バシルス・ツリンギエンシス  ｖａｒ．  ツリンギエンシス（Ｂ．  ｔｈ．  ｖａｒ．  ｔｈｕｒｉｎｇｉｅｎｓｉｓ）（Ｂｉｋｏｌとして知られている製品）、又は、バシルス・ツリンギエンシス  ｖａｒ．  ７２１６（Ｂ．  ｔｈ．  ｖａｒ  ７２１６）（Ａｍａｃｔｉｃ、Ｐｅｔｈｉａｎとして知られている製品）、バシルス・ツリンギエンシス（Ｂ．  ｔｈ．）株ＢＤ＃３２（ＮＲＲＬ受託番号Ｎｏ．Ｂ−２１５３０）、バシルス・ツリンギエンシス（Ｂ．  ｔｈ．）株ＡＱ５２（ＮＲＲＬ受託番号Ｎｏ．Ｂ−２１６１９）、又は、バシルス・ツリンギエンシス  ｖａｒ．  Ｔ３６（Ｂ．  ｔｈ．  ｖａｒ．  Ｔ３６）（Ｃａｈａｔとして知られている製品）、（１．５０）バシルス・ウニフラゲラツス（Ｂａｃｉｌｌｕｓ  ｕｎｉｆｌａｇｅｌｌａｔｕｓ）、（１．５１）ブラジリゾビウム・ジャポニクム（Ｂｒａｄｙｒｈｉｚｏｂｉｕｍ  ｊａｐｏｎｉｃｕｍ）（共生生物；ＳｏｙＳｅｌｅｃｔとして知られている製品）、（１．５２）ブレビバシルス・ブレビス（Ｂｒｅｖｉｂａｃｉｌｌｕｓ  ｂｒｅｖｉｓ）（以前は、バシルス・ブレビス（Ｂａｃｉｌｌｕｓ  ｂｒｅｖｉｓ））、特に、株ＳＳ８６−３、株ＳＳ８６−４、株ＳＳ８６−５、株２９０４、（１．５３）ブレビバシルス・ラテロスポルス（Ｂｒｅｖｉｂａｃｉｌｌｕｓ  ｌａｔｅｒｏｓｐｏｒｕｓ）（以前は、バシルス・ラテロスポルス（Ｂａｃｉｌｌｕｓ  ｌａｔｅｒｏｓｐｏｒｕｓ））、特に、株６４、株１１１１、株１６４５、株１６４７、（１．５４）クロモバクテリウム・スブツガエ（Ｃｈｒｏｍｏｂａｃｔｅｒｉｕｍ  ｓｕｂｔｓｕｇａｅ）、特に、株ＰＲＡＡ４−１Ｔ（Ｇａｎｄｅｖｏとして知られている製品）、（１．５５）デルフチア・アシドボランス（Ｄｅｌｆｔｉａ  ａｃｉｄｏｖｏｒａｎｓ）、特に、株ＲＡＹ２０９（ＢｉｏＢｏｏｓｔ（登録商標）として知られている製品）、（１．５６）ラクトバシルス・アシドフィルス（Ｌａｃｔｏｂａｃｉｌｌｕｓ  ａｃｉｄｏｐｈｉｌｕｓ）（Ｆｒｕｉｔｓａｎとして知られている製品）、（１．５７）リソバクテル・アンチビオチクス（Ｌｙｓｏｂａｃｔｅｒ  ａｎｔｉｂｉｏｔｉｃｕｓ）、特に、株１３−１（ｃｆ．  Ｂｉｏｌｏｇｉｃａｌ  Ｃｏｎｔｒｏｌ  ２００８，  ４５，  ２８８−２９６）、（１．５８）リソバクテル・エンジモゲネス（Ｌｙｓｏｂａｃｔｅｒ  ｅｎｚｙｍｏｇｅｎｅｓ）、特に、株Ｃ３（ｃｆ．  Ｊ  Ｎｅｍａｔｏｌ．  ２００６  Ｊｕｎｅ；３８（２）：２３３−２３９）、（１．５９）パエニバシルス・アルベイ（Ｐａｅｎｉｂａｃｉｌｌｕｓ  ａｌｖｅｉ）、特に、株ＩＩＩ３ＤＴ−１Ａ、株ＩＩＩ２Ｅ、株４６Ｃ３、株２７７１（Ｂａｃｉｌｌｕｓ  ｇｅｎｅｔｉｃ  ｓｔｏｃｋ  ｃｅｎｔｅｒ，  Ｎｏｖ  ２００１）、（１．６０）パエニバシルス・ポリミキサ（Ｐａｅｎｉｂａｃｉｌｌｕｓ  ｐｏｌｙｍｙｘａ）、（１．６１）パエニバシルス・ポピリアエ（Ｐａ
ｅｎｉｂａｃｉｌｌｕｓ  ｐｏｐｉｌｌｉａｅ）（以前は、バシルス・ポピリアエ（Ｂａｃｉｌｌｕｓ  ｐｏｐｉｌｌｉａｅ））、（１．６２）パントエア・アグロメランス（Ｐａｎｔｏｅａ  ａｇｇｌｏｍｅｒａｎｓ）、（１．６３）パステウリア・ペネトランス（Ｐａｓｔｅｕｒｉａ  ｐｅｎｅｔｒａｎｓ）（以前は、バシルス・ペネトランス（Ｂａｃｉｌｌｕｓ  ｐｅｎｅｔｒａｎｓ）；Ｐａｓｔｅｕｒｉａ水和剤として知られている製品）、（１．６４）パステウリア・ウスガエ（Ｐａｓｔｅｕｒｉａ  ｕｓｇａｅ）（ＥｃｏｎｅｍＴＭとして知られている製品）、（１．６５）ペクトバクテリウム・カロトボルム（Ｐｅｃｔｏｂａｃｔｅｒｉｕｍ  ｃａｒｏｔｏｖｏｒｕｍ）（以前は、エルウィニア・カロトボラ（Ｅｒｗｉｎｉａ  ｃａｒｏｔｏｖｏｒａ）；ＢｉｏＫｅｅｐｅｒとして知られている製品）、（１．６６）シュードモナス・アエルギノサ（Ｐｓｅｕｄｏｍｏｎａｓ  ａｅｒｕｇｉｎｏｓａ）（Ｇｕｉｔｉｃｉｄとして知られている製品）、（１．６７）シュードモナス・アウレオファシエンス（Ｐｓｅｕｄｏｍｏｎａｓ  ａｕｒｅｏｆａｃｉｅｎｓ）（Ａｇａｔｅ−２５Ｋとして知られている製品）、（１．６８）シュードモナス・セパシア（Ｐｓｅｕｄｏｍｏｎａｓ  ｃｅｐａｃｉａ）（以前は、ブルクホルデリア・セパシア（Ｂｕｒｋｈｏｌｄｅｒｉａ  ｃｅｐａｃｉａ）として知られている）、特に、株５４、又は、株Ｊ８２、（１．６９）シュードモナス・クロロラフィス（Ｐｓｅｕｄｏｍｏｎａｓ  ｃｈｌｏｒｏｒａｐｈｉｓ）、特に、株ＭＡ３４２（Ｃｅｄｏｍｏｎとして知られている製品）、（１．７０）シュードモナス・フルオレセンス（Ｐｓｅｕｄｏｍｏｎａｓ  ｆｌｕｏｒｅｓｃｅｎｓ）（Ｓｕｄｏｚｏｎｅとして知られている製品）、（１．７１）シュードモナス・プロラジキス（Ｐｓｅｕｄｏｍｏｎａｓ  ｐｒｏｒａｄｉｘ）（Ｐｒｏｒａｄｉｘ（登録商標）として知られている製品）、（１．７２）シュードモナス・プチダ（Ｐｓｅｕｄｏｍｏｎａｓ  ｐｕｔｉｄａ）（Ｎｅｍａｔｓｉｄとして知られている製品）、（１．７３）シュードモナス・レシノボランス（Ｐｓｅｕｄｏｍｏｎａｓ  ｒｅｓｉｎｏｖｏｒａｎｓ）（Ｓｏｌａｎａｃｕｒｅとして知られている製品）、（１．７４）シュードモナス・シリンガエ（Ｐｓｅｕｄｏｍｏｎａｓ  ｓｙｒｉｎｇａｅ）（Ｂｉｏｓａｖｅとして知られている製品）、（１．７５）セラチア・エントモフィラ（Ｓｅｒｒａｔｉａ  ｅｎｔｏｍｏｐｈｉｌａ）（ｉｎｖａｄｅとして知られている製品）、（１．７６）セラチア・マルセセンス（Ｓｅｒｒａｔｉａ  ｍａｒｃｅｓｃｅｎｓ）、特に、株ＳＲＭ（ＭＴＣＣ８７０８）、又は、株Ｒ３５、（１．７７）ストレプトミセス・カンジズス（Ｓｔｒｅｐｔｏｍｙｃｅｓ  ｃａｎｄｉｄｕｓ）（ＢｉｏＡｉｄＴＭとして知られている製品）、（１．７８）ストレプトミセス・コロムビエンシス（Ｓｔｒｅｐｔｏｍｙｃｅｓ  ｃｏｌｏｍｂｉｅｎｓｉｓ）（Ｍｙｃｏｓｉｄｅとして知られている製品）、（１．７９）ストレプトミセス・ガルブス（Ｓｔｒｅｐｔｏｍｙｃｅｓ  ｇａｌｂｕｓ）、特に、株Ｋ６１（Ｍｙｃｏｓｔｏｐ（登録商標）として知られている製品；ｃｆ．  Ｃｒｏｐ  Ｐｒｏｔｅｃｔ���ｏｎ  ２００６，  ２５，  ４６８−４７５）、又は、株ＱＳＴ６０４７、（１．８０）ストレプトミセス・ゴシキエンシス（Ｓｔｒｅｐｔｏｍｙｃｅｓ  ｇｏｓｈｉｋｉｅｎｓｉｓ）（Ｓａｆｅｇｒｏとして知られている製品）、（１．８１）ストレプトミセス・グリセオビリジス（Ｓｔｒｅｐｔｏｍｙｃｅｓ  ｇｒｉｓｅｏｖｉｒｉｄｉｓ）（Ｍｙｃｏｓｔｏｐ（登録商標）として知られている製品；ｃｆ．  Ｍｉｃｒｏｂｉａｌ  ｄｂ  ｏｆ  Ｃａｎａｄａ）、（１．８２）ストレプトミセス・ラベンズラエ（Ｓｔｒｅｐｔｏｍｙｃｅｓ  ｌａｖｅｎｄｕｌａｅ）（Ｐｈｙｔｏｌａｖｉｎ−３００として知られている製品）、（１．８３）ストレプトミセス・リジクス（Ｓｔｒｅｐｔｏｍｙｃｅｓ  ｌｙｄｉｃｕｓ）、特に、株ＷＹＣＤ１０８（ＡｃｔｉｎｏｖａｔｅＳＰとして知られている製品）、又は、株ＷＹＥＣ１０８（Ａｃｔｉｎｏ−ｉｒｏｎとして知られている製品）、（１．８４）ストレプトミセス・プラシヌス（Ｓｔｒｅｐｔｏｍｙｃｅｓ  ｐｒａｓｉｎｕｓ）（ｃｆ．  “Ｐｒａｓｉｎｏｎｓ  Ａ  ａｎｄ  Ｂ：ｐｏｔｅｎｔ  ｉｎｓｅｃｔｉｃｉｄｅｓ  ｆｒｏｍ  Ｓｔｒｅｐｔｏｍｙｃｅｓ  ｐｒａｓｉｎｕｓ”  Ａｐｐｌｉｅｄ  ｍｉｃｒｏｂｉｏｌｏｇｙ  １９７３  Ｎｏｖ）、（１．８５）ストレプトミセス・リモスス（Ｓｔｒｅｐｔｏｍｙｃｅｓ  ｒｉｍｏｓｕｓ）（Ｒｈｉｔｏｖｉｔとして知られている製品）、（１．８６）ストレプトミセス・サラセチクス（Ｓｔｒｅｐｔｏｍｙｃｅｓ  ｓａｒａｃｅｔｉｃｕｓ）（Ｃｌａｎｄａとして知られている製品）、（１．８７）ストレプトミセス・ベネズエラエ（Ｓｔｒｅｐｔｏｍｙｃｅｓ  ｖｅｎｅｚｕｅｌａｅ）、（１．８８）キサントモナス・カムペストリス（Ｘａｎｔｈｏｍｏｎａｓ  ｃａｍｐｅｓｔｒｉｓ）（除草活性）、（１．８９）キセノラブズス・ルミネセンス（Ｘｅｎｏｒｈａｂｄｕｓ  ｌｕｍｉｎｅｓｃｅｎｓ）、（１．９０）キセノラブズス・ネマトフィラ（Ｘｅｎｏｒｈａｂｄｕｓ  ｎｅｍａｔｏｐｈｉｌａ）、（１．９１）ロドコックス・グロベルルス（Ｒｈｏｄｏｃｏｃｃｕｓ  ｇｌｏｂｅｒｕｌｕｓ）ＡＱ７１９（ＮＲＲＬ受託番号Ｎｏ．Ｂ−２１６６３）、（１．９２）バシルス属種（Ｂａｃｉｌｌｕｓ  ｓｐ．）ＡＱ１７５（ＡＴＣＣ受託番号Ｎｏ．５５６０８）、（１．９３）バシルス属種（Ｂａｃｉｌｌｕｓ  ｓｐ．）ＡＱ１７７（ＡＴＣＣ受託番号Ｎｏ．５５６０９）、（１．９４）バシルス属種（Ｂａｃｉｌｌｕｓ  ｓｐ．ＡＱ１７８（ＡＴＣＣ受託番号Ｎｏ．５３５２２）、及び、（１．９５）ＷＯ  ０２／２６０４１Ａ２に記載されているストレプトミセス属種（Ｓｔｒｅｐｔｏｍｙｃｅｓ  ｓｐ．）株（ＮＲＲＬ受託番号Ｎｏ．Ｂ−３０１４５）。
【００５０】
好ましい細菌類は、以下のものである：
（１．１２）バシルス・アミロリクエファシエンス（Ｂａｃｉｌｌｕｓ  ａｍｙｌｏｌｉｑｕｅｆａｃｉｅｎｓ）、特に、株ＩＮ９３７ａ、又は、株ＦＺＢ４２（ＲｈｉｚｏＶｉｔａｌ（登録商標）としてとして知られている製品）、
（１．１４）バシルス・アトロファエウス（Ｂａｃｉｌｌｕｓ  ａｔｒｏｐｈａｅｕｓ）、
（１．１７）バシルス・セレウス（Ｂａｃｉｌｌｕｓ  ｃｅｒｅｕｓ）（異名：バシルス・エンドリトモス（Ｂａｃｉｌｌｕｓ  ｅｎｄｏｒｈｙｔｈｍｏｓ）、バシルス・メデュサ（Ｂａｃｉｌｌｕｓ  ｍｅｄｕｓａ））、特に、バシルス・セレウス（Ｂ．  ｃｅｒｅｕｓ）株ＣＮＣＭ  Ｉ−１５６２の胞子（ｃｆ．  ＵＳ  ６，４０６，６９０）、
（１．１８）バシルス・キチノスポルス（Ｂａｃｉｌｌｕｓ  ｃｈｉｔｉｎｏｓｐｏｒｕｓ）、
（１．１９）バシルス・シルクランス（Ｂａｃｉｌｌｕｓ  ｃｉｒｃｕｌａｎｓ）、
（１．２０）バシルス・コアグランス（Ｂａｃｉｌｌｕｓ  ｃｏａｇｕｌａｎｓ）、
（１．２３）バシルス・フィルムス（Ｂａｃｉｌｌｕｓ  ｆｉｒｍｕｓ）、特に、株Ｉ−１５８２（Ｂｉｏｎｅｍ、Ｖｏｔｉｖｏ、Ｆｌｏｃｔｅｒとして知られている製品）、
（１．４２）バシルス・ポピラエ（Ｂａｃｉｌｌｕｓ  ｐｏｐｉｌｌａｅ）（Ｃｒｏｎｏｘとして知られている製品）、
（１．４４）バシルス・プミルス（Ｂａｃｉｌｌｕｓ  ｐｕｍｉｌｕｓ）、特に、株ＧＢ３４（Ｙｉｅｌｄ  Ｓｈｉｅｌｄ（登録商標）として知られている製品）、及び、株ＱＳＴ２８０８（Ｓｏｎａｔａ  ＱＳＴ  ２８０８（登録商標）として知られている製品）、
（１．４７）バシルス・スファエリクス（Ｂａｃｉｌｌｕｓ  ｓｐｈａｅｒｉｃｕｓ）（ＶｅｃｔｏＬｅｘｓ（登録商標）として知られている製品）、
（１．４８）バシルス・スブチリス（Ｂａｃｉｌｌｕｓ  ｓｕｂｔｉｌｉｓ）、特に、株ＧＢ０３（Ｋｏｄｉａｋ（登録商標）として知られている製品）、株ＱＳＴ７１３（Ｓｅｒｅｎａｄｅ  ＱＳＴ  ７１３（登録商標）として知られている製品）、株ＡＱ３０００２（ａｋａ  ＱＳＴ３０００２；ＮＲＲＬ受託番号Ｎｏ．Ｂ−５０４２１；ＷＯ  ２０１２／０８７９８０（これは、参照により本明細書に組み入れる）から既知）、株ＡＱ３０００４（ａｋａ  ＱＳＴ３０００４；ＮＲＲＬ受託番号Ｎｏ．Ｂ−５０４５５；ＷＯ  ２０１２／０８７９８０（これは、参照により本明細書に組み入れる）から既知）、又は、バシルス・スブチリス  ｖａｒ．  アミロリクエファシエンス（Ｂ．  ｓｕｂｔｉｌｉｓ  ｖａｒ．  ａｍｙｌｏｌｉｑｕｅｆａｃｉｅｎｓ）株ＦＺＢ２４（Ｔａｅｇｒｏ（登録商標）として知られている製品）、株ＡＱ７４３（ＮＲＲＬ受託番号Ｎｏ．Ｂ−２１６６５）、株ＡＱ１５３（ＡＴＣＣ受託番号Ｎｏ．５５６１４；ＷＯ  ９８／２１９６４に記載されている）、株ＡＱ３０００２（ＱＳＴ３０００２としても知られている；ＮＲＲＬ受託番号Ｎｏ．Ｂ−５０４２１）、株ＡＱ３０００４（ＱＳＴ３０００４としても知られている；ＮＲＲＬ受託番号Ｎｏ．Ｂ−５０４５５）、
（１．４９）バシルス・ツリンギエンシス（Ｂａｃｉｌｌｕｓ  ｔｈｕｒｉｎｇｉｅｎｓｉｓ）、特に、バシルス・ツリンギエンシス  ｖａｒ．  イスラエレンシス（Ｂ．  ｔｈｕｒｉｎｇｉｅｎｓｉｓ  ｖａｒ．  ｉｓｒａｅｌｅｎｓｉｓ）（ＶｅｃｔｏＢａｃ（登録商標）として知られている製品）、又は、バシルス・ツリンギエンシス  ｓｕｂｓｐ．  アイザワイ（Ｂ．  ｔｈｕｒｉｎｇｉｅｎｓｉｓ  ｓｕｂｓｐ．  ａｉｚａｗａｉ）株ＡＢＴＳ−１８５７（ＸｅｎＴａｒｉ（登録商標）として知られている製品）、又は、バシルス・ツリンギエンシス  ｓｕｂｓｐ．  クルスタキ（Ｂ．  ｔｈｕｒｉｎｇｉｅｎｓｉｓ  ｓｕｂｓｐ．  ｋｕｒｓｔａｋｉ）株ＨＤ−１（Ｄｉｐｅｌ（登録商標）ＥＳとして知られている製品）、又は、バシルス・ツリンギエンシス  ｓｕｂｓｐ．  テネブリオニス（Ｂ．  ｔｈｕｒｉｎｇｉｅｎｓｉｓ  ｓｕｂｓｐ．  ｔｅｎｅｂｒｉｏｎｉｓ）株ＮＢ１７６（Ｎｏｖｏｄｏｒ（登録商標）ＦＣとして知られている製品）、又は、バシルス・ツリンギエンシス  ｖａｒ．  アエギプチイ（Ｂ．  ｔｈ．  ｖａｒ．  ａｅｇｙｐｔｉｉ）（Ａｇｅｒｉｎとして知られている製品）、又は、バシルス・ツリンギエンシス  ｖａｒ．  コルメリ（Ｂ．  ｔｈ．  ｖａｒ．  ｃｏｌｍｅｒｉ）（ＴｉａｎＢａｏＢＴｃとして知られている製品）、又は、バシルス・ツリンギエンシス  ｖａｒ．  ダルムスタジエンシス（Ｂ．  ｔｈ．  ｖａｒ．  ｄａｒｍｓｔａｄｉｅｎｓｉｓ）（Ｂａｃｉｔｕｒｉｎ、Ｋｏｌｅｐｔｅｒｉｎとして知られている製品）、又は、バシルス・ツリンギエンシス  ｖａｒ．  デンドロリムス（Ｂ．  ｔｈ．  ｖａｒ．  ｄｅｎｄｒｏｌｉｍｕｓ）（Ｄｅｎｄｒｏｂａｃｉｌｌｉｎとして知られている製品）、又は、バシルス・ツリンギエンシス  ｖａｒ．  ガレリアエ（Ｂ．  ｔｈ．  ｖａｒ．  ｇａｌｌｅｒｉａｅ）（Ｅｎｔｅｒｏｂａｃｔｉｎとして知られている製品）、又は、バシルス・ツリンギエンシス  ｖａｒ．  ジャポネンシス（Ｂ．  ｔｈ．  ｖａｒ．  ｊａｐｏｎｅｎｓｉｓ）（Ｂｕｉｈｕｎｔｅｒとして知られている製品）、又は、バシルス・ツリンギエンシス  ｓｕｂｓｐ．  モリソニ（Ｂ．ｔｈ．  ｓｕｂｓｐ．  Ｍｏｒｒｉｓｏｎｉ）、又は、バシルス・ツリンギエンシス  ｖａｒ．  サンディエゴ（Ｂ．  ｔｈ．  ｖａｒ．  ｓａｎ  ｄｉｅｇｏ）、又は、バシルス・ツリンギエンシス  ｓｕｂｓｐ．  ツリンギエンシス（Ｂ．  ｔｈ．  ｓｕｂｓｐ．  ｔｈｕｒｉｎｇｉｅｎｓｉｓ）株ＭＰＰＬ００２、又は、バシルス・ツリンギエンシス  ｖａｒ．  ツリンギエンシス（Ｂ．  ｔｈ．  ｖａｒ．  ｔｈｕｒｉｎｇｉｅｎｓｉｓ）（Ｂｉｋｏｌとして知られている製品）、又は、バシルス・ツリンギエンシス  ｖａｒ．  ７２１６（Ｂ．  ｔｈ．  ｖａｒ  ７２１６）（Ａｍａｃｔｉｃ、Ｐｅｔｈｉａｎとして知られている製品）、バシルス・ツリンギエンシス（Ｂ．  ｔｈ．）株ＢＤ＃３２（ＮＲＲＬ受託番号Ｎｏ．Ｂ−２１５３０）、バシルス・ツリンギエンシス（Ｂ．  ｔｈ．）株ＡＱ５２（ＮＲＲＬ受託番号Ｎｏ．Ｂ−２１６１９）、又は、バシルス・ツリンギエンシス  ｖａｒ．  Ｔ３６（Ｂ．  ｔｈ．  ｖａｒ．  Ｔ３６）（Ｃａｈａｔとして知られている製品）、
（１．５０）バシルス・ウニフラゲラツス（Ｂａｃｉｌｌｕｓ  ｕｎｉｆｌａｇｅｌｌａｔｕｓ）、
（１．５２）ブレビバシルス・ブレビス（Ｂｒｅｖｉｂａｃｉｌｌｕｓ  ｂｒｅｖｉｓ）（以前は、バシルス・ブレビス（Ｂａｃｉｌｌｕｓ  ｂｒｅｖｉｓ））、特に、株ＳＳ８６−３、株ＳＳ８６−４、株ＳＳ８６−５、株２９０４、
（１．５３）ブレビバシルス・ラテロスポルス（Ｂｒｅｖｉｂａｃｉｌｌｕｓ  ｌａｔｅｒｏｓｐｏｒｕｓ）（以前は、バシルス・ラテロスポルス（Ｂａｃｉｌｌｕｓ  ｌａｔｅｒｏｓｐｏｒｕｓ））、特に、株６４、株１１１１、株１６４５、株１６４７、
（１．５４）クロモバクテリウム・スブツガエ（Ｃｈｒｏｍｏｂａｃｔｅｒｉｕｍ  ｓｕｂｔｓｕｇａｅ）、特に、株ＰＲＡＡ４−１Ｔ（Ｇａｎｄｅｖｏとして知られている製品）、
（１．５５）デルフチア・アシドボランス（Ｄｅｌｆｔｉａ  ａｃｉｄｏｖｏｒａｎｓ）、特に、株ＲＡＹ２０９（ＢｉｏＢｏｏｓｔ（登録商標）として知られている製品）、
（１．５６）ラクトバシルス・アシドフィルス（Ｌａｃｔｏｂａｃｉｌｌｕｓ  ａｃｉｄｏｐｈｉｌｕｓ）（Ｆｒｕｉｔｓａｎとして知られている製品）、
（１．５７）リソバクテル・アンチビオチクス（Ｌｙｓｏｂａｃｔｅｒ  ａｎｔｉｂｉｏｔｉｃｕｓ）、特に、株１３−１（ｃｆ．  Ｂｉｏｌｏｇｉｃａｌ  Ｃｏｎｔｒｏｌ  ２００８，  ４５，  ２８８−２９６）、
ペクトバクテリウム・カロトボルム（Ｐｅｃｔｏｂａｃｔｅｒｉｕｍ  ｃａｒｏｔｏｖｏｒｕｍ）（以前は、エルウィニア・カロトボラ（Ｅｒｗｉｎｉａ  ｃａｒｏｔｏｖｏｒａ）；ＢｉｏＫｅｅｐｅｒとして知られている製品）、
ストレプトミセス・グリセオビリジス（Ｓｔｒｅｐｔｏｍｙｃｅｓ  ｇｒｉｓｅｏｖｉｒｉｄｉｓ）（Ｍｙｃｏｓｔｏｐ（登録商標）として知られている製品。
【００５１】
一実施形態において、本発明の組成物は、上記で記載した生物的防除剤のうちの少なくとも１種類と以下のものからなる群から選択される少なくとも１種類のさらなる生物的防除剤の組合せを含んでいる：
バシルス・キチノスポルス（Ｂａｃｉｌｌｕｓ  ｃｈｉｔｉｎｏｓｐｏｒｕｓ）ＡＱ７４６（ＮＲＲＬ受託番号Ｎｏ．Ｂ−２１６１８）、バシルス・ミコイデス（Ｂａｃｉｌｌｕｓ  ｍｙｃｏｉｄｅｓ）ＡＱ７２６（ＮＲＲＬ受託番号Ｎｏ．Ｂ−２１６６４）、バシルス・プミルス（Ｂａｃｉｌｌｕｓ  ｐｕｍｉｌｕｓ）（ＮＲＲＬ受託番号Ｎｏ．Ｂ−３００８７）、バシルス・プミルス（Ｂａｃｉｌｌｕｓ  ｐｕｍｉｌｕｓ）ＡＱ７１７（ＮＲＲＬ受託番号Ｎｏ．Ｂ−２１６６２）、バシルス・属種（Ｂａｃｉｌｌｕｓ  ｓｐ．）ＡＱ１７５（ＡＴＣＣ受託番号Ｎｏ．５５６０８）、バシルス・属種（Ｂａｃｉｌｌｕｓ  ｓｐ．）ＡＱ１７７（ＡＴＣＣ受託番号Ｎｏ．５５６０９）、バシルス・属種（Ｂａｃｉｌｌｕｓ  ｓｐ．）ＡＱ１７８（ＡＴＣＣ受託番号Ｎｏ．５３５２２）、バシルス・スブチリス（Ｂａｃｉｌｌｕｓ  ｓｕｂｔｉｌｉｓ）ＡＱ７４３（ＮＲＲＬ受託番号Ｎｏ．Ｂ−２１６６５）、バシルス・スブチリス（Ｂａｃｉｌｌｕｓ  ｓｕｂｔｉｌｉｓ）ＡＱ７１３（ＮＲＲＬ受託番号Ｎｏ．Ｂ−２１６６１）、バシルス・スブチリス（Ｂａｃｉｌｌｕｓ  ｓｕｂｔｉｌｉｓ）ＡＱ１５３（ＡＴＣＣ受託番号Ｎｏ．５５６１４）、バシルス・ツリンギエンシス（Ｂａｃｉｌｌｕｓ  ｔｈｕｒｉｎｇｉｅｎｓｉｓ）ＢＤ＃３２（ＮＲＲＬ受託番号Ｎｏ．Ｂ−２１５３０）、バシルス・ツリンギエンシス（Ｂａｃｉｌｌｕｓ  ｔｈｕｒｉｎｇｉｅｎｓｉｓ）ＡＱ５２（ＮＲＲＬ受託番号Ｎｏ．Ｂ−２１６１９）、ムスコドル・アルブス（Ｍｕｓｃｏｄｏｒ  ａｌｂｕｓ）６２０（ＮＲＲＬ受託番号Ｎｏ．３０５４７）、ムスコドル・ロセウス（Ｍｕｓｃｏｄｏｒ  ｒｏｓｅｕｓ）Ａ３−５（ＮＲＲＬ受託番号Ｎｏ．３０５４８）、ロドコックス・グロベルルス（Ｒｈｏｄｏｃｏｃｃｕｓ  ｇｌｏｂｅｒｕｌｕｓ）ＡＱ７１９（ＮＲＲＬ受託番号Ｎｏ．Ｂ−２１６６３）、ストレプトミセス・ガルブス（Ｓｔｒｅｐｔｏｍｙｃｅｓ  ｇａｌｂｕｓ）（ＮＲＲＬ受託番号Ｎｏ．３０２３２）、ストレプトミセス属種（Ｓｔｒｅｐｔｏｍｙｃｅｓ  ｓｐ．）（ＮＲＲＬ受託番号Ｎｏ．Ｂ−３０１４５）、バシルス・ツリンギエンシス  ｓｕｂｓｐｅｃ．  クルスタキ（Ｂａｃｉｌｌｕｓ  ｔｈｕｒｉｎｇｉｅｎｓｉｓ  ｓｕｂｓｐｅｃ．  ｋｕｒｓｔａｋｉ）ＢＭＰ１２３、バシルス・スブチリス（Ｂａｃｉｌｌｕｓ  ｓｕｂｔｉｌｉｓ）ＡＱ３０００２（ＮＲＲＬ受託番号Ｎｏ．Ｂ−５０４２１）、及び、バシルス・スブチリス（Ｂａｃｉｌｌｕｓ  ｓｕｂｔｉｌｉｓ）ＡＱ３０００４（ＮＲＲＬ受託番号Ｎｏ．Ｂ−５０４５５）、並びに／又は、個々の株を識別する全ての特性を有しているそれら株の突然変異体、並びに／又は、昆虫類、ダニ類、線虫類及び／若しくは植物病原体に対して活性を示す個々の株によって産生される少なくとも１種類の代謝産物。
【００５２】
該さらなる生物的防除剤は、以下のように、当技術分野において既知である。
【００５３】
バシルス・キチノスポルス（Ｂａｃｉｌｌｕｓ  ｃｈｉｔｉｎｏｓｐｏｒｕｓ）ＡＱ７４６（ＮＲＲＬ受託番号Ｎｏ．Ｂ−２１６１８）は、ＷＯ  ９８／２１９６６Ａ２から知られている。それは、特に、線虫類及び昆虫類に対して活性を示し、そして、その上清中に、非外毒素性非タンパク質性活性代謝産物を産生する。それらの代謝産物は、線虫類及びゴキブリ類に対しては活性を示すが、ハエ類、コーンルートワーム（ｃｏｒｎ  ｒｏｏｔｗｏｒｍ）又はシロイチモジヨトウ（ｂｅｅｔ  ａｒｍｙｗｏｒｍ）に対しては活性を示さない。
【００５４】
バシルス・ミコイデス（Ｂａｃｉｌｌｕｓ  ｍｙｃｏｉｄｅｓ）ＡＱ７２６（ＮＲＲＬ受託番号Ｎｏ．Ｂ−２１６６４）及びその水溶性代謝産物は、コーンルートワーム（ｃｏｒｎ  ｒｏｏｔｗｏｒｍ）幼虫及びアブラムシなどの昆虫類を殺すか又はそれらの成育を阻害する（ＷＯ  ９９／０９８２０Ａ１）。
【００５５】
ＷＯ  ００／５８４４２Ａ１に記載されているように、バシルス・プミルス（Ｂａｃｉｌｌｕｓ  ｐｕｍｉｌｕｓ）ＱＳＴ２８０８（ＮＲＲＬ受託番号Ｎｏ．Ｂ−３００８７）は、インビボで広範囲の真菌性植物病害を抑制することができる。さらに、この株をバシルス・ツリンギエンシス（Ｂａｃｉｌｌｕｓ  ｔｈｕｒｉｎｇｉｅｎｓｉｓ）と組み合わせると、後者の殺虫活性が増強される。この株の市販製剤は、「Ｂａｙｅｒ  ＣｒｏｐＳｃｉｅｎｃｅ  ＬＰ  （Ｎｏｒｔｈ  Ｃａｒｏｌｉｎａ，  ＵＳＡ）」から「ＳＯＮＡＴＡ（登録商標）」及び「ＢＡＬＬＡＤ（登録商標）  Ｐｌｕｓ」の商品名で販売されている。
【００５６】
バシルス・プミルス（Ｂａｃｉｌｌｕｓ  ｐｕｍｉｌｕｓ）ＡＱ７１７（ＮＲＲＬ受託番号Ｎｏ．Ｂ−２１６６２）は、ＷＯ  ９９／１０４７７Ａ１から知られている。それは、コーンルートワーム（ｃｏｒｎ  ｒｏｏｔｗｏｒｍ）、線虫類及びシロイチモジヨトウ（ｂｅｅｔ  ａｒｍｙｗｏｒｍ）に対して殺有害生物活性を示す代謝産物を産生する。
【００５７】
ＷＯ  ９８／２１９６７Ａ１に記載されている細菌株バシルス属種（Ｂａｃｉｌｌｕｓ  ｓｐ．）ＡＱ１７５（ＡＴＣＣ受託番号Ｎｏ．５５６０８）、バシルス属種（Ｂａｃｉｌｌｕｓ  ｓｐ．）ＡＱ１７７（ＡＴＣＣ受託番号Ｎｏ．５５６０９）（以下では、「Ｂ６」と称されることもある）及びバシルス属種（Ｂａｃｉｌｌｕｓ  ｓｐ．）ＡＱ１７８（ＡＴＣＣ受託番号Ｎｏ．５３５２２）（以下では、「Ｂ７」と称されることもある）は、地上部の真菌感染及び細菌感染に対して植物を治療及び保護する上で有効である。
【００５８】
代謝産物産生株バシルス・スブチリス（Ｂａｃｉｌｌｕｓ  ｓｕｂｔｉｌｉｓ）ＡＱ７４３（ＮＲＲＬ受託番号Ｎｏ．Ｂ−２１６６５）は、コーンルートワーム（ｃｏｒｎ  ｒｏｏｔｗｏｒｍ）幼虫、シロイチモジヨトウ（ｂｅｅｔ  ａｒｍｙｗｏｒｍ）幼虫、ハエ成虫及び線虫類を殺すか又はそれらの成育を阻害する（ｃｆ．ＷＯ  ９９／０９８１９）。
【００５９】
バシルス・スブチリス（Ｂａｃｉｌｌｕｓ  ｓｕｂｔｉｌｉｓ）ＡＱ７１３（受託番号Ｎｏ．Ｂ−２１６６１）〔別名：バシルス・スブチリス（Ｂａｃｉｌｌｕｓ  ｓｕｂｔｉｌｉｓ）ＱＳＴ７１３〕は、広い殺菌活性及び殺細菌活性を示し、そして、コーンルートワーム（ｃｏｒｎ  ｒｏｏｔｗｏｒｍ）に対しても活性を示す（ＷＯ  ９８／５０４２２Ａ１）。この株の市販製剤は、「Ｂａｙｅｒ  ＣｒｏｐＳｃｉｅｎｃｅ  ＬＰ  （Ｎｏｒｔｈ  Ｃａｒｏｌｉｎａ，  ＵＳＡ）」から、「ＳＥＲＥＮＡＤＥ（登録商標）  Ｍａｘ」、「ＳＥＲＥＮＡＤＥ（登録商標）  Ｓｏｉｌ」、「ＳＥＲＥＮＡＤＥ（登録商標）  Ａｓｏ」、「ＳＥＲＥＮＡＤＥ（登録商標）  ＣＰＢ」及び「ＲＨＡＰＳＯＤＹ（登録商標）」の商品名で入手可能である。
【００６０】
ＷＯ  ９８／２１９６４Ａ１に記載されているバシルス・スブチリス（Ｂａｃｉｌｌｕｓ  ｓｕｂｔｉｌｉｓ）ＡＱ１５３（ＡＴＣＣ受託番号Ｎｏ．５５６１４）は、植物病原性細菌類及び植物病原性菌類の増殖を阻害する上で有効である。
【００６１】
バシルス・ツリンギエンシス（Ｂａｃｉｌｌｕｓ  ｔｈｕｒｉｎｇｉｅｎｓｉｓ）ＢＤ＃３２（ＮＲＲＬ受託番号Ｎｏ．Ｂ−２１５３０）は、殺虫活性を示す（ＵＳ  ５，６４５，８３１Ａ）。それは、コーンルートワーム（ｃｏｒｎ  ｒｏｏｔｗｏｒｍ）を殺す上で１００％の効果を示す溶媒抽出可能な非外毒素性非タンパク質性代謝産物を産生する。この細菌株によって産生されるバイオ農薬は、コーンルートワーム（ｃｏｒｎ  ｒｏｏｔｗｏｒｍ）に対して活性を示すが、ハエ類に対しては活性を示さない。
【００６２】
ＷＯ  ９８／２１９６５Ａ１によれば、抗生物質を産生する株バシルス・ツリンギエンシス（Ｂａｃｉｌｌｕｓ  ｔｈｕｒｉｎｇｉｅｎｓｉｓ）ＡＱ５２（ＮＲＲＬ受託番号Ｎｏ．Ｂ−２１６１９）は、広い殺菌活性及び殺細菌活性を示す。
【００６３】
ＷＯ  ０２／０２０８２８９８Ａ１には、菌類、細菌類、昆虫類及び線虫類に対する活性を有する揮発性抗生物質の混合物を産生する、ムスコドル・アルブス（Ｍｕｓｃｏｄｏｒ  ａｌｂｕｓ）６２０〔「ムスコドル・アルブス（Ｍｏｓｃｏｄｏｒ  ａｌｂｕｓ）ＱＳＴ２０７９９」としても知られている〕（ＮＲＲＬ受託番号Ｎｏ．３０５４７）及びムスコドル・ロセウス（Ｍｕｓｃｏｄｏｒ  ｒｏｓｅｕｓ）Ａ３−５（ＮＲＲＬ受託番号Ｎｏ．３０５４８）を包含する内生菌（ｅｎｄｏｐｈｙｔｉｃ  ｆｕｎｇｉ）が記載されている。
【００６４】
ロドコックス・グロベルルス（Ｒｈｏｄｏｃｏｃｃｕｓ  ｇｌｏｂｅｒｕｌｕｓ）ＡＱ７１９（ＮＲＲＬ受託番号Ｎｏ．Ｂ−２１６６３）は、コーンルートワーム（ｃｏｒｎ  ｒｏｏｔｗｏｒｍ）に対する殺有害生物活性を示す代謝産物を産生する（ＵＳ  ６，０２７，７２３Ａ）。
【００６５】
ＷＯ  ０１／７９４８０Ａ２には、鱗翅目昆虫に対して殺虫活性を示すストレプトミセス・ガルブス（Ｓｔｒｅｐｔｏｍｙｃｅｓ  ｇａｌｂｕｓ）の株（ＮＲＲＬ受託番号Ｎｏ．３０２３２）が記載されている。
【００６６】
ＷＯ  ０２／２６０４１Ａ２に記載されているストレプトミセス属種（Ｓｔｒｅｐｔｏｍｙｃｅｓ  ｓｐ．）株（ＮＲＲＬ受託番号Ｎｏ．Ｂ−３０１４５）は、アルテルナリア属（Ａｌｔｅｒｎａｒｉａ）、フィトフトラ属（Ｐｈｙｔｏｐｈｔｈｏｒａ）、ボトリチス属（Ｂｏｔｒｙｔｉｓ）、リゾクトニア属（Ｒｈｉｚｏｃｔｏｉｚｉａ）及びスクレロチニア属（Ｓｃｌｅｒｏｔｉｎｉａ）などの特定の植物病原体に対して抗菌活性を示す。
【００６７】
バシルス・ツリンギエンシス  ｓｕｂｓｐｅｃ．  クルスタキ（Ｂａｃｉｌｌｕｓ  ｔｈｕｒｉｎｇｉｅｎｓｉｓ  ｓｕｂｓｐｅｃ．  ｋｕｒｓｔａｋｉ）ＢＭＰ１２３の市販製剤は、「ＡｇｒａＱｕｅｓｔ，  Ｉｎｃ．ＵＳＡ」から「ＢＡＲＩＴＯＮＥ（登録商標）」の商品名で入手可能である。それは、殺虫活性を示し、そして、シャクトリムシ、アワヨトウ及び蛾類などを包含する鱗翅目昆虫に対して有効である。ＢＡＲＩＴＯＮＥ（登録商標）には、ＥＰＡ登録番号Ｎｏ．６２６３７−５−６９５９２が割り当てられている。
【００６８】
株バシルス・スブチリス（Ｂａｃｉｌｌｕｓ  ｓｕｂｔｉｌｉｓ）ＡＱ３０００２（「ＱＳＴ３０００２」としても知られている）（ＮＲＲＬ受託番号Ｎｏ．Ｂ−５０４２１；寄託日  ２０１０年１０月５日）及びバシルス・スブチリス（Ｂａｃｉｌｌｕｓ  ｓｕｂｔｉｌｉｓ）ＡＱ３０００４（「ＱＳＴ３０００４」としても知られている）（ＮＲＲＬ受託番号Ｎｏ．Ｂ−５０４５５；寄託日  ２０１０年１０月５日）は、ＷＯ  ２０１２／０８７９８０Ａ１（これは、参照により本明細書に組み入れる）から知られている。その中に記載され得ているように、これらのＢＣＡは、広範な殺菌活性及び殺細菌活性を示す。Ｂ１９及びＢ２０は、ｓｗｒＡ遺伝子において突然変異を有しており、それによって、野生型ｓｗｒＡ遺伝子を含んでいる株と比較して、遊走能力が損なわれており、そして、植物の健康促進が増強されている。そのような突然変異によって、これらのＢＣＡは、野生型細菌株よりも堅固なバイオフィルムを形成するようになり、その結果、それらの殺菌活性及び殺細菌活性が高まる。
【００６９】
特に好ましい細菌類は、以下のものである：
（１．２３）バシルス・フィルムス（Ｂａｃｉｌｌｕｓ  ｆｉｒｍｕｓ）、特に、株Ｉ−１５８２（Ｂｉｏｎｅｍ、Ｖｏｔｉｖｏ、Ｆｌｏｃｔｅｒとして知られている製品）（これは、ＵＳ  ６，４０６，６９０（これは、参照により本明細書に組み入れる）に開示されている）、
（１．４４）バシルス・プミルス（Ｂａｃｉｌｌｕｓ  ｐｕｍｉｌｕｓ）、特に、株ＧＢ３４（Ｙｉｅｌｄ  Ｓｈｉｅｌｄ（登録商標）として知られている製品）、及び、株ＱＳＴ２８０８（ＳＯＮＡＴＡ（登録商標）  ＱＳＴ  ２８０８として知られている製品）、
（１．４８）バシルス・スブチリス（Ｂａｃｉｌｌｕｓ  ｓｕｂｔｉｌｉｓ）、特に、株ＧＢ０３（Ｋｏｄｉａｋ（登録商標）として知られている製品；ｃ．ｆ．  ＵＳ  ＥＰＡ，  Ｐｅｓｔｉｃｉｄｅ  Ｆａｃｔ  Ｓｈｅｅｔ  −−  Ｂａｃｉｌｌｕｓ  ｓｕｂｔｉｌｉｓ  ＧＢ０３  １９９２）、株ＱＳＴ７１３（ＳＥＲＥＮＡＤＥ（登録商標）  ＱＳＴ  ７１３（登録商標）として知られている製品）、株ＡＱ３０００２（ａｋａ  ＱＳＴ３０００２；ＮＲＲＬ受託番号Ｎｏ．Ｂ−５０４２１；ＷＯ  ２０１２／０８７９８０（これは、参照により本明細書に組み入れる）から既知）、及び、株ＡＱ３０００４（ａｋａ  ＱＳＴ３０００４；ＮＲＲＬ受託番号Ｎｏ．Ｂ−５０４５５；ＷＯ  ２０１２／０８７９８０（これは、参照により本明細書に組み入れる）から既知）。
【００７０】
本発明によれば、用語「菌類」又は「酵母類」のもとで要約されている、本発明の組成物の中に含ませ得る生物的防除剤は、例として、以下の生物、並びに／又は、個々の株を識別する全ての特性を有しているそれらの突然変異体、並びに／又は、昆虫類、ダニ類、線虫類及び／若しくは植物病原体に対して活性を示す個々の株によって産生される代謝産物である（下記番号付けは、該全ての記載において使用される）：
（２．１）アムペロミセス・クイスクアリス（Ａｍｐｅｌｏｍｙｃｅｓ  ｑｕｉｓｑｕａｌｉｓ）、特に、株ＡＱ  １０（ＡＱ  １０（登録商標）として知られている製品）、（２．２）アウレオバシジウム・プルランス（Ａｕｒｅｏｂａｓｉｄｉｕｍ  ｐｕｌｌｕｌａｎｓ）、特に、株ＤＳＭ１４９４０の分芽胞子、又は、株ＤＳＭ１４９４１の分芽胞子、又は、それらの混合物（Ｂｌｏｓｓｏｍ  Ｐｒｏｔｅｃｔ（登録商標）として知られている製品）、（２．３）アスケルソニア・アレイロデス（Ａｓｃｈｅｒｓｏｎｉａ  ａｌｅｙｒｏｄｅｓ）、（２．４）アスペルギルス・フラブス（Ａｓｐｅｒｇｉｌｌｕｓ  ｆｌａｖｕｓ）、特に、株ＮＲＲＬ  ２１８８２（Ａｆｌａ−Ｇｕａｒｄ（登録商標）として知られている製品）、（２．５）アルトロボトリス・スペルバ（Ａｒｔｈｒｏｂｏｔｒｙｓ  ｓｕｐｅｒｂａ）（Ｃｏｒｄａ  １８３９）、（２．６）ベアウベリア・バシアナ（Ｂｅａｕｖｅｒｉａ  ｂａｓｓｉａｎａ）、特に、株ＡＴＣＣ  ７４０４０（Ｎａｔｕｒａｌｉｓ（登録商標）として知られている製品）、及び、株ＧＨＡ（Ｍｙｃｏｔｒｏｌ、ＢｏｔａｎｉＧａｒｄとして知られている製品）、（２．７）ベアウベリア・ブロングニアルチイ（Ｂｅａｕｖｅｒｉａ  ｂｒｏｎｇｎｉａｒｔｉｉ）（Ｂｅａｕｐｒｏとして知られている製品）、（２．８）カンジダ・オレオフィラ（Ｃａｎｄｉｄａ  ｏｌｅｏｐｈｉｌａ）、特に、株Ｏ（Ｎｅｘｙ  （登録商標）、Ａｓｐｉｒｅとして知られている製品）、（２．９）カエトミヌム・クプレウム（Ｃｈａｅｔｏｍｉｕｍ  ｃｕｐｒｅｕｍ）（Ｋｅｔｏｃｉｎとして知られている製品）、（２．１０）クラドスポリウム・クラドスポリオイデス（Ｃｌａｄｏｓｐｏｒｉｕｍ  ｃｌａｄｏｓｐｏｒｉｏｉｄｅｓ）、特に、株Ｈ３９、（２．１１）コニジオボルス・オブスクルス（Ｃｏｎｉｄｉｏｂｏｌｕｓ  ｏｂｓｃｕｒｕｓ）、（２．１２）コニオチリウム・ミニタンス（Ｃｏｎｉｏｔｈｙｒｉｕｍ  ｍｉｎｉｔａｎｓ）、特に、株ＣＯＮ／Ｍ／９１−８（Ｃｏｎｔａｎｓ（登録商標）として知られている製品）、（２．１３）ジロホスホラ・アロペクリ（Ｄｉｌｏｐｈｏｓｐｈｏｒａ  ａｌｏｐｅｃｕｒｉ）（Ｔｗｉｓｔ  Ｆｕｎｇｕｓ（登録商標）として知られている製品）、（２．１４）エントモフトラ・ビルレンタ（Ｅｎｔｏｍｏｐｈｔｈｏｒａ  ｖｉｒｕｌｅｎｔａ）（Ｖｅｋｔｏｒとして知られている製品）、（２．１５）フサリウム・オキシスポルム（Ｆｕｓａｒｉｕｍ  ｏｘｙｓｐｏｒｕｍ）、特に、株Ｆｏ４７（非病原性）（Ｆｕｓａｃｌｅａｎとして知られている製品）、（２．１６）グリオクラジウム・カテヌラツム（Ｇｌｉｏｃｌａｄｉｕｍ  ｃａｔｅｎｕｌａｔｕｍ）、特に、株Ｊ１４４６（Ｐｒｅｓｔｏｐ（登録商標）  又は  Ｐｒｉｍａｓｔｏｐとして知られている製品）、（２．１７）ヒルステラ・トムプソニイ（Ｈｉｒｓｕｔｅｌｌａ  ｔｈｏｍｐｓｏｎｉｉ）（Ｍｙｃｏｈｉｔ  又は  ＡＢＴＥＣとして知られている製品）、（２．１８）ラゲニジウム・ギガンテウム（Ｌａｇｅｎｉｄｉｕｍ  ｇｉｇａｎｔｅｕｍ）（Ｌａｇｉｎｅｘ（登録商標）として知られている製品；  供給元：ＡｇｒａＱｕｅｓｔ，  Ｉｎｃ．）、（２．１９）レカニシ��ウム・レカニイ（Ｌｅｃａｎｉｃｉｌｌｉｕｍ  ｌｅｃａｎｉｉ）（以前は、ベルチシリウム・レカニイ（Ｖｅｒｔｉｃｉｌｌｉｕｍ  ｌｅｃａｎｉｉ）として知られている）、特に、株ＫＶ０１の分生子（Ｍｙｃｏｔａｌ（登録商標）、Ｖｅｒｔａｌｅｃ（登録商標）として知られている製品）、（２．２０）メタリジウム・アニソプリアエ（Ｍｅｔａｒｈｉｚｉｕｍ  ａｎｉｓｏｐｌｉａｅ）、特に、株Ｆ５２（ＢＩＯ  １０２０  又は  Ｍｅｔ５２として知られている製品）、メタリジウム・アニソプリアエ  ｖａｒ．  アクリジウム（Ｍ．  ａ．  ｖａｒ．  ａｃｒｉｄｕｍ）（Ｇｒｅｅｎ  Ｍｕｓｃｌｅとして知られている製品）、（２．２１）メタリジウム・フラボビリデ（Ｍｅｔａｒｈｉｚｉｕｍ  ｆｌａｖｏｖｉｒｉｄｅ）、（２．２２）メトスカニコビア・フルクチコラ（Ｍｅｔｓｃｈｎｉｋｏｖｉａ  ｆｒｕｃｔｉｃｏｌａ）、特に、株ＮＲＲＬ  Ｙ−３０７５２（Ｓｈｅｍｅｒ（登録商標）として知られている製品）、（２．２３）ミクロスファエロプシス・オクラセア（Ｍｉｃｒｏｓｐｈａｅｒｏｐｓｉｓ  ｏｃｈｒａｃｅａ）（Ｍｉｃｒｏｘ（登録商標）として知られている製品）、（２．２４）ムコル・ハエメリス（Ｍｕｃｏｒ  ｈａｅｍｅｌｉｓ）（ＢｉｏＡｖａｒｄとして知られている製品）、（２．２５）ムスコドル・アルブス（Ｍｕｓｃｏｄｏｒ  ａｌｂｕｓ）、特に、株ＱＳＴ  ２０７９９（ＡｒａｂｅｓｑｕｅＴＭ  又は  ＡｎｄａｎｔｅＴＭとして知られている製品）、（２．２６）ミロテシウム・ベルカリア（Ｍｙｒｏｔｈｅｃｉｕｍ  ｖｅｒｒｕｃａｒｉａ）、特に、株ＡＡＲＣ−０２５５（ＤｉＴｅｒａＴＭとして知られている製品）、（２．２７）ノムラエア・リレイイ（Ｎｏｍｕｒａｅａ  ｒｉｌｅｙｉ）、特に、株ＳＡ８６１０１、株ＧＵ８７４０１、株ＳＲ８６１５１、株ＣＧ１２８、及び、株ＶＡ９１０１（Ｋｏｎｇｏ（登録商標）として知られている製品）、（２．２８）オフィオストマ・ピリフェルム（Ｏｐｈｉｏｓｔｏｍａ  ｐｉｌｉｆｅｒｕｍ）、特に、株Ｄ９７（Ｓｙｌｖａｎｅｘとして知られている製品）、（２．２９）パエシロミセス・フモソレウス（Ｐａｅｃｉｌｏｍｙｃｅｓ  ｆｕｍｏｓｏｒｅｕｓ）、特に、株ａｐｏｐｋａ  ９７（ＰｒｅＦｅＲａｌとして知られている製品）、（２．３０）パエシロミセス・リラシヌス（Ｐａｅｃｉｌｏｍｙｃｅｓ  ｌｉｌａｃｉｎｕｓ）、特に、パエシロミセス・リラシヌス（Ｐ．  ｌｉｌａｃｉｎｕｓ）株２５１の胞子（ＢｉｏＡｃｔ（登録商標）として知られている製品；  ｃｆ．  Ｃｒｏｐ  Ｐｒｏｔｅｃｔｉｏｎ  ２００８，  ２７，  ３５２−３６１）、（２．３１）パエシロミセス・バリオチイ（Ｐａｅｃｉｌｏｍｙｃｅｓ  ｖａｒｉｏｔｉｉ）、特に、株Ｑ−０９（Ｎｅｍａｑｕｉｍとして知られている製品）、（２．３２）パンドラ・デルファシス（Ｐａｎｄｏｒａ  ｄｅｌｐｈａｃｉｓ）、（２．３３）ペニシリウム・ビライイ（Ｐｅｎｉｃｉｌｌｉｕｍ  ｂｉｌａｉｉ）、特に、株ＡＴＣＣ２２３４８（ＪｕｍｐＳｔａｒｔ（登録商標）、ＰＢ−５０、Ｐｒｏｖｉｄｅとして知られている製品）、（２．３４）ペニシリウム・ベルミクラツム（Ｐｅｎｉｃｉｌｌｉｕｍ  ｖｅｒｍｉｃｕｌａｔｕｍ）（Ｖｅｒｍｉｃ���ｌｅｎとして知られている製品）、（２．３５）フレビオプシス・ギガンテア（Ｐｈｌｅｂｉｏｐｓｉｓ  ｇｉｇａｎｔｅａ）〔＝フレビア・ギガンテア（Ｐｈｌｅｂｉａ  ｇｉｇａｎｔｅａ）＝ペニオホラ・ギガンテア（Ｐｅｎｉｏｐｈｏｒａ  ｇｉｇａｎｔｅａ）〕（Ｒｏｔｓｔｏｐとして知られている製品）、（２．３６）ピキア・アノマラ（Ｐｉｃｈｉａ  ａｎｏｍａｌａ）、特に、株ＷＲＬ−０７６、（２．３７）ポコニア・クラミドスポリア（Ｐｏｃｈｏｎｉａ  ｃｈｌａｍｙｄｏｓｐｏｒｉａ）、（２．３８）プセウドジマ・フロクロサ（Ｐｓｅｕｄｏｚｙｍａ  ｆｌｏｃｃｕｌｏｓａ）、特に、株ＰＦ−Ａ２２  ＵＬ（Ｓｐｏｒｏｄｅｘ（登録商標）Ｌとして知られている製品）、（２．３９）ピチウム・オリガンドルム（Ｐｙｔｈｉｕｍ  ｏｌｉｇａｎｄｒｕｍ）、特に、株ＤＶ７４（Ｐｏｌｙｖｅｒｓｕｍとして知られている製品）、（２．４０）スポロトリキス・インセクトルム（Ｓｐｏｒｏｔｈｒｉｘ  ｉｎｓｅｃｔｏｒｕｍ）（Ｓｐｏｒｏｔｈｒｉｘとして知られている製品）、（２．４１）タラロミセス・フラブス（Ｔａｌａｒｏｍｙｃｅｓ  ｆｌａｖｕｓ）、（２．４２）トリコデルマ・アルブム（Ｔｒｉｃｈｏｄｅｒｍａ  ａｌｂｕｍ）（Ｂｉｏ−Ｚｅｉｄとして知られている製品）、（２．４３）トリコデルマ・アスペレルム、特に、株ＩＣＣ  ０１２（Ｂｉｏｔｅｎ（登録商標）として知られている製品）、（２．４４）トリコデルマ・ガムシイ（Ｔｒｉｃｈｏｄｅｒｍａ  ｇａｍｓｉｉ）（以前は、トリコデルマ・ビリデ（Ｔ．  ｖｉｒｉｄｅ）として知られている）、特に、株ＩＣＣ０８０の菌糸体フラグメント、分生子及び厚膜胞子（Ｂｉｏｄｅｒｍａとして知られている製品）、（２．４５）トリコデルマ・ハルマツム（Ｔｒｉｃｈｏｄｅｒｍａ  ｈａｒｍａｔｕｍ）、（２．４６）トリコデルマ・ハルジアヌム（Ｔｒｉｃｈｏｄｅｒｍａ  ｈａｒｚｉａｎｕｍ）、特に、トリコデルマ・ハルジアヌム（Ｔ．  ｈａｒｚｉａｎｕｍ）Ｔ３９（Ｔｒｉｃｈｏｄｅｘ（登録商標）として知られている製品）、（２．４７）トリコデルマ・コニンギイ（Ｔｒｉｃｈｏｄｅｒｍａ  ｋｏｎｉｎｇｉｉ）（Ｔｒｉｋｏｔ−Ｓ  Ｐｌｕｓとして知られている製品）、（２．４８）トリコデルマ・リグノルム（Ｔｒｉｃｈｏｄｅｒｍａ  ｌｉｇｎｏｒｕｍ）（Ｍｙｃｏｂａｃとして知られている製品）、（２．４９）トリコデルマ・ポリスポルム（Ｔｒｉｃｈｏｄｅｒｍａ  ｐｏｌｙｓｐｏｒｕｍ）、特に、株ＩＭＩ  ２０６０３９、（２．５０）トリコデルマ・ビレンス（Ｔｒｉｃｈｏｄｅｒｍａ  ｖｉｒｅｎｓ）（以前は、グリオクラジウム・ビレンス（Ｇｌｉｏｃｌａｄｉｕｍ  ｖｉｒｅｎｓ））（ＳｏｉｌＧａｒｄとして知られている製品）、（２．５１）ツカムレラ・パウロメタボラ（Ｔｓｕｋａｍｕｒｅｌｌａ  ｐａｕｒｏｍｅｔａｂｏｌａ）（ＨｅｂｅｒＮｅｍ（登録商標）として知られている製品）、（２．５２）ウロクラジウム・オウデマンシイ（Ｕｌｏｃｌａｄｉｕｍ  ｏｕｄｅｍａｎｓｉｉ）（Ｂｏｔｒｙ−Ｚｅｎとして知られている製品）、（２．５３）ベルチシリウム・アルボ−アトルム（Ｖｅｒｔｉｃｉｌｌｉｕｍ  ａｌｂｏ−ａｔｒｕｍ）、特に、株ＷＣＳ８５０、（２．５４）ベルチ���リウム・クラミドスポリウム（Ｖｅｒｔｉｃｉｌｌｉｕｍ  ｃｈｌａｍｙｄｏｓｐｏｒｉｕｍ）（Ｖａｒｓｈａとして知られている製品）、（２．５５）ベルチシリウム・ダーリアエ（Ｖｅｒｔｉｃｉｌｌｉｕｍ  ｄａｈｌｉａｅ）（Ｄｕｔｃｈ  Ｔｒｉｇとして知られている製品）、及び、（２．５６）ゾオフトラ・ラジカン（Ｚｏｏｐｈｔｏｒａ  ｒａｄｉｃａｎ）、（２．５７）ムスコドル・ロセウス（Ｍｕｓｃｏｄｏｒ  ｒｏｓｅｕｓ）、特に、株Ａ３−５（ＮＲＲＬ受託番号Ｎｏ．３０５４８）。
【００７１】
好ましい菌類は、以下のものである：
（２．６）ベアウベリア・バシアナ（Ｂｅａｕｖｅｒｉａ  ｂａｓｓｉａｎａ）、特に、株ＡＴＣＣ  ７４０４０（Ｎａｔｕｒａｌｉｓ（登録商標）として知られている製品）、及び、株ＧＨＡ（Ｍｙｃｏｔｒｏｌ、ＢｏｔａｎｉＧａｒｄとして知られている製品）、
（２．７）ベアウベリア・ブロングニアルチイ（Ｂｅａｕｖｅｒｉａ  ｂｒｏｎｇｎｉａｒｔｉｉ）（Ｂｅａｕｐｒｏとして知られている製品）、
（２．１７）ヒルステラ・トムプソニイ（Ｈｉｒｓｕｔｅｌｌａ  ｔｈｏｍｐｓｏｎｉｉ）（Ｍｙｃｏｈｉｔ  又は  ＡＢＴＥＣとして知られている製品）、
（２．２６）ミロテシウム・ベルカリア（Ｍｙｒｏｔｈｅｃｉｕｍ  ｖｅｒｒｕｃａｒｉａ）、特に、株ＡＡＲＣ−０２５５（ＤｉＴｅｒａＴＭとして知られている製品）、
（２．５１）ツカムレラ・パウロメタボラ（Ｔｓｕｋａｍｕｒｅｌｌａ  ｐａｕｒｏｍｅｔａｂｏｌａ）（ＨｅｂｅｒＮｅｍ（登録商標）として知られている製品）。
【００７２】
本発明によれば、用語「原生動物」のもとで要約されている生物的防除剤は、以下の例である（下記番号付けは、該全ての記載において使用される）：
（３．１）ノセマ・ロクスタエ（Ｎｏｓｅｍａ  ｌｏｃｕｓｔａｅ）（ＮｏｌｏＢａｉｔとして知られている製品）、（３．２）テロハニア・ソレノプシス（Ｔｈｅｌｏｈａｎｉａ  ｓｏｌｅｎｏｐｓｉｓ）、及び、（３．３）バイリモルファ属種（Ｖａｉｒｉｍｏｒｐｈａ  ｓｐｐ．）。
【００７３】
本発明によれば、用語「ウイルス類」のもとで要約されている生物的防除剤は、以下の例である。それらは、個々の株を識別する全ての特性を有しているそれらの突然変異体、並びに／又は、昆虫類、ダニ類、線虫類及び／若しくは植物病原体に対して活性を示す個々の株によって産生される代謝産物を包含する（下記番号付けは、該全ての記載において使用される）：
（４．１）リンゴコカクモンハマキ（Ａｄｏｘｏｐｈｙｅｓ  ｏｒａｎａ）グラニュローシスウイルス（ＧＶ）、（ＢＩＯＦＡ−Ｃａｐｅｘ（登録商標）として知られている製品）、（４．２）カブラヤガ（Ａｇｒｏｔｉｓ  ｓｅｇｅｔｕｍ）核多角体病ウイルス（ＮＰＶ）、（４．３）アンチカルシア・ゲムマタリス（Ａｎｔｉｃａｒｓｉａ  ｇｅｍｍａｔａｌｉｓ）（Ｗｏｏｌｌｙ  ｐｙｒｏｌ  ｍｏｔｈ）ｍＮＰＶ（Ｐｏｌｙｇｅｎとして知られている製品）、（４．４）アウトグラファ・カリホルニカ（Ａｕｔｏｇｒａｐｈａ  ｃａｌｉｆｏｒｎｉｃａ）（Ａｌｆａｌｆａ  Ｌｏｏｐｅｒ）ｍＮＰＶ（ＶＰＮ８０として知られている製品；  供給元：Ａｇｒｉｃｏｌａ  Ｅｌ  Ｓｏｌ）、（４．５）チャシャクトリムシ（ｔｅａ  ｌｏｏｐｅｒ）（Ｂｉｓｔｏｎ  ｓｕｐｐｒｅｓｓａｒｉａ）ＮＰＶ、（４．６）カイコ（Ｂｏｍｂｙｘ  ｍｏｒｉ）ＮＰＶ、（４．７）クリプトフレビア・レウコトレタ（Ｃｒｙｐｔｏｐｈｌｅｂｉａ  ｌｅｕｃｏｔｒｅｔａ）（ｆａｌｓｅ  ｃｏｄｌｉｎｇ  ｍｏｔｈ）ＧＶ（Ｃｒｙｐｔｅｘとして知られている製品）、（４．８）コドリンガ（Ｃｙｄｉａ  ｐｏｍｏｎｅｌｌａ）顆粒病ウイルス（ＧＶ）（Ｍａｄｅｘ  Ｐｌｕｓとして知られている製品）、（４．９）マッソンマツカレハ（Ｄｅｎｄｒｏｌｉｍｕｓ  ｐｕｎｃｔａｔｕｓ）ＣＰＶ、（４．１０）ヘリコベルパ・アルミゲラ（Ｈｅｌｉｃｏｖｅｒｐａ  ａｒｍｉｇｅｒａ）ＮＰＶ（ＡｇＢｉＴｅｃｈ−ＶｉＶＵＳ  Ｍａｘとして知られている製品）、（４．１１）オオタバコガ（Ｈｅｌｉｃｏｖｅｒｐａ  ｚｅａ）（以前は、Ｈｅｌｉｏｔｈｉｓ  ｚｅａ）ＮＰＶ（Ｅｌｃａｒとして知られている製品）、（４．１２）ヤナギドクガ（Ｌｅｕｃｏｍａ  ｓａｌｉｃｉｓ）ＮＰＶ、（４．１３）マイマイガ（Ｌｙｍａｎｔｒｉａ  ｄｉｓｐａｒ）ＮＰＶ（Ｇｙｐｃｈｅｃｋとして知られている製品）、（４．１４）バルサムモミハバチ（ｂａｌｓａｍ−ｆｉｒ  ｓａｗｆｌｙ）（Ｎｅｏｄｉｐｒｉｏｎ  ａｂｉｅｔｉｓ）ＮＰＶ（Ａｂｉｅｔｉｖとして知られている製品）、（４．１５）ネオジプリオン・レコンテイ（Ｎｅｏｄｉｐｒｉｏｎ  ｌｅｃｏｎｔｅｉ）（ｒｅｄ−ｈｅａｄｅｄ  ｐｉｎｅｓａｗｆｌｙ）ＮＰＶ（Ｌｅｃｏｎｔｖｉｒｕｓとして知られている製品）、（４．１６）マツノキハバチ（Ｎｅｏｄｉｐｒｉｏｎ  ｓｅｒｔｉｆｅｒ）ＮＰＶ（Ｎｅｏｃｈｅｃｋ−Ｓとして知られている製品）、（４．１７）オルギア・プセウドツガタ（Ｏｒｇｙｉａ  ｐｓｅｕｄｏｔｓｕｇａｔａ）（Ｄｏｕｇｌａｓ−ｆｉｒ  ｔｕｓｓｏｃｋ  ｍｏｔｈ）ＮＰＶ（Ｖｉｒｔｕｓｓとして知られている製品）、（４．１８）ジャガイモガ（ｔｏｂａｃｃｏ  ｌｅａｆ  ｍｉｎｅｒ）（Ｐｈｔｈｏｒｉｍａｅａ  ｏｐｅｒｃｕｌｅｌｌａ）ＧＶ（Ｍａｔａｐｏｌとして知られている製品）、（４．１９）モンシロチョウ（Ｐｉｅｒｉｓ  ｒａｐａｅ）ＧＶ、（４．２０）コナガ（Ｐｌｕｔｅｌｌａ  ｘｙｌｏｓｔｅｌｌａ）ＧＶ（Ｐｌｕｔｅとして知られている製品ｃ）、（４．２１）スポドプテラ・アルブラ（Ｓｐｏｄｏｐｔｅｒａ  ａｌｂｕｌａ）（ｇｒａｙ−ｓｔｒｅａｋｅｄ  ａｒｍｙｗｏｍ  ｍｏｔｈ）ｍＮＰＶ（ＶＰＮ  ８２として知られている製品）、（４．２２）アフリカシロナヨトウ（ｔｒｕｅ  ａｒｍｙｗｏｒｍ）（Ｓｐｏｄｏｐｔｅｒａ  ｅｘｅｍｐｔａ）ｍＮＰＶ（Ｓｐｏｄｅｃとして知られている製品）、（４．２３）シロイチモジヨトウ（ｓｕｇａｒｂｅｅｔ  ａｒｍｙｗｏｒｍ）（Ｓｐｏｄｏｐｔｅｒａ  ｅｘｉｇｕａ）ｍＮＰＶ（Ｓｐｅｘｉｔとして知られている製品；  供給元：Ａｎｄｅｒｍａｔｔ  Ｂｉｏｃｏｎｔｒｏｌ）、（４．２４）ツマジロクサヨトウ（ｆａｌｌ  ａｒｍｙｗｏｒｍ）（Ｓｐｏｄｏｐｔｅｒａ  ｆｒｕｇｉｐｅｒｄａ）ｍＮＰＶ（Ｂａｃｕｌｏｖｉｒｕｓ  ＶＰＮとして知られている製品）、（４．２５）エジプトヨトウ（ｔｏｂａｃｃｏ  ｃｕｔｗｏｒｍ）（Ｓｐｏｄｏｐｔｅｒａ  ｌｉｔｔｏｒａｌｉｓ）ＮＰＶ（Ｓｐｏｄｏｐｔｒｉｎとして知られている製品；  供給元：ＮＰＰ  Ｃａｌｌｉｏｐｅ  Ｆｒａｎｃｅ）、及び、（４．２６）ハスモンヨトウ（ｏｒｉｅｎｔａｌ  ｌｅａｆｗｏｒｍ  ｍｏｔｈ）（Ｓｐｏｄｏｐｔｅｒａ  ｌｉｔｕｒａ）ＮＰＶ（Ｌｉｔｔｏｖｉｒとして知られている製品）。
【００７４】
本発明によれば、用語「昆虫病原性線虫類」のもとで要約されている生物的防除剤は、以下のものである（下記番号付けは、該全ての記載において使用される）：
（５．１）アブレビアタ・カウカシカ（Ａｂｂｒｅｖｉａｔａ  ｃａｕｃａｓｉｃａ）、（５．２）アクアリア属種（Ａｃｕａｒｉａ  ｓｐｐ．）、（５．３）アガメルミス・デカウダタ（Ａｇａｍｅｒｍｉｓ  ｄｅｃａｕｄａｔａ）、（５．４）アラントネマ属種（Ａｌｌａｎｔｏｎｅｍａ  ｓｐｐ．）、（５．５）アムフィメルミス属種（Ａｍｐｈｉｍｅｒｍｉｓ  ｓｐｐ．）、（５．６）ベッジンギア・シリジコラ（Ｂｅｄｄｉｎｇｉａ  ｓｉｒｉｄｉｃｏｌａ）（＝デラデヌス・シリジコラ（Ｄｅｌａｄｅｎｕｓ  ｓｉｒｉｄｉｃｏｌａ））、（５．７）ボビエネマ属種（Ｂｏｖｉｅｎｅｍａ  ｓｐｐ．）、（５．７ａ）カメロニア属種（Ｃａｍｅｒｏｎｉａ  ｓｐｐ．）、（５．８）キトウォオジエラ・オボフィラメンタ（Ｃｈｉｔｗｏｏｄｉｅｌｌａ  ｏｖｏｆｉｌａｍｅｎｔａ）、（５．９）コントルチレンクス属種（Ｃｏｎｔｏｒｔｙｌｅｎｃｈｕｓ  ｓｐｐ．）、（５．１０）クリシメルミス属種（Ｃｕｌｉｃｉｍｅｒｍｉｓ  ｓｐｐ．）、（５．１１）ジプロトリアエナ属種（Ｄｉｐｌｏｔｒｉａｅｎａ  ｓｐｐ．）、（５．１２）エムピドメルミス属種（Ｅｍｐｉｄｏｍｅｒｍｉｓ  ｓｐｐ．）、（５．１３）フィリプジェビメルミス・レイプサンドラ（Ｆｉｌｉｐｊｅｖｉｍｅｒｍｉｓ  ｌｅｉｐｓａｎｄｒａ）、（５．１４）ガストロメルミス属種（Ｇａｓｔｒｏｍｅｒｍｉｓ  ｓｐｐ．）、（５．１５）ゴンギロネマ属種（Ｇｏｎｇｙｌｏｎｅｍａ  ｓｐｐ．）、（５．１６）ギノポエシリア・プセウドビパラ（Ｇｙｎｏｐｏｅｃｉｌｉａ  ｐｓｅｕｄｏｖｉｐａｒａ）、（５．１７）ヘテロラブジチス属種（Ｈｅｔｅｒｏｒｈａｂｄｉｔｉｓ  ｓｐｐ．）、特に、ヘテロラブジチス・バクテリオホラ（Ｈｅｔｅｒｏｒｈａｂｄｉｔｉｓ  ｂａｃｔｅｒｉｏｐｈｏｒａ）（Ｂ−Ｇｒｅｅｎとして知られている製品）、又は、ヘテロラブジチス・バウジャルジ（Ｈｅｔｅｒｏｒｈａｂｄｉｔｉｓ  ｂａｕｊａｒｄｉ）、又は、ヘテロラブジチス・ヘリオチジス（Ｈｅｔｅｒｏｒｈａｂｄｉｔｉｓ  ｈｅｌｉｏｔｈｉｄｉｓ）（Ｎｅｍａｔｏｎとして知られている製品）、又は、ヘテロラブジチス・インジカ（Ｈｅｔｅｒｏｒｈａｂｄｉｔｉｓ  ｉｎｄｉｃａ）、又は、ヘテロラブジチス・マレラツス（Ｈｅｔｅｒｏｒｈａｂｄｉｔｉｓ  ｍａｒｅｌａｔｕｓ）、又は、ヘテロラブジチス・メギジス（Ｈｅｔｅｒｏｒｈａｂｄｉｔｉｓ  ｍｅｇｉｄｉｓ）、又は、ヘテロラブジチス・ゼアランジカ（Ｈｅｔｅｒｏｒｈａｂｄｉｔｉｓ  ｚｅａｌａｎｄｉｃａ）、（５．１８）ヘキサメルミス属種（Ｈｅｘａｍｅｒｍｉｓ  ｓｐｐ．）、（５．１９）ヒドロメルミス属種（Ｈｙｄｒｏｍｅｒｍｉｓ  ｓｐｐ．）、（５．２０）イソメルミス属種（Ｉｓｏｍｅｒｍｉｓ  ｓｐｐ．）、（５．２１）リムノメルミス属種（Ｌｉｍｎｏｍｅｒｍｉｓ  ｓｐｐ．）、（５．２２）マウパシナ・ウェイシ（Ｍａｕｐａｓｉｎａ  ｗｅｉｓｓｉ）、（５．２３）メルミス・ニグレセンス（Ｍｅｒｍｉｓ  ｎｉｇｒｅｓｃｅｎｓ）、（５．２４）メソメルミス属種（Ｍｅｓｏｍｅｒｍｉｓ  ｓｐｐ．）、（５．２５）ネオメソメルミス属種（Ｎｅｏｍｅｓｏｍｅｒｍｉｓ  ｓｐｐ．）、（５．２６）ネオパラシチレンクス・ルグロシ（Ｎｅｏｐａｒａ���ｉｔｙｌｅｎｃｈｕｓ  ｒｕｇｕｌｏｓｉ）、（５．２７）オクトミオメルミス属種（Ｏｃｔｏｍｙｏｍｅｒｍｉｓ  ｓｐｐ．）、（５．２８）パラシタフェレンクス属種（Ｐａｒａｓｉｔａｐｈｅｌｅｎｃｈｕｓ  ｓｐｐ．）、（５．２９）パラシトラブジチス属種（Ｐａｒａｓｉｔｏｒｈａｂｄｉｔｉｓ  ｓｐｐ．）、（５．３０）パラシチレンクス属種（Ｐａｒａｓｉｔｙｌｅｎｃｈｕｓ  ｓｐｐ．）、（５．３１）ペルチリメルミス・クリシス（Ｐｅｒｕｔｉｌｉｍｅｒｍｉｓ  ｃｕｌｉｃｉｓ）、（５．３２）ファスマラブジチス・ヘルマフロジタ（Ｐｈａｓｍａｒｈａｂｄｉｔｉｓ  ｈｅｒｍａｐｈｒｏｄｉｔａ）、（５．３３）フィサロプテラ属種（Ｐｈｙｓａｌｏｐｔｅｒａ  ｓｐｐ．）、（５．３４）プロトレラツス属種（Ｐｒｏｔｒｅｌｌａｔｕｓ  ｓｐｐ．）、（５．３５）プテリゴデルマチテス属種（Ｐｔｅｒｙｇｏｄｅｒｍａｔｉｔｅｓ  ｓｐｐ．）、（５．３６）ロマノメルミス属種（Ｒｏｍａｎｏｍｅｒｍｉｓ  ｓｐｐ．）、（５．３７）セウラツム・カダラケンセ（Ｓｅｕｒａｔｕｍ  ｃａｄａｒａｃｈｅｎｓｅ）、（５．３８）スファエルラリオプシス属種（Ｓｐｈａｅｒｕｌａｒｉｏｐｓｉｓ  ｓｐｐ．）、（５．３９）スピルラ・グイアネンシス（Ｓｐｉｒｕｒａ  ｇｕｉａｎｅｎｓｉｓ）、（５．４０）ステイネルネマ属種（Ｓｔｅｉｎｅｒｎｅｍａ  ｓｐｐ．）（＝ネオアプレクタナ属種（Ｎｅｏａｐｌｅｃｔａｎａ  ｓｐｐ．））、特に、ステイネルネマ・カルポカプサエ（Ｓｔｅｉｎｅｒｎｅｍａ  ｃａｒｐｏｃａｐｓａｅ）（Ｂｉｏｃｏｎｔｒｏｌとして知られている製品）、又は、ステイネルネマ・フェルチアエ（Ｓｔｅｉｎｅｒｎｅｍａ  ｆｅｌｔｉａｅ）（＝ネオアプレクタナ・カルポカプサエ（Ｎｅｏａｐｌｅｃｔａｎａ  ｃａｒｐｏｃａｐｓａｅ））（Ｎｅｍａｓｙｓ（登録商標）として知られている製品）、又は、ステイネルネマ・グラセリ（Ｓｔｅｉｎｅｒｎｅｍａ  ｇｌａｓｅｒｉ）（Ｂｉｏｔｏｐｉａとして知られている製品）、又は、ステイネルネマ・クラウッセイ（Ｓｔｅｉｎｅｒｎｅｍａ  ｋｒａｕｓｓｅｉ）（Ｌａｒｖｅｓｕｒｅとして知られている製品）、又は、ステイネルネマ・リオブラベ（Ｓｔｅｉｎｅｒｎｅｍａ  ｒｉｏｂｒａｖｅ）（Ｂｉｏｖｅｃｔｏｒとして知られている製品）、又は、ステイネルネマ・スカプテリシ（Ｓｔｅｉｎｅｒｎｅｍａ  ｓｃａｐｔｅｒｉｓｃｉ）（Ｎｅｍａｔａｃ  Ｓとして知られている製品）、又は、ステイネルネマ・スカラバエイ（Ｓｔｅｉｎｅｒｎｅｍａ  ｓｃａｒａｂａｅｉ）、又は、ステイネルネマ・シアムカヤイ（Ｓｔｅｉｎｅｒｎｅｍａ  ｓｉａｍｋａｙａｉ）、（５．４１）ストレルコビメルミス・ペテリセニ（Ｓｔｒｅｌｋｏｖｉｍｅｒｍｉｓ  ｐｅｔｅｒｓｅｎｉ）、（５．４２）スブルラ属種（Ｓｕｂｕｌｕｒａ  ｓｐｐ．）、（５．４３）スルフレチレンクス・エロンガツス（Ｓｕｌｐｈｕｒｅｔｙｌｅｎｃｈｕｓ  ｅｌｏｎｇａｔｕｓ）、及び、（５．４４）テトラメレス属種（Ｔｅｔｒａｍｅｒｅｓ  ｓｐｐ．）。
【００７５】
本発明によれば、用語「接種原」のもとで要約されている生物的防除剤は、以下の例である（下記番号付けは、該全ての記載において使用される）：
（Ｃ６．１）アグロバクテリウム・（Ａｇｒｏｂａｃｔｅｒｉｕｍ  ｓｐｐ．）、（Ｃ６．２）アゾリゾビウム・カウリノダンス（Ａｚｏｒｈｉｚｏｂｉｕｍ  ｃａｕｌｉｎｏｄａｎｓ）、（Ｃ６．３）アゾスピリルム属種（Ａｚｏｓｐｉｒｉｌｌｕｍ  ｓｐｐ．）、（Ｃ６．４）アゾトバクテル属種（Ａｚｏｔｏｂａｃｔｅｒ  ｓｐｐ．）、（Ｃ６．５）ブラジリゾビウム属種（Ｂｒａｄｙｒｈｉｚｏｂｉｕｍ  ｓｐｐ．）、（Ｃ６．６）ブルクホルデリア属種（Ｂｕｒｋｈｏｌｄｅｒｉａ  ｓｐｐ．）、特に、ブルクホルデリア・セパシア（Ｂｕｒｋｈｏｌｄｅｒｉａ  ｃｅｐａｃｉａ）（以前は、シュードモナス・セパシア（Ｐｓｅｕｄｏｍｏｎａｓ  ｃｅｐａｃｉａ））、（Ｃ６．７）ギガスポラ属種（Ｇｉｇａｓｐｏｒａ  ｓｐｐ．）、特に、ギガスポラ・マルガリタ（Ｇｉｇａｓｐｏｒａ  ｍａｒｇａｒｉｔａ）、又は、ギガスポラ・モノスポルム（Ｇｉｇａｓｐｏｒａ  ｍｏｎｏｓｐｏｒｕｍ）、（Ｃ６．８）グロムス属種（Ｇｌｏｍｕｓ  ｓｐｐ．）、特に、グロムス・アグレガツム（Ｇｌｏｍｕｓ  ａｇｇｒｅｇａｔｕｍ）、又は、グロムス・ブラシリアヌム（Ｇｌｏｍｕｓ  ｂｒａｓｉｌｉａｎｕｍ）、又は、グロムス・クラルム（Ｇｌｏｍｕｓ  ｃｌａｒｕｍ）、又は、グロムス・デセルチコラ（Ｇｌｏｍｕｓ  ｄｅｓｅｒｔｉｃｏｌａ）、又は、グロムス・エツニカツム（Ｇｌｏｍｕｓ  ｅｔｕｎｉｃａｔｕｍ）、又は、グロムス・イントララジセス（Ｇｌｏｍｕｓ  ｉｎｔｒａｒａｄｉｃｅｓ）、又は、グロムス・モノスポルス（Ｇｌｏｍｕｓ  ｍｏｎｏｓｐｏｒｕｓ）、又は、グロムス・モセアエ（Ｇｌｏｍｕｓ  ｍｏｓｓｅａｅ）、（Ｃ６．９）ラッカリア属種（Ｌａｃｃａｒｉａ  ｓｐｐ．）、特に、ラッカリア・ビコロル（Ｌａｃｃａｒｉａ  ｂｉｃｏｌｏｒ）、又は、ラッカリア・ラッカタ（Ｌａｃｃａｒｉａ  ｌａｃｃａｔａ）、（Ｃ６．１０）ラクトバシルス・ブクネリ（Ｌａｃｔｏｂａｃｉｌｌｕｓ  ｂｕｃｈｎｅｒｉ）、（Ｃ６．１１）パラグロムス属種（Ｐａｒａｇｌｏｍｕｓ  ｓｐｐ．）、（Ｃ６．１２）ピソリツス・チンクトルス（Ｐｉｓｏｌｉｔｈｕｓ  ｔｉｎｃｔｏｒｕｓ）、（Ｃ６．１３）シュードモナス属種（Ｐｓｅｕｄｏｍｏｎａｓ  ｓｐｐ．）、（Ｃ６．１４）リゾビウム属種（Ｒｈｉｚｏｂｉｕｍ  ｓｐｐ．）、特に、リゾビウム・フェレディイ（Ｒｈｉｚｏｂｉｕｍ  ｆｒｅｄｉｉ）、又は、リゾビウム・レグミノサルム（Ｒｈｉｚｏｂｉｕｍ  ｌｅｇｕｍｉｎｏｓａｒｕｍ）、又は、リゾビウム・ロチ（Ｒｈｉｚｏｂｉｕｍ  ｌｏｔｉ）、又は、リゾビウム・メリロチ（Ｒｈｉｚｏｂｉｕｍ  ｍｅｌｉｌｏｔｉ）、又は、リゾビウム・トリホリイ（Ｒｈｉｚｏｂｉｕｍ  ｔｒｉｆｏｌｉｉ）、又は、リゾビウム・トロピシ（Ｒｈｉｚｏｂｉｕｍ  ｔｒｏｐｉｃｉ）、（Ｃ．６．１５）リゾポゴン・アミロポゴン（Ｒｈｉｚｏｐｏｇｏｎ  ａｍｙｌｏｐｏｇｏｎ）、又は、リゾポゴン・フルビグレバ（Ｒｈｉｚｏｐｏｇｏｎ  ｆｕｌｖｉｇｌｅｂａ）、又は、リゾポゴン・ルテオルス（Ｒｈｉｚｏｐｏｇｏｎ  ｌｕｔｅｏｌｕｓ）、又は、リゾポゴン・チンクトルス（Ｒｈｉｚｏｐｏｇｏｎ  ｔｉｎｃｔｏｒｕｓ）、又は、リゾポゴン・ビロスルス（Ｒｈｉｚｏｐｏｇｏｎ  ｖｉｌｌｏｓｕｌｌｕｓ）、又は、（Ｃ．６．１６）スクレロデルマ属種（Ｓｃｌｅｒｏｄｅｒｍａ  ｓｐｐ．）、特に、スクレロデルマ・セパ（Ｓｃｌｅｒｏｄｅｒｍａ  ｃｅｐａ）、又は、スクレロデルマ・シトリヌム（Ｓｃｌｅｒｏｄｅｒｍａ  ｃｉｔｒｉｎｕｍ）、（Ｃ６．１７）スイルス属種（Ｓｕｉｌｌｕｓ  ｓｐｐ．）、特に、スイルス・グラヌラテス（Ｓｕｉｌｌｕｓ  ｇｒａｎｕｌａｔｅｓ）、又は、スイルス・プンクタタピエス（Ｓｕｉｌｌｕｓ  ｐｕｎｃｔａｔａｐｉｅｓ）、及び、（Ｃ６．１８）ストレプトミセス属種（Ｓｔｒｅｐｔｏｍｙｃｅｓ  ｓｐｐ．）。
【００７６】
本発明の一実施形態では、該生物的防除剤は、個々の微生物の単離された純粋な培養物のみではなく、全ブロス培養物中のそれらの懸濁液又は当該株の全ブロス培養物から得られた代謝産物含有上清若しくは純粋な代謝産物も含んでいる。「全ブロス培養物（ｗｈｏｌｅ  ｂｒｏｔｈ  ｃｕｌｔｕｒｅ）」は、細胞と培地の両方を含んでいる液体培養を意味する。「上清」は、ブロス中で増殖した細胞が遠心分離、濾過、沈降又は当技術分野でよく知られている別の方法によって除去されたときに残っている液体ブロスを意味する。
【００７７】
非病原性微生物によって産生される上記代謝産物としては、以下のものなどがある：抗生物質、酵素、シデロホア、及び、成長促進剤、例えば、ツヴィッターマイシン−Ａ、カノサミン、ポリオキシン、酵素、例えば、α−アミラーゼ、キチナーゼ及びペクチナーゼ、植物ホルモン及びその前駆物質、例えば、オーキシン類、ジベレリン様物質、サイトカイン様化合物、リポペプチド類、例えば、イツリン類、プリパスタチン類、又は、サーファクチン類、例えば、アグラスタチンＡ、バシロマイシンＤ、バシリシン、ジフィシジン、マクロラクチン、フェンギシン、バシリシン、及び、バシラエン（ｂａｃｉｌａｅｎｅ）。上記リストの中の好ましい代謝産物は、リポペプチド類、特に、バシルス・プミルス（Ｂａｃｉｌｌｕｓ  ｐｕｍｉｌｕｓ）（ＮＲＲＬ受託番号Ｎｏ．Ｂ−３００８７）、バシルス・スブチリス（Ｂａｃｉｌｌｕｓ  ｓｕｂｔｉｌｉｓ）ＡＱ７１３（ＮＲＲＬ受託番号Ｎｏ．Ｂ−２１６６１）、バシルス・スブチリス（Ｂａｃｉｌｌｕｓ  ｓｕｂｔｉｌｉｓ）株ＡＱ３０００２（ａｋａ  ＱＳＴ３０００２；ＮＲＲＬ受託番号Ｎｏ．Ｂ−５０４２１）又はバシルス・スブチリス（Ｂａｃｉｌｌｕｓ  ｓｕｂｔｉｌｉｓ）株ＡＱ３０００４（ａｋａ  ＱＳＴ３０００４；ＮＲＲＬ受託番号Ｎｏ．Ｂ−５０４５５，）によって産生されるリポペプチド類である。
【００７８】
本発明によれば、該生物的防除剤は、活動状態又は休眠状態などのいずれの生理状態においても、利用又は使用することが可能である。
【００７９】
本発明による組成物
本発明によれば、該組成物は、ストレプトミセス（Ｓｔｒｅｐｔｏｍｙｃｅｓ）株〔好ましくは、グーゲロチンを産生するストレプトミセス属種（Ｓｔｒｅｐｔｏｍｙｃｅｓ  ｓｐｐ．）株、例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕及び／又は個々の株を識別する全ての特性を有しているそれら株の突然変異体〔例えば、ストレプトミセス・ミクロフラブス（Ｓｔｒｅｐｔｏｍｙｃｅｓ  ｍｉｃｒｏｆｌａｖｕｓ）株Ｍ〕、並びに／又は、昆虫類、ダニ類、線虫類及び／若しくは植物病原体に対して活性を示す個々の株及び／又は個々の株を識別する全ての特性を有しているそれら株の突然変異体によって産生される少なくとも１種類の代謝産物、並びに／又は、昆虫類、ダニ類、線虫類及び／若しくは植物病原体に対して活性を示す個々の株によって産生される少なくとも１種類の代謝産物と、少なくとも１種類のさらなる生物的防除剤を、相乗的に有効な量で含んでいる。一実施形態では、該グーゲロチンを産生するストレプトミセス属種（Ｓｔｒｅｐｔｏｍｙｃｅｓ  ｓｐｅｃｉｅｓ）株は、ストレプトミセス・ミクロフラブス（Ｓ．  ｍｉｃｒｏｆｌａｖｕｓ）、ストレプトミセス・グリセウス（Ｓ．  ｇｒｉｓｅｕｓ）、ストレプトミセス・アヌラツス（Ｓ．  ａｎｕｌａｔｕｓ）、ストレプトミセス・フィミカリウス（Ｓ．  ｆｉｍｉｃａｒｉｕｓ）、ストレプトミセス・パルブス（Ｓ．  ｐａｒｖｕｓ）、ストレプトミセス・ラベンズラエ（Ｓ．  ｌａｖｅｎｄｕｌａｅ）、ストレプトミセス・アルボビリディス（Ｓ．  ａｌｂｏｖｉｒｉｄｉｓ）、ストレプトミセス・プニセウス（Ｓ．  ｐｕｎｉｃｅｕｓ）又はストレプトミセス・グラミネアルス（Ｓ．  ｇｒａｍｉｎｅａｒｕｓ）である。
【００８０】
本発明による「相乗的に有効な量（ｓｙｎｅｒｇｉｓｔｉｃａｌｌｙ  ｅｆｆｅｃｔｉｖｅ  ａｍｏｕｎｔ）」は、該ストレプトミセス（Ｓｔｒｅｐｔｏｍｙｃｅｓ）若しくはストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤単独又は上記で記載した少なくとも１種類のさらなる生物的防除剤単独と比較して、昆虫類、ダニ類、線虫類及び／又は植物病原体に対して統計的に有意に効果が高い、菌株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤と該少なくとも１種類のさらなる生物的防除剤の組合せ量を表している。
【００８１】
本発明は、上記で記載したさらなる生物的防除剤の各々とストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕の各組合せ及び全ての組合せを包含する。
【００８２】
以下においては、ストレプトミセス・フラブス（Ｓｔｒｅｐｔｏｍｙｃｅｓ  ｆｌａｖｕｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕は、「Ｂ」とも称される。ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と細菌類の好ましい組合せは、以下のものである：Ｂ＋１．１２、Ｂ＋１．１４、Ｂ＋１．１７、Ｂ＋１．１８、Ｂ＋１．１９、Ｂ＋１．２０、Ｂ＋１．２３、Ｂ＋１．４２、Ｂ＋１．４４（Ｂ＋ＱＳＴ２８０８）、Ｂ＋１．４７、Ｂ＋１．４８（Ｂ＋ＱＳＴ７１３、又は、Ｂ＋ＱＳＴ３０００２、又は、Ｂ＋ＱＳＴ３０００４）、Ｂ＋１．４９、Ｂ＋１．５０、Ｂ＋１．５２、Ｂ＋１．５３、Ｂ＋１．５５、Ｂ＋１．５６、Ｂ＋１．５７。
【００８３】
ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と細菌類の特に好ましい組合せは、以下のものである：Ｂ＋１．２３、Ｂ＋１．４４、及び、Ｂ＋１．４８（Ｂ＋ＱＳＴ７１３、又は、Ｂ＋ＱＳＴ３０００２、又は、Ｂ＋ＱＳＴ３０００４）。上記及び下記で記載されている全ての組合せにおいて、Ｂを、親ＮＲＲＬ  Ｂ−５０５５０株よりも多くのグーゲロチンを産生するストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０の突然変異体〔例えば、ストレプトミセス・ミクロフラブス（Ｓｔｒｅｐｔｏｍｙｃｅｓ  ｍｉｃｒｏｆｌａｖｕｓ）株Ｍ〕に基づく生物的防除剤と置き換えることができる。
【００８４】
ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤と菌類の好ましい組合せは、以下のものである：Ｂ＋２．６、Ｂ＋２．７、Ｂ＋２．１７、Ｂ＋２．２６、Ｂ＋２．５１。
【００８５】
ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤と原生動物の好ましい組合せは、以下のものである：Ｂ＋３．１、Ｂ＋３．２、Ｂ＋３．３。
【００８６】
ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤とウイルス類の好ましい組合せは、以下のものである：Ｂ＋４．１、Ｂ＋４．２、Ｂ＋４．３、Ｂ＋４．４、Ｂ＋４．５、Ｂ＋４．６、Ｂ＋４．７、Ｂ＋４．８、Ｂ＋４．９、Ｂ＋４．１０、Ｂ＋４．１１、Ｂ＋４．１２、Ｂ＋４．１３、Ｂ＋４．１４、Ｂ＋４．１５、Ｂ＋４．１６、Ｂ＋４．１７、Ｂ＋４．１８、Ｂ＋４．１９、Ｂ＋４．２０、Ｂ＋４．２１、Ｂ＋４．２２、Ｂ＋４．２３、Ｂ＋４．２４、Ｂ＋４．２５、Ｂ＋４．２６。
【００８７】
ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤と昆虫病原性線虫類の好ましい組合せは、以下のものである：Ｂ＋５．１、Ｂ＋５．２、Ｂ＋５．３、Ｂ＋５．４、Ｂ＋５．５、Ｂ＋５．６、Ｂ＋５．７、Ｂ＋５．７ａ、Ｂ＋５．８、Ｂ＋５．９、Ｂ＋５．１０、Ｂ＋５．１１、Ｂ＋５．１２、Ｂ＋５．１３、Ｂ＋５．１４、Ｂ＋５．１５、Ｂ＋５．１６、Ｂ＋５．１７、Ｂ＋５．１８、Ｂ＋５．１９、Ｂ＋５．２０、Ｂ＋５．２１、Ｂ＋５．２２、Ｂ＋５．２３、Ｂ＋５．２４、Ｂ＋５．２５、Ｂ＋５．２６、Ｂ＋５．２７、Ｂ＋５．２８、Ｂ＋５．２９、Ｂ＋５．３０、Ｂ＋５．３１、Ｂ＋５．３２、Ｂ＋５．３３、Ｂ＋５．３４、Ｂ＋５．３５、Ｂ＋５．３６、Ｂ＋５．３７、Ｂ＋５．３８、Ｂ＋５．３９、Ｂ＋５．４０、Ｂ＋５．４１、Ｂ＋５．４２、Ｂ＋５．４３、Ｂ＋５．４４。
【００８８】
ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤と接種原の好ましい組合せは、以下のものである：Ｂ＋Ｃ６．１、Ｂ＋Ｃ６．２、Ｂ＋Ｃ６．３、Ｂ＋Ｃ６．４、Ｂ＋Ｃ６．５、Ｂ＋Ｃ６．６、Ｂ＋Ｃ６．７、Ｂ＋Ｃ６．８、Ｂ＋Ｃ６．９、Ｂ＋Ｃ６．１０、Ｂ＋Ｃ６．１１、Ｂ＋Ｃ６．１２、Ｂ＋Ｃ６．１３、Ｂ＋Ｃ６．１４、Ｂ＋Ｃ．６．１５、Ｂ＋Ｃ．６．１６、Ｂ＋Ｃ６．１７、Ｂ＋Ｃ６．１８。
【００８９】
好ましい実施形態では、本発明による組成物は、少なくとも１種類の付加的な殺菌剤及び／又は少なくとも１種類の殺虫剤を含んでいるが、但し、該ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤、該殺虫剤及び該殺菌剤は同一ではない。
【００９０】
用語「活性化合物」又は「活性成分」は、本記載においては、ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕に基づく生物的防除剤、少なくとも１種類のさらなる生物的防除剤及び／若しくは個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物、少なくとも１種類の殺虫剤及び少なくとも１種類の殺菌剤を示すために使用される。
【００９１】
殺菌剤
一般に、「殺菌性（ｆｕｎｇｉｃｉｄａｌ）」は、ある物質が菌類の死亡率を増大させる能力又は菌類の増殖速度を抑制する能力を意味する。
【００９２】
用語「菌（ｆｕｎｇｕｓ）」又は「菌類（ｆｕｎｇｉ）」は、クロロフィルを有さず、有核性で胞子を有している幅広い種類の生物を包含する。菌類の例としては、酵母類、カビ類、白カビ類（ｍｉｌｄｅｗｓ）、さび病菌類及びキノコ類などを挙げることができる。
【００９３】
（１）  エルゴステロール生合成の阻害薬、例えば、（Ｆ１）アルジモルフ（１７０４−２８−５）、（Ｆ２）アザコナゾール（６０２０７−３１−０）、（Ｆ３）ビテルタノール（５５１７９−３１−２）、（Ｆ４）ブロムコナゾール（１１６２５５−４８−２）、（Ｆ５）シプロコナゾール（１１３０９６−９９−４）、（Ｆ６）ジクロブトラゾール（７５７３６−３３−３）、（Ｆ７）ジフェノコナゾール（１１９４４６−６８−３）、（Ｆ８）ジニコナゾール（８３６５７−２４−３）、（Ｆ９）ジニコナゾール−Ｍ（８３６５７−１８−５）、（Ｆ１０）ドデモルフ（１５９３−７７−７）、（Ｆ１１）酢酸ドデモルフ（３１７１７−８７−０）、（Ｆ１２）エポキシコナゾール（１０６３２５−０８−０）、（Ｆ１３）エタコナゾール（６０２０７−９３−４）、（Ｆ１４）フェナリモール（６０１６８−８８−９）、（Ｆ１５）フェンブコナゾール（１１４３６９−４３−６）、（Ｆ１６）フェンヘキサミド（１２６８３３−１７−８）、（Ｆ１７）フェンプロピジン（６７３０６−００−７）、（Ｆ１８）フェンプロピモルフ（６７３０６−０３−０）、（Ｆ１９）フルキンコナゾール（１３６４２６−５４−５）、（Ｆ２０）フルルプリミドール（５６４２５−９１−３）、（Ｆ２１）フルシラゾール（８５５０９−１９−９）、（Ｆ２２）フルトリアホール（７６６７４−２１−０）、（Ｆ２３）フルコナゾール（１１２８３９−３３−５）、（Ｆ２４）フルコナゾール−シス（１１２８３９−３２−４）、（Ｆ２５）ヘキサコナゾール（７９９８３−７１−４）、（Ｆ２６）イマザリル（６０５３４−８０−７）、（Ｆ２７）硫酸イマザリル（５８５９４−７２−２）、（Ｆ２８）イミベンコナゾール（８６５９８−９２−７）、（Ｆ２９）イプコナゾール（１２５２２５−２８−７）、（Ｆ３０）メトコナゾール（１２５１１６−２３−６）、（Ｆ３１）ミクロブタニル（８８６７１−８９−０）、（Ｆ３２）ナフチフィン（６５４７２−８８−０）、（Ｆ３３）ヌアリモール（６３２８４−７１−９）、（Ｆ３４）オキシポコナゾール（１７４２１２−１２−５）、（Ｆ３５）パクロブトラゾール（７６７３８−６２−０）、（Ｆ３６）ペフラゾエート（１０１９０３−３０−４）、（Ｆ３７）ペンコナゾール（６６２４６−８８−６）、（Ｆ３８）ピペラリン（３４７８−９４−２）、（Ｆ３９）プロクロラズ（６７７４７−０９−５）、（Ｆ４０）プロピコナゾール（６０２０７−９０−１）、（Ｆ４１）プロチオコナゾール（１７８９２８−７０−６）、（Ｆ４２）ピリブチカルブ（８８６７８−６７−５）、（Ｆ４３）ピリフェノックス（８８２８３−４１−４）、（Ｆ４４）キンコナゾール（１０３９７０−７５−８）、（Ｆ４５）シメコナゾール（１４９５０８−９０−７）、（Ｆ４６）スピロキサミン（１１８１３４−３０−８）、（Ｆ４７）テブコナゾール（１０７５３４−９６−３）、（Ｆ４８）テルビナフィン（９１１６１−７１−６）、（Ｆ４９）テトラコナゾール（１１２２８１−７７−３）、（Ｆ５０）トリアジメホン（４３１２１−４３−３）、（Ｆ５１）トリアジメノール（８９４８２−１７−７）、（Ｆ５２）トリデモルフ（８１４１２−４３−３）、（Ｆ５３）トリフ���ミゾール（６８６９４−１１−１）、（Ｆ５４）トリホリン（２６６４４−４６−２）、（Ｆ５５）トリチコナゾール（１３１９８３−７２−７）、（Ｆ５６）ウニコナゾール（８３６５７−２２−１）、（Ｆ５７）ウニコナゾール−ｐ（８３６５７−１７−４）、（Ｆ５８）ビニコナゾール（７７１７４−６６−４）、（Ｆ５９）ボリコナゾール（１３７２３４−６２−９）、（Ｆ６０）１−（４−クロロフェニル）−２−（１Ｈ−１，２，４−トリアゾール−１−イル）シクロヘプタノール（１２９５８６−３２−９）、（Ｆ６１）１−（２，２−ジメチル−２，３−ジヒドロ−１Ｈ−インデン−１−イル）−１Ｈ−イミダゾール−５−カルボン酸メチル（１１０３２３−９５−０）、（Ｆ６２）Ｎ’−｛５−（ジフルオロメチル）−２−メチル−４−［３−（トリメチルシリル）プロポキシ］フェニル｝−Ｎ−エチル−Ｎ−メチルイミドホルムアミド、（Ｆ６３）Ｎ−エチル−Ｎ−メチル−Ｎ’−｛２−メチル−５−（トリフルオロメチル）−４−［３−（トリメチルシリル）プロポキシ］フェニル｝イミドホルムアミド、（Ｆ６４）Ｏ−［１−（４−メトキシフェノキシ）−３，３−ジメチルブタン−２−イル］  １Ｈ−イミダゾール−１−カルボチオエート（１１１２２６−７１−２）；
（２）  複合体Ｉ又はＩＩにおける呼吸鎖の阻害薬、例えば、（Ｆ６５）ビキサフェン（５８１８０９−４６−３）、（Ｆ６６）ボスカリド（１８８４２５−８５−６）、（Ｆ６７）カルボキシン（５２３４−６８−４）、（Ｆ６８）ジフルメトリム（１３０３３９−０７−０）、（Ｆ６９）フェンフラム（２４６９１−８０−３）、（Ｆ７０）フルオピラム（６５８０６６−３５−４）、（Ｆ７１）フルトラニル（６６３３２−９６−５）、（Ｆ７２）フルキサピロキサド（９０７２０４−３１−３）、（Ｆ７３）フラメトピル（１２３５７２−８８−３）、（Ｆ７４）フルメシクロックス（６０５６８−０５−０）、（Ｆ７５）イソピラザム（シン−エピマー性ラセミ化合物（１ＲＳ，４ＳＲ，９ＲＳ）とアンチ−エピマー性ラセミ化合物（１ＲＳ，４ＳＲ，９ＳＲ）の混合物）（８８１６８５−５８−１）、（Ｆ７６）イソピラザム（アンチ−エピマー性ラセミ化合物  １ＲＳ，４ＳＲ，９ＳＲ）、（Ｆ７７）イソピラザム（アンチ−エピマー性エナンチオマー  １Ｒ，４Ｓ，９Ｓ）、（Ｆ７８）イソピラザム（アンチ−エピマー性エナンチオマー  １Ｓ，４Ｒ，９Ｒ）、（Ｆ７９）イソピラザム（シン−エピマー性ラセミ化合物  １ＲＳ，４ＳＲ，９ＲＳ）、（Ｆ８０）イソピラザム（シン−エピマー性エナンチオマー  １Ｒ，４Ｓ，９Ｒ）、（Ｆ８１）イソピラザム（シン−エピマー性エナンチオマー  １Ｓ，４Ｒ，９Ｓ）、（Ｆ８２）メプロニル（５５８１４−４１−０）、（Ｆ８３）オキシカルボキシン（５２５９−８８−１）、（Ｆ８４）ペンフルフェン（４９４７９３−６７−８）、（Ｆ８５）ペンチオピラド（１８３６７５−８２−３）、（Ｆ８６）セダキサン（８７４９６７−６７−６）、（Ｆ８７）チフルザミド（１３００００−４０−７）、（Ｆ８８）１−メチル−Ｎ−［２−（１，１，２，２−テトラフルオロエトキシ）フェニル］−３−（トリフルオロメチル）−１Ｈ−ピラゾール−４−カルボキサミド、（Ｆ８９）３−（ジフルオロメチル）−１−メチル−Ｎ−［２−（１，１，２，２−テトラフルオロエトキシ）フェニル］−１Ｈ−ピラゾール−４−カルボキサミド、（Ｆ９０）３−（ジフルオロメチル）−Ｎ−［４−フルオロ−２−（１，１，２，３，３，３−ヘキサフルオロプロポキシ）フェニル］−１−メチル−１Ｈ−ピラゾール−４−カルボキサミド、（Ｆ９１）Ｎ−［１−（２，４−ジクロロフェニル）−１−メトキシプロパン−２−イル］−３−（ジフルオロメチル）−１−メチル−１Ｈ−ピラゾール−４−カルボキサミド（１０９２４００−９５−７）、（Ｆ９２）５，８−ジフルオロ−Ｎ−［２−（２−フルオロ−４−｛［４−（トリフルオロメチル）ピリジン−２−イル］オキシ｝フェニル）エチル］キナゾリン−４−アミン（１２１００７０−８４−０）、（Ｆ９３）ベンゾビンジフルピル（ｂｅｎｚｏｖｉｎｄｉｆｌｕｐｙｒ）、（Ｆ９４）Ｎ−［（１Ｓ，４Ｒ）−９−（ジクロロメチレン）−１，２，３，４−テトラヒドロ−１，４−メタノナフタレン−５−イル］−３−（ジフルオロメチル）−１−メチル−１Ｈ−ピラゾール−４−カルボキサミド、（Ｆ９５）Ｎ−［（１Ｒ，４Ｓ）−９−（ジクロロメチレン）−１，２，３，４−テトラヒドロ−１，４−メタノナフタレ���−５−イル］−３−（ジフルオロメチル）−１−メチル−１Ｈ−ピラゾール−４−カルボキサミド、（Ｆ９６）３−（ジフルオロメチル）−１−メチル−Ｎ−（１，１，３−トリメチル−２，３−ジヒドロ−１Ｈ−インデン−４−イル）−１Ｈ−ピラゾール−４−カルボキサミド、（Ｆ９７）１，３，５−トリメチル−Ｎ−（１，１，３−トリメチル−２，３−ジヒドロ−１Ｈ−インデン−４−イル）−１Ｈ−ピラゾール−４−カルボキサミド、（Ｆ９８）１−メチル−３−（トリフルオロメチル）−Ｎ−（１，３，３−トリメチル−２，３−ジヒドロ−１Ｈ−インデン−４−イル）−１Ｈ−ピラゾール−４−カルボキサミド、（Ｆ９９）１−メチル−３−（トリフルオロメチル）−Ｎ−［（１Ｓ）−１，３，３−トリメチル−２，３−ジヒドロ−１Ｈ−インデン−４−イル］−１Ｈ−ピラゾール−４−カルボキサミド、（Ｆ１００）１−メチル−３−（トリフルオロメチル）−Ｎ−［（１Ｒ）−１，３，３−トリメチル−２，３−ジヒドロ−１Ｈ−インデン−４−イル］−１Ｈ−ピラゾール−４−カルボキサミド、（Ｆ１０１）３−（ジフルオロメチル）−１−メチル−Ｎ−［（３Ｓ）−１，１，３−トリメチル−２，３−ジヒドロ−１Ｈ−インデン−４−イル］−１Ｈ−ピラゾール−４−カルボキサミド、（Ｆ１０２）３−（ジフルオロメチル）−１−メチル−Ｎ−［（３Ｒ）−１，１，３−トリメチル−２，３−ジヒドロ−１Ｈ−インデン−４−イル］−１Ｈ−ピラゾール−４−カルボキサミド、（Ｆ１０３）１，３，５−トリメチル−Ｎ−［（３Ｒ）−１，１，３−トリメチル−２，３−ジヒドロ−１Ｈ−インデン−４−イル］−１Ｈ−ピラゾール−４−カルボキサミド、（Ｆ１０４）１，３，５−トリメチル−Ｎ−［（３Ｓ）−１，１，３−トリメチル−２，３−ジヒドロ−１Ｈ−インデン−４−イル］−１Ｈ−ピラゾール−４−カルボキサミド；
（３）  複合体ＩＩＩにおける呼吸鎖の阻害薬、例えば、（Ｆ１０５）アメトクトラジン（８６５３１８−９７−４）、（Ｆ１０６）アミスルブロム（３４８６３５−８７−０）、（Ｆ１０７）アゾキシストロビン（１３１８６０−３３−８）、（Ｆ１０８）シアゾファミド（１２０１１６−８８−３）、（Ｆ１０９）クメトキシストロビン（ｃｏｕｍｅｔｈｏｘｙｓｔｒｏｂｉｎ）（８５０８８１−３０−０）、（Ｆ１１０）クモキシストロビン（ｃｏｕｍｏｘｙｓｔｒｏｂｉｎ）（８５０８８１−７０−８）、（Ｆ１１１）ジモキシストロビン（１４１６００−５２−４）、（Ｆ１１２）エネストロブリン（２３８４１０−１１−２）、（Ｆ１１３）ファモキサドン（１３１８０７−５７−３）、（Ｆ１１４）フェンアミドン（１６１３２６−３４−７）、（Ｆ１１５）フェノキシストロビン（ｆｅｎｏｘｙｓｔｒｏｂｉｎ）（９１８１６２−０２−４）、（Ｆ１１６）フルオキサストロビン（３６１３７７−２９−９）、（Ｆ１１７）クレソキシム−メチル（１４３３９０−８９−０）、（Ｆ１１８）メトミノストロビン（１３３４０８−５０−１）、（Ｆ１１９）オリサストロビン（１８９８９２−６９−１）、（Ｆ１２０）ピコキシストロビン（１１７４２８−２２−５）、（Ｆ１２１）ピラクロストロビン（１７５０１３−１８−０）、（Ｆ１２２）ピラメトストロビン（ｐｙｒａｍｅｔｏｓｔｒｏｂｉｎ）（９１５４１０−７０−７）、（Ｆ１２３）ピラオキシストロビン（ｐｙｒａｏｘｙｓｔｒｏｂｉｎ）（８６２５８８−１１−２）、（Ｆ１２４）ピリベンカルブ（７９９２４７−５２−２）、（Ｆ１２５）トリクロピリカルブ（ｔｒｉｃｌｏｐｙｒｉｃａｒｂ）（９０２７６０−４０−１）、（Ｆ１２６）トリフロキシストロビン（１４１５１７−２１−７）、（Ｆ１２７）（２Ｅ）−２−（２−｛［６−（３−クロロ−２−メチルフェノキシ）−５−フルオロピリミジン−４−イル］オキシ｝フェニル）−２−（メトキシイミノ）−Ｎ−メチルエタンアミド、（Ｆ１２８）（２Ｅ）−２−（メトキシイミノ）−Ｎ−メチル−２−（２−｛［（｛（１Ｅ）−１−［３−（トリフルオロメチル）フェニル］エチリデン｝アミノ）オキシ］メチル｝フェニル）エタンアミド、（Ｆ１２９）（２Ｅ）−２−（メトキシイミノ）−Ｎ−メチル−２−｛２−［（Ｅ）−（｛１−［３−（トリフルオロメチル）フェニル］エトキシ｝イミノ）メチル］フェニル｝エタンアミド（１５８１６９−７３−４）、（Ｆ１３０）（２Ｅ）−２−｛２−［（｛［（１Ｅ）−１−（３−｛［（Ｅ）−１−フルオロ−２−フェニルエテニル］オキシ｝フェニル）エチリデン］アミノ｝オキシ）メチル］フェニル｝−２−（メトキシイミノ）−Ｎ−メチルエタンアミド（３２６８９６−２８−０）、（Ｆ１３１）（２Ｅ）−２−｛２−［（｛［（２Ｅ，３Ｅ）−４−（２，６−ジクロロフェニル）ブタ−３−エン−２−イリデン］アミノ｝オキシ）メチル］フェニル｝−２−（メトキシイミノ）−Ｎ−メチルエタンアミド、（Ｆ１３２）２−クロロ−Ｎ−（１，１，３−トリメチル−２，３−ジヒドロ−１Ｈ−インデン−４−イル）ピリジン−３−カルボキサミド（１１９８９９−１４−８）、（Ｆ１３３）５−メトキシ−２−メチル−４−（���−｛［（｛（１Ｅ）−１−［３−（トリフルオロメチル）フェニル］エチリデン｝アミノ）オキシ］メチル｝フェニル）−２，４−ジヒドロ−３Ｈ−１，２，４−トリアゾール−３−オン、（Ｆ１３４）（２Ｅ）−２−｛２−［（｛シクロプロピル［（４−メトキシフェニル）イミノ］メチル｝スルファニル）メチル］フェニル｝−３−メトキシプロパ−２−エン酸メチル（１４９６０１−０３−６）、（Ｆ１３５）Ｎ−（３−エチル−３，５，５−トリメチルシクロヘキシル）−３−（ホルミルアミノ）−２−ヒドロキシベンズアミド（２２６５５１−２１−９）、（Ｆ１３６）２−｛２−［（２，５−ジメチルフェノキシ）メチル］フェニル｝−２−メトキシ−Ｎ−メチルアセトアミド（１７３６６２−９７−０）、（Ｆ１３７）（２Ｒ）−２−｛２−［（２，５−ジメチルフェノキシ）メチル］フェニル｝−２−メトキシ−Ｎ−メチルアセトアミド（３９４６５７−２４−０）；
（４）  有糸分裂及び細胞分裂の阻害薬、例えば、（Ｆ１３８）ベノミル（１７８０４−３５−２）、（Ｆ１３９）カルベンダジム（１０６０５−２１−７）、（Ｆ１４０）クロルフェナゾール（３５７４−９６−７）、（Ｆ１４１）ジエトフェンカルブ（８７１３０−２０−９）、（Ｆ１４２）エタボキサム（１６２６５０−７７−３）、（Ｆ１４３）フルオピコリド（２３９１１０−１５−７）、（Ｆ１４４）フベリダゾール（３８７８−１９−１）、（Ｆ１４５）ペンシクロン（６６０６３−０５−６）、（Ｆ１４６）チアベンダゾール（１４８−７９−８）、（Ｆ１４７）チオファネート−メチル（２３５６４−０５−８）、（Ｆ１４８）チオファネート（２３５６４−０６−９）、（Ｆ１４９）ゾキサミド（１５６０５２−６８−５）、（Ｆ１５０）５−クロロ−７−（４−メチルピペリジン−１−イル）−６−（２，４，６−トリフルオロフェニル）［１，２，４］トリアゾロ［１，５−ａ］ピリミジン（２１４７０６−５３−３）、（Ｆ１５１）３−クロロ−５−（６−クロロピリジン−３−イル）−６−メチル−４−（２，４，６−トリフルオロフェニル）ピリダジン（１００２７５６−８７−７）；
（５）  多部位に作用し得る化合物、例えば、（Ｆ１５２）ボルドー液（８０１１−６３−０）、（Ｆ１５３）カプタホール（２４２５−０６−１）、（Ｆ１５４）キャプタン（１３３−０６−２）、（Ｆ１５５）クロロタロニル（１８９７−４５−６）、（Ｆ１５６）水酸化銅（２０４２７−５９−２）、（Ｆ１５７）ナフテン酸銅（１３３８−０２−９）、（Ｆ１５８）酸化銅（１３１７−３９−１）、（Ｆ１５９）塩基性塩化銅（１３３２−４０−７）、（Ｆ１６０）硫酸銅（２＋）（７７５８−９８−７）、（Ｆ１６１）ジクロフルアニド（１０８５−９８−９）、（Ｆ１６２）ジチアノン（３３４７−２２−６）、（Ｆ１６３）ドジン（２４３９−１０−３）、（Ｆ１６４）ドジン遊離塩基、（Ｆ１６５）ファーバム（１４４８４−６４−１）、（Ｆ１６６）フルオロホルペット（７１９−９６−０）、（Ｆ１６７）ホルペット（１３３−０７−３）、（Ｆ１６８）グアザチン（１０８１７３−９０−６）、（Ｆ１６９）酢酸グアザチン、（Ｆ１７０）イミノクタジン（１３５１６−２７−３）、（Ｆ１７１）イミノクタジンアルベシル酸塩（１６９２０２−０６−６）、（Ｆ１７２）イミノクタジン三酢酸塩（５７５２０−１７−９）、（Ｆ１７３）マンカッパー（５３９８８−９３−５）、（Ｆ１７４）マンゼブ（８０１８−０１−７）、（Ｆ１７５）マンネブ（１２４２７−３８−２）、（Ｆ１７６）メチラム（９００６−４２−２）、（Ｆ１７７）メチラム亜鉛（ｍｅｔｉｒａｍ  ｚｉｎｃ）（９００６−４２−２）、（Ｆ１７８）オキシン銅（１０３８０−２８−６）、（Ｆ１７９）プロパミジン（ｐｒｏｐａｍｉｄｉｎｅ）（１０４−３２−５）、（Ｆ１８０）プロピネブ（１２０７１−８３−９）、（Ｆ１８１）硫黄及び硫黄剤、例えば、多硫化カルシウム（７７０４−３４−９）、（Ｆ１８２）チウラム（１３７−２６−８）、（Ｆ１８３）トリルフルアニド（７３１−２７−１）、（Ｆ１８４）ジネブ（１２１２２−６７−７）、（Ｆ１８５）ジラム（１３７−３０−４）；
（６）  宿主の防御を誘発し得る化合物、例えば、（Ｆ１８６）アシベンゾラル−Ｓ−メチル（１３５１５８−５４−２）、（Ｆ１８７）イソチアニル（２２４０４９−０４−１）、（Ｆ１８８）プロベナゾール（２７６０５−７６−１）、（Ｆ１８９）チアジニル（２２３５８０−５１−６）；
（７）  アミノ酸及び／又はタンパク質の生合成の阻害薬、例えば、（Ｆ１９０）アンドプリム（ａｎｄｏｐｒｉｍ）（２３９５１−８５−１）、（Ｆ１９１）ブラストサイジン−Ｓ（２０７９−００−７）、（Ｆ１９２）シプロジニル（１２１５５２−６１−２）、（Ｆ１９３）カスガマイシン（６９８０−１８−３）、（Ｆ１９４）カスガマイシン塩酸塩水和物（１９４０８−４６−９）、（Ｆ１９５）メパニピリム（１１０２３５−４７−７）、（Ｆ１９６）ピリメタニル（５３１１２−２８−０）、（Ｆ１９７）３−（５−フルオロ−３，３，４，４−テトラメチル−３，４−ジヒドロイソキノリン−１−イル）キノリン（８６１６４７−３２−７）；
（８）  ＡＴＰ産生の阻害薬、例えば、（Ｆ１９８）酢酸トリフェニルスズ（９００−９５−８）、（Ｆ１９９）塩化トリフェニルスズ（６３９−５８−７）、（Ｆ２００）水酸化トリフェニルスズ（７６−８７−９）、（Ｆ２０１）シルチオファム（１７５２１７−２０−６）；
（９）  細胞壁合成の阻害薬、例えば、（Ｆ２０２）ベンチアバリカルブ（１７７４０６−６８−７）、（Ｆ２０３）ジメトモルフ（１１０４８８−７０−５）、（Ｆ２０４）フルモルフ（２１１８６７−４７−９）、（Ｆ２０５）イプロバリカルブ（１４０９２３−１７−７）、（Ｆ２０６）マンジプロパミド（３７４７２６−６２−２）、（Ｆ２０７）ポリオキシン（１１１１３−８０−７）、（Ｆ２０８）ポリオキソリム（２２９７６−８６−９）、（Ｆ２０９）バリダマイシンＡ（３７２４８−４７−８）、（Ｆ２１０）バリフェナレート（２８３１５９−９４−４；２８３１５９−９０−０）；
（１０）  脂質及び膜の合成の阻害薬、例えば、（Ｆ２１１）ビフェニル（９２−５２−４）、（Ｆ２１２）クロロネブ（２６７５−７７−６）、（Ｆ２１３）ジクロラン（９９−３０−９）、（Ｆ２１４）エジフェンホス（１７１０９−４９−８）、（Ｆ２１５）エトリジアゾール（２５９３−１５−９）、（Ｆ２１６）ヨードカルブ（ｉｏｄｏｃａｒｂ）（５５４０６−５３−６）、（Ｆ２１７）イプロベンホス（２６０８７−４７−８）、（Ｆ２１８）イソプロチオラン（５０５１２−３５−１）、（Ｆ２１９）プロパモカルブ（２５６０６−４１−１）、（Ｆ２２０）プロパモカルブ塩酸塩（２５６０６−４１−１）、（Ｆ２２１）プロチオカルブ（１９６２２−０８−３）、（Ｆ２２２）ピラゾホス（１３４５７−１８−６）、（Ｆ２２３）キントゼン（８２−６８−８）、（Ｆ２２４）テクナゼン（１１７−１８−０）、（Ｆ２２５）トルクロホス−メチル（５７０１８−０４−９）；
（１１）  メラニン生合成の阻害薬、例えば、（Ｆ２２６）カルプロパミド（１０４０３０−５４−８）、（Ｆ２２７）ジクロシメット（１３９９２０−３２−４）、（Ｆ２２８）フェノキサニル（１１５８５２−４８−７）、（Ｆ２２９）フタリド（２７３５５−２２−２）、（Ｆ２３０）ピロキロン（５７３６９−３２−１）、（Ｆ２３１）トリシクラゾール（４１８１４−７８−２）、（Ｆ２３２）｛３−メチル−１−［（４−メチルベンゾイル）アミノ］ブタン−２−イル｝カルバミン酸２，２，２−トリフルオロエチル（８５１５２４−２２−６）；
（１２）  核酸合成の阻害薬、例えば、（Ｆ２３３）ベナラキシル（７１６２６−１１−４）、（Ｆ２３４）ベナラキシル−Ｍ（キララキシル（ｋｉｒａｌａｘｙｌ））（９８２４３−８３−５）、（Ｆ２３５）ブピリメート（４１４８３−４３−６）、（Ｆ２３６）クロジラコン（６７９３２−８５−８）、（Ｆ２３７）ジメチリモール（５２２１−５３−４）、（Ｆ２３８）エチリモール（２３９４７−６０−６）、（Ｆ２３９）フララキシル（５７６４６−３０−７）、（Ｆ２４０）ヒメキサゾール（１０００４−４４−１）、（Ｆ２４１）メタラキシル（５７８３７−１９−１）、（Ｆ２４２）メタラキシル−Ｍ（メフェノキサム）（７０６３０−１７−０）、（Ｆ２４３）オフラセ（５８８１０−４８−３）、（Ｆ２４４）オキサジキシル（７７７３２−０９−３）、（Ｆ２４５）オキソリン酸（１４６９８−２９−４）；
（１３）  シグナル伝達の阻害薬、例えば、（Ｆ２４６）クロゾリネート（８４３３２−８６−５）、（Ｆ２４７）フェンピクロニル（７４７３８−１７−３）、（Ｆ２４８）フルジオキソニル（１３１３４１−８６−１）、（Ｆ２４９）イプロジオン（３６７３４−１９−７）、（Ｆ２５０）プロシミドン（３２８０９−１６−８）、（Ｆ２５１）キノキシフェン（１２４４９５−１８−７）、（Ｆ２５２）ビンクロゾリン（５０４７１−４４−８）；
（１４）  脱共役剤として作用し得る化合物、例えば、（Ｆ２５３）ビナパクリル（４８５−３１−４）、（Ｆ２５４）ジノカップ（１３１−７２−６）、（Ｆ２５５）フェリムゾン（８９２６９−６４−７）、（Ｆ２５６）フルアジナム（７９６２２−５９−６）、（Ｆ２５７）メプチルジノカップ（１３１−７２−６）；
（１５）  さらなる化合物、例えば、（Ｆ２５８）ベンチアゾール（２１５６４−１７−０）、（Ｆ２５９）ベトキサジン（１６３２６９−３０−５）、（Ｆ２６０）カプシマイシン（ｃａｐｓｉｍｙｃｉｎ）（７０６９４−０８−５）、（Ｆ２６１）カルボン（９９−４９−０）、（Ｆ２６２）キノメチオネート（２４３９−０１−２）、（Ｆ２６３）ピリオフェノン（クラザフェノン（ｃｈｌａｚａｆｅｎｏｎｅ））（６８８０４６−６１−９）、（Ｆ２６４）クフラネブ（１１０９６−１８−７）、（Ｆ２６５）シフルフェナミド（１８０４０９−６０−３）、（Ｆ２６６）シモキサニル（５７９６６−９５−７）、（Ｆ２６７）シプロスルファミド（２２１６６７−３１−８）、（Ｆ２６８）ダゾメット（５３３−７４−４）、（Ｆ２６９）デバカルブ（６２７３２−９１−６）、（Ｆ２７０）ジクロロフェン（９７−２３−４）、（Ｆ２７１）ジクロメジン（６２８６５−３６−５）、（Ｆ２７２）ジフェンゾコート（４９８６６−８７−７）、（Ｆ２７３）ジフェンゾコートメチル硫酸塩（４３２２２−４８−６）、（Ｆ２７４）ジフェニルアミン（１２２−３９−４）、（Ｆ２７５）エコメイト、（Ｆ２７６）フェンピラザミン（４７３７９８−５９−３）、（Ｆ２７７）フルメトベル（１５４０２５−０４−４）、（Ｆ２７８）フルオルイミド（４１２０５−２１−４）、（Ｆ２７９）フルスルファミド（１０６９１７−５２−６）、（Ｆ２８０）フルチアニル（３０４９００−２５−２）、（Ｆ２８１）ホセチル−アルミニウム（３９１４８−２４−８）、（Ｆ２８２）ホセチル−カルシウム、（Ｆ２８３）ホセチル−ナトリウム（３９１４８−１６−８）、（Ｆ２８４）ヘキサクロロベンゼン（１１８−７４−１）、（Ｆ２８５）イルママイシン（８１６０４−７３−１）、（Ｆ２８６）メタスルホカルブ（６６９５２−４９−６）、（Ｆ２８７）イソチオシアン酸メチル（５５６−６１−６）、（Ｆ２８８）メトラフェノン（２２０８９９−０３−６）、（Ｆ２８９）ミルディオマイシン（６７５２７−７１−３）、（Ｆ２９０）ナタマイシン（７６８１−９３−８）、（Ｆ２９１）ジメチルジチオカルバミン酸ニッケル（１５５２１−６５−０）、（Ｆ２９２）ニトロタル−イソプロピル（１０５５２−７４−６）、（Ｆ２９３）オクチリノン（２６５３０−２０−１）、（Ｆ２９４）オキサモカルブ（ｏｘａｍｏｃａｒｂ）（９１７２４２−１２−７）、（Ｆ２９５）オキシフェンチイン（ｏｘｙｆｅｎｔｈｉｉｎ）（３４４０７−８７−９）、（Ｆ２９６）ペンタクロロフェノール及び塩（８７−８６−５）、（Ｆ２９７）フェノトリン、（Ｆ２９８）亜リン酸及びその塩（１３５９８−３６−２）、（Ｆ２９９）プロパモカルブ−ホセチレート（ｐｒｏｐａｍｏｃａｒｂ−ｆｏｓｅｔｙｌａｔｅ）、（Ｆ３００）プロパノシン−ナトリウム（ｐｒｏｐａｎｏｓｉｎｅ−ｓｏｄｉｕｍ）（８８４９８−０２−６）、（Ｆ３０１）プロキナジド（１８９２７８−１２−４）、（Ｆ３０２）ピリモルフ（８６８３９０−９０−３）、（Ｆ３０３）（２Ｅ）−３−（４−ｔｅｒｔ−ブチルフェニル）−３−（２−クロロピリジン−４−イル）−１−（モルホリン−４−イル）プロパ−２−エン−１−オン（１２���１７７６−２８−５）、（Ｆ３０４）（２Ｚ）−３−（４−ｔｅｒｔ−ブチルフェニル）−３−（２−クロロピリジン−４−イル）−１−（モルホリン−４−イル）プロパ−２−エン−１−オン（１２３１７７６−２９−６）、（Ｆ３０５）ピロールニトリン（１０１８−７１−９）、（Ｆ３０６）テブフロキン（３７６６４５−７８−２）、（Ｆ３０７）テクロフタラム（７６２８０−９１−６）、（Ｆ３０８）トルニファニド（３０４９１１−９８−６）、（Ｆ３０９）トリアゾキシド（７２４５９−５８−６）、（Ｆ３１０）トリクラミド（７０１９３−２１−４）、（Ｆ３１１）ザリラミド（８４５２７−５１−５）、（Ｆ３１２）（３Ｓ，６Ｓ，７Ｒ，８Ｒ）−８−ベンジル−３−［（｛３−［（イソブチリルオキシ）メトキシ］−４−メトキシピリジン−２−イル｝カルボニル）アミノ］−６−メチル−４，９−ジオキソ−１，５−ジオキソナン−７−イル  ２−メチルプロパノエート（５１７８７５−３４−２）、（Ｆ３１３）１−（４−｛４−［（５Ｒ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン（１００３３１９−７９−６）、（Ｆ３１４）１−（４−｛４−［（５Ｓ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン（１００３３１９−８０−９）、（Ｆ３１５）１−（４−｛４−［５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン（１００３３１８−６７−９）、（Ｆ３１６）１−（４−メトキシフェノキシ）−３，３−ジメチルブタン−２−イル  １Ｈ−イミダゾール−１−カルボキシレート（１１１２２７−１７−９）、（Ｆ３１７）２，３，５，６−テトラクロロ−４−（メチルスルホニル）ピリジン（１３１０８−５２−６）、（Ｆ３１８）２，３−ジブチル−６−クロロチエノ［２，３−ｄ］ピリミジン−４（３Ｈ）−オン（２２１４５１−５８−７）、（Ｆ３１９）２，６−ジメチル−１Ｈ，５Ｈ−［１，４］ジチイノ［２，３−ｃ：５，６−ｃ’］ジピロール−１，３，５，７（２Ｈ，６Ｈ）−テトロン、（Ｆ３２０）２−［５−メチル−３−（トリフルオロメチル）−１Ｈ−ピラゾール−１−イル］−１−（４−｛４−［（５Ｒ）−５−フェニル−４，５−ジヒドロ−１，２−オキサゾール−３−イル］−１，３−チアゾール−２−イル｝ピペリジン−１−イル）エタノン（１００３３１６−５３−７）、（Ｆ３２１）２−［５−メチル−３−（トリフルオロメチル）−１Ｈ−ピラゾール−１−イル］−１−（４−｛４−［（５Ｓ）−５−フェニル−４，５−ジヒドロ−１，２−オキサゾール−３−イル］−１，３−チアゾール−２−イル｝ピペリジン−１−イル）エタノン（１００３３１６−５４−８）、（Ｆ３２２）２−［５−メチル−３−（トリフルオロメチル）−１Ｈ−ピラゾール−１−イル］−１−｛４−［４−（５−フェニル−４，５−ジヒドロ−１，２−オキサゾール−３−イル）−１，３−チアゾール−２−イル］ピペリジン−１−イル｝エタノン（１００３３１６−５１−５）、（Ｆ３２３）２−ブトキシ−６−ヨード−３−プロピル−４Ｈ−クロメン−４−オン、（Ｆ３２４）２−クロロ−５−［２−クロロ−１−（２，６−ジフルオロ−４−メトキシフェニル）−４−メチル−１Ｈ−イミダゾール−５−イル］ピリジン、（Ｆ３２５）２−フェニルフェノール及び塩（９０−４３−７）、（Ｆ３２６）３−（４，４，５−トリフルオロ−３，３−ジメチル−３，４−ジヒドロイソキノリン−１−イル）キノリン（８６１６４７−８５−０）、（Ｆ３２７）３，４，５−トリクロロピリジン−２，６−ジカルボニトリル（１７８２４−８５−０）、（Ｆ３２８）３−［５−（４−クロロフェニル）−２，３−ジメチル−１，２−オキサゾリジン−３−イル］ピリジン、（Ｆ３２９）３−クロロ−５−（４−クロロフェニル）−４−（２，６−ジフルオロフェニル）−６−メチルピリダジン、（Ｆ３３０）４−（４−クロロフェニル）−５−（２，６−ジフルオロフェニル）−３，６−ジメチルピリダジン、（Ｆ３３１）５−アミノ−１，３，４−チアジアゾール−２−チオール、（Ｆ３３２）５−クロロ−Ｎ’−フェニル−Ｎ’−（プロパ−２−イン−１−イル）チオフェン−２−スルホノヒドラジド（１３４−３１−６）、（Ｆ３３３）５−フルオロ−２−［（４−フルオロベンジル）オキシ］ピリミジン−４−アミン（１１７４３７６−１１−４）、（Ｆ３３４）５−フルオロ−２−［（４−メチルベンジル）オキシ］ピリミジン−４−アミン（１１７４３７６−２５−０）、（Ｆ３３５）５−メチル−６−オクチル［１，２，４］トリアゾロ［１，５−ａ］ピリミジン−７−アミン、（Ｆ３３６）（２Ｚ）−３−アミノ−２−シアノ−３−フェニルプロパ−２−エン酸エチル、（Ｆ３３７）Ｎ’−（４−｛［３−（４−クロロベンジル）−１，２，４−チアジアゾール−５−イル］オキシ｝−２，５−ジメチルフェニル）−Ｎ−エチル−Ｎ−メチルイミドホルムアミド、（Ｆ３３８）Ｎ−（４−クロロベンジル）−３−［３−メトキシ−４−（プロパ−２−イン−１−イルオキシ）フェニル］プロパンアミド、（Ｆ３３９）Ｎ−［（４−クロロフェニル）（シアノ）メチル］−３−［３−メトキシ−４−（プロパ−２−イン−１−イルオキシ）フェニル］プロパンアミド、（Ｆ３４０）Ｎ−［（５−ブロモ−３−クロロピリジン−２−イル）メチル］−２，４−ジクロロピリジン−３−カルボキサミド、（Ｆ３４１）Ｎ−［１−（５−ブロモ−３−クロロピリジン−２−イル）エチル］−２，４−ジクロロピリジン−３−カルボキサミド、（Ｆ３４２）Ｎ−［１−（５−ブロモ−３−クロロピリジン−２−イル）エチル］−２−フルオロ−４−ヨードピリジン−３−カルボキサミド、（Ｆ３４３）Ｎ−｛（Ｅ）−［（シクロプロピルメトキシ）イミノ］［６−（ジフルオロメトキシ）−２，３−ジフルオロフェニル］メチル｝−２−フェニルアセトアミド（２２１２０１−９２−９）、（Ｆ３４４）Ｎ−｛（Ｚ）−［（シクロプロピルメトキシ）イミノ］［６−（ジフルオロメトキシ）−２，３−ジフルオロフェニル］メチル｝−２−フェニルアセトアミド（２２１２０１−９２−９）、（Ｆ３４５）Ｎ’−｛４−［（３−ｔｅｒｔ−ブチル−４−シアノ−１，２−チアゾール−５−イル）オキシ］−２−クロロ−５−メチルフェニル｝−Ｎ−エチル−Ｎ−メチルイミドホルムアミド、（Ｆ３４６）Ｎ−メチル−２−（１−｛［５−メチル−３−（トリフルオロメチル）−１Ｈ−ピラゾール−１−イル］アセチル｝ピペリジン−４−イル）−Ｎ−（１，２，３，４−テトラヒドロナフタレン−１−イル）−１，３−チアゾール−４−カルボキサミド（９２２５１４−４９−６）、（Ｆ３４７）Ｎ−メチル−２−（１−｛［５−メチル−３−（トリフルオロメチル）−１Ｈ−ピラゾール−１−イル］アセチル｝ピペリジン−４−イル）−Ｎ−［（１Ｒ）−１，２，３，４−テトラヒドロナフタレン−１−イル］−１，３−チアゾール−４−カルボキサミド（９２２５１４−０７−６）、（Ｆ３４８）Ｎ−メチル−２−（１−｛［５−メチル−３−（トリフルオロメチル）−１Ｈ−ピラゾール−１−イル］アセチル｝ピペリジン−４−イル）−Ｎ−［（１Ｓ）−１，２，３，４−テトラヒドロナフタレン−１−イル］−１，３−チアゾール−４−カルボキサミド（９２２５１４−４８−５）、（Ｆ３４９）｛６−［（｛［（１−メチル−１Ｈ−テトラゾール−５−イル）（フェニル）メチリデン］アミノ｝オキシ）メチル］ピリジン−２−イル｝カルバミン酸ペンチル、（Ｆ３５０）フェナジン−１−カルボン酸、（Ｆ３５１）キノリン−８−オール（１３４−３１−６）、（Ｆ３５２）キノリン−８−オールスルフェート（２：１）（１３４−３１−６）、（Ｆ３５３）｛６−［（｛［（１−メチル−１Ｈ−テトラゾール−５−イル）（フェニル）メチレン］アミノ｝オキシ）メチル］ピリジン−２−イル｝カルバミン酸ｔｅｒｔ−ブチル；
（１６）  さらなる化合物、例えば、（Ｆ３５４）１−メチル−３−（トリフルオロメチル）−Ｎ−［２’−（トリフルオロメチル）ビフェニル−２−イル］−１Ｈ−ピラゾール−４−カルボキサミド、（Ｆ３５５）Ｎ−（４’−クロロビフェニル−２−イル）−３−（ジフルオロメチル）−１−メチル−１Ｈ−ピラゾール−４−カルボキサミド、（Ｆ３５６）Ｎ−（２’，４’−ジクロロビフェニル−２−イル）−３−（ジフルオロメチル）−１−メチル−１Ｈ−ピラゾール−４−カルボキサミド、（Ｆ３５７）３−（ジフルオロメチル）−１−メチル−Ｎ−［４’−（トリフルオロメチル）ビフェニル−２−イル］−１Ｈ−ピラゾール−４−カルボキサミド、（Ｆ３５８）Ｎ−（２’，５’−ジフルオロビフェニル−２−イル）−１−メチル−３−（トリフルオロメチル）−１Ｈ−ピラゾール−４−カルボキサミド、（Ｆ３５９）３−（ジフルオロメチル）−１−メチル−Ｎ−［４’−（プロパ−１−イン−１−イル）ビフェニル−２−イル］−１Ｈ−ピラゾール−４−カルボキサミド、（Ｆ３６０）５−フルオロ−１，３−ジメチル−Ｎ−［４’−（プロパ−１−イン−１−イル）ビフェニル−２−イル］−１Ｈ−ピラゾール−４−カルボキサミド、（Ｆ３６１）２−クロロ−Ｎ−［４’−（プロパ−１−イン−１−イル）ビフェニル−２−イル］ピリジン−３−カルボキサミド、（Ｆ３６２）３−（ジフルオロメチル）−Ｎ−［４’−（３，３−ジメチルブタ−１−イン−１−イル）ビフェニル−２−イル］−１−メチル−１Ｈ−ピラゾール−４−カルボキサミド、（Ｆ３６３）Ｎ−［４’−（３，３−ジメチルブタ−１−イン−１−イル）ビフェニル−２−イル］−５−フルオロ−１，３−ジメチル−１Ｈ−ピラゾール−４−カルボキサミド、（Ｆ３６４）３−（ジフルオロメチル）−Ｎ−（４’−エチニルビフェニル−２−イル）−１−メチル−１Ｈ−ピラゾール−４−カルボキサミド、（Ｆ３６５）Ｎ−（４’−エチニルビフェニル−２−イル）−５−フルオロ−１，３−ジメチル−１Ｈ−ピラゾール−４−カルボキサミド、（Ｆ３６６）２−クロロ−Ｎ−（４’−エチニルビフェニル−２−イル）ピリジン−３−カルボキサミド、（Ｆ３６７）２−クロロ−Ｎ−［４’−（３，３−ジメチルブタ−１−イン−１−イル）ビフェニル−２−イル］ピリジン−３−カルボキサミド、（Ｆ３６８）４−（ジフルオロメチル）−２−メチル−Ｎ−［４’−（トリフルオロメチル）ビフェニル−２−イル］−１，３−チアゾール−５−カルボキサミド、（Ｆ３６９）５−フルオロ−Ｎ−［４’−（３−ヒドロキシ−３−メチルブタ−１−イン−１−イル）ビフェニル−２−イル］−１，３−ジメチル−１Ｈ−ピラゾール−４−カルボキサミド、（Ｆ３７０）２−クロロ−Ｎ−［４’−（３−ヒドロキシ−３−メチルブタ−１−イン−１−イル）ビフェニル−２−イル］ピリジン−３−カルボキサミド、（Ｆ３７１）３−（ジフルオロメチル）−Ｎ−［４’−（３−メトキシ−３−メチルブタ−１−イン−１−イル）ビフェニル−２−イル］−１−メチル−１Ｈ−ピラゾール−４−カルボキサミド、（Ｆ３７２）５−フルオロ−Ｎ−［４’−（３−メトキシ−３−メチルブタ−１−イン−１−イル）ビフェニル−２−イル］−１，���−ジメチル−１Ｈ−ピラゾール−４−カルボキサミド、（Ｆ３７３）２−クロロ−Ｎ−［４’−（３−メトキシ−３−メチルブタ−１−イン−１−イル）ビフェニル−２−イル］ピリジン−３−カルボキサミド、（Ｆ３７４）（５−ブロモ−２−メトキシ−４−メチルピリジン−３−イル）（２，３，４−トリメトキシ−６−メチルフェニル）メタノン、（Ｆ３７５）Ｎ−［２−（４−｛［３−（４−クロロフェニル）プロパ−２−イン−１−イル］オキシ｝−３−メトキシフェニル）エチル］−Ｎ２−（メチルスルホニル）バリンアミド（２２０７０６−９３−４）、（Ｆ３７６）４−オキソ−４−［（２−フェニルエチル）アミノ］ブタン酸、（Ｆ３７７）ブタ−３−イン−１−イル  ｛６−［（｛［（Ｚ）−（１−メチル−１Ｈ−テトラゾール−５−イル）（フェニル）メチレン］アミノ｝オキシ）メチル］ピリジン−２−イル｝カルバメート、（Ｆ３７８）４−アミノ−５−フルオロピリミジン−２−オール（メソメリック形態：６−アミノ−５−フルオロピリミジン−２（１Ｈ）−オン）、（Ｆ３７９）３，４，５−トリヒドロキシ安息香酸プロピル、及び、（Ｆ３８０）オリザストロビン。
【００９４】
クラス（１）〜クラス（１６）の名前が挙げられている全ての殺菌剤（即ち、Ｆ１〜Ｆ３８０）は、それらが有している官能基によって可能である場合には、適切な塩基又は酸と、場合により塩を形成することができる。
【００９５】
本発明の好ましい実施形態では、該殺菌剤は、合成殺菌剤である。本明細書中で使用される場合、用語「合成（ｓｙｎｔｈｅｔｉｃ）」は、生物的防除剤からは得られていない化合物を定義する。特に、合成殺菌剤は、本発明による生物的防除剤の代謝産物ではない。
【００９６】
本発明の好ましい実施形態によれば、該殺菌剤は、以下のものからなる群から選択される：
（１）  エルゴステロール生合成の阻害薬、例えば、（Ｆ３）ビテルタノール、（Ｆ４）ブロムコナゾール（１１６２５５−４８−２）、（Ｆ５）シプロコナゾール（１１３０９６−９９−４）、（Ｆ７）ジフェノコナゾール（１１９４４６−６８−３）、（Ｆ１２）エポキシコナゾール（１０６３２５−０８−０）、（Ｆ１６）フェンヘキサミド（１２６８３３−１７−８）、（Ｆ１７）フェンプロピジン（６７３０６−００−７）、（Ｆ１８）フェンプロピモルフ（６７３０６−０３−０）、（Ｆ１９）フルキンコナゾール（１３６４２６−５４−５）、（Ｆ２２）フルトリアホール、（Ｆ２６）イマザリル、（Ｆ２９）イプコナゾール（１２５２２５−２８−７）、（Ｆ３０）メトコナゾール（１２５１１６−２３−６）、（Ｆ３１）ミクロブタニル（８８６７１−８９−０）、（Ｆ３７）ペンコナゾール（６６２４６−８８−６）、（Ｆ３９）プロクロラズ（６７７４７−０９−５）、（Ｆ４０）プロピコナゾール（６０２０７−９０−１）、（Ｆ４１）プロチオコナゾール（１７８９２８−７０−６）、（Ｆ４４）キンコナゾール（１０３９７０−７５−８）、（Ｆ４６）スピロキサミン（１１８１３４−３０−８）、（Ｆ４７）テブコナゾール（１０７５３４−９６−３）、（Ｆ５１）トリアジメノール（８９４８２−１７−７）、（Ｆ５５）トリチコナゾール（１３１９８３−７２−７）；
（２）  複合体Ｉ又はＩＩにおける呼吸鎖の阻害薬、例えば、（Ｆ６５）ビキサフェン（５８１８０９−４６−３）、（Ｆ６６）ボスカリド（１８８４２５−８５−６）、（Ｆ６７）カルボキシン（５２３４−６８−４）、（Ｆ７０）フルオピラム（６５８０６６−３５−４）、（Ｆ７１）フルトラニル（６６３３２−９６−５）、（Ｆ７２）フルキサピロキサド（９０７２０４−３１−３）、（Ｆ７３）フラメトピル（１２３５７２−８８−３）、（Ｆ７５）イソピラザム（シン−エピマー性ラセミ化合物（１ＲＳ，４ＳＲ，９ＲＳ）とアンチ−エピマー性ラセミ化合物（１ＲＳ，４ＳＲ，９ＳＲ）の混合物）（８８１６８５−５８−１）、（Ｆ７６）イソピラザム（アンチ−エピマー性ラセミ化合物  １ＲＳ，４ＳＲ，９ＳＲ）、（Ｆ７７）イソピラザム（アンチ−エピマー性エナンチオマー  １Ｒ，４Ｓ，９Ｓ）、（Ｆ７８）イソピラザム（アンチ−エピマー性エナンチオマー  １Ｓ，４Ｒ，９Ｒ）、（Ｆ７９）イソピラザム（シン−エピマー性ラセミ化合物  １ＲＳ，４ＳＲ，９ＲＳ）、（Ｆ８０）イソピラザム（シン−エピマー性エナンチオマー  １Ｒ，４Ｓ，９Ｒ）、（Ｆ８１）イソピラザム（シン−エピマー性エナンチオマー  １Ｓ，４Ｒ，９Ｓ）、（Ｆ８４）ペンフルフェン（４９４７９３−６７−８）、（Ｆ８５）ペンチオピラド（１８３６７５−８２−３）、（Ｆ８６）セダキサン（８７４９６７−６７−６）、（Ｆ８７）チフルザミド（１３００００−４０−７）、（Ｆ９１）Ｎ−［１−（２，４−ジクロロフェニル）−１−メトキシプロパン−２−イル］−３−（ジフルオロメチル）−１−メチル−１Ｈ−ピラゾール−４−カルボキサミド（１０９２４００−９５−７）、（Ｆ９８）１−メチル−３−（トリフルオロメチル）−Ｎ−（１，３，３−トリメチル−２，３−ジヒドロ−１Ｈ−インデン−４−イル）−１Ｈ−ピラゾール−４−カルボキサミド、（Ｆ９９）１−メチル−３−（トリフルオロメチル）−Ｎ−［（１Ｓ）−１，３，３−トリメチル−２，３−ジヒドロ−１Ｈ−インデン−４−イル］−１Ｈ−ピラゾール−４−カルボキサミド、（Ｆ１００）１−メチル−３−（トリフルオロメチル）−Ｎ−［（１Ｒ）−１，３，３−トリメチル−２，３−ジヒドロ−１Ｈ−インデン−４−イル］−１Ｈ−ピラゾール−４−カルボキサミド、（Ｆ１０１）３−（ジフルオロメチル）−１−メチル−Ｎ−［（３Ｓ）−１，１，３−トリメチル−２，３−ジヒドロ−１Ｈ−インデン−４−イル］−１Ｈ−ピラゾール−４−カルボキサミド、（Ｆ１０２）３−（ジフルオロメチル）−１−メチル−Ｎ−［（３Ｒ）−１，１，３−トリメチル−２，３−ジヒドロ−１Ｈ−インデン−４−イル］−１Ｈ−ピラゾール−４−カルボキサミド；
（３）  複合体ＩＩＩにおける呼吸鎖の阻害薬、例えば、（Ｆ１０５）アメトクトラジン（８６５３１８−９７−４）、（Ｆ１０６）アミスルブロム（３４８６３５−８７−０）、（Ｆ１０７）アゾキシストロビン（１３１８６０−３３−８）、（Ｆ１０８）シアゾファミド（１２０１１６−８８−３）、（Ｆ１１１）ジモキシストロビン（１４１６００−５２−４）、（Ｆ１１２）エネストロブリン（２３８４１０−１１−２）、（Ｆ１１３）ファモキサドン（１３１８０７−５７−３）、（Ｆ１１４）フェンアミドン（１６１３２６−３４−７）、（Ｆ１１６）フルオキサストロビン（３６１３７７−２９−９）、（Ｆ１１７）クレソキシム−メチル（１４３３９０−８９−０）、（Ｆ１１８）メトミノストロビン（１３３４０８−５０−１）、（Ｆ１１９）オリサストロビン（１８９８９２−６９−１）、（Ｆ１２０）ピコキシストロビン（１１７４２８−２２−５）、（Ｆ１２１）ピラクロストロビン（１７５０１３−１８−０）、（Ｆ１２４）ピリベンカルブ（７９９２４７−５２−２）、（Ｆ１２６）トリフロキシストロビン（１４１５１７−２１−７）；
（４）  有糸分裂及び細胞分裂の阻害薬、例えば、（Ｆ１３９）カルベンダジム（１０６０５−２１−７）、（Ｆ１４０）クロルフェナゾール（３５７４−９６−７）、（Ｆ１４１）ジエトフェンカルブ（８７１３０−２０−９）、（Ｆ１４２）エタボキサム（１６２６５０−７７−３）、（Ｆ１４３）フルオピコリド、（Ｆ１４４）フベリダゾール（３８７８−１９−１）、（Ｆ１４５）ペンシクロン（６６０６３−０５−６）、（Ｆ１４７）チオファネート−メチル（２３５６４−０５−８）、（Ｆ１４９）ゾキサミド（１５６０５２−６８−５）；
（５）  多部位に作用し得る化合物、例えば、（Ｆ１５４）キャプタン（１３３−０６−２）、（Ｆ１５５）クロロタロニル（１８９７−４５−６）、（Ｆ１５６）水酸化銅（２０４２７−５９−２）、（Ｆ１５９）塩基性塩化銅（１３３２−４０−７）、（Ｆ１６２）ジチアノン（３３４７−２２−６）、（Ｆ１６３）ドジン（２４３９−１０−３）、（Ｆ１６７）ホルペット（１３３−０７−３）、（Ｆ１６８）グアザチン（１０８１７３−９０−６）、（Ｆ１７２）イミノクタジン三酢酸塩（５７５２０−１７−９）、（Ｆ１７４）マンゼブ（８０１８−０１−７）、（Ｆ１８０）プロピネブ（１２０７１−８３−９）、（Ｆ１８１）硫黄及び硫黄剤、例えば、多硫化カルシウム（７７０４−３４−９）、（Ｆ１８２）チウラム（１３７−２６−８）；
（６）  宿主の防御を誘発し得る化合物、例えば、（Ｆ１８６）アシベンゾラル−Ｓ−メチル（１３５１５８−５４−２）、（Ｆ１８７）イソチアニル（２２４０４９−０４−１）、（Ｆ１８９）チアジニル（２２３５８０−５１−６）；
（７）  アミノ酸及び／又はタンパク質の生合成の阻害薬、例えば、（Ｆ１９２）シプロジニル（１２１５５２−６１−２）、（Ｆ１９６）ピリメタニル（５３１１２−２８−０）；
（９）  細胞壁合成の阻害薬、例えば、（Ｆ２０２）ベンチアバリカルブ（１７７４０６−６８−７）、（Ｆ２０３）ジメトモルフ（１１０４８８−７０−５）、（Ｆ２０５）イプロバリカルブ（１４０９２３−１７−７）、（Ｆ２０６）マンジプロパミド（３７４７２６−６２−２）、（Ｆ２１０）バリフェナレート（２８３１５９−９４−４；２８３１５９−９０−０）；
（１０）  脂質及び膜の合成の阻害薬、例えば、（Ｆ２１６）ヨードカルブ（ｉｏｄｏｃａｒｂ）（５５４０６−５３−６）、（Ｆ２１７）イプロベンホス（２６０８７−４７−８）、（Ｆ２２０）プロパモカルブ塩酸塩（２５６０６−４１−１）、（Ｆ２２５）トルクロホス−メチル；
（１１）  メラニン生合成の阻害薬、例えば、（Ｆ２２６）カルプロパミド；
（１２）  核酸合成の阻害薬、例えば、（Ｆ２３３）ベナラキシル（７１６２６−１１−４）、（Ｆ２３４）ベナラキシル−Ｍ（キララキシル（ｋｉｒａｌａｘｙｌ））（９８２４３−８３−５）、（Ｆ２３９）フララキシル（５７６４６−３０−７）、（Ｆ２４０）ヒメキサゾール（１０００４−４４−１）、（Ｆ２４１）メタラキシル（５７８３７−１９−１）、（Ｆ２４２）メタラキシル−Ｍ（メフェノキサム）（７０６３０−１７−０）、（Ｆ２４４）オキサジキシル（７７７３２−０９−３）；
（１３）  シグナル伝達の阻害薬、例えば、（Ｆ２４７）フェンピクロニル（７４７３８−１７−３）、（Ｆ２４８）フルジオキソニル（１３１３４１−８６−１）、（Ｆ２４９）イプロジオン（３６７３４−１９−７）、（Ｆ２５１）キノキシフェン（１２４４９５−１８−７）、（Ｆ２５２）ビンクロゾリン（５０４７１−４４−８）；
（１４）  脱共役剤として作用し得る化合物、例えば、（Ｆ２５６）フルアジナム（７９６２２−５９−６）；
（１５）  さらなる化合物、例えば、（Ｆ２６６）シモキサニル（５７９６６−９５−７）、（Ｆ２８０）フルチアニル（３０４９００−２５−２）、（Ｆ２８１）ホセチル−アルミニウム（３９１４８−２４−８）、（Ｆ２８６）メタスルホカルブ（６６９５２−４９−６）、（Ｆ２８７）イソチオシアン酸メチル（５５６−６１−６）、（Ｆ２８８）メトラフェノン（２２０８９９−０３−６）、（Ｆ２９８）亜リン酸及びその塩（１３５９８−３６−２）、（Ｆ３０１）プロキナジド（１８９２７８−１２−４）、（Ｆ３０９）トリアゾキシド（７２４５９−５８−６）、及び、（Ｆ３１９）２，６−ジメチル−１Ｈ，５Ｈ−［１，４］ジチイノ［２，３−ｃ：５，６−ｃ’］ジピロール−１，３，５，７（２Ｈ，６Ｈ）−テトロン。
【００９７】
本発明の一実施形態では、殺菌剤（Ｉ）（例えば、種子処理において使用するための殺菌剤）は、以下のものからなる群から選択される：カルベンダジム（Ｆ１３９）、カルボキシン（Ｆ６７）、ジフェノコナゾール（Ｆ７）、フルジオキソニル（Ｆ２４８）、フルキンコナゾール（Ｆ１９）、フルキサピロキサド（Ｆ７２）、イプコナゾール（Ｆ２９）、イソチアニル（Ｆ１８７）、メフェノキサム（Ｆ２４２）、メタラキシル（Ｆ２４１）、ペンシクロン（Ｆ１４５）、ペンフルフェン（Ｆ８４）、プロチオコナゾール（Ｆ４１）、プロクロラズ（Ｆ３９）、ピラクロストロビン（Ｆ１２１）、セダキサン（Ｆ８６）、シルチオファム（Ｆ２０１）、テブコナゾール（Ｆ４７）、チウラム（Ｆ１８２）、トリフロキシストロビン（Ｆ１２６）、及び、トリチコナゾール（Ｆ５５）。
【００９８】
好ましくは、該殺菌剤は、以下のものからなる群から選択される：上記で記載されているＦ１、Ｆ２、Ｆ３、Ｆ４、Ｆ５、Ｆ６、Ｆ７、Ｆ８、Ｆ９、Ｆ１０、Ｆ１１、Ｆ１２、Ｆ１３、Ｆ１４、Ｆ１５、Ｆ１６、Ｆ１７、Ｆ１８、Ｆ１９、Ｆ２０、Ｆ２１、Ｆ２２、Ｆ２３、Ｆ２４、Ｆ２５、Ｆ２６、Ｆ２７、Ｆ２８、Ｆ２９、Ｆ３０、Ｆ３１、Ｆ３２、Ｆ３３、Ｆ３４、Ｆ３５、Ｆ３６、Ｆ３７、Ｆ３８、Ｆ３９、Ｆ４０、Ｆ４１、Ｆ４２、Ｆ４３、Ｆ４５、Ｆ４６、Ｆ４７、Ｆ４８、Ｆ４９、Ｆ５０、Ｆ５１、Ｆ５２、Ｆ５３、Ｆ５４、Ｆ５５、Ｆ５６、Ｆ５７、Ｆ５８、Ｆ５９、Ｆ６０、Ｆ６１、Ｆ６２、Ｆ６３、Ｆ６４、Ｆ６５、Ｆ６６、Ｆ６７、Ｆ６８、Ｆ６９、Ｆ７０、Ｆ７１、Ｆ７２、Ｆ７３、Ｆ７４、Ｆ７５、Ｆ７６、Ｆ７７、Ｆ７８、Ｆ７９、Ｆ８０、Ｆ８１、Ｆ８２、Ｆ８３、Ｆ８４、Ｆ８５、Ｆ８６、Ｆ８７、Ｆ８８、Ｆ８９、Ｆ９０、Ｆ９１、Ｆ９２、Ｆ９３、Ｆ９４、Ｆ９５、Ｆ９６、Ｆ９７、Ｆ９８、Ｆ９９、Ｆ１００、Ｆ１０１、Ｆ１０２、Ｆ１０３、Ｆ１０４、Ｆ１０５、Ｆ１０６、Ｆ１０７、Ｆ１０８、Ｆ１０９、Ｆ１１０、Ｆ１１１、Ｆ１１２、Ｆ１１３、Ｆ１１４、Ｆ１１５、Ｆ１１６、Ｆ１１７、Ｆ１１８、Ｆ１１９、Ｆ１２０、Ｆ１２１、Ｆ１２２、Ｆ１２３、Ｆ１２４、Ｆ１２５、Ｆ１２６、Ｆ１２７、Ｆ１２８、Ｆ１２９、Ｆ１３０、Ｆ１３１、Ｆ１３２、Ｆ１３３、Ｆ１３４、Ｆ１３５、Ｆ１３６、Ｆ１３７、Ｆ１３８、Ｆ１３９、Ｆ１４０、Ｆ１４１、Ｆ１４２、Ｆ１４３、Ｆ１４４、Ｆ１４５、Ｆ１４６、Ｆ１４７、Ｆ１４８、Ｆ１４９、Ｆ１５０、Ｆ１５１、Ｆ１５２、Ｆ１５３、Ｆ１５４、Ｆ１５５、Ｆ１５６、Ｆ１５７、Ｆ１５８、Ｆ１５９、Ｆ１６０、Ｆ１６１、Ｆ１６２、Ｆ１６３、Ｆ１６４、Ｆ１６５、Ｆ１６６、Ｆ１６７、Ｆ１６８、Ｆ１６９、Ｆ１７０、Ｆ１７１、Ｆ１７２、Ｆ１７３、Ｆ１７４、Ｆ１７５、Ｆ１７６、Ｆ１７７、Ｆ１７８、Ｆ１７９、Ｆ１８０、Ｆ１８１、Ｆ１８２、Ｆ１８３、Ｆ１８４、Ｆ１８５、Ｆ１８６、Ｆ１８７、Ｆ１８８、Ｆ１８９、Ｆ１９０、Ｆ１９１、Ｆ１９２、Ｆ１９３、Ｆ１９４、Ｆ１９５、Ｆ１９６、Ｆ１９７、Ｆ１９８、Ｆ１９９、Ｆ２００、Ｆ２０１、Ｆ２０２、Ｆ２０３、Ｆ２０４、Ｆ２０５、Ｆ２０６、Ｆ２０７、Ｆ２０８、Ｆ２０９、Ｆ２１０、Ｆ２１１、Ｆ２１２、Ｆ２１３、Ｆ２１４、Ｆ２１５、Ｆ２１６、Ｆ２１７、Ｆ２１８、Ｆ２１９、Ｆ２２０、Ｆ２２１、Ｆ２２２、Ｆ２２３、Ｆ２２４、Ｆ２２５、Ｆ２２６、Ｆ２２７、Ｆ２２８、Ｆ２２９、Ｆ２３０、Ｆ２３１、Ｆ２３２、Ｆ２３３、Ｆ２３４、Ｆ２３５、Ｆ２３６、Ｆ２３７、Ｆ２３８、Ｆ２３９、Ｆ２４０、Ｆ２４１、Ｆ２４２、Ｆ２４３、Ｆ２４４、Ｆ２４５、Ｆ２４６、Ｆ２４７、Ｆ２４８、Ｆ２４９、Ｆ２５０、Ｆ２５１、Ｆ２５２、Ｆ２５３、Ｆ２５４、Ｆ２５５、Ｆ２５６、Ｆ２５７、Ｆ２５８、Ｆ２５９、Ｆ２６０、Ｆ２６１、Ｆ２６２、Ｆ２６３、Ｆ２６４、Ｆ２６５、Ｆ２６６、Ｆ２６７、Ｆ２６８、Ｆ２６９、Ｆ２７０、Ｆ２７１、Ｆ２７２、Ｆ２７３、Ｆ２７４、Ｆ２７５、Ｆ２７６、Ｆ２７７、Ｆ２７８、Ｆ２７９、Ｆ２８０、Ｆ２８１、Ｆ２８２、Ｆ２８３、Ｆ２８４、Ｆ２８５、Ｆ２８６、Ｆ２８７、Ｆ２８８、Ｆ２８９、Ｆ２９０、Ｆ２９１、Ｆ２９２、Ｆ２９３、Ｆ２９４、Ｆ２９５、Ｆ２９６、Ｆ２９７、Ｆ２９８、Ｆ２９９、Ｆ３００、Ｆ３０１、Ｆ３０２、Ｆ３０３、Ｆ３０４、Ｆ３０５、Ｆ３０６、Ｆ３０７、Ｆ３０８、Ｆ３０９、Ｆ３１０、Ｆ３１１、Ｆ３１２、Ｆ３１３、Ｆ３１４、Ｆ３１５、Ｆ３１６、Ｆ３１７、Ｆ３１８、Ｆ３１９、Ｆ３２０、Ｆ３２１、Ｆ３２２、Ｆ３２３、Ｆ３２４、Ｆ３２５、Ｆ３２６、Ｆ３２７、Ｆ３２８、Ｆ３２９、Ｆ３３０、Ｆ３３１、Ｆ３３２、Ｆ３３３、Ｆ３３４、Ｆ３３５、Ｆ３３６、Ｆ３３６、Ｆ３３７、Ｆ３３８、Ｆ３３９、Ｆ３４０、Ｆ３４１、Ｆ３４２、Ｆ３４３、Ｆ３４４、Ｆ３４５、Ｆ３４６、Ｆ３４７、Ｆ３４８、Ｆ３４９、Ｆ３５０、Ｆ３５１、Ｆ３５２、Ｆ３５３、Ｆ３５４、Ｆ３５５、Ｆ３５６、Ｆ３５７、Ｆ３５８、Ｆ３５９、Ｆ３６０、Ｆ３６１、Ｆ３６２、Ｆ３６３、Ｆ３６４、Ｆ３６５、Ｆ３６６、Ｆ３６７、Ｆ３６８、Ｆ３６９、Ｆ３７０、Ｆ３７１、Ｆ３７２、Ｆ３７３、Ｆ３７４、Ｆ３７５、Ｆ３７６、Ｆ３７７、Ｆ３７８、Ｆ３７９、及び、Ｆ３８０。
【００９９】
好ましい実施形態では、該殺菌剤は、合成殺菌剤である。
【０１００】
本発明の好ましい実施形態によれば、該殺菌剤は、以下のものからなる群から選択される：Ｆ３、Ｆ４、Ｆ５、Ｆ７、Ｆ１２、Ｆ１６、Ｆ１７、Ｆ１８、Ｆ１９、Ｆ２２、Ｆ２６、Ｆ２９、Ｆ３０、Ｆ３１、Ｆ３７、Ｆ３９、Ｆ４０、Ｆ４１、Ｆ４４、Ｆ４６、Ｆ４７、Ｆ５１、Ｆ５５、Ｆ６６、Ｆ６７、Ｆ７０、Ｆ７１、Ｆ７２、Ｆ７３、Ｆ７５、Ｆ７６、Ｆ７７、Ｆ７８、Ｆ７９、Ｆ８０、Ｆ８１、Ｆ８４、Ｆ８５、Ｆ８６、Ｆ８７、Ｆ９８、Ｆ９９、Ｆ１００、Ｆ１０１、Ｆ１０２、Ｆ１０５、Ｆ１０６、Ｆ１０７、Ｆ１０８、Ｆ１１１、Ｆ１１２、Ｆ１１３、Ｆ１１４、Ｆ１１６、Ｆ１１７、Ｆ１１８、Ｆ１１９、Ｆ１２０、Ｆ１２１、Ｆ１２４、Ｆ１２６、Ｆ１３９、Ｆ１４０、Ｆ１４１、Ｆ１４２、Ｆ１４３、Ｆ１４４、Ｆ１４５、Ｆ１４７、Ｆ１４９、Ｆ１５４、Ｆ１５５、Ｆ１５６、Ｆ１５９、Ｆ１６２、Ｆ１６３、Ｆ１６７、Ｆ１６８、Ｆ１７２、Ｆ１７４、Ｆ１８０、Ｆ１８１、Ｆ１８２、Ｆ１８６、Ｆ１８７、Ｆ１８９、Ｆ１９２、Ｆ１９６、Ｆ２０１、Ｆ２０２、Ｆ２０３、Ｆ２０５、Ｆ２０６、Ｆ２１０、Ｆ２１６、Ｆ２１７、Ｆ２２０、Ｆ２２５、Ｆ２２６、Ｆ２３３、Ｆ２３４、Ｆ２３９、Ｆ２４０、Ｆ２４１、Ｆ２４２、Ｆ２４４、Ｆ２４７、Ｆ２４８、Ｆ２４９、Ｆ２５１、Ｆ２５２、Ｆ２５６、Ｆ２６６、Ｆ２８０、Ｆ２８１、Ｆ２８６、Ｆ２８７、Ｆ２８８、Ｆ２９８、Ｆ３０１、Ｆ３０９、及び、Ｆ３１９。
【０１０１】
殺虫剤
「殺虫剤（ｉｎｓｅｃｔｉｃｉｄｅ）」及び用語「殺虫性（ｉｎｓｅｃｔｉｃｉｄａｌ）」は、ある物質が昆虫の死亡率を増大させる能力又は昆虫の成長速度を抑制する能力を意味する。本明細書中で使用される場合、用語「昆虫」は、「昆虫綱」の全ての生物を包含する。用語「前成虫期（ｐｒｅ−ａｄｕｌｔ）」昆虫は、成虫段階より前の段階にある生物の全ての形態（例えば、卵、幼虫（ｌａｒｖａ）、及び、若虫（ｎｙｍｐｈ））を意味する。
【０１０２】
「殺線虫剤（ｎｅｍａｔｉｃｉｄｅ）」及び「殺線虫性（ｎｅｍａｔｉｃｉｄａｌ）」は、ある物質が線虫の死亡率を増大させる能力又は線虫の成長速度を抑制する能力を意味する。一般に、用語「線虫」は、当該生物の卵形態、幼虫（ｌａｒｖａｅ）形態、幼若（ｊｕｖｅｎｉｌｅ）形態及び成熟形態を包含する。
【０１０３】
「殺ダニ剤（ａｃａｒｉｃｉｄｅ）」及び「殺ダニ性（ａｃａｒｉｃｉｄａｌ）」は、ある物質がクモ綱ダニ亜綱に属する外部寄生虫（例えば、ダニ類）の死亡率を増大させる能力又はクモ綱ダニ亜綱に属する外部寄生虫の成長速度を抑制する能力を意味する。
【０１０４】
本明細書中において「一般名」で特定されている殺虫剤は、既知であり、そして、例えば、「Ｐｅｓｔｉｃｉｄｅ  Ｍａｎｕａｌ」（“Ｔｈｅ  Ｐｅｓｔｉｃｉｄｅ  Ｍａｎｕａｌ”，  １５ｔｈ  Ｅｄ．，  Ｂｒｉｔｉｓｈ  Ｃｒｏｐ  Ｐｒｏｔｅｃｔｉｏｎ  Ｃｏｕｎｃｉｌ  ２００９）に記載されているか、又は、インターネット（例えば、「ｗｗｗ．ａｌａｎｗｏｏｄ．ｎｅｔ／ｐｅｓｔｉｃｉｄｅｓ」）で検索することができる。
【０１０５】
本発明の一実施形態によれば、好ましい殺虫剤は、以下のものからなる群から選択される：
（１）  アセチルコリンエステラーゼ（ＡＣｈＥ）阻害薬、例えば、
カーバメート系、例えば、アラニカルブ（Ｉ１）、アルジカルブ（Ｉ２）、ベンジオカルブ（Ｉ３）、ベンフラカルブ（Ｉ４）、ブトカルボキシム（Ｉ５）、ブトキシカルボキシム（Ｉ６）、カルバリル（Ｉ７）、カルボフラン（Ｉ８）、カルボスルファン（Ｉ９）、エチオフェンカルブ（Ｉ０）、フェノブカルブ（Ｉ１１）、ホルメタネート（Ｉ１２）、フラチオカルブ（Ｉ１３）、イソプロカルブ（Ｉ１４）、メチオカルブ（Ｉ１５）、メソミル（Ｉ１６）、メトルカルブ（Ｉ１７）、オキサミル（Ｉ１８）、ピリミカーブ（Ｉ１９）、プロポクスル（Ｉ２０）、チオジカルブ（Ｉ２１）、チオファノックス（Ｉ２２）、トリアザメート（Ｉ２３）、トリメタカルブ（Ｉ２４）、ＸＭＣ（Ｉ２５）、及び、キシリルカルブ（Ｉ２６）；又は、
有機リン酸エステル系、例えば、アセフェート（Ｉ２７）、アザメチホス（Ｉ２８）、アジンホス−エチル（Ｉ２９）、アジンホス−メチル（Ｉ３０）、カズサホス（Ｉ３１）、クロルエトキシホス（Ｉ３２）、クロルフェンビンホス（Ｉ３３）、クロルメホス（Ｉ３４）、クロルピリホス（Ｉ３５）、クロルピリホス−メチル（Ｉ３６）、クマホス（Ｉ３７）、シアノホス（Ｉ３８）、ジメトン−Ｓ−メチル（Ｉ３９）、ダイアジノン（Ｉ４０）、ジクロルボス／ＤＤＶＰ（Ｉ４１）、ジクロトホス（Ｉ４２）、ジメトエート（Ｉ４３）、ジメチルビンホス（Ｉ４４）、ダイスルホトン（Ｉ４５）、ＥＰＮ（Ｉ４６）、エチオン（Ｉ４７）、エトプロホス（Ｉ４８）、ファムフール（Ｉ４９）、フェナミホス（Ｉ５０）、フェニトロチオン（Ｉ５１）、フェンチオン（Ｉ５２）、ホスチアゼート（Ｉ５３）、ヘプテノホス（Ｉ５４）、イミシアホス（Ｉ５５）、イソフェンホス（Ｉ５６）、Ｏ−（メトキシアミノチオホスホリル）サリチル酸イソプロピル（Ｉ５７）、イソキサチオン（Ｉ５８）、マラチオン（Ｉ５９）、メカルバム（Ｉ６０）、メタミドホス（Ｉ６１）、メチダチオン（Ｉ６２）、メビンホス（Ｉ６３）、モノクロトホス（Ｉ６４）、ナレド（Ｉ６５）、オメトエート（Ｉ６６）、オキシジメトン−メチル（Ｉ６７）、パラチオン（Ｉ６８）、パラチオン−メチル（Ｉ６９）、フェントエート（Ｉ７０）、ホレート（Ｉ７１）、ホサロン（Ｉ７２）、ホスメット（Ｉ７３）、ホスファミドン（Ｉ７４）、ホキシム（Ｉ７５）、ピリミホス−メチル（Ｉ７６）、プロフェノホス（Ｉ７７）、プロペタムホス（Ｉ７８）、プロチオホス（Ｉ７９）、ピラクロホス（Ｉ８０）、ピリダフェンチオン（Ｉ８１）、キナルホス（Ｉ８２）、スルホテップ（Ｉ８３）、テブピリムホス（Ｉ８４）、テメホス（Ｉ８５）、テルブホス（Ｉ８６）、テトラクロルビンホス（Ｉ８７）、チオメトン（Ｉ８８）、トリアゾホス（Ｉ８９）、トリクロルホン（Ｉ９０）、及び、バミドチオン（Ｉ９１）；
（２）  ＧＡＢＡ制御塩化物チャンネル拮抗薬、例えば、
シクロジエン有機塩素系、例えば、クロルダン（Ｉ９２）、及び、エンドスルファン（Ｉ９３）；又は、
フェニルピラゾール系（フィプロール系）、例えば、エチプロール（Ｉ９４）、及び、フィプロニル（Ｉ９５）；
（３）  ナトリウムチャンネルモジュレーター／電位依存性ナトリウムチャンネル遮断薬、例えば、
ピレスロイド系、例えば、アクリナトリン（Ｉ９６）、アレスリン（Ｉ９７）、ｄ−シス−トランスアレスリン（Ｉ９８）、ｄ−トランスアレスリン（Ｉ９９）、ビフェントリン（Ｉ１００）、ビオアレスリン（Ｉ１０１）、ビオアレスリン  Ｓ−シクロペンテニル異性体（Ｉ１０２）、ビオレスメトリン（Ｉ１０３）、シクロプロトリン（Ｉ１０４）、シフルトリン（Ｉ１０５）、ベータ−シフルトリン（Ｉ１０６）、シハロトリン（Ｉ１０７）、ラムダ−シハロトリン（Ｉ１０８）、ガンマ−シハロトリン（Ｉ１０９）、シペルメトリン（Ｉ１１０）、アルファ−シペルメトリン（Ｉ１１１）、ベータ−シペルメトリン（Ｉ１１２）、シータ−シペルメトリン（Ｉ１１３）、ゼータ−シペルメトリン（Ｉ１１４）、シフェノトリン［（１Ｒ）−トランス異性体］（Ｉ１１５）、デルタメトリン（Ｉ１１６）、エムペントリン［（ＥＺ）−（１Ｒ）異性体］（Ｉ１１７）、エスフェンバレレート（Ｉ１１８）、エトフェンプロックス（Ｉ１１９）、フェンプロパトリン（Ｉ１２０）、フェンバレレート（Ｉ１２１）、フルシトリネート（Ｉ１２２）、フルメトリン（Ｉ１２３）、タウ−フルバリネート（Ｉ１２４）、ハルフェンプロックス（Ｉ１２５）、イミプロトリン（Ｉ１２６）、カデトリン（Ｉ１２７）、ペルメトリン（Ｉ１２８）、フェノトリン［（１Ｒ）−トランス異性体］（Ｉ１２９）、プラレトリン（Ｉ１３０）、ピレトリン（除虫菊（ｐｙｒｅｔｈｒｕｍ））（Ｉ１３１）、レスメトリン（Ｉ１３２）、シラフルオフェン（Ｉ１３３）、テフルトリン（Ｉ１３４）、テトラメトリン（Ｉ１３５）、テトラメトリン［（１Ｒ）異性体］（Ｉ１３６）、トラロメトリン（Ｉ１３７）、及び、トランスフルトリン（Ｉ１３８）；又は、ＤＤＴ（Ｉ１３９）；又は、メトキシクロル（Ｉ１４０）；
（４）  ニコチン性アセチルコリン受容体（ｎＡＣｈＲ）作動薬、例えば、
ネオニコチノイド系、例えば、アセタミプリド（Ｉ１４１）、クロチアニジン（Ｉ１４２）、ジノテフラン（Ｉ１４３）、イミダクロプリド（Ｉ１４４）、ニテンピラム（Ｉ１４５）、及び、チアクロプリド（Ｉ１４６）、及び、チアメトキサム（Ｉ１４７）；又は、ニコチン（Ｉ１４８）；又は、スルホキサフロル（Ｉ１４９）；
（５）  ニコチン性アセチルコリン受容体（ｎＡＣｈＲ）アロステリック活性化薬、例えば、
スピノシン系、例えば、スピネトラム（Ｉ１５０）、及び、スピノサド（Ｉ１５１）；
（６）  塩化物チャンネル活性化薬、例えば、
アベルメクチン系／ミルベマイシン系、例えば、アバメクチン（Ｉ１５２）、エマメクチン安息香酸塩（Ｉ１５３）、レピメクチン（Ｉ１５４）、及び、ミルベメクチン（Ｉ１５５）；
（７）  幼若ホルモンミミック、例えば、
幼若ホルモン類似体、例えば、ハイドロプレン（Ｉ１５６）、キノプレン（Ｉ１５７）、及び、メトプレン（Ｉ１５８）；又は、フェノキシカルブ（Ｉ１５９）；又は、ピリプロキシフェン（Ｉ１６０）；
（８）  種々の非特異的（多部位）阻害薬、例えば、
ハロゲン化アルキル系、例えば、臭化メチル（Ｉ１６１）、及び、別のハロゲン化アルキル；又は、クロロピクリン（Ｉ１６２）；又は、フッ化スルフリル（Ｉ１６３）；又は、ホウ砂（Ｉ１６４）；又は、吐酒石（Ｉ１６５）；
（９）  選択的同翅類摂食阻害薬、例えば、ピメトロジン（Ｉ１６６）；又は、フロニカミド（Ｉ１６７）；
（１０）  ダニ成長阻害薬、例えば、クロフェンテジン（Ｉ１６８）、ヘキシチアゾクス（Ｉ１６９）、及び、ジフロビダジン（Ｉ１７０）；又は、エトキサゾール（Ｉ１７１）；
（１１）  昆虫中腸膜の微生物ディスラプター、例えば、バシルス・ツリンギエンシス・亜種・イスラエレンシス（Ｂａｃｉｌｌｕｓ  ｔｈｕｒｉｎｇｉｅｎｓｉｓ  ｓｕｂｓｐｅｃｉｅｓ  ｉｓｒａｅｌｅｎｓｉｓ）（Ｉ１７２）、バシルス・ツリンギエンシス・亜種・アイザワイ（Ｂａｃｉｌｌｕｓ  ｔｈｕｒｉｎｇｉｅｎｓｉｓ  ｓｕｂｓｐｅｃｉｅｓ  ａｉｚａｗａｉ）（Ｉ１７３）、バシルス・ツリンギエンシス・亜種・クルスタキ（Ｂａｃｉｌｌｕｓ  ｔｈｕｒｉｎｇｉｅｎｓｉｓ  ｓｕｂｓｐｅｃｉｅｓ  ｋｕｒｓｔａｋｉ）（Ｉ１７４）、バシルス・ツリンギエンシス・亜種・テネブリオニス（Ｂａｃｉｌｌｕｓ  ｔｈｕｒｉｎｇｉｅｎｓｉｓ  ｓｕｂｓｐｅｃｉｅｓ  ｔｅｎｅｂｒｉｏｎｉｓ）（Ｉ１７５）、及び、昆虫中腸膜のＢ．ｔ．微生物ディスラプター、Ｂ．ｔ．作物タンパク質：Ｃｒｙ１Ａｂ、Ｃｒｙ１Ａｃ、Ｃｒｙ１Ｆａ、Ｃｒｙ１Ａ．１０５、Ｃｒｙ２Ａｂ、Ｖｉｐ３Ａ、ｍＣｒｙ３Ａ、Ｃｒｙ３Ａｂ、Ｃｒｙ３Ｂｂ、Ｃｒｙ３４Ａｂ１／３５Ａｂ１（Ｉ１７６）；又は、バシルス・スファエリクス（Ｂａｃｉｌｌｕｓ  ｓｐｈａｅｒｉｃｕｓ）（Ｉ１７７）；
（１２）  ミトコンドリアＡＴＰシンターゼの阻害薬、例えば、ジアフェンチウロン（Ｉ１７８）；又は、有機スズ系殺ダニ薬、例えば、アゾシクロチン（Ｉ１７９）、シヘキサチン（Ｉ１８０）、及び、酸化フェンブタスズ（Ｉ１８１）；又は、プロパルギット（Ｉ１８２）；又は、テトラジホン（Ｉ１８３）；
（１３）  プロトン勾配を破壊することによる酸化的リン酸化の脱共役剤、例えば、クロルフェナピル（Ｉ１８４）、ＤＮＯＣ（Ｉ１８５）、及び、スルフルラミド（Ｉ１８６）；
（１４）  ニコチン性アセチルコリン受容体（ｎＡＣｈＲ）チャンネル遮断薬、例えば、ベンスルタップ（Ｉ１８７）、カルタップ塩酸塩（Ｉ１８８）、チオシクラム（Ｉ１８９）、及び、チオスルタップ−ナトリウム（Ｉ１９０）；
（１５）  キチン生合成の阻害薬（タイプ０）、例えば、ビストリフルロン（Ｉ１９１）、クロルフルアズロン（Ｉ１９２）、ジフルベンズロン（Ｉ１９３）、フルシクロクスロン（Ｉ１９４）、フルフェノクスロン（Ｉ１９５）、ヘキサフルムロン（Ｉ１９６）、ルフェヌロン（Ｉ１９７）、ノバルロン（Ｉ１９８）、ノビフルムロン（Ｉ１９９）、テフルベンズロン（Ｉ２００）、及び、トリフルムロン（Ｉ２０１）；
（１６）  キチン生合成の阻害薬（タイプ１）、例えば、ブプロフェジン（Ｉ２０２）；
（１７）  脱皮撹乱剤（ｍｏｕｌｔｉｎｇ  ｄｉｓｒｕｐｔｏｒ）、例えば、シロマジン（Ｉ２０３）；
（１８）  エクジソン受容体作動薬、例えば、クロマフェノジド（Ｉ２０４）、ハロフェノジド（Ｉ２０５）、メトキシフェノジド（Ｉ２０６）、及び、テブフェノジド（Ｉ２０７）；
（１９）  オクトパミン受容体作動薬、例えば、アミトラズ（Ｉ２０８）；
（２０）  ミトコンドリア複合体ＩＩＩ電子伝達阻害薬、例えば、ヒドラメチルノン（Ｉ２０９）；又は、アセキノシル（Ｉ２１０）；又は、フルアクリピリム（Ｉ２１１）；
（２１）  ミトコンドリア複合体Ｉ電子伝達阻害薬、例えば、
ＭＥＴＩ殺ダニ剤、例えば、フェナザキン（Ｉ２１２）、フェンピロキシメート（Ｉ２１３）、ピリミジフェン（Ｉ２１４）、ピリダベン（Ｉ２１５）、テブフェンピラド（Ｉ２１６）、及び、トルフェンピラド（Ｉ２１７）；又は、ロテノン（Ｄｅｒｒｉｓ）（Ｉ２１８）；
（２２）  電位依存性ナトリウムチャンネル遮断薬、例えば、インドキサカルブ（Ｉ２１９）；又は、メタフルミゾン（Ｉ２２０）；
（２３）  アセチルＣｏＡカルボキシラーゼの阻害薬、例えば、
テトロン酸誘導体及びテトラミン酸誘導体、例えば、スピロジクロフェン（Ｉ２２１）、スピロメシフェン（Ｉ２２２）、及び、スピロテトラマト（Ｉ２２３）；
（２４）  ミトコンドリア複合体ＩＶ電子伝達阻害薬、例えば、
ホスフィン系、例えば、リン化アルミニウム（Ｉ２２４）、リン化カルシウム（Ｉ２２５）、ホスフィン（Ｉ２２６）、及び、リン化亜鉛（Ｉ２２７）；又は、シアン化物（Ｉ２２８）；
（２５）  ミトコンドリア複合体ＩＩ電子伝達阻害薬、例えば、
β−ケトニトリル誘導体、例えば、シエノピラフェン（Ｉ２２９）、及び、シフルメトフェン（Ｉ２３０）；
（２８）  リアノジン受容体モジュレーター、例えば、
ジアミド系、例えば、クロラントラニリプロール（Ｉ２３１）、シアントラニリプロール（Ｉ２３２）、及び、フルベンジアミド（Ｉ２３３）；
作用機序が知られていないか又は確定していないさらなる活性成分、例えば、アミドフルメト（Ｉ２３４）、アザジラクチン（Ｉ２３５）、ベンクロチアズ（Ｉ２３６）、ベンゾキシメート（Ｉ２３７）、ビフェナゼート（Ｉ２３８）、ブロモプロピレート（Ｉ２３９）、キノメチオナート（Ｉ２４０）、氷晶石（ｃｒｙｏｌｉｔｅ）（Ｉ２４１）、ジコホル（Ｉ２４２）、ジフロビダジン（Ｉ２４３）、フルエンスルホン（Ｉ２４４）、フルフェネリム（Ｉ２４５）、フルフィプロール（Ｉ２４６）、フルオピラム（Ｉ２４７）、フフェノジド（ｆｕｆｅｎｏｚｉｄｅ）（Ｉ２４８）、イミダクロチズ（Ｉ２４９）、イプロジオン（Ｉ２５０）、メペルフルトリン（Ｉ２５１）、ピリダリル（Ｉ２５２）、ピリフルキナゾン（Ｉ２５３）、テトラメチルフルトリン（Ｉ２５４）、及び、ヨードメタン（Ｉ２５５）；  バシルス・フィルムス（Ｂａｃｉｌｌｕｓ  ｆｉｒｍｕｓ）に基づくさらなる製品（これは、限定するものではないが、以下のものを包含する：株ＣＮＣＭ  Ｉ−１５８２、例えば、ＶＯＴｉＶＯＴＭ，  ＢｉｏＮｅｍ）（Ｉ２５６）、又は、以下の既知活性成分のうちの１種類：３−ブロモ−Ｎ−｛２−ブロモ−４−クロロ−６−［（１−シクロプロピル−エチル）カルバモイル］フェニル｝−１−（３−クロロピリジン−２−イル）−１Ｈ−ピラゾール−５−カルボキサミド（Ｉ２５７）（ＷＯ２００５／０７７９３４から既知）、４−｛［（６−ブロモピリジン−３−イル）メチル］（２−フルオロエチル）アミノ｝フラン−２（５Ｈ）−オン（Ｉ２５８）（ＷＯ２００７／１１５６４４から既知）、４−｛［（６−フルオロピリジン−３−イル）メチル］（２，２−ジフルオロエチル）アミノ｝フラン−２（５Ｈ）−オン（Ｉ２５９）（ＷＯ２００７／１１５６４４から既知）、４−｛［（２−クロロ−１，３−チアゾール−５−イル）メチル］（２−フルオロエチル）アミノ｝フラン−２（５Ｈ）−オン（Ｉ２６０）（ＷＯ２００７／１１５６４４から既知）、４−｛［（６−クロルピリジン−３−イル）メチル］（２−フルオロエチル）アミノ｝フラン−２（５Ｈ）−オン（Ｉ２６１）（ＷＯ２００７／１１５６４４から既知）、フルピラジフロン（ｆｌｕｐｙｒａｄｉｆｕｒｏｎｅ）（Ｉ２６２）、４−｛［（６−クロル−５−フルオロピリジン−３−イル）メチル］（メチル）アミノ｝−フラン−２（５Ｈ）−オン（Ｉ２６３）（ＷＯ２００７／１１５６４３から既知）、４−｛［（５，６−ジクロロピリジン−３−イル）メチル］（２−フルオロエチル）アミノ｝フラン−２（５Ｈ）−オン（Ｉ２６４）（ＷＯ２００７／１１５６４６から既知）、４−｛［（６−クロロ−５−フルオロピリジン−３−イル）メチル］（シクロプロピル）アミノ｝−フラン−２（５Ｈ）−オン（Ｉ２６５）（ＷＯ２００７／１１５６４３から既知）、４−｛［（６−クロロピリジン−３−イル）メチル］（シクロプロピル）アミノ｝フラン−２（５Ｈ）−オン（Ｉ２６６）（ＥＰ−Ａ−０５３９５８８から既知）、４−｛［（６−クロルピリジン−３−イル）メチル］（メチル）アミノ｝フラン−２（５Ｈ）−オン（Ｉ２６７）（ＥＰ−Ａ−０５３９５８８から既知）、｛［１−（６−クロロピリジン−３−イル）エ���ル］（メチル）オキシド−λ４−スルファニリデン｝−シアナミド（Ｉ２６８）（ＷＯ２００７／１４９１３４から既知）及びそのジアステレオマー｛［（１Ｒ）−１−（６−クロロピリジン−３−イル）エチル］（メチル）オキシド−λ４−スルファニリデン｝シアナミド（Ａ）（Ｉ２６９）及び｛［（１Ｓ）−１−（６−クロロピリジン−３−イル）エチル］（メチル）オキシド−λ４−スルファニリデン｝シアナミド（Ｂ）（Ｉ２７０）（同様に、ＷＯ２００７／１４９１３４から既知）、並びに、ジアステレオマー［（Ｒ）−メチル（オキシド）｛（１Ｒ）−１−［６−（トリフルオロメチル）ピリジン−３−イル］エチル｝−λ４−スルファニリデン］シアン−アミド（Ａ１）（Ｉ２７１）及び［（Ｓ）−メチル（オキシド）｛（１Ｓ）−１−［６−（トリフルオロメチル）ピリジン−３−イル］エチル｝−λ４−スルファニリデン］シアナミド（Ａ２）（Ｉ２７２）（ジアステレオマーＡの群と称される）（ＷＯ２０１０／０７４７４７、ＷＯ２０１０／０７４７５１から既知）、［（Ｒ）−メチル（オキシド）｛（１Ｓ）−１−［６−（トリフルオロメチル）ピリジン−３−イル］エチル｝−λ４−スルファニリデン］シアナミド（Ｂ１）（Ｉ２７３）及び［（Ｓ）−メチル（オキシド）｛（１Ｒ）−１−［６−（トリフルオロメチル）ピリジン−３−イル］エチル｝−λ４−スルファニリデン］シアナミド（Ｂ２）（Ｉ２７４）（ジアステレオマーＢの群と称される）（同様に、ＷＯ２０１０／０７４７４７、ＷＯ２０１０／０７４７５１から既知）、並びに、１１−（４−クロロ−２，６−ジメチルフェニル）−１２−ヒドロキシ−１，４−ジオキサ−９−アザジスピロ［４．２．４．２］テトラデカ−１１−エン−１０−オン（Ｉ２７５）（ＷＯ２００６／０８９６３３から既知）、３−（４’−フルオロ−２，４−ジメチルビフェニル−３−イル）−４−ヒドロキシ−８−オキサ−１−アザスピロ［４．５］デカ−３−エン−２−オン（Ｉ２７６）（ＷＯ２００８／０６７９１１から既知）、１−｛２−フルオロ−４−メチル−５−［（２，２，２−トリフルオロエチル）スルフィニル］フェニル｝−３−（トリフルオロメチル）−１Ｈ−１，２，４−トリアゾール−５−アミン（Ｉ２７７）（ＷＯ２００６／０４３６３５から既知）、アフィドピロペン  ［（３Ｓ，４ａＲ，１２Ｒ，１２ａＳ，１２ｂＳ）−３−［（シクロプロピルカルボニル）オキシ］−６，１２−ジヒドロキシ−４，１２ｂ−ジメチル−１１−オキソ−９−（ピリジン−３−イル）−１，３，４，４ａ，５，６，６ａ，１２，１２ａ，１２ｂ−デカヒドロ−２Ｈ，１１Ｈ−ベンゾ［ｆ］ピラノ［４，３−ｂ］クロメン−４−イル］メチル  シクロプロパン−カルボキシレート（Ｉ２７８）（ＷＯ２００８／０６６１５３から既知）、２−シアノ−３−（ジフルオロメトキシ）−Ｎ，Ｎ−ジメチルベンゼンスルホンアミド（Ｉ２７９）（ＷＯ２００６／０５６４３３から既知）、２−シアノ−３−（ジフルオロメトキシ）−Ｎ−メチルベンゼンスルホンアミド（Ｉ２８０）（ＷＯ２００６／１００２８８から既知）、２−シアノ−３−（ジフルオロメトキシ）−Ｎ−エチルベンゼンスルホンアミド（Ｉ２８１）（ＷＯ２００５／０３５４８６か���既知）、４−（ジフルオロメトキシ）−Ｎ−エチル−Ｎ−メチル−１，２−ベンゾチアゾール−３−アミン  １，１−ジオキシド（Ｉ２８２）（ＷＯ２００７／０５７４０７から既知）、Ｎ−［１−（２，３−ジメチルフェニル）−２−（３，５−ジメチルフェニル）エチル］−４，５−ジヒドロ−１，３−チアゾール−２−アミン（Ｉ２８３）（ＷＯ２００８／１０４５０３から既知）、｛１’−［（２Ｅ）−３−（４−クロロフェニル）プロパ−２−エン−１−イル］−５−フルオロスピロ［インドール−３，４’−ピペリジン］−１（２Ｈ）−イル｝（２−クロロピリジン−４−イル）メタノン（Ｉ２８４）（ＷＯ２００３／１０６４５７から既知）、３−（２，５−ジメチルフェニル）−４−ヒドロキシ−８−メトキシ−１，８−ジアザスピロ［４．５］デカ−３−エン−２−オン（Ｉ２８５）（ＷＯ２００９／０４９８５１から既知）、３−（２，５−ジメチルフェニル）−８−メトキシ−２−オキソ−１，８−ジアザスピロ［４．５］デカ−３−エン−４−イル  エチル  カルボネート（Ｉ２８６）（ＷＯ２００９／０４９８５１から既知）、４−（ブタ−２−イン−１−イルオキシ）−６−（３，５−ジメチルピペリジン−１−イル）−５−フルオロピリミジン（Ｉ２８７）（ＷＯ２００４／０９９１６０から既知）、（２，２，３，３，４，４，５，５−オクタフルオロペンチル）（３，３，３−トリフルオロプロピル）マロノニトリル（Ｉ２８８）（ＷＯ２００５／０６３０９４から既知）、（２，２，３，３，４，４，５，５−オクタフルオロペンチル）（３，３，４，４，４−ペンタフルオロ−ブチル）マロノニトリル（Ｉ２８９）（ＷＯ２００５／０６３０９４から既知）、８−［２−（シクロプロピルメトキシ）−４−（トリフルオロメチル）フェノキシ］−３−［６−（トリフルオロメチル）ピリダジン−３−イル］−３−アザビシクロ［３．２．１］オクタン（Ｉ２９０）（ＷＯ２００７／０４０２８０から既知）、フロメトキン（Ｉ２９１）、ＰＦ１３６４（ＣＡＳ−Ｒｅｇ．Ｎｏ．１２０４７７６−６０−２）（Ｉ２９２）（ＪＰ２０１０／０１８５８６から既知）、５−［５−（３，５−ジクロロフェニル）−５−（トリフルオロメチル）−４，５−ジヒドロ−１，２−オキサゾール−３−イル］−２−（１Ｈ−１，２，４−トリアゾール−１−イル）ベンゾニトリル（Ｉ２９３）（ＷＯ２００７／０７５４５９から既知）、５−［５−（２−クロロピリジン−４−イル）−５−（トリフルオロメチル）−４，５−ジヒドロ−１，２−オキサゾール−３−イル］−２−（１Ｈ−１，２，４−トリアゾール−１−イル）ベンゾ−ニトリル（Ｉ２９４）（ＷＯ２００７／０７５４５９から既知）、４−［５−（３，５−ジクロロフェニル）−５−（トリフルオロメチル）−４，５−ジヒドロ−１，２−オキサゾール−３−イル］−２−メチル−Ｎ−｛２−オキソ−２−［（２，２，２−トリフルオロ−エチル）アミノ］エチル｝ベンズアミド（Ｉ２９５）（ＷＯ２００５／０８５２１６から既知）、４−｛［（６−クロロピリジン−３−イル）メチル］（シクロプロピル）アミノ｝−１，３−オキサゾール−２（５Ｈ）−オン（Ｉ２９６）、４−｛［（６−クロロピリジン−３−イル）メチル］（２���２−ジフルオロエチル）アミノ｝−１，３−オキサゾール−２（５Ｈ）−オン（Ｉ２９７）、４−｛［（６−クロロピリジン−３−イル）メチル］（エチル）アミノ｝−１，３−オキサゾール−２（５Ｈ）−オン（Ｉ２９８）、４−｛［（６−クロロピリジン−３−イル）メチル］（メチル）アミノ｝−１，３−オキサゾール−２（５Ｈ）−オン（Ｉ２９９）（これらは、全て、ＷＯ２０１０／００５６９２から既知）、ピフルブミド  Ｎ−［４−（１，１，１，３，３，３−ヘキサフルオロ−２−メトキシプロパン−２−イル）−３−イソブチルフェニル］−Ｎ−イソブチリル−１，３，５−トリメチル−１Ｈ−ピラゾール−４−カルボキサミド（Ｉ３００）（ＷＯ２００２／０９６８８２から既知）、２−［２−（｛［３−ブロモ−１−（３−クロロピリジン−２−イル）−１Ｈ−ピラゾール−５−イル］カルボニル｝アミノ）−５−クロロ−３−メチルベンゾイル］−２−メチルヒドラジンカルボン酸メチル（Ｉ３０１）（ＷＯ２００５／０８５２１６から既知）、２−［２−（｛［３−ブロモ−１−（３−クロロピリジン−２−イル）−１Ｈ−ピラゾール−５−イル］カルボニル｝アミノ）−５−シアノ−３−メチルベンゾイル］−２−エチルヒドラジンカルボン酸メチル（Ｉ３０２）（ＷＯ２００５／０８５２１６から既知）、２−［２−（｛［３−ブロモ−１−（３−クロロピリジン−２−イル）−１Ｈ−ピラゾール−５−イル］カルボニル｝アミノ）−５−シアノ−３−メチルベンゾイル］−２−メチルヒドラジンカルボン酸メチル（Ｉ３０３）（ＷＯ２００５／０８５２１６から既知）、２−［３，５−ジブロモ−２−（｛［３−ブロモ−１−（３−クロロピリジン−２−イル）−１Ｈ−ピラゾール−５−イル］カルボニル｝アミノ）ベンゾイル］−１，２−ジエチルヒドラジンカルボン酸メチル（Ｉ３０４）（ＷＯ２００５／０８５２１６から既知）、２−［３，５−ジブロモ−２−（｛［３−ブロモ−１−（３−クロロピリジン−２−イル）−１Ｈ−ピラゾール−５−イル］カルボニル｝アミノ）−ベンゾイル］−２−エチルヒドラジンカルボン酸メチル（Ｉ３０５）（ＷＯ２００５／０８５２１６から既知）、（５ＲＳ，７ＲＳ；５ＲＳ，７ＳＲ）−１−（６−クロロ−３−ピリジルメチル）−１，２，３，５，６，７−ヘキサヒドロ−７−メ
チル−８−ニトロ−５−プロポキシイミダゾ［１，２−ａ］ピリジン（Ｉ３０６）（ＷＯ２００７／１０１３６９から既知）、２−｛６−［２−（５−フルオロピリジン−３−イル）−１，３−チアゾール−５−イル］ピリジン−２−イル｝ピリミジン（Ｉ３０７）（ＷＯ２０１０／００６７１３から既知）、２−｛６−［２−（ピリジン−３−イル）−１，３−チアゾール−５−イル］ピリジン−２−イル｝ピリミジン（Ｉ３０８）（ＷＯ２０１０／００６７１３から既知）、１−（３−クロロピリジン−２−イル）−Ｎ−［４−シアノ−２−メチル−６−（メチルカルバモイル）フェニル］−３−｛［５−（トリフルオロメチル）−１Ｈ−テトラゾール−１−イル］メチル｝−１Ｈ−ピラゾール−５−カルボキサミド（Ｉ３０９）（ＷＯ２０１０／０６９５０２から既知）、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミド（Ｉ３１０）（ＷＯ２０１０／０６９５０２から既知）、Ｎ−［２−（ｔｅｒｔ−ブチルカルバモイル）−４−シアノ−６−メチルフェニル］−１−（３−クロロピリジン−２−イル）−３−｛［５−（トリフルオロメチル）−１Ｈ−テトラゾール−１−イル］メチル｝−１Ｈ−ピラゾール−５−カルボキサミド（Ｉ３１１）（ＷＯ２０１０／０６９５０２から既知）、Ｎ−［２−（ｔｅｒｔ−ブチルカルバモイル）−４−シアノ−６−メチルフェニル］−１−（３−クロロピリジン−２−イル）−３−｛［５−（トリフルオロメチル）−２Ｈ−テトラゾール−２−イル］メチル｝−１Ｈ−ピラゾール−５−カルボキサミド（Ｉ３１２）（ＷＯ２０１０／０６９５０２から既知）、（１Ｅ）−Ｎ−［（６−クロロピリジン−３−イル）メチル］−Ｎ’−シアノ−Ｎ−（２，２−ジフルオロエチル）エタン−イミドアミド（Ｉ３１３）（ＷＯ２００８／００９３６０から既知）、Ｎ−［２−（５−アミノ−１，３，４−チアジアゾール−２−イル）−４−クロロ−６−メチルフェニル］−３−ブロモ−１−（３−クロロピリジン−２−イル）−１Ｈ−ピラゾール−５−カルボキサミド（Ｉ３１４）（ＣＮ１０２０５７９２５から既知）、及び、２−［３，５−ジブロモ−２−（｛［３−ブロモ−１−（３−クロロピリジン−２−イル）−１Ｈ−ピラゾール−５−イル］カルボニル｝アミノ）ベンゾイル］−２−エチル−１−メチルヒドラジンカルボン酸メチル（Ｉ３１５）（ＷＯ２０１１／０４９２３３から既知）。
【０１０６】
本発明の好ましい実施形態では、該殺虫剤は、合成殺虫剤である。本明細書中で使用される場合、用語「合成（ｓｙｎｔｈｅｔｉｃ）」は、天然源（例えば、植物、細菌又は別に生物）からは得られていない化合物を定義する。
【０１０７】
本発明の好ましい実施形態によれば、該殺虫剤は、以下のものからなる群から選択される：アバメクチン（Ｉ１５２）、アセフェート（Ｉ２７）、アセタミプリド（Ｉ１４１）、アクリナトリン（Ｉ９６）、アフィドピロペン（Ｉ２７８）、アルファ−シペルメトリン（Ｉ１１１）、アザジラクチン（Ｉ２３５）、バシルス・フィルムス（Ｂａｃｉｌｌｕｓ  ｆｉｒｍｕｓ）（Ｉ２５６）、ベータ−シフルトリン（Ｉ１０６）、ビフェントリン（Ｉ１００）、ブプロフェジン（Ｉ２０２）、クロチアニジン（Ｉ１４２）、クロラントラニリプロール（Ｉ２３１）、クロルフェナピル（Ｉ１８４）、クロルピリホス（Ｉ３５）、カルボフラン（Ｉ８）、シアントラニリプロール（Ｉ２３２）、シエノピラフェン（Ｉ２２９）、シフルメトフェン（Ｉ２３０）、シフルトリン（Ｉ１０５）、シペルメトリン（Ｉ１１０）、デルタメトリン（Ｉ１１６）、ジアフェンチウロン（Ｉ１７８）、ジノテフラン（Ｉ１４３）、エマメクチン安息香酸塩（Ｉ１５３）、エチプロール（Ｉ９４）、フェンピロキシメート（Ｉ２１３）、フィプロニル（Ｉ９５）、フロメトキン（Ｉ２９１）、フロニカミド（Ｉ１６７）、フルベンジアミド（Ｉ２３３）、フルエンスルホン（Ｉ２４４）、フルオピラム（Ｉ２４７）、フルピラジフロン（Ｆｌｕｐｙｒａｄｉｆｕｒｏｎｅ）（Ｉ２６２）、ガンマ−シハロトリン（Ｉ１０９）、イミダクロプリド（Ｉ１４４）、インドキサカルブ（Ｉ２１９）、ラムダ−シハロトリン（Ｉ１０８）、ルフェヌロン（Ｉ１９７）、メタフルミゾン（Ｉ２２０）、メチオカルブ（Ｉ１５）、メトキシフェノジド（Ｉ２０６）、ミルベメクチン（Ｉ１５５）、プロフェノホス（Ｉ７７）、ピフルブミド（Ｉ３００）、ピメトロジン（Ｉ１６６）、ピリフルキナゾン（Ｉ２５３）、スピネトラム（Ｉ１５０）、スピノサド（Ｉ１５１）、スピロジクロフェン（Ｉ２２１）、スピロメシフェン（Ｉ２２２）、スピロテトラマト（Ｉ２２３）、スルホキサフロル（Ｉ１４９）、テブフェンピラド（Ｉ２１６）、テフルトリン（Ｉ１３４）、チアクロプリド（Ｉ１４６）、チアメトキサム（Ｉ１４７）、チオジカルブ（Ｉ２１）、トリフルムロン（Ｉ２０１）、１−（３−クロロピリジン−２−イル）−Ｎ−［４−シアノ−２−メチル−６−（メチルカルバモイル）フェニル］−３−｛［５−（トリフルオロメチル）−１Ｈ−テトラゾール−１−イル］メチル｝−１Ｈ−ピラゾール−５−カルボキサミド（Ｉ３０９）（ＷＯ２０１０／０６９５０２から既知）、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミド（Ｉ３１０）（ＷＯ２０１０／０６９５０２から既知）、及び、１−｛２−フルオロ−４−メチル−５−［（２，２，２−トリフルオロエチル）スルフィニル］フェニル｝−３−（トリフルオロメチル）−１Ｈ−１，２，４−トリアゾール−５−アミン（Ｉ２７７）、アフィドピロペン（Ｉ２７８）。
【０１０８】
本発明の一実施形態では、該殺虫剤（例えば、種子処理用の殺虫剤）は、以下のものからなる群から選択される：アバメクチン（Ｉ１５２）、カルボフラン（Ｉ８）、クロチアニジン（Ｉ１４２）、シアジピル（Ｃｙａｚｙｐｙｒ）、シクロキサプリド（Ｃｙｃｌｏｘａｐｒｉｄ）、シペルメトリン（Ｉ１１０）、エチプロール（Ｉ９４）、フィプロニル（Ｉ９５）、フルオピラム（Ｉ２４７）、イミダクロプリド（Ｉ１４４）、メチオカルブ（Ｉ１５）、リナキシピル（Ｒｙｎａｘｙｐｙｒ）、スピノサド（Ｉ１５１）、スルホキサフロル（Ｉ１４９）、テフルトリン（Ｉ１３４）、チアメトキサム（Ｉ１４７）、チオジカルブ（Ｉ２１）。
【０１０９】
さらなる添加剤
本発明の１態様は、増量剤、溶媒、自発性促進剤（ｓｐｏｎｔａｎｅｉｔｙ  ｐｒｏｍｏｔｅｒ）、担体、乳化剤、分散剤、凍結防止剤（ｆｒｏｓｔ  ｐｒｏｔｅｃｔａｎｔ）、増粘剤及びアジュバントからなる群から選択される少なくとも１種類の補助剤を付加的に含んでいる上記で記載した組成物を提供することである。そのような組成物は、製剤と称される。
【０１１０】
従って、本発明の１態様において、本発明の組成物を含んでいる、作物保護剤及び／又は殺有害生物剤としての、製剤及びその製剤から調製される施用形態〔例えば、潅注液、滴下液及び噴霧液〕が提供される。該施用形態は、例えば、さらなる作物保護剤、及び／又は、殺有害生物剤、及び／又は、活性増強用アジュバント〔例えば、浸透剤（例えば、植物油（例えば、ナタネ油、ヒマワリ油）、鉱油（例えば、流動パラフィン）、植物性脂肪酸のアルキルエステル（例えば、ナタネ油メチルエステル又はダイズ油メチルエステル）、又は、アルカノールアルコキシレート）、及び／又は、展着剤（例えば、アルキルシロキサン及び／又は塩（例えば、有機又は無機のアンモニウム塩又はホスホニウム塩、例えば、硫酸アンモニウム又はリン酸水素二アンモニウム））、及び／又は、保持促進剤（ｒｅｔｅｎｔｉｏｎ  ｐｒｏｍｏｔｅｒ）（例えば、スルホコハク酸ジオクチル又はヒドロキシプロピルグアーポリマー）、及び／又は、湿潤剤（例えば、グリセロール）、及び／又は、肥料（例えば、アンモニウム肥料、カリウム肥料又はリン肥料）〕を含有することができる。
【０１１１】
典型的な製剤の例としては、以下のものなどがある：水溶性液剤（ＳＬ）、乳剤（ＥＣ）、水中油型エマルション剤（ＥＷ）、懸濁製剤（ＳＣ、ＳＥ、ＦＳ、ＯＤ）、顆粒水和剤（ＷＧ）、顆粒剤（ＧＲ）、及び、カプセル製剤（ｃａｐｓｕｌｅ  ｃｏｎｃｅｎｔｒａｔｅｓ）（ＣＳ）；これらのタイプの製剤及び別の可能なタイプの製剤は、例えば、「Ｃｒｏｐ  Ｌｉｆｅ  Ｉｎｔｅｒｎａｔｉｏｎａｌ」によって、及び、「Ｐｅｓｔｉｃｉｄｅ  Ｓｐｅｃｉｆｉｃａｔｉｏｎｓ，  Ｍａｎｕａｌ  ｏｎ  ｄｅｖｅｌｏｐｍｅｎｔ  ａｎｄ  ｕｓｅ  ｏｆ  ＦＡＯ  ａｎｄ  ＷＨＯ  ｓｐｅｃｉｆｉｃａｔｉｏｎｓ  ｆｏｒ  ｐｅｓｔｉｃｉｄｅｓ，  ＦＡＯ  Ｐｌａｎｔ  Ｐｒｏｄｕｃｔｉｏｎ  ａｎｄ  Ｐｒｏｔｅｃｔｉｏｎ  Ｐａｐｅｒｓ  −  １７３，  ｐｒｅｐａｒｅｄ  ｂｙ  ｔｈｅ  ＦＡＯ／ＷＨＯ  Ｊｏｉｎｔ  Ｍｅｅｔｉｎｇ  ｏｎ  Ｐｅｓｔｉｃｉｄｅ  Ｓｐｅｃｉｆｉｃａｔｉｏｎｓ，  ２００４，  ＩＳＢＮ：  ９２５１０４８５７６」に記載されている。該製剤は、本発明の１種類以上の活性化合物以外の農薬活性化合物を含有することができる。
【０１１２】
当該製剤又は施用形態は、好ましくは、例えば、補助剤、例えば、増量剤、溶媒、自発性促進剤（ｓｐｏｎｔａｎｅｉｔｙ  ｐｒｏｍｏｔｅｒ）、担体、乳化剤、分散剤、凍結防止剤（ｆｒｏｓｔ  ｐｒｏｔｅｃｔａｎｔ）、殺生物剤、増粘剤及び／又は他の補助剤（例えば、アジュバント）などを含有する。これに関連して、アジュバントは、製剤の生物学的効果を増強する成分であって、その成分自体が生物学的効果を有することはない。アジュバントの例は、葉の表面への保持、拡展（ｓｐｒｅａｄｉｎｇ）、付着を促進する作用物質又は浸透を促進する作用物質である。
【０１１３】
これらの製剤は、既知方法で、例えば、該活性化合物を補助剤（例えば、増量剤、溶媒及び／又は固形担体）、及び／又は、さらなる補助剤（例えば、界面活性剤）と混合させることによって、製造する。そのような製剤は、適切なプラントで調製するか、又は、施用前若しくは施用中に調製する。
【０１１４】
補助剤として使用するのに適しているものは、当該活性化合物の製剤又はそのような製剤から調製された施用形態（例えば、使用に適した作物保護剤、例えば、散布液又は種子粉衣）に、特定の特性、例えば、特定の物理的特性、技術的特性及び／又生物学的特性などを、付与するのに適している物質である。
【０１１５】
適切な増量剤は、例えば、水、並びに、極性及び非極性の有機化学的液体、例えば、以下の種類から選択されるものである：芳香族及び非芳香族の炭化水素類（例えば、パラフィン類、アルキルベンゼン類、アルキルナフタレン類、クロロベンゼン類）、アルコール類及びポリオール類（これらは、適切な場合には、置換されていてもよく、エーテル化されていてもよく、及び／又は、エステル化されていてもよい）、ケトン類（例えば、アセトン、シクロヘキサノン）、エステル類（これは、脂肪類及び油類を包含する）及び（ポリ）エーテル類、置換されていない及び置換されているアミン類、アミド類、ラクタム類（例えば、Ｎ−アルキルピロリドン類）及びラクトン類、スルホン類及びスルホキシド類（例えば、ジメチルスルホキシド）。
【０１１６】
使用する増量剤が水である場合、例えば有機溶媒を補助溶媒として使用することもできる。本質的に、適する液体溶媒は、芳香族化合物、例えば、キシレン、トルエン又はアルキルナフタレン類、塩素化芳香族化合物又は塩素化脂肪族炭化水素、例えば、クロロベンゼン類、クロロエチレン類又は塩化メチレン、脂肪族炭化水素、例えば、シクロヘキサン又はパラフィン類、例えば、石油留分、鉱油及び植物油、アルコール類、例えば、ブタノール又はグリコールとそれらのエーテル及びエステル、ケトン類、例えば、アセトン、メチルエチルケトン、メチルイソブチルケトン又はシクロヘキサノン、強極性溶媒、例えば、ジメチルホルムアミド及びジメチルスルホキシドなどであり、さらに、水も適している。
【０１１７】
原則として、適切な全ての溶媒を使用することが可能である。適切な溶媒は、例えば、芳香族炭化水素、例えば、キシレン、トルエン又はアルキルナフタレン類、例えば、塩素化芳香族炭化水素又は塩素化脂肪族炭化水素、例えば、クロロベンゼン、クロロエチレン又は塩化メチレン、例えば、脂肪族炭化水素、例えば、シクロヘキサン、例えば、パラフィン類、石油留分、鉱油及び植物油、アルコール類、例えば、メタノール、エタノール、イソプロパノール、ブタノール又はグリコール、例えば、及び、さらに、それらのエーテル及びエステル、ケトン類、例えば、アセトン、メチルエチルケトン、メチルイソブチルケトン又はシクロヘキサノン、例えば、強極性溶媒、例えば、ジメチルスルホキシド、及び、水である。
【０１１８】
原則として、適切な全ての担体を使用することが可能である。適切な担体は、特に、以下のものである：例えば、アンモニウム塩、及び、粉砕された天然鉱物、例えば、カオリン、クレー、タルク、チョーク、石英、アタパルジャイト、モンモリロナイト又はケイ藻土、及び、粉砕された合成鉱物、例えば、微粉化シリカ、アルミナ及び天然シリケート又は合成シリケート、樹脂、蝋、及び／又は、固形肥料。そのような担体の混合物も使用することができる。粒剤に適している担体としては、以下のものを挙げることができる：例えば、粉砕して分別した天然鉱物、例えば、方解石、大理石、軽石、海泡石、苦灰岩、並びに、無機及び有機の粗挽き粉からなる合成顆粒、並びに、さらに、有機材料（例えば、おがくず、紙、ココナッツ殻、トウモロコシ穂軸及びタバコの葉柄など）からなる顆粒。
【０１１９】
液化ガスの増量剤又は溶媒を使用することも可能である。特に適しているものは、標準温度及び標準圧力下では気体である増量剤又は担体であり、その例は、エーロゾル噴射剤、例えば、ハロゲン化炭化水素類、並びに、さらに、ブタン、プロパン、窒素及び二酸化炭素である。
【０１２０】
イオン特性若しくは非イオン特性を有する乳化剤及び／若しくは泡形成剤、分散剤又は湿潤剤の例、又は、これらの界面活性物質の混合物は、以下のものである：ポリアクリル酸の塩、リグノスルホン酸の塩、フェノールスルホン酸若しくはナフタレンスルホン酸の塩、エチレンオキシドと脂肪アルコールの重縮合物若しくはエチレンオキシドと脂肪酸の重縮合物若しくはエチレンオキシドと脂肪アミンの重縮合物、置換されているフェノール（好ましくは、アルキルフェノール又はアリールフェノール）の重縮合物、スルホコハク酸エステルの塩、タウリン誘導体（好ましくは、アルキルタウレート）、ポリエトキシ化アルコールのリン酸エステル若しくはポリエトキシ化フェノールのリン酸エステル、ポリオールの脂肪酸エステル、並びに、硫酸アニオン、スルホン酸アニオン及びリン酸アニオンを含んでいる該化合物の誘導体であり、その例は、アルキルアリールポリグリコールエーテル類、アルキルスルホネート類、アルキルスルフェート類、アリールスルホネート類、タンパク質加水分解物、リグニンスルファイト廃液、及び、メチルセルロースである。該活性化合物のうちの１種類及び／又は該不活性担体のうちの１種類が水に溶解せず且つ施用が水で行われる場合は、界面活性物質を存在させることが有利である。
【０１２１】
該製剤及びその製剤から誘導される施用形態の中に存在させることができるさらなる補助剤としては、着色剤、例えば、無機顔料、例えば、酸化鉄、酸化チタン及びプルシアンブルー（Ｐｒｕｓｓｉａｎ  Ｂｌｕｅ）、並びに、有機染料、例えば、アリザリン染料、アゾ染料及び金属フタロシアニン染料、並びに、栄養素及び微量栄養素、例えば、鉄塩、マンガン塩、ホウ素塩、銅塩、コバルト塩、モリブデン塩及び亜鉛塩などを挙げることができる。
【０１２２】
安定剤（例えば、低温安定剤）、防腐剤、酸化防止剤、光安定剤、又は、化学的及び／若しくは物理的安定性を向上させる別の作用剤も存在させることができる。さらに、泡形成剤又は消泡剤も存在させることができる。
【０１２３】
さらに、該製剤及びその製剤から誘導される施用形態には、付加的な補助剤として、固着剤、例えば、カルボキシメチルセルロース、並びに、粉末又は顆粒又はラテックスの形態にある天然ポリマー及び合成ポリマー、例えば、アラビアゴム、ポリビニルアルコール、ポリ酢酸ビニル、並びに、さらに、天然リン脂質、例えば、セファリン及びレシチン、及び、合成リン脂質なども含ませることができる。可能なさらなる補助剤としては、鉱油及び植物油などがある。
【０１２４】
該製剤及びその製剤から誘導される施用形態の中には、場合により、さらなる補助剤も存在させることができる。そのような添加剤の例としては、芳香物質、保護コロイド、結合剤、接着剤、増粘剤、揺変性物質、浸透剤、保持促進剤、安定化剤、金属イオン封鎖剤、錯化剤、湿潤剤及び展着剤などがある。一般的にいえば、該活性化合物は、製剤を目的として一般的に使用される固体又は液体の任意の添加剤と組み合わせることができる。
【０１２５】
適切な保持促進剤には、例えば、動的表面張力を低減させる全ての物質（例えば、スルホコハク酸ジオクチル）又は粘弾性を増大させる全ての物質（例えば、ヒドロキシプロピルグアーポリマー）が包含される。
【０１２６】
本発明に関連して、適切な浸透剤には、植物体内への農薬活性化合物の浸透を増大させるために典型的に使用される全ての物質が包含される。これに関連して、浸透剤は、それらが、（一般には、水性の）施用液から、及び／又は、散布による被膜から、植物のクチクラの中に浸透し、それによって、活性化合物のクチクラ内での移動性を増強することができる能力によって定義される。この特性は、文献（Ｂａｕｒ  ｅｔ  ａｌ．，  １９９７，  Ｐｅｓｔｉｃｉｄｅ  Ｓｃｉｅｎｃｅ  ５１，  １３１−１５２）に記載されている方法を用いて、確認することができる。その例としては、例えば、アルコールアルコキシレート、例えば、ココナッツ脂肪エトキシレート（ｃｏｃｏｎｕｔ  ｆａｔｔｙ  ｅｔｈｏｘｙｌａｔｅ）（１０）若しくはイソトリデシルエトキシレート（１２）、脂肪酸エステル、例えば、ナタネ油メチルエステル若しくはダイズ油メチルエステル、脂肪アミンアルコキシレート、例えば、獣脂アミンエトキシレート（１５）、又は、アンモニウム塩及び／若しくはホスホニウム塩、例えば、硫酸アンモニウム若しくはリン酸水素二アンモニウムなどを挙げることができる。
【０１２７】
該製剤は、その製剤の重量に基づいて、好ましくは、０．０００１重量％〜９８重量％の活性化合物を含んでおり、又は、特に好ましくは、０．０１重量％〜９５重量％の活性化合物を含んでおり、さらに好ましくは、０．５重量％〜９０重量％の活性化合物を含んでいる。活性化合物の含有量は、ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と、さらなる生物的防除剤及び／若しくは個々の株を識別する全ての特性を有しているその突然変異体並びに／又は昆虫類、ダニ類、線虫類及び／若しくは植物病原体に対して活性を示す個々の株によって産生される少なくとも１種類の代謝産物、並びに、存在する場合には、殺菌剤及び／又は殺虫剤、の総量であると定義される。
【０１２８】
該製剤から調製された施用形態（作物保護製品）の活性化合物含有量は、広い範囲内でさまざまであり得る。該施用形態の活性化合物の濃度は、その施用形態の重量に基づいて、典型的には、０．０００１重量％〜９５重量％の活性化合物、好ましくは、０．０００１重量％〜１重量％の活性物質であり得る。施用は、その施用形態に適合させた慣習的な方法で行う。
【０１２９】
さらに、本発明の１態様において、キット・オブ・パーツが提供され、ここで、該キット・オブ・パーツは、ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と、少なくとも１種類のさらなる生物的防除剤及び／若しくは個々の株を識別する全ての特性を有しているその突然変異体、並びに／又は、昆虫類、ダニ類、線虫類及び／若しくは植物病原体に対して活性を示す個々の株によって産生される少なくとも１種類の代謝産物を、相乗的に有効な量で、空間的に分離された配置で含んでいる。
【０１３０】
本発明のさらなる実施形態では、上記キット・オブ・パーツは、さらに、少なくとも１種類の付加的な殺菌剤及び／又は少なくとも１種類の殺虫剤を含んでいるが、但し、ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕、殺虫剤及び殺菌剤は、同一ではない。該殺菌剤及び／又は該殺虫剤は、当該キット・オブ・パーツのストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕のコンポーネントの中に存在させることができるか、又は、当該キット・オブ・パーツの空間的に分離されたさらなる生物的防除剤（Ｉ）のコンポーネントの中に存在させることができるか、又は、それらの両方のコンポーネントの中に存在させることができる。好ましくは、該殺菌剤及び／又は該殺虫剤は、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤のコンポーネントの中に存在させる。殺虫剤と殺菌剤は、異なったコンポーネントの中に存在させることができる。例えば、殺菌剤をストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕のコンポーネントの中に存在させ、及び、殺虫剤をさらなる生物的防除剤のコンポーネントの中に存在させることができ、その逆も可能である。
【０１３１】
さらに、本発明によるキット・オブ・パーツには、付加的に、以下で挙げられている増量剤、溶媒、自発性促進剤（ｓｐｏｎｔａｎｅｉｔｙ  ｐｒｏｍｏｔｅｒ）、担体、乳化剤、分散剤、凍結防止剤（ｆｒｏｓｔ  ｐｒｏｔｅｃｔａｎｔ）、増粘剤及びアジュバントからなる群から選択される少なくとも１種類の補助剤も含ませることができる。この少なくとも１種類の補助剤は、当該キット・オブ・パーツのストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤のコンポーネントの中に存在させることができるか、又は、当該キット・オブ・パーツの空間的に分離されたさらなる生物的防除剤のコンポーネントの中に存在させることができるか、又は、それらの両方のコンポーネントの中に存在させることができる。
【０１３２】
本発明の別の態様において、上記で記載されている組成物は、昆虫類、ダニ類、線虫類及び／又は植物病原体に起因する植物及び植物の部分の全体的な損傷並びに収穫された果実又は野菜における損失を低減させるために使用される。
【０１３３】
さらにまた、本発明の別の態様において、上記で記載されている組成物は、植物の全体的な健康を増進させる。
【０１３４】
用語「植物の健康」は、一般に、有害生物の防除には関連しない植物の種々の改善を包含する。例えば、挙げることができる有利な特性は、以下のものを包含する改善された作物特性である：出芽、作物収量、タンパク質含有量、オイル含有量、デンプン含有量、より発達した根系、改善された根の成長、改善された根の寸法の維持、改善された根の有効性、改善されたストレス耐性（例えば、渇水、熱、塩、紫外線、水、低温などに対する耐性）、低減されたエチレン（低減された産生及び／又は受容の阻害）、分げつの増加、植物草丈の増大、増大された葉身、低減された枯れた根出葉、強化された分げつ、向上した葉の緑色、色素含有量、光合成活性、低減された必要供給量（例えば、肥料又は水）、低減された必要とされる種子、より多い生産的な分げつ、より早い開花、穀物のより早い成熟、低減された植物バース（ｖｅｒｓｅ）（倒伏）、苗条の増大された成長、植物の強化された活力、植物の増大された株立ち本数、並びに、より早い及びより良好な発芽。
【０１３５】
本発明による使用に関して、植物の改善された健康は、好ましくは、以下のものを包含する改善された植物特性を意味する：作物収量、より発達した根系（改善された根の成長）、改善された根の寸法の維持、改善された根の有効性、分げつの増加、植物草丈の増大、増大された葉身、低減された枯れた根出葉、強化された分げつ、向上した葉の緑色、光合成活性、より多い生産的な分げつ、植物の強化された活力、及び、植物の増大された株立ち本数。
【０１３６】
本発明に関連して、植物の改善された健康は、好ましくは、特に、作物収量、より発達した根系、改善された根の成長、改善された根の寸法の維持、改善された根の有効性、分げつの増加及び植物草丈の増大から選択される植物の改善された特性を意味する。
【０１３７】
本明細書中で定義されている植物の健康に対する本発明による組成物の効果は、同じ環境条件下で成育させた植物群を比較することによって確認することが可能であり、その際、その植物群の一部分を本発明による組成物で処理し、そして、その植物群の別の部分は本発明による組成物で処理しない。あるいは、その別の部分を、全く処理しないか、又は、プラセボで処理する〔即ち、本発明による組成物なしで施用する、例えば、全ての活性成分なしで（即ち、本明細書中に記載されているストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕なしで、且つ、本明細書中に記載されているさらなる生物的防除剤なしで）施用する、又は、本明細書中に記載されているストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕なしで施用する、又は、本明細書中に記載されているさらなる生物的防除剤なしで施用する〕。
【０１３８】
本発明による組成物は、任意の望ましい方法で（例えば、種子粉衣の形態で、土壌潅注の形態で、及び／又は、畝間に直接的に、及び／又は、茎葉散布として）施用することが可能であり、そして、発生前、発生後又はその両方で施用することができる。即ち、該組成物は、種子、植物若しくは収穫された果実及び野菜に対して施用し得るか、又は、植物がそこで成育してるか若しくは植物がそこで成育するのが望ましい土壌（植物の成育場所）に施用し得る。
【０１３９】
植物及び植物の部分の全体的な損傷を低減させることで、多くの場合、植物はより健康になり、並びに／又は、植物の活力及び収穫量が増大する。
【０１４０】
好ましくは、本発明による組成物は、慣習的な植物又はトランスジェニック植物又はそれらの種子を処理するために使用する。
【０１４１】
本発明の別の態様において、昆虫類、ダニ類、線虫類及び／又は植物病原体に起因する植物及び植物の部分の全体的な損傷並びに収穫された果実若しくは野菜における損失を低減させる方法が提供され、ここで、該方法は、ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び少なくとも１種類のさらなる生物的防除剤を相乗的に有効な量で、同時に又は順次に施用する段階を含んでいる。
【０１４２】
本発明の方法の好ましい実施形態では、該組成物は、さらに、少なくとも１種類の殺菌剤も含んでいる。
【０１４３】
好ましくは、該少なくとも１種類の殺菌剤は、合成殺菌剤である。さらに好ましくは、該殺菌剤は、上記で記載した殺菌剤の群から選択される。
【０１４４】
好ましい別の実施形態では、該組成物は、該殺菌剤に加えて、又は、該殺菌剤の代わりに、少なくとも１種類の殺虫剤も含んでいるが、但し、該殺虫剤、該殺菌剤及び該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕は、同一ではない。
【０１４５】
好ましくは、該少なくとも１種類の殺虫剤は、合成殺虫剤である。さらに好ましくは、該殺虫剤は、上記で記載した殺虫剤の群から選択される。
【０１４６】
本発明の方法は、以下の施用方法を包含する。即ち、上記で記載されている該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と該少なくとも１種類のさらなる生物的防除剤の両方を農業上許容される貯蔵期間を有する単一の安定な組成物〔所謂、「単独製剤（ｓｏｌｏ−ｆｏｒｍｕｌａｔｉｏｎ）」〕に製剤することができるか、又は、使用前若しくは使用時に組み合わせる〔所謂、「組み合わされた製剤（ｃｏｍｂｉｎｅｄ−ｆｏｒｍｕｌａｔｉｏｎｓ）」〕。
【０１４７】
特に別途言及されていない限り、表現「組合せ」は、単独製剤の中の、単一の「レディーミックス」形態の中の、単独製剤で構成されている組み合わされたスプレー混合物（例えば、「タンクミックス」）の中の、及び、特に、順次的に〔即ち、適度に短い期間（例えば、数時間又は数日間、例えば、２時間〜７日間）の範囲内で順々に〕施用された場合の単一の活性成分の組合せ使用における、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と該少なくとも１種類のさらなる生物的防除剤と場合により該少なくとも１種類の殺菌剤及び／又は該少なくとも１種類の殺虫剤のさまざまな組合せを意味する。本発明による組成物を施用する順番は、本発明の実施に関して重要でない。従って、用語「組合せ」は、例えば、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤及び場合により該少なくとも１種類の殺菌剤及び／又は該少なくとも１種類の殺虫剤を同時に又は連続して植物、その周囲、生息環境又は貯蔵空間に施用した後における、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤及び場合により該少なくとも１種類の殺菌剤及び／又は該少なくとも１種類の殺虫剤の処理される植物の表面上若しくは内部又は処理される植物の周囲、生息環境若しくは貯蔵空間における存在も包含する。
【０１４８】
該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤及び場合により該少なくとも１種類の殺菌剤及び／又は該少なくとも１種類の殺虫剤を順次的な方法で利用又は使用する場合、植物又は植物の部分（これは、種子及び種子から発生した植物を包含する）、収穫された果実及び野菜を以下の方法に従って処理するのが好ましい：第１に、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び場合により該少なくとも１種類の殺菌剤及び／又は該少なくとも１種類の殺虫剤を植物又は植物の部分に施用し、そして、第２に、該さらなる生物的防除剤を同じ植物又は植物の部分に施用する。この施用方法によって、収穫時の植物の表面上における殺虫剤／殺菌剤の残留量が可能な限り少なくなる。（作物）成長サイクルの範囲内における第１の施用と第２の施用の間の期間は、さまざまであることができ、達成しようとする効果に依存する。例えば、第１の施用を、植物若しくは植物の部分における昆虫類、ダニ類、線虫類及び／若しくは植物病原体の発生を予防するために（これは、特に、種子を処理する場合）実施するか、又は、昆虫類、ダニ類、線虫類及び／若しくは植物病原体の発生を駆除するために（これは、特に、植物又は植物の部分を処理する場合）実施し、そして、第２の施用を、昆虫類、ダニ類、線虫類及び／又は植物病原体の発生を予防又は防除するために実施する。これに関連して、防除は、該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤が有害生物又は植物病原性菌類を完全には駆除することができないが、それらの発生を許容可能なレベルに維持することができるということを意味している。
【０１４９】
本発明は、さらに、複数回施用することによって本発明の組成物の殺有害生物活性、阻害活性、予防活性及び／又は忌避活性を強化する方法も提供する。一部の別の実施形態では、任意の望ましい発育段階中に、又は、任意の所定の有害生物圧の下で、約１時間、約５時間、約１０時間、約２４時間、約２日間、約３日間、約４日間、約５日間、約１週間、約１０日間、約２週間、約３週間、約１ヶ月間又はそれ以上の間隔で、植物及び／又は植物の部分に本発明の組成物を２回施用する。さらに、一部の実施形態では、任意の望ましい発育段階中に、又は、任意の所定の有害生物圧の下で、約１時間、約５時間、約１０時間、約２４時間、約２日間、約３日間、約４日間、約５日間、約１週間、約１０日間、約２週間、約３週間、約１ヶ月間又はそれ以上の間隔で、植物及び／又は植物の部分に本発明の組成物を３回以上（例えば、３回、４回、５回、６回、７回、８回、９回、１０回、又は、それ以上）施用する。各施用の間の間隔は、望ましい場合には、変えることができる。当業者は、植物種、植物有害生物種及び他の要因に応じて、施用回数及び間隔の長さを決定することができる。
【０１５０】
前記段階に従うことによって、処理された植物、植物の部分並びに収穫された果実及び野菜における該生物的防除剤及び場合により少なくとも１種類の殺菌剤及び／又は少なくとも１種類の殺虫剤の残留の極めて低いレベルを達成することができる。
【０１５１】
特に別途記載されていない限り、本発明の組成物による植物又は植物の部分（これは、種子及びその種子から発芽した植物を包含する）、収穫された果実及び野菜の処理は、慣習的な処理方法、例えば、浸漬、散布、噴霧、潅漑、気化、散粉、煙霧、ばらまき、泡状化、塗布、拡散（ｓｐｒｅａｄｉｎｇ−ｏｎ）、潅水（潅注（ｄｒｅｎｃｈｉｎｇ））、点滴潅漑などを用いて、直接的に行うか、又は、それらの周囲、生息環境若しくは貯蔵空間に作用させることにより行う。さらに、該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤、該少なくとも１種類のさらなる生物的防除剤並びに場合により該少なくとも１種類の殺菌剤及び／又は少なくとも１種類の殺虫剤を、単独製剤若しくは組み合わされた製剤として、微量散布法（ｕｌｔｒａ−ｌｏｗ  ｖｏｌｕｍｅ  ｍｅｔｈｏｄ）によって施用することも可能であり、又は、本発明の組成物を組成物として若しくは単独製剤として土壌（畝間）の中に注入することも可能である。
【０１５２】
用語「処理対象の植物（ｐｌａｎｔ  ｔｏ  ｂｅ  ｔｒｅａｔｅｄ）」は、植物の全ての部分（これは、その根系を包含する）、及び、それぞれ、処理対象植物の茎若しくは幹の周囲の少なくとも１０ｃｍ、２０ｃｍ、３０ｃｍの半径内にある材料物質（例えば、土壌又は栄養媒体）又は処理対象の該植物の根系の周囲の少なくとも１０ｃｍ、２０ｃｍ、３０ｃｍにある材料物質（例えば、土壌又は栄養媒体）を包含する。
【０１５３】
場合により少なくとも１種類の殺菌剤及び／又は少なくとも１種類の殺虫剤の存在下で少なくとも１種類のさらなる生物的防除剤と組み合わせて使用又は利用される該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕の量は、最終的な製剤に依存し、並びに、処理対象の植物、植物の部分、種子、収穫された果実及び野菜のサイズ又はタイプに依存する。通常、本発明に従って利用又は使用される該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕は、該少なくとも１種類のさらなる生物的防除剤と場合により該殺菌剤及び／又は該少なくとも１種類の殺虫剤を含んでいる単独製剤又は組み合わされた製剤の約１％〜約８０％（ｗ／ｗ）、好ましくは、約１％〜約６０％（ｗ／ｗ）、さらに好ましくは、約１０％〜約５０％（ｗ／ｗ）で、存在している。
【０１５４】
同様に、場合により少なくとも１種類の殺菌剤及び／又は少なくとも１種類の殺虫剤の存在下で該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と組み合わせて使用又は利用される該少なくとも１種類のさらなる生物的防除剤の量は、最終的な製剤に依存し、並びに、処理対象の植物、植物の部分、種子、収穫された果実及び野菜のサイズ又はタイプに依存する。通常、本発明に従って利用又は使用される該さらなる生物的防除剤は、該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤と場合により該少なくとも１種類の殺菌剤及び／又は該少なくとも１種類の殺虫剤を含んでいる単独製剤又は組み合わされた製剤の約０．１％〜約８０％（ｗ／ｗ）、好ましくは、約１％〜約６０％（ｗ／ｗ）、さらに好ましくは、約１０％〜約５０％（ｗ／ｗ）で、存在している。
【０１５５】
ストレプトミセス（Ｓｔｒｅｐｔｏｍｙｃｅｓ）株〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０〕は、茎葉散布として、土壌処理として、及び／又は、種子処理／粉衣として、施用することができる。茎葉処理として使用する場合、一実施形態では、１エーカー当たり、約１／１６〜約５ガロンの全ブロスを施用する。土壌処理として使用する場合、一実施形態では、１エーカー当たり、約１〜約５ガロンの全ブロスを施用する。種子処理として使用する場合、１エーカー当たり、約１／３２〜約１／４ガロンの全ブロスを施用する。種子処理の場合、最終的に使用する製剤は、１グラム当たり、少なくとも１×１０８のコロニー形成単位を含んでいる。本出願人は、１グラム当たりのコロニー形成単位が出発発酵ブロス（製剤する前で、且つ、好ましくは、発酵直後）の中に存在しているコロニー形成単位の量を示しているということを指摘する。
【０１５６】
該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤、及び、存在する場合には、好ましくは、さらに該殺菌剤及び／又は該殺虫剤は、相乗的な重量比で使用又は利用する。当業者は、本発明に関する相乗的な重量比を日常的な方法で見いだすことができる。当業者は、これらの比が、本明細書中に記載されているストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と該少なくとも１種類のさらなる生物的防除剤が両方の成分とも処理対象の植物に単独製剤として施用された場合におけるそれらの成分の計算による比のみならず、組み合わされた製剤の範囲内の比も示していることを理解する。当業者は、それぞれ、単一の製剤中における該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と該少なくとも１種類のさらなる生物的防除剤の体積及び量を知っているので、上記比を簡単な数学によって計算することができる。
【０１５７】
該比は、本発明による組合せの該少なくとも１種類の生物的防除剤を植物又は植物の部分に施用する時点における該成分の量及び本発明による組合せのストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕を植物又は植物の部分に施用する直前（例えば、４８時間前、２４時間前、１２時間前、６時間前、２時間前、１時間前）又は施用する時点における該成分の量に基づいて、計算することができる。
【０１５８】
植物又は植物の部分への該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤の施用は、同時に実施することができるか、又は、施用後に両方の成分がその植物の表面上又は植物の体内に存在している限り、異なった時点で実施することができる。該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該さらなる生物的防除剤を異なった時点で施用し、且つ、該さらなる生物的防除剤を該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤よりも顕著に前に施用する場合、当業者は、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕を施用する時点又はその時点の少し前に、当技術分野で既知の化学的分析によって、植物の表面上／植物の体内における該さらなる生物的防除剤の濃度を求めることができる。逆も同様であり、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕を最初に植物に施用する場合、該さらなる生物的防除剤を施用する時点又はその時点より少し前に、当技術分野で同様に既知の試験を用いて、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕の濃度を求めることができる。
【０１５９】
特に、一実施形態では、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と該少なくとも１種類のさらなる生物的防除剤の相乗的な重量比は、１：１０００〜１０００：１の範囲内、好ましくは、１：５００〜５００：１の範囲内、さらに好ましくは、１：３００〜５００：１の範囲内にある。特に好ましい比は、２０：１〜１：２０であり、例えば、１０：１、５：１又は２：１である。これらの比の範囲が（少なくとも１種類のさらなる生物的防除剤又は少なくとも１種類のさらなる生物的防除剤の調製物と組み合わされる）ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤を示していることは、留意しなければならない。例えば、比「１００：１」は、１００重量部の「ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕」と１重量部の「さらなる生物的防除剤」を（単独製剤として、又は、組み合わされた製剤として、又は、植物において組合せが形成されるように別々に植物に施用することによって）組み合わせることを意味する。本発明による相乗的な重量比の特定の例は、「１００：１８」及び「１００：９」である。
【０１６０】
これらの比の範囲が、ストレプトミセス（Ｓｔｒｅｐｔｏｍｙｃｅｓ）発酵産物〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕と組み合わせられる細胞／胞子の調製物１ｇ当たり約１０１０細胞／胞子の該生物的防除剤／胞子調製物を示していることは、留意しなければならない。一実施形態では、該ストレプトミセス（Ｓｔｒｅｐｔｏｍｙｃｅｓ）発酵産物〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０又はストレプトミセス・ミクロフラブス（Ｓｔｒｅｐｔｏｍｙｃｅｓ  ｍｉｃｒｏｆｌａｖｕｓ）株Ｍの発酵産物〕は、少なくとも６０％のハダニ効力及び／又は少なくとも１重要％のグーゲロチン濃度（ここで、グーゲロチンは、効力に関する１つのマーカーである）を有している。例えば、比「１００：１」は、１００重量部の「調製物１ｇ当たり１０１０細胞／胞子の細胞／胞子濃度を有する生物的防除剤／胞子調製物」と１重量部の「ストレプトミセス（Ｓｔｒｅｐｔｏｍｙｃｅｓ）の発酵産物〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕」を（単独製剤として、又は、組み合わされた製剤として、又は、植物において組合せが形成されるように別々に植物に施用することによって）組み合わせることを意味する。別の実施形態では、該少なくとも１種類の生物的防除剤／胞子調製物と該ストレプトミセス（Ｓｔｒｅｐｔｏｍｙｃｅｓ）〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕の発酵産物の相乗的な重量比は、１：１００〜２０．０００：１の範囲内、好ましくは、１：５０〜１０．０００：１の範囲内、又は、さらには、１：５０〜１０００：１の範囲内である。この場合も、記載されている比の範囲は、該さらなる生物的防除剤の調製物１ｇ当たり約１０１０の細胞又は胞子の該さらなる生物的防除剤の該さらなる生物的防除剤／胞子調製物を示している。
【０１６１】
調製物の細胞／胞子濃度は、当技術分野で既知の方法を適用することによって求めることができる。該さらなる生物的防除剤／胞子調製物と該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤の重量比を比較するために、当業者は、容易に、細胞／胞子調製物１ｇ当たり１０１０の細胞／胞子とは異なる生物的防除剤／胞子濃度を有する調製物と調製物１ｇ当たり１０１０の細胞／胞子の生物的防除剤／胞子濃度を有する調製物の間の係数を求めて、生物的防除剤／胞子調製物と殺菌剤（Ｉ）の比が上記で挙げられている比の範囲の範囲内にあるか否かを計算することができる。ストレプトミセス（Ｓｔｒｅｐｔｏｍｙｃｅｓ）の発酵産物のハダニ効力及び／又はグーゲロチン濃度は、当技術分野で既知の方法及び／又は本特許出願の中に記載されている方法を適用することによって求めることができる。該生物的防除剤／発酵産物と該殺虫剤の重量比を比較するために、当業者は、容易に、少なくとも約６０％のハダニ効力及び／又は少なくとも約１重量％のグーゲロチン濃度を有する生物的防除剤／発酵産物とは異なる生物的防除剤／発酵産物を有している調製物の間の係数を求めて、生物的防除剤／胞子発酵産物と該別の生物的防除剤の比が上記で挙げられている比の範囲の範囲内にあるか否かを計算することができる。
【０１６２】
本発明の一実施形態では、散布後におけるストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕の濃度は、少なくとも、５０ｇ／ｈａ（例えば、５０〜７５００ｇ／ｈａ、５０〜２５００ｇ／ｈａ、５０〜１５００ｇ／ｈａ）、少なくとも、２５０ｇ／ｈａ（ヘクタール）、少なくとも、５００ｇ／ｈａ、又は、少なくとも、８００ｇ／ｈａである。
【０１６３】
本発明に従って利用又は使用される組成物の施用量は、さまざまであり得る。当業者は、日常的な実験によって、適切な施用量を見いだすことができる。
【０１６４】
本発明の別の態様において、上記で記載した組成物で処理された種子が提供される。
【０１６５】
植物の種子を処理することによる昆虫類、ダニ類、線虫類及び／又は植物病原体の防除は、長い間知られており、継続的に改良が加えられている。それにもかかわらず、種子の処理には、必ずしも満足のいくように解決することができるわけではない一連の問題が伴っている。例えば、植物の貯蔵中、播種後又は出芽後に作物保護組成物を追加で送達することを不要とするか又は少なくとも著しく低減させるような、種子及び発芽中の植物を保護する方法を開発することは望ましい。さらに、使用する活性成分によって植物自体に損傷を引き起こすことなく、昆虫類、ダニ類、線虫類及び／又は植物病原体による攻撃から種子及び発芽中の植物が最適に保護され得るように、使用する活性成分の量を最適化することも望ましい。特に、種子を処理する方法では、最少量の作物保護組成物を使用して種子及び発芽中の植物の最適な保護を達成するために、有害生物抵抗性トランスジェニック植物又は有害生物耐性トランスジェニック植物の内因性の殺虫特性及び／又は殺線虫特性も考慮に入れるべきである。
【０１６６】
従って、本発明は、特に、有害生物による攻撃から種子及び発芽中の植物を保護する方法にも関し、ここで、該方法は、当該種子を上記で定義されているストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び少なくとも１種類のさらなる生物的防除剤及び／又は個々の株を識別する全ての特性を有しているその突然変異体、並びに／又は、昆虫類、ダニ類、線虫類及び／若しくは植物病原体に対して活性を示す個々の株によって産生される代謝産物、並びに、場合により少なくとも１種類の殺菌剤及び場合により本発明による少なくとも１種類の殺虫剤で処理することによる。種子及び発芽中の植物を有害生物による攻撃から保護するための本発明の方法は、該種子を、該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤及び該少なくとも１種類のさらなる生物的防除剤、並びに、場合より該少なくとも１種類の殺菌剤及び／又は該少なくとも１種類の殺虫剤によって、１回の操作で同時に処理するような方法を包含する。それは、さらにまた、該種子を、該ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤及び該少なくとも１種類のさらなる生物的防除剤、並びに、場合より該少なくとも１種類の殺菌剤及び／又は該少なくとも１種類の殺虫剤によって、異なった時点で処理するような方法も包含する。
【０１６７】
本発明は、同様に、昆虫類、ダニ類、線虫類及び／又は植物病原体に対して種子及びその種子から生じた植物を保護するために種子を処理するための本発明の組成物の使用にも関する。
【０１６８】
本発明は、さらに、ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び少なくとも１種類のさらなる生物的防除剤、並びに、場合より少なくとも１種類の殺菌剤及び／又は該少なくとも１種類の殺虫剤によって同時に処理された種子にも関する。本発明は、さらに、該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤、並びに、場合より該少なくとも１種類の殺菌剤及び／又は該少なくとも１種類の殺虫剤によって異なった時点で処理された種子にも関する。該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤、並びに、場合より該少なくとも１種類の殺菌剤及び／又は該少なくとも１種類の殺虫剤によって異なった時点で処理された種子の場合、本発明の組成物の中の個々の活性成分は、その種子の表面上の異なった層の中に存在し得る。
【０１６９】
本発明は、さらに、本発明の組成物によって処理された後で、埃による種子の摩耗を防止するために、フィルムコーティングプロセスに付される種子にも関する。
【０１７０】
本発明の有利な点の１つは、本発明の組成物が有している際立った浸透移行特性によって、その組成物で種子を処理することによって、昆虫類、ダニ類、線虫類及び／又は植物病原性体から、その種子自体が保護されるのみではなく、その種子から生じる植物も出芽後に保護されるということである。このようにして、播種時又は播種後間もなくに作物を直接処理する必要がなくなる可能性がある。
【０１７１】
さらなる有利点は、本発明の組成物で種子を処理することによって、処理された種子の発芽及び出芽が促進され得るという事実の中に認められる。
【０１７２】
本発明の組成物を、特に、トランスジェニック種子に対しても使用することが可能であるということも、有利であると考えられる。
【０１７３】
本発明の組成物は、シグナル伝達技術の薬剤と組合せて使用することができ、その結果として、例えば、共生生物（例えば、根粒菌、菌根菌及び／又は内部寄生細菌）によるコロニー形成が改善（例えば、増進）される、及び／又は、窒素固定が最適化されるということも示される。
【０１７４】
本発明の組成物は、農業において、温室内で、森林で又は園芸において使用される全ての植物品種の種子を保護するのに適している。特に、当該種子は、禾穀類（例えば、コムギ、オオムギ、ライムギ、エンバク及びアワ）、トウモロコシ、ワタ、ダイズ、イネ、ジャガイモ、ヒマワリ、コーヒー、タバコ、カノラ、ナタネ、ビート（例えば、テンサイ及び飼料用ビート）、ラッカセイ、野菜（例えば、トマト、キュウリ、インゲンマメ、アブラナ科、タマネギ及びレタス）、果実植物、芝生及び観賞植物の種子である。禾穀類（例えば、コムギ、オオムギ、ライムギ及びエンバク）、トウモロコシ、ダイズ、ワタ、カノラ、ナタネ及びイネの種子を処理することは、特に重要である。
【０１７５】
既に上記で記載したように、本発明の組成物によるトランスジェニック種子の処理は、特に重要である。ここで、対象となる種子は、ポリペプチド（特に、殺虫特性及び／又は殺線虫特性を有するポリペプチド）の発現を制御する少なくとも１種類の異種遺伝子を概して含んでいる植物の種子である。トランスジェニック種子内のこれらの異種遺伝子は、例えば、バシルス（Ｂａｃｉｌｌｕｓ）種、リゾビウム（Ｒｈｉｚｏｂｉｕｍ）種、シュードモナス（Ｐｓｅｕｄｏｍｏｎａｓ）種、セラチア（Ｓｅｒｒａｔｉａ）種、トリコデルマ（Ｔｒｉｃｈｏｄｅｒｍａ）種、クラビバクテル（Ｃｌａｖｉｂａｃｔｅｒ）種、グロムス（Ｇｌｏｍｕｓ）種又はグリオクラジウム（Ｇｌｉｏｃｌａｄｉｕｍ）種などの微生物に由来し得る。本発明は、バシルス属種（Ｂａｃｉｌｌｕｓ  ｓｐ．）に由来する少なくとも１種類の異種遺伝子を含んでいるトランスジェニック種子を処理するのに特に適している。特に好ましくは、当該異種遺伝子は、バシルス・ツリンギエンシス（Ｂａｃｉｌｌｕｓｔｈｕｒｉｎｇｉｅｎｓｉｓ）に由来する。
【０１７６】
本発明の目的のために、本発明の組成物は、種子に対して、単独で施用するか、又は、適切な製剤中に含ませて施用する。該種子は、好ましくは、処理の過程で損傷が起こらないように安定な状態で処理する。一般に、種子は、収穫と播種の間の任意の時点で処理することができる。典型的には、植物から分離されていて、穂軸、殻、葉柄、外皮、被毛又は果肉が除かれている種子を使用する。かくして、例えば、収穫され、不純物が取り除かれ、含水量が１５重量％未満となるまで乾燥された種子を使用することができる。あるいは、乾燥後に例えば水で処理され、その後再度乾燥された種子を使用することもできる。
【０１７７】
種子を処理する場合、一般に、種子に施用する本発明組成物の量及び／又は別の添加剤の量を、種子の発芽が悪影響を受けないように、及び／又は、種子から生じた植物が損傷を受けないように、確実に選択することが必要である。このことは、とりわけ、特定の施用量で薬害作用を示し得る活性成分の場合である。
【０１７８】
本発明の組成物は、直接的に施用することが、即ち、別の成分を含ませることなく、また、希釈することなく、施用することが可能である。一般に、該組成物は、適切な製剤の形態で種子に施用するのが好ましい。種子を処理するための適切な製剤及び方法は、当業者には知られており、例えば、以下の文献に記載されている：ＵＳ  ４，２７２，４１７Ａ、ＵＳ  ４，２４５，４３２Ａ、ＵＳ  ４，８０８，４３０Ａ、ＵＳ  ５，８７６，７３９Ａ、ＵＳ  ２００３／０１７６４２８Ａ１、ＷＯ  ２００２／０８０６７５Ａ１、ＷＯ  ２００２／０２８１８６Ａ２。
【０１７９】
本発明に従って使用することが可能な組合せは、慣習的な種子粉衣製剤、例えば、溶液剤、エマルション剤、懸濁液剤、粉末剤、泡剤、スラリー剤又は種子用の別のコーティング組成物などに変換することが可能であり、及び、さらに、ＵＬＶ製剤に変換することも可能である。
【０１８０】
これらの製剤は、既知方法で、組成物を、慣習的な添加剤、例えば、慣習的な増量剤、及び、さらに、溶媒又は希釈剤、着色剤、湿潤剤、分散剤、乳化剤、消泡剤、防腐剤、第２の増粘剤、粘着剤、ジベレリン類などと混合させ、及び、さらに、水と混合させることによって、調製する。
【０１８１】
本発明に従って使用することが可能な種子粉衣製剤中に存在させることができる着色剤には、そのような目的に関して慣習的な全ての着色剤が包含される。これに関連して、水中であまり溶解しない顔料のみではなく、水溶性の染料も使用することができる。その例としては、「Ｒｈｏｄａｍｉｎ  Ｂ」、「Ｃ．Ｉ．Ｐｉｇｍｅｎｔ  Ｒｅｄ  １１２」及び「Ｃ．Ｉ．Ｓｏｌｖｅｎｔ  Ｒｅｄ  １」の名称で知られている着色剤などを挙げることができる。
【０１８２】
本発明に従って使用することが可能な種子粉衣製剤中に存在させることができる湿潤剤には、農薬活性成分の製剤において慣習的な、湿潤を促進する全ての物質が包含される。好ましくは、アルキルナフタレンスルホネート類、例えば、ジイソプロピルナフタレンスルホネート又はジイソブチルナフタレンスルホネートなどを使用することができる。
【０１８３】
本発明に従って使用することが可能な種子粉衣製剤中に存在させることができる分散剤及び／又は乳化剤には、農薬活性成分の製剤において慣習的な非イオン性、アニオン性及びカチオン性の全ての分散剤が包含される。好ましくは、非イオン性若しくはアニオン性の分散剤又は非イオン性若しくはアニオン性の分散剤の混合物を使用することができる。適している非イオン性分散剤は、特に、エチレンオキシド−プロピレンオキシドブロックポリマー類、アルキルフェノールポリグリコールエーテル類及びトリスチリルフェノールポリグリコールエーテル類、並びに、それらのリン酸化誘導体又は硫酸化誘導体である。適しているアニオン性分散剤は、特に、リグノスルホネート類、ポリアクリル酸塩類及びアリールスルホネート−ホルムアルデヒド縮合物である。
【０１８４】
本発明に従って使用することが可能な種子粉衣製剤中に存在させることができる消泡剤には、農薬活性成分の製剤中において慣習的な全ての泡抑制物質が包含される。好ましくは、シリコーン消泡剤及びステアリン酸マグネシウムを使用することができる。
【０１８５】
本発明に従って使用することが可能な種子粉衣製剤中に存在させることができる防腐剤には、農薬組成物中で当該目的のために使用することが可能な全ての物質が包含される。例として、ジクロロフェン及びベンジルアルコールヘミホルマールなどを挙げることができる。
【０１８６】
本発明に従って使用することが可能な種子粉衣製剤中に存在させることができる第２の増粘剤には、農薬組成物中で当該目的のために使用することが可能な全ての物質が包含される。好ましいものとしては、セルロース誘導体、アクリル酸誘導体、キサンタン、変性クレー及び高分散シリカなどを挙げることができる。
【０１８７】
本発明に従って使用することが可能な種子粉衣製剤中に存在させることができる粘着剤には、種子粉衣製品中で使用可能な全ての慣習的な結合剤が包含される。好ましくは、ポリビニルピロリドン、ポリ酢酸ビニル、ポリビニルアルコール及びチロースなどを挙げることができる。
【０１８８】
本発明に従って使用することが可能な種子粉衣製剤中に存在させることができるジベレリンには、好ましくは、ジベレリンＡ１、ジベレリンＡ３（＝ジベレリン酸）、ジベレリンＡ４及びジベレリンＡ７が包含される。特に好ましくは、ジベレリン酸を使用する。ジベレリン類は知られている（ｃｆ．  Ｒ．Ｗｅｇｌｅｒ  “Ｃｈｅｍｉｅ  ｄｅｒ  Ｐｆｌａｎｚｅｎｓｃｈｕｔｚ−ｕｎｄ  Ｓｃｈａｄｌｉｎｇｓｂｅｋａｍｐｆｕｎｇｓｍｉｔｔｅｌ”，  Ｖｏｌｕｍｅ  ２，  Ｓｐｒｉｎｇｅｒ  Ｖｅｒｌａｇ，  １９７０，  ｐｐ．  ４０１−４１２）。
【０１８９】
本発明に従って使用することが可能な種子粉衣製剤は、広い範囲のさまざまな種類の種子を処理するために、直接的に使用することができるか、又は、予め水で希釈したあとで使用することができる。従って、濃厚製剤（ｃｏｎｃｅｎｔｒａｔｅ）又は水で希釈することによって濃厚製剤から得ることができる調製物は、禾穀類、例えば、コムギ、オオムギ、ライムギ、エンバク及びライコムギなどの種子を粉衣するのに使用することが可能であり、並びに、さらに、トウモロコシ、イネ、ナタネ、エンドウマメ、インゲンマメ、ワタ、ヒマワリ及びビートの種子を粉衣するのに使用することが可能であり、又は、広い範囲のさまざまな野菜の種子を粉衣するのに使用することが可能である。本発明に従って使用することが可能な種子粉衣製剤又はそれらの希釈された調製物は、トランスジェニック植物の種子を粉衣するのにも使用することが可能である。この場合、発現により形成された物質との相互作用において、付加的な相乗効果が生じることもあり得る。
【０１９０】
本発明に従って使用することが可能な種子粉衣製剤又は水を添加することによってその種子粉衣製剤から調製された調製物を用いて種子を処理する場合、適切な混合装置には、種子粉衣のために典型的に使用可能な全ての装置が包含される。具体的には、種子粉衣を実施するときの手順は、種子を混合機の中に入れること、所望される特定量の種子粉衣製剤を、そのままで添加するか又は予め水で希釈したあとで添加すること、及び、該製剤が当該種子の表面に均質に分配されるまで全てを混合させることである。続いて乾燥工程を行うこともあり得る。
【０１９１】
本発明に従って使用することが可能な種子粉衣製剤の施用量は、比較的広い範囲内で変えることができる。それは、当該製剤中の該ストレプトミセス（Ｓｔｒｅｐｔｏｍｙｃｅｓ）に基づく生物的防除剤〔例えば、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０に基づく生物的防除剤〕及び該少なくとも１種類のさらなる生物的防除剤の特定の量並びに当該種子に左右される。当該組成物の場合における施用量は、一般に、種子１ｋｇ当たり０．００１〜５０ｇであり、好ましくは、種子１ｋｇ当たり０．０１〜１５ｇである。
【０１９２】
本発明による組成物は、それらが殺虫活性及び殺ダニ活性及び／又は殺線虫活性を示す場合、植物が良好な耐性を示すこと及び温血動物に対する毒性が望ましい程度であること及び環境が良好な耐性を示すことと相まって、植物及び植物の器官を保護するのに適しており、収穫高を増大させるのに適しており、収穫物の質を向上させるのに適しており、また、農業において、園芸において、畜産業において、森林において、庭園やレジャー施設において、貯蔵生産物や材料物質の保護において、及び、衛生学の分野において遭遇する害虫、特に、昆虫類、ダニ類、クモ形類動物、蠕虫類、線虫類及び軟体動物を防除するのに適している。それらは、好ましくは、植物保護剤として使用することができる。特に、本発明は、本発明による組成物の殺虫剤及び／又は殺菌剤としての使用に関する。
【０１９３】
それらは、通常の感受性種及び抵抗性種に対して有効であり、さらに、全ての発育段階又は一部の発育段階に対して活性を示す。上記害虫としては、以下のものを挙げることができる：
節足動物門の有害生物、特に、クモ綱（Ａｒａｃｈｎｉｄａ）の、例えば、アカルス属種（Ａｃａｒｕｓ  ｓｐｐ．）、アケリア・シェルドニ（Ａｃｅｒｉａ  ｓｈｅｌｄｏｎｉ）、アキュロプス属種（Ａｃｕｌｏｐｓ  ｓｐｐ．）、アクルス属種（Ａｃｕｌｕｓ  ｓｐｐ．）、アンブリオンマ属種（Ａｍｂｌｙｏｍｍａ  ｓｐｐ．）、アムピテトラニュクス・ビエネンシス（Ａｍｐｈｉｔｅｔｒａｎｙｃｈｕｓ  ｖｉｅｎｎｅｎｓｉｓ）、アルガス属種（Ａｒｇａｓ  ｓｐｐ．）、ブーフィラス属種（Ｂｏｏｐｈｉｌｕｓ  ｓｐｐ．）、ブレビパルプス属種（Ｂｒｅｖｉｐａｌｐｕｓ  ｓｐｐ．）、ブリオビア・グラミナム（Ｂｒｙｏｂｉａ  ｇｒａｍｉｎｕｍ）、ブリオビア・プラエチオサ（Ｂｒｙｏｂｉａ  ｐｒａｅｔｉｏｓａ）、セントルロイデス属種（Ｃｅｎｔｒｕｒｏｉｄｅｓ  ｓｐｐ．）、コリオプテス属種（Ｃｈｏｒｉｏｐｔｅｓ  ｓｐｐ．）、デルマニサス・ガリナエ（Ｄｅｒｍａｎｙｓｓｕｓ  ｇａｌｌｉｎａｅ）、デルマトファゴイデス・プテロニッシナス（Ｄｅｒｍａｔｏｐｈａｇｏｉｄｅｓ  ｐｔｅｒｏｎｙｓｓｉｎｕｓ）、デルマトファゴイデス・ファリナエ（Ｄｅｒｍａｔｏｐｈａｇｏｉｄｅｓ  ｆａｒｉｎａｅ）、デルマセントル属種（Ｄｅｒｍａｃｅｎｔｏｒ  ｓｐｐ．）、エオテトラニカス属種（Ｅｏｔｅｔｒａｎｙｃｈｕｓ  ｓｐｐ．）、エピトリメルス  ピリ（Ｅｐｉｔｒｉｍｅｒｕｓ  ｐｙｒｉ）、エウテトラニクス属種（Ｅｕｔｅｔｒａｎｙｃｈｕｓ  ｓｐｐ．）、エリオフィエス属種（Ｅｒｉｏｐｈｙｅｓ  ｓｐｐ．）、グリシファグス・ドメスチクス（Ｇｌｙｃｙｐｈａｇｕｓ  ｄｏｍｅｓｔｉｃｕｓ）、ハロチデウス・  デストルクトル（Ｈａｌｏｔｙｄｅｕｓ  ｄｅｓｔｒｕｃｔｏｒ）、ヘミタルソネムス属種（Ｈｅｍｉｔａｒｓｏｎｅｍｕｓ  ｓｐｐ．）、イボマダニ属（Ｈｙａｌｏｍｍａ  ｓｐｐ．）、イキソデス属種（Ｉｘｏｄｅｓ  ｓｐｐ．）、ラトロデクタス属種（Ｌａｔｒｏｄｅｃｔｕｓ  ｓｐｐ．）、ロキソセレス属種（Ｌｏｘｏｓｃｅｌｅｓ  ｓｐｐ．）、メタテトラニカス属種（Ｍｅｔａｔｅｔｒａｎｙｃｈｕｓ  ｓｐｐ．）、ネウトロムビクラ・アウツムナリス（Ｎｅｕｔｒｏｍｂｉｃｕｌａ  ａｕｔｕｍｎａｌｉｓ）、ヌフェルサ属種（Ｎｕｐｈｅｒｓａ  ｓｐｐ．）、オリゴニクス属種（Ｏｌｉｇｏｎｙｃｈｕｓ  ｓｐｐ．）、オルニトドロス属種（Ｏｒｎｉｔｈｏｄｏｒｕｓ  ｓｐｐ．）、オルニトニスス属種（Ｏｒｎｉｔｈｏｎｙｓｓｕｓ  ｓｐｐ．）、パノニクス属種（Ｐａｎｏｎｙｃｈｕｓ  ｓｐｐ．）、フィロコプトルタ・オレイボラ（Ｐｈｙｌｌｏｃｏｐｔｒｕｔａ  ｏｌｅｉｖｏｒａ）、ポリファゴタルソネムス・ラツス（Ｐｏｌｙｐｈａｇｏｔａｒｓｏｎｅｍｕｓ  ｌａｔｕｓ）、プソロプテス属種（Ｐｓｏｒｏｐｔｅｓ  ｓｐｐ．）、リピセファルス属種（Ｒｈｉｐｉｃｅｐｈａｌｕｓ  ｓｐｐ．）、リゾグリフス属種（Ｒｈｉｚｏｇｌｙｐｈｕｓ  ｓｐｐ．）、サルコプテス属種（Ｓａｒｃｏｐｔｅｓ  ｓｐｐ．）、スコルピオ・マウルス（Ｓｃｏｒｐｉｏ  ｍａｕｒｕｓ）、ステネオタルソネムス属種（Ｓｔｅｎｅｏｔａｒｓｏｎｅｍｕｓ  ｓｐｐ．）、ステネオタルソネムス・スピンキ（Ｓｔｅｎｅｏｔａｒｓｏｎｅｍｕｓ  ｓｐｉｎｋｉ）、タルソネムス���種（Ｔａｒｓｏｎｅｍｕｓ  ｓｐｐ．）、テトラニクス属種（Ｔｅｔｒａｎｙｃｈｕｓ  ｓｐｐ．）、トロムビクラ・アルフレズゲシ（Ｔｒｏｍｂｉｃｕｌａ  ａｌｆｒｅｄｄｕｇｅｓｉ）、バエジョビス属種（Ｖａｅｊｏｖｉｓ  ｓｐｐ．）、バサテス・リコペルシシ（Ｖａｓａｔｅｓ  ｌｙｃｏｐｅｒｓｉｃｉ）；
特に、クローバーハダニ、ニセクローバーハダニ、ハシバミハダニ（ｈａｚｅｌｎｕｔ  ｓｐｉｄｅｒ  ｍｉｔｅ）、アスパラガスハダニ（ａｓｐａｒａｇｕｓ  ｓｐｉｄｅｒ  ｍｉｔｅ）、ホモノハダニ、マメダニ（ｌｅｇｕｍｅ  ｍｉｔｅ）、カタバミダニ（ｏｘａｌｉｓ  ｍｉｔｅ）、ツゲダニ（ｂｏｘｗｏｏｄ  ｍｉｔｅ）、テキサスミカンハダニ（Ｔｅｘａｓ  ｃｉｔｒｕｓ  ｍｉｔｅ）、オリエンタルミカンハダニ（Ｏｒｉｅｎｔａｌ  ｒｅｄ  ｍｉｔｅ）、ミカンハダニ、リンゴハダニ、キイロハダニ（ｙｅｌｌｏｗ  ｓｐｉｄｅｒ  ｍｉｔｅ）、イチジクハダニ（ｆｉｇ  ｓｐｉｄｅｒ  ｍｉｔｅ）、ルイスハダニ（Ｌｅｗｉｓ  ｓｐｉｄｅｒ  ｍｉｔｅ）、コウノシロハダニ（ｓｉｘ−ｓｐｏｔｔｅｄ  ｓｐｉｄｅｒ  ｍｉｔｅ）、ウィラメットダニ（Ｗｉｌｌａｍｅｔｔｅ  ｍｉｔｅ）、ユマハダニ（Ｙｕｍａ  ｓｐｉｄｅｒ  ｍｉｔｅ）、ウェブスピニングマイト（ｗｅｂ−ｓｐｉｎｎｉｎｇ  ｍｉｔｅ）、パイナップルダニ（ｐｉｎｅａｐｐｌｅ  ｍｉｔｅ）、シトラスグリーンマイト（ｃｉｔｒｕｓ  ｇｒｅｅｎ  ｍｉｔｅ）、アメリカサイカチハダニ（ｈｏｎｅｙ−ｌｏｃｕｓｔ  ｓｐｉｄｅｒ  ｍｉｔｅ）、チャアカハダニ（ｔｅａ  ｒｅｄ  ｓｐｉｄｅｒ  ｍｉｔｅ）、チビコブハダニ、アボカドブラウンマイト（ａｖｏｃａｄｏ  ｂｒｏｗｎ  ｍｉｔｅ）、トドマツノハダニ、アボカドレッドマイト（ａｖｏｃａｄｏ  ｒｅｄ  ｍｉｔｅ）、バンクスグラスマイト（Ｂａｎｋｓ  ｇｒａｓｓ  ｍｉｔｅ）、ニセナミハダニ、アシノワハダニ、ヤサイハダニ（ｖｅｇｅｔａｂｌｅ  ｓｐｉｄｅｒ  ｍｉｔｅ）、ツミドスパイダーマイト（ｔｕｍｉｄ  ｓｐｉｄｅｒ  ｍｉｔｅ）、イチゴハダニ（ｓｔｒａｗｂｅｒｒｙ  ｓｐｉｄｅｒ  ｍｉｔｅ）、ナミハダニ、マクダニエルマイト（ＭｃＤａｎｉｅｌ  ｍｉｔｅ）、パシフィックスパイダーマイト（Ｐａｃｉｆｉｃ  ｓｐｉｄｅｒ  ｍｉｔｅ）、オウトウハダニ、フォースポッテドスパイダーマイト（ｆｏｕｒ−ｓｐｏｔｔｅｄ  ｓｐｉｄｅｒ  ｍｉｔｅ）、ショエネイスパイダーマイト（Ｓｃｈｏｅｎｅｉ  ｓｐｉｄｅｒ  ｍｉｔｅ）、チリヒメハダニ（Ｃｈｉｌｅａｎ  ｆａｌｓｅ  ｓｐｉｄｅｒ  ｍｉｔｅ）、ブドウヒメハダニ、チャノヒメハダニ、フラットスカーレットマイト（ｆｌａｔ  ｓｃａｒｌｅｔ  ｍｉｔｅ）、ホワイトテイルドマイト（ｗｈｉｔｅ−ｔａｉｌｅｄ  ｍｉｔｅ）、パイナップルホコリダニ（ｐｉｎｅａｐｐｌｅ  ｔａｒｓｏｎｅｍｉｄ  ｍｉｔｅ）、ウェストインディアシュガーケーンマイト（Ｗｅｓｔ  Ｉｎｄｉａｎ  ｓｕｇａｒ  ｃａｎｅ  ｍｉｔｅ）、バルブスケールマイト（ｂｕｌｂ  ｓｃａｌｅ  ｍｉｔｅ）、シクラメンホコリダニ、チャノホコリダニ、ムギダニ、レッドレッグドアースマイト（ｒｅｄ−ｌｅｇｇｅｄ  ｅａｒｔｈ  ｍｉｔｅ）、フィルバートビッグ−ブッドマイト（ｆｉｌｂｅｒｔ  ｂｉｇ−ｂｕｄ  ｍｉｔｅ）、ブドウハモグリダニ、ピーアブリスターリーフマイト（ｐｅａｒ  ｂｌｉｓｔｅｒ  ｌｅａｆ  ｍｉｔｅ）、アップルリーフエッジローラーマイト（ａｐｐｌｅ  ｌｅａｆ  ｅｄｇｅｒｏｌｌｅｒ  ｍｉｔｅ）、ピーチモザイクベクターマイト（ｐｅａｃｈ  ｍｏｓａｉｃ  ｖｅｃｔｏｒ  ｍｉｔｅ）、アルダービーズゴー��マイト（ａｌｄｅｒ  ｂｅａｄ  ｇａｌｌ  ｍｉｔｅ）、ペリアンウォルナットリーフゴールマイト（Ｐｅｒｉａｎ  ｗａｌｎｕｔ  ｌｅａｆ  ｇａｌｌ  ｍｉｔｅ）、ペカンリーフエッジロールマイト（ｐｅｃａｎ  ｌｅａｆ  ｅｄｇｅｒｏｌｌ  ｍｉｔｅ）、イチジクモンサビダニ（ｆｉｇ  ｂｕｄ  ｍｉｔｅ）、オリーブモンサビダニ（ｏｌｉｖｅ  ｂｕｄ  ｍｉｔｅ）、シトラスブッドマイト（ｃｉｔｒｕｓ  ｂｕｄ  ｍｉｔｅ）、ライチエリネウムマイト（ｌｉｔｃｈｉ  ｅｒｉｎｅｕｍ  ｍｉｔｅ）、チューリップサビダニ、ココナッツフラワーアンドナッツマイト（ｃｏｃｏｎｕｔ  ｆｌｏｗｅｒ  ａｎｄ  ｎｕｔ  ｍｉｔｅ）、シュガーケーンブリスターマイト（ｓｕｇａｒ  ｃａｎｅ  ｂｌｉｓｔｅｒ  ｍｉｔｅ）、バッファローグラスマイト（ｂｕｆｆａｌｏ  ｇｒａｓｓ  ｍｉｔｅ）、バミューダグラスマイト（ｂｅｒｍｕｄａ  ｇｒａｓｓ  ｍｉｔｅ）、ニンジンモンサビダニ（ｃａｒｒｏｔ  ｂｕｄ  ｍｉｔｅ）、スウィートポテトリーフゴールマイト（ｓｗｅｅｔ  ｐｏｔａｔｏ  ｌｅａｆ  ｇａｌｌ  ｍｉｔｅ）、ポメグラナテリーフカールマイト（ｐｏｍｅｇｒａｎａｔｅ  ｌｅａｆ  ｃｕｒｌ  ｍｉｔｅ）、アシュスプラングルゴールマイト（ａｓｈ  ｓｐｒａｎｇｌｅ  ｇａｌｌ  ｍｉｔｅ）、メイプルブラッダーゴールマイト（ｍａｐｌｅ  ｂｌａｄｄｅｒ  ｇａｌｌ  ｍｉｔｅ）、アルダーエリネウムマイト（ａｌｄｅｒ  ｅｒｉｎｅｕｍ  ｍｉｔｅ）、レッドベリーマイト（ｒｅｄｂｅｒｒｙ  ｍｉｔｅ）、コットンブリスターマイト（ｃｏｔｔｏｎ  ｂｌｉｓｔｅｒ  ｍｉｔｅ）、ブルーベリーブッドマイト（ｂｌｕｅｂｅｒｒｙ  ｂｕｄ  ｍｉｔｅ）、チャノナガサビダニ、チャノサビダニ、グレオシトラスマイト（ｇｒｅｙ  ｃｉｔｒｕｓ  ｍｉｔｅ）、サツマイモサビダニ（ｓｗｅｅｔ  ｐｏｔａｔｏ  ｒｕｓｔ  ｍｉｔｅ）、セイヨウトチノキサビダニ（ｈｏｒｓｅ  ｃｈｅｓｔｎｕｔ  ｒｕｓｔ  ｍｉｔｅ）、ミカンサビダニ（ｃｉｔｒｕｓ  ｒｕｓｔ  ｍｉｔｅ）、リンゴサビダニ、ブドウサビダニ、ナシサビダニ、フラットニードルシースパインマイト（ｆｌａｔ  ｎｅｅｄｌｅ  ｓｈｅａｔｈ  ｐｉｎｅ  ｍｉｔｅ）、ワイルドローズブッドアンドフルーツマイト（ｗｉｌｄ  ｒｏｓｅ  ｂｕｄ  ａｎｄ  ｆｒｕｉｔ  ｍｉｔｅ）、ドライベリーマイト（ｄｒｙｂｅｒｒｙ  ｍｉｔｅ）、マンゴーサビダニ（ｍａｎｇｏ  ｒｕｓｔ  ｍｉｔｅ）、アザレアサビダニ（ａｚａｌｅａ  ｒｕｓｔ  ｍｉｔｅ）、モモサビダニ（ｐｌｕｍ  ｒｕｓｔ  ｍｉｔｅ）、モモサビダニ（ｐｅａｃｈ  ｓｉｌｖｅｒ  ｍｉｔｅ）、リンゴサビダニ、トマトサビダニ、ミカンサビダニ（ｐｉｎｋ  ｃｉｔｒｕｓ  ｒｕｓｔ  ｍｉｔｅ）、穀類サビダニ（ｃｅｒｅａｌ  ｒｕｓｔ  ｍｉｔｅ）、イネサビダニ（ｒｉｃｅ  ｒｕｓｔ  ｍｉｔｅ）；
唇脚綱（Ｃｈｉｌｏｐｏｄａ）の、例えば、ゲオフィルス属種（Ｇｅｏｐｈｉｌｕｓ  ｓｐｐ．）、スクチゲラ属種（Ｓｃｕｔｉｇｅｒａ  ｓｐｐ．）；
トビムシ目（Ｃｏｌｌｅｍｂｏｌａ）又はトビムシ綱の、例えば、オニキウルス・アルマツス（Ｏｎｙｃｈｉｕｒｕｓ  ａｒｍａｔｕｓ）；
倍脚綱（Ｄｉｐｌｏｐｏｄａ）の、例えば、ブラニウルス・グツラツス（Ｂｌａｎｉｕｌｕｓ  ｇｕｔｔｕｌａｔｕｓ）；
昆虫綱（Ｉｎｓｅｃｔａ）の、例えば、ゴキブリ目（Ｂｌａｔｔｏｄｅａ）の、例えば、ブラッテラ・アサヒナイ（Ｂｌａｔｔｅｌｌａ  ａｓａｈｉｎａｉ）、ブラッテラ・ゲルマニカ（Ｂｌａｔｔｅｌｌａ  ｇｅｒｍａｎｉｃａ）、ブラッタ・オリエンタリス（Ｂｌａｔｔａ  ｏｒｉｅｎｔａｌｉｓ）、レウコファエア・マデラエ（Ｌｅｕｃｏｐｈａｅａ  ｍａｄｅｒａｅ）、パンクロラ属種（Ｐａｎｃｈｌｏｒａ  ｓｐｐ．）、パルコブラタ属種（Ｐａｒｃｏｂｌａｔｔａ  ｓｐｐ．）、ペリプラネタ属種（Ｐｅｒｉｐｌａｎｅｔａ  ｓｐｐ．）、スペラ・ロンギパルパ（Ｓｕｐｅｌｌａ  ｌｏｎｇｉｐａｌｐａ）；
鞘翅目（Ｃｏｌｅｏｐｔｅｒａ）の、例えば、アカリマ・ビタツム（Ａｃａｌｙｍｍａ  ｖｉｔｔａｔｕｍ）、アカントセリデス・オブテクツス（Ａｃａｎｔｈｏｓｃｅｌｉｄｅｓ  ｏｂｔｅｃｔｕｓ）、アドレツス属種（Ａｄｏｒｅｔｕｓ  ｓｐｐ．）、アゲラスチカ・アルニ（Ａｇｅｌａｓｔｉｃａ  ａｌｎｉ）、アグリオテス属種（Ａｇｒｉｏｔｅｓ  ｓｐｐ．）、アルフィトビウス・ジアペリヌス（Ａｌｐｈｉｔｏｂｉｕｓ  ｄｉａｐｅｒｉｎｕｓ）、アンフィマロン・ソルチチアリス（Ａｍｐｈｉｍａｌｌｏｎ  ｓｏｌｓｔｉｔｉａｌｉｓ）、アノビウム・プンクタツム（Ａｎｏｂｉｕｍ  ｐｕｎｃｔａｔｕｍ）、アノプロホラ属種（Ａｎｏｐｌｏｐｈｏｒａ  ｓｐｐ．）、アントノムス属種（Ａｎｔｈｏｎｏｍｕｓ  ｓｐｐ．）、アントレヌス属種（Ａｎｔｈｒｅｎｕｓ  ｓｐｐ．）、アピオン属種（Ａｐｉｏｎ  ｓｐｐ．）、アポゴニア属種（Ａｐｏｇｏｎｉａ  ｓｐｐ．）、アトマリア属種（Ａｔｏｍａｒｉａ  ｓｐｐ．）、アタゲヌス属種（Ａｔｔａｇｅｎｕｓ  ｓｐｐ．）、ブルキジウス・オブテクツス（Ｂｒｕｃｈｉｄｉｕｓ  ｏｂｔｅｃｔｕｓ）、ブルクス属種（Ｂｒｕｃｈｕｓ  ｓｐｐ．）、カッシダ属種（Ｃａｓｓｉｄａ  ｓｐｐ．）、セロトマ・トリフルカタ（Ｃｅｒｏｔｏｍａ  ｔｒｉｆｕｒｃａｔａ）、セウトリンクス属種（Ｃｅｕｔｏｒｒｈｙｎｃｈｕｓ  ｓｐｐ．）、カエトクネマ属種（Ｃｈａｅｔｏｃｎｅｍａ  ｓｐｐ．）、クレオヌス・メンジクス（Ｃｌｅｏｎｕｓ  ｍｅｎｄｉｃｕｓ）、コノデルス属種（Ｃｏｎｏｄｅｒｕｓ  ｓｐｐ．）、コスモポリテス属種（Ｃｏｓｍｏｐｏｌｉｔｅｓ  ｓｐｐ．）、コステリトラ・ゼアランジカ（Ｃｏｓｔｅｌｙｔｒａ  ｚｅａｌａｎｄｉｃａ）、クウテニセラ属種（Ｃｔｅｎｉｃｅｒａ  ｓｐｐ．）、クルクリオ属種（Ｃｕｒｃｕｌｉｏ  ｓｐｐ．）、クリプトレステス・フェルギネウス（Ｃｒｙｐｔｏｌｅｓｔｅｓ  ｆｅｒｒｕｇｉｎｅｕｓ）、クリプトリンクス・ラパチ（Ｃｒｙｐｔｏｒｈｙｎｃｈｕｓ  ｌａｐａｔｈｉ）、シリンドロコプツルス属種（Ｃｙｌｉｎｄｒｏｃｏｐｔｕｒｕｓ  ｓｐｐ．）、デルメステス属種（Ｄｅｒｍｅｓｔｅｓ  ｓｐｐ．）、ジアブロチカ属種（Ｄｉａｂｒｏｔｉｃａ  ｓｐｐ．）、ジコクロキス属種（Ｄｉｃｈｏｃｒｏｃｉｓ  ｓｐｐ．）、ディクラディスパアルミジェラ（Ｄｉｃｌａｄｉｓｐａ  ａｒｍｉｇｅｒａ）、ジロボデルス属種（Ｄｉｌｏｂｏｄｅｒｕｓ  ｓｐｐ．）、エピラクナ属種（Ｅｐｉｌａｃｈｎａ  ｓｐｐ．）、エピトリックス属種（Ｅｐｉｔｒｉｘ  ｓｐｐ．）、ファウスチヌス属種（Ｆａｕｓｔｉｎｕｓ  ｓｐｐ．）、ジビウム・プシロイデス（Ｇｉｂｂｉｕｍ  ｐｓｙｌｌｏｉｄｅｓ）、グナトセルス・コルヌトゥス（Ｇｎａｔｈｏｃｅｒｕｓ  ｃｏｒｎｕｔｕｓ）、ヘルラウンダリス（Ｈｅｌｌｕｌａ  ｕｎｄａｌｉｓ）、ヘテロニュクス・アラトル（Ｈｅｔｅｒｏｎｙｃｈｕｓ  ａｒａｔｏｒ）、ヘテロニュクス属種（Ｈｅｔｅｒｏｎｙｘ  ｓｐｐ．）、ヒラモルファ・エレガンス（Ｈｙｌａｍｏｒｐｈａ  ｅｌｅｇａｎｓ）、ヒロトルペス・バジュルス（Ｈｙｌｏｔｒｕｐｅｓ  ｂａｊｕｌｕｓ）、ヒペラ・ポスチカ（Ｈｙｐｅｒａ  ｐｏｓｔｉｃａ）、ヒポメセススクアモスス（Ｈｙｐｏｍｅｃｅ���  ｓｑｕａｍｏｓｕｓ）、ヒポテネムス属種（Ｈｙｐｏｔｈｅｎｅｍｕｓ  ｓｐｐ．）、ラクノステルナ・コンサングイネア（Ｌａｃｈｎｏｓｔｅｒｎａ  ｃｏｎｓａｎｇｕｉｎｅａ）、ラシオデルマ・セリコルネ（Ｌａｓｉｏｄｅｒｍａ  ｓｅｒｒｉｃｏｒｎｅ）、ラテチクス・オリザエ（Ｌａｔｈｅｔｉｃｕｓ  ｏｒｙｚａｅ）、ラトリジウス属種（Ｌａｔｈｒｉｄｉｕｓ  ｓｐｐ．）、レマ属種（Ｌｅｍａ  ｓｐｐ．）、レプチノタルサ・デセムリネアタ（Ｌｅｐｔｉｎｏｔａｒｓａ  ｄｅｃｅｍｌｉｎｅａｔａ）、ロイコプテラ属種（Ｌｅｕｃｏｐｔｅｒａ  ｓｐｐ．）、リソロプトルス・オリゾフィルス（Ｌｉｓｓｏｒｈｏｐｔｒｕｓ  ｏｒｙｚｏｐｈｉｌｕｓ）、リキスス属種（Ｌｉｘｕｓ  ｓｐｐ．）、ルペロデス属種（Ｌｕｐｅｒｏｄｅｓ  ｓｐｐ．）、リクツス属種（Ｌｙｃｔｕｓ  ｓｐｐ．）、メガセリス属種（Ｍｅｇａｓｃｅｌｉｓ  ｓｐｐ．）、メラノツス属種（Ｍｅｌａｎｏｔｕｓ  ｓｐｐ．）、メリゲテス・アエネウス（Ｍｅｌｉｇｅｔｈｅｓ  ａｅｎｅｕｓ）、メロロンタ属種（Ｍｅｌｏｌｏｎｔｈａ  ｓｐｐ．）、ミゴドルス属種（Ｍｉｇｄｏｌｕｓ  ｓｐｐ．）、モノカムス属種（Ｍｏｎｏｃｈａｍｕｓ  ｓｐｐ．）、ナウパクツス・キサントグラフス（Ｎａｕｐａｃｔｕｓ  ｘａｎｔｈｏｇｒａｐｈｕｓ）、ネクロビア属種（Ｎｅｃｒｏｂｉａ  ｓｐｐ．）、ニプツス・ホロレウクス（Ｎｉｐｔｕｓ  ｈｏｌｏｌｅｕｃｕｓ）、オリクテス・リノセロス（Ｏｒｙｃｔｅｓ  ｒｈｉｎｏｃｅｒｏｓ）、オリザエフィルス・スリナメンシス（Ｏｒｙｚａｅｐｈｉｌｕｓ  ｓｕｒｉｎａｍｅｎｓｉｓ）、オリザファグス・オリザエ（Ｏｒｙｚａｐｈａｇｕｓ  ｏｒｙｚａｅ）、オチオリンクス属種（Ｏｔｉｏｒｒｈｙｎｃｈｕｓ  ｓｐｐ．）、オキシセトニア・ジュクンダ（Ｏｘｙｃｅｔｏｎｉａ  ｊｕｃｕｎｄａ）、ファエドン・コクレアリアエ（Ｐｈａｅｄｏｎ  ｃｏｃｈｌｅａｒｉａｅ）、フィロファガ属種（Ｐｈｙｌｌｏｐｈａｇａ  ｓｐｐ．）、フィロファガ・ヘレリー（Ｐｈｙｌｌｏｐｈａｇａ  ｈｅｌｌｅｒｉ）、フィロトレタ属種（Ｐｈｙｌｌｏｔｒｅｔａ  ｓｐｐ．）、ポピリア・ジャポニカ（Ｐｏｐｉｌｌｉａ  ｊａｐｏｎｉｃａ）、プレムノトリペス属種（Ｐｒｅｍｎｏｔｒｙｐｅｓ  ｓｐｐ．）、プロステファヌス・トランカタス（Ｐｒｏｓｔｅｐｈａｎｕｓ  ｔｒｕｎｃａｔｕｓ）、プシリオデス属種（Ｐｓｙｌｌｉｏｄｅｓ  ｓｐｐ．）、プチヌス属種（Ｐｔｉｎｕｓ  ｓｐｐ．）、リゾビウス・ベントラリス（Ｒｈｉｚｏｂｉｕｓ  ｖｅｎｔｒａｌｉｓ）、リゾペルタ・ドミニカ（Ｒｈｉｚｏｐｅｒｔｈａ  ｄｏｍｉｎｉｃａ）、シトフィルス属種（Ｓｉｔｏｐｈｉｌｕｓ  ｓｐｐ．）、シトフィルス・オリザエ（Ｓｉｔｏｐｈｉｌｕｓ  ｏｒｙｚａｅ）、スフェノホルス属種（Ｓｐｈｅｎｏｐｈｏｒｕｓ  ｓｐｐ．）、ステゴビウム・パセニウム（Ｓｔｅｇｏｂｉｕｍ  ｐａｎｉｃｅｕｍ）、ステルネクス属種（Ｓｔｅｒｎｅｃｈｕｓ  ｓｐｐ．）、シンフィレテス属種（Ｓｙｍｐｈｙｌｅｔｅｓ  ｓｐｐ．）、タニメクス属種（Ｔａｎｙｍｅｃｕｓ  ｓｐｐ．）、テネブリオ・モリトル（Ｔｅｎｅｂｒｉｏ  ｍｏｌｉｔｏｒ）、テネブリオイデス・マウレタニカス（Ｔｅｎｅｂｒｉｏｉｄｅｓ  ｍａｕｒｅｔａｎｉｃｕｓ）、トリボリウム属種（Ｔｒｉｂｏｌｉｕｍ  ｓｐｐ．）、トロゴデルマ属種（Ｔｒｏｇｏｄｅｒｍａ  ｓｐｐ．）、チキウス属種（Ｔｙｃｈｉｕｓ  ｓｐｐ．）、キシロトレクス属種（Ｘｙｌｏｔｒｅｃｈｕｓ  ｓｐｐ．）、ザブルス属種（Ｚａｂｒｕｓ  ｓｐｐ．）；
好ましくは、バンデッドキューカンバビートル（ｂａｎｄｅｄ  ｃｕｃｕｍｂｅｒ  ｂｅｅｔｌｅ）（ジアブロチカ・バルテアタ（Ｄｉａｂｒｏｔｉｃａ  ｂａｌｔｅａｔａ））、ノーザンコーンルートワーム（Ｎｏｒｔｈｅｒｎ  ｃｏｒｎ  ｒｏｏｔｗｏｒｍ）（ジアブロチカ・バルベリ（Ｄｉａｂｒｏｔｉｃａ  ｂａｒｂｅｒｉ））、サウザンコーンルートワーム（Ｓｏｕｔｈｅｒｎ  ｃｏｒｎ  ｒｏｏｔｗｏｒｍ）（ジアブロチカ・ウンデシンプンクタタ・ホワーディ（Ｄｉａｂｒｏｔｉｃａ  ｕｎｄｅｃｉｍｐｕｎｃｔａｔａ  ｈｏｗａｒｄｉ））、ウェスタンキューカンバビートル（Ｗｅｓｔｅｒｎ  ｃｕｃｕｍｂｅｒ  ｂｅｅｔｌｅ）（ジアブロチカ・ウンデシンプンクタタ・テネラ（Ｄｉａｂｒｏｔｉｃａ  ｕｎｄｅｃｉｍｐｕｎｃｔａｔａ  ｔｅｎｅｌｌａ））、ウエスタンスポッテドキューカンバービートル（Ｗｅｓｔｅｒｎ  ｓｐｏｔｔｅｄ  ｃｕｃｕｍｂｅｒ  ｂｅｅｔｌｅ）（ジアブロチカ・ウンデシンプンクタタ・ウンデシンプンクタタ（Ｄｉａｂｒｏｔｉｃａ  ｕｎｄｅｃｉｍｐｕｎｃｔａｔａ  ｕｎｄｅｃｉｍｐｕｎｃｔａｔａ））、ウェスタンコーンルートワーム（Ｗｅｓｔｅｒｎ  ｃｏｒｎ  ｒｏｏｔｗｏｒｍ）（ジアブロチカ・ビルギフェラ・ビルギフェラ（Ｄｉａｂｒｏｔｉｃａ  ｖｉｒｇｉｆｅｒａ  ｖｉｒｇｉｆｅｒａ））、メキシカンコーンルートワーム（Ｍｅｘｉｃａｎ  ｃｏｒｎ  ｒｏｏｔｗｏｒｍ）（ジアブロチカ・ビルギフェラ・ゼアエ（Ｄｉａｂｒｏｔｉｃａ  ｖｉｒｇｉｆｅｒａ  ｚｅａｅ））；
双翅目（Ｄｉｐｔｅｒａ）の、例えば、アエデス属種（Ａｅｄｅｓ  ｓｐｐ．）、アグロミザ属種（Ａｇｒｏｍｙｚａ  ｓｐｐ．）、アナストレファ属種（Ａｎａｓｔｒｅｐｈａ  ｓｐｐ．）、アノフェレス属種（Ａｎｏｐｈｅｌｅｓ  ｓｐｐ．）、アスポンジュリア属種（Ａｓｐｈｏｎｄｙｌｉａ  ｓｐｐ．）、バクトロケラ属種（Ｂａｃｔｒｏｃｅｒａ  ｓｐｐ．）、ビビオ・ホルツラヌス（Ｂｉｂｉｏ  ｈｏｒｔｕｌａｎｕｓ）、カリホラ・エリトロセファラ（Ｃａｌｌｉｐｈｏｒａ  ｅｒｙｔｈｒｏｃｅｐｈａｌａ）、カリフォラ・ビシナ（Ｃａｌｌｉｐｈｏｒａ  ｖｉｃｉｎａ）、セラチチス・カピタタ（Ｃｅｒａｔｉｔｉｓ  ｃａｐｉｔａｔａ）、キロノムス属種（Ｃｈｉｒｏｎｏｍｕｓ  ｓｐｐ．）、クリソミイア属種（Ｃｈｒｙｓｏｍｙｉａ  ｓｐｐ．）、クリソプス属種（Ｃｈｒｙｓｏｐｓ  ｓｐｐ．）、クリソゾナ・プルビアリス（Ｃｈｒｙｓｏｚｏｎａ  ｐｌｕｖｉａｌｉｓ）、コクリオミイア属種（Ｃｏｃｈｌｉｏｍｙｉａ  ｓｐｐ．）、コンタリニア属種（Ｃｏｎｔａｒｉｎｉａ  ｓｐｐ．）、コルジオビア・アントロポファガ（Ｃｏｒｄｙｌｏｂｉａ  ａｎｔｈｒｏｐｏｐｈａｇａ）、クリコトプス・シルベストリス（Ｃｒｉｃｏｔｏｐｕｓ  ｓｙｌｖｅｓｔｒｉｓ）、クレクス属種（Ｃｕｌｅｘ  ｓｐｐ．）、クリコイデス属種（Ｃｕｌｉｃｏｉｄｅｓ  ｓｐｐ．）、クリセタ属種（Ｃｕｌｉｓｅｔａ  ｓｐｐ．）、クテレブラ属種（Ｃｕｔｅｒｅｂｒａ  ｓｐｐ．）、ダクス・オレアエ（Ｄａｃｕｓ  ｏｌｅａｅ）、ダシネウラ属種（Ｄａｓｙｎｅｕｒａ  ｓｐｐ．）、デリア属種（Ｄｅｌｉａ  ｓｐｐ．）、デルマトビア・ホミニス（Ｄｅｒｍａｔｏｂｉａ  ｈｏｍｉｎｉｓ）、ドロソフィラ属種（Ｄｒｏｓｏｐｈｉｌａ  ｓｐｐ．）、エキノクネムス属種（Ｅｃｈｉｎｏｃｎｅｍｕｓ  ｓｐｐ．）、ファンニア属種（Ｆａｎｎｉａ  ｓｐｐ．）、ガステロフィルス属種（Ｇａｓｔｅｒｏｐｈｉｌｕｓ  ｓｐｐ．）、グロッシナ属種（Ｇｌｏｓｓｉｎａ  ｓｐｐ．）、ハエマトポタ属種（Ｈａｅｍａｔｏｐｏｔａ  ｓｐｐ．）、ヒドレリア属種（Ｈｙｄｒｅｌｌｉａ  ｓｐｐ．）、ヒドレリアグリセオラ（Ｈｙｄｒｅｌｌｉａ  ｇｒｉｓｅｏｌａ）、ハイレミア属種（Ｈｙｌｅｍｙａ  ｓｐｐ．）、ヒポボスカ属種（Ｈｉｐｐｏｂｏｓｃａ  ｓｐｐ．）、ヒポデルマ属種（Ｈｙｐｏｄｅｒｍａ  ｓｐｐ．）、リリオミザ属種（Ｌｉｒｉｏｍｙｚａ  ｓｐｐ．）、ルシリア属種（Ｌｕｃｉｌｉａ  ｓｐｐ．）、ルトゾミイア属種（Ｌｕｔｚｏｍｙｉａ  ｓｐｐ．）、マンソニア属種（Ｍａｎｓｏｎｉａ  ｓｐｐ．）、ムスカ属種（Ｍｕｓｃａ  ｓｐｐ．）、オエストルス属種（Ｏｅｓｔｒｕｓ  ｓｐｐ．）、オシネラ・フリト（Ｏｓｃｉｎｅｌｌａ  ｆｒｉｔ）、パラタニタルスス属種（Ｐａｒａｔａｎｙｔａｒｓｕｓ  ｓｐｐ．）、パラロイテルボルニエラ・スブチンクタ（Ｐａｒａｌａｕｔｅｒｂｏｒｎｉｅｌｌａ  ｓｕｂｃｉｎｃｔａ）、ペゴマイヤ属種（Ｐｅｇｏｍｙｉａ  ｓｐｐ．）、フレボトムス属種（Ｐｈｌｅｂｏｔｏｍｕｓ  ｓｐｐ．）、ホルビア属種（Ｐｈｏｒｂｉａ  ｓｐｐ．）、ホルミア属種（Ｐｈｏｒｍｉａ  ｓｐｐ．）、ピオフィラ・カゼイ（Ｐｉｏｐｈｉｌａ  ｃａｓｅｉ）、プロジプロシス属種（Ｐｒｏｄｉｐｌｏｓｉｓ  ｓｐｐ．）、プシラ・ロサエ（Ｐｓｉｌａ  ｒｏｓａｅ）、ラゴレチス属種（Ｒｈａｇｏｌｅｔｉｓ  ｓｐｐ．）、サルコファガ属種（Ｓａｒｃｏｐｈａｇａ  ｓｐｐ．）、シムリウム属種（Ｓｉｍｕｌｉｕｍ  ｓｐｐ．）、ストモキス属種（Ｓｔｏｍｏｘｙｓ  ｓｐｐ．）、タバヌス属種（Ｔａｂａｎｕｓ  ｓｐｐ．）、テタノプス属種（Ｔｅｔａｎｏｐｓ  ｓｐｐ．）、チプラ属種（Ｔｉｐｕｌａ  ｓｐｐ．）；
ヘテロプテラ目（Ｈｅｔｅｒｏｐｔｅｒａ）の、例えば、アナサ・トリスチス（Ａｎａｓａ  ｔｒｉｓｔｉｓ）、アンテスチオプチス属種（Ａｎｔｅｓｔｉｏｐｓｉｓ  ｓｐｐ．）、ボイセア属種（Ｂｏｉｓｅａ  ｓｐｐ．）、ブリスス属種（Ｂｌｉｓｓｕｓ  ｓｐｐ．）、カロコリス属種（Ｃａｌｏｃｏｒｉｓ  ｓｐｐ．）、カムピロンマ・リビダ（Ｃａｍｐｙｌｏｍｍａ  ｌｉｖｉｄａ）、カベレリウス属種（Ｃａｖｅｌｅｒｉｕｓ  ｓｐｐ．）、シメックス属種（Ｃｉｍｅｘ  ｓｐｐ．）、コラリア属種（Ｃｏｌｌａｒｉａ  ｓｐｐ．）、クレオンチアデス・ジルツス（Ｃｒｅｏｎｔｉａｄｅｓ  ｄｉｌｕｔｕｓ）、ダシヌス・ペピリス（Ｄａｓｙｎｕｓ  ｐｉｐｅｒｉｓ）、ジケロプス・フルカツス（Ｄｉｃｈｅｌｏｐｓ  ｆｕｒｃａｔｕｓ）、ジコノコリス・ヘウェチ（Ｄｉｃｏｎｏｃｏｒｉｓ  ｈｅｗｅｔｔｉ）、ジスデルクス属種（Ｄｙｓｄｅｒｃｕｓ  ｓｐｐ．）、エウシスツス属種（Ｅｕｓｃｈｉｓｔｕｓ  ｓｐｐ．）、エウリガステル属種（Ｅｕｒｙｇａｓｔｅｒ  ｓｐｐ．）、ヘリオペルチス属種（Ｈｅｌｉｏｐｅｌｔｉｓ  ｓｐｐ．）、ホルシアス・ノビレルス（Ｈｏｒｃｉａｓ  ｎｏｂｉｌｅｌｌｕｓ）、レプトコリサ属種（Ｌｅｐｔｏｃｏｒｉｓａ  ｓｐｐ．）、レプトコリサ・ヴァリコルニス（Ｌｅｐｔｏｃｏｒｉｓａ  ｖａｒｉｃｏｒｎｉｓ）、レプトグロスス・フィロプス（Ｌｅｐｔｏｇｌｏｓｓｕｓ  ｐｈｙｌｌｏｐｕｓ）、リグス属種（Ｌｙｇｕｓ  ｓｐｐ．）、マクロペス・イクスカバツス（Ｍａｃｒｏｐｅｓ  ｅｘｃａｖａｔｕｓ）、ミリダエ（Ｍｉｒｉｄａｅ）、モナロニオン・アトラツム（Ｍｏｎａｌｏｎｉｏｎ  ａｔｒａｔｕｍ）、ネザラ属種（Ｎｅｚａｒａ  ｓｐｐ．）、オエバルス属種（Ｏｅｂａｌｕｓ  ｓｐｐ．）、ペントミダエ（Ｐｅｎｔｏｍｉｄａｅ）、ピエスマ・クワドラタ（Ｐｉｅｓｍａ  ｑｕａｄｒａｔａ）、ピエゾドルス属種（Ｐｉｅｚｏｄｏｒｕｓ  ｓｐｐ．）、プサルス属種（Ｐｓａｌｌｕｓ  ｓｐｐ．）、プセウドアシスタ・ペルセア（Ｐｓｅｕｄａｃｙｓｔａ  ｐｅｒｓｅａ）、ロドニウス属種（Ｒｈｏｄｎｉｕｓ  ｓｐｐ．）、サールベンゲラ・シングラリス（Ｓａｈｌｂｅｒｇｅｌｌａ  ｓｉｎｇｕｌａｒｉｓ）、スカプトコリス・カスタネア（Ｓｃａｐｔｏｃｏｒｉｓ  ｃａｓｔａｎｅａ）、スコチノホラ属種（Ｓｃｏｔｉｎｏｐｈｏｒａ  ｓｐｐ．）、ステファニチス・ナシ（Ｓｔｅｐｈａｎｉｔｉｓ  ｎａｓｈｉ）、チブラカ属種（Ｔｉｂｒａｃａ  ｓｐｐ．）、トリアトマ属種（Ｔｒｉａｔｏｍａ  ｓｐｐ．）；
ホモプテラ目（Ｈｏｍｏｐｔｅｒａ）の、例えば、アシッツィア・アカシアエバイレヤナエ（Ａｃｉｚｚｉａ  ａｃａｃｉａｅｂａｉｌｅｙａｎａｅ）、アシッツィア・ドドナエアエ（Ａｃｉｚｚｉａ  ｄｏｄｏｎａｅａｅ）、アシッツィア・ウンカトイデス（Ａｃｉｚｚｉａ  ｕｎｃａｔｏｉｄｅｓ）、アクリダ・ツリタ（Ａｃｒｉｄａ  ｔｕｒｒｉｔａ）、アシルトシポン属種（Ａｃｙｒｔｈｏｓｉｐｏｎ  ｓｐｐ．）、アクロゴニア属種（Ａｃｒｏｇｏｎｉａ  ｓｐｐ．）、アエネオラミア属種（Ａｅｎｅｏｌａｍｉａ  ｓｐｐ．）、アゴノセナ属種（Ａｇｏｎｏｓｃｅｎａ  ｓｐｐ．）、アレイローデス・プロレッテラ（Ａｌｅｙｒｏｄｅｓ  ｐｒｏｌｅｔｅｌｌａ）、アレウロロブス・バロデンシス（Ａｌｅｕｒｏｌｏｂｕｓ  ｂａｒｏｄｅｎｓｉｓ）、アレウロトリクス・フロコスス（Ａｌｅｕｒｏｔｈｒｉｘｕｓ  ｆｌｏｃｃｏｓｕｓ）、アロカリダラ・マライエンシス（Ａｌｌｏｃａｒｉｄａｒａ  ｍａｌａｙｅｎｓｉｓ）、アムラスカ属種（Ａｍｒａｓｃａ  ｓｐｐ．）、アヌラフィス・カルズィ（Ａｎｕｒａｐｈｉｓ  ｃａｒｄｕｉ）、アオニジエラ属種（Ａｏｎｉｄｉｅｌｌａ  ｓｐｐ．）、アファノスチグマ・ピリ（Ａｐｈａｎｏｓｔｉｇｍａ  ｐｉｒｉ）、アフィス属種（Ａｐｈｉｓ  ｓｐｐ．）、アルボリジア・アピカリス（Ａｒｂｏｒｉｄｉａ  ａｐｉｃａｌｉｓ）、アリタイニラ属種（Ａｒｙｔａｉｎｉｌｌａ  ｓｐｐ．）、アスピジエラ属種（Ａｓｐｉｄｉｅｌｌａ  ｓｐｐ．）、アスピジオツス属種（Ａｓｐｉｄｉｏｔｕｓ  ｓｐｐ．）、アタヌス属種（Ａｔａｎｕｓ  ｓｐｐ．）、アウラコルツム・ソラニ（Ａｕｌａｃｏｒｔｈｕｍ  ｓｏｌａｎｉ）、ベミシア・タバシ（Ｂｅｍｉｓｉａ  ｔａｂａｃｉ）、ブラストプシラ・オクシデンタリス（Ｂｌａｓｔｏｐｓｙｌｌａ  ｏｃｃｉｄｅｎｔａｌｉｓ）、ボレイオグリカスピス・メラロイカエ（Ｂｏｒｅｉｏｇｌｙｃａｓｐｉｓ  ｍｅｌａｌｅｕｃａｅ）、ブラキカウズス・ヘリクリシ（Ｂｒａｃｈｙｃａｕｄｕｓ  ｈｅｌｉｃｈｒｙｓｉ）、ブラキコルス属種（Ｂｒａｃｈｙｃｏｌｕｓ  ｓｐｐ．）、ブレビコリネ・ブラシカエ（Ｂｒｅｖｉｃｏｒｙｎｅ  ｂｒａｓｓｉｃａｅ）、カコプシラ属種（Ｃａｃｏｐｓｙｌｌａ  ｓｐｐ．）、カリジポナ・マルギナタ（Ｃａｌｌｉｇｙｐｏｎａ  ｍａｒｇｉｎａｔａ）、カルネオセファラ・フルギダ（Ｃａｒｎｅｏｃｅｐｈａｌａ  ｆｕｌｇｉｄａ）、セラトバクナ・ラニゲラ（Ｃｅｒａｔｏｖａｃｕｎａ  ｌａｎｉｇｅｒａ）、セルコピダエ（Ｃｅｒｃｏｐｉｄａｅ）、セロプラステス属種（Ｃｅｒｏｐｌａｓｔｅｓ  ｓｐｐ．）、カエトシホン・フラガエホリイ（Ｃｈａｅｔｏｓｉｐｈｏｎ  ｆｒａｇａｅｆｏｌｉｉ）、キオナスピス・テガレンシス（Ｃｈｉｏｎａｓｐｉｓ  ｔｅｇａｌｅｎｓｉｓ）、クロリタ・オヌキイ（Ｃｈｌｏｒｉｔａ  ｏｎｕｋｉｉ）、コンドラクリスロセ（Ｃｈｏｎｄｒａｃｒｉｓ  ｒｏｓｅａ）、クロマフィス・ジュグランジコラ（Ｃｈｒｏｍａｐｈｉｓ  ｊｕｇｌａｎｄｉｃｏｌａ）、クリソムファルス・フィクス（Ｃｈｒｙｓｏｍｐｈａｌｕｓ  ｆｉｃｕｓ）、シカズリナ・ムビラ（Ｃｉｃａｄｕｌｉｎａ  ｍｂｉｌａ）、コッコミチルス・ハリイ（Ｃｏｃｃｏｍｙｔｉｌｕｓ  ｈａｌｌｉ）、コックス属種（Ｃｏｃｃｕｓ  ｓｐｐ．）、クリストミズル・リビス（Ｃｒｙｐｔｏｍｙｚｕｓ  ｒｉｂｉｓ）、クリプトネオッサ属種（Ｃｒｙｐｔｏｎｅｏｓｓａ  ｓｐｐ．）、クテノナリタイナ属種（Ｃｔｅｎａｒｙｔａｉｎａ  ｓｐｐ．）、ダルブルス属種（Ｄａｌｂｕｌｕｓ  ｓｐｐ．）、ジアロイロデス・シトリ（Ｄｉａｌｅｕｒｏｄｅｓ  ｃｉｔｒｉ）、ジアホリナ・シトリ（Ｄｉａｐｈｏｒｉｎａ  ｃｉｔｒｉ）、ジアスピス属種（Ｄｉａｓｐｉｓ  ｓｐｐ．）、ドロシカ属種（Ｄｒｏｓｉｃｈａ  ｓｐｐ．）、ジサフィス属種（Ｄｙｓａｐｈｉｓ  ｓｐｐ．）、ジスミコックス属種（Ｄｙｓｍｉｃｏｃｃｕｓ  ｓｐｐ．）、エンポアスカ属種（Ｅｍｐｏａｓｃａ  ｓｐｐ．）、エリオソマ属種（Ｅｒｉｏｓｏｍａ  ｓｐｐ．）、エリトロネウラ属種（Ｅｒｙｔｈｒｏｎｅｕｒａ  ｓｐｐ．）、ユーカリプトリマ属種（Ｅｕｃａｌｙｐｔｏｌｙｍａ  ｓｐｐ．）、ユーフィルラ属種（Ｅｕｐｈｙｌｌｕｒａ  ｓｐｐ．）、エウセリス・ビロバツス（Ｅｕｓｃｅｌｉｓ  ｂｉｌｏｂａｔｕｓ）、フェリシア属種（Ｆｅｒｒｉｓｉａ  ｓｐｐ．）、ゲオコックス・コフェアエ（Ｇｅｏｃｏｃｃｕｓ  ｃｏｆｆｅａｅ）、グリカスピス属種（Ｇｌｙｃａｓｐｉｓ  ｓｐｐ．）、ヘテロプシラ  クバナ（Ｈｅｔｅｒｏｐｓｙｌｌａ  ｃｕｂａｎａ）、ヘテロプシラ・スピヌロサ（Ｈｅｔｅｒｏｐｓｙｌｌａ  ｓｐｉｎｕｌｏｓａ）、ホマロジスカ・コアグラタ（Ｈｏｍａｌｏｄｉｓｃａ  ｃｏａｇｕｌａｔａ）、ヒアロプテルス・アルンジニス（Ｈｙａｌｏｐｔｅｒｕｓ  ａｒｕｎｄｉｎｉｓ）、イセリア属種（Ｉｃｅｒｙａ  ｓｐｐ．）、イジオセルス属種（Ｉｄｉｏｃｅｒｕｓ  ｓｐｐ．）、イジオスコプス属種（Ｉｄｉｏｓｃｏｐｕｓ  ｓｐｐ．）、ラオデルファクス・ストリアテルス（Ｌａｏｄｅｌｐｈａｘ  ｓｔｒｉａｔｅｌｌｕｓ）、レカニウム属種（Ｌｅｃａｎｉｕｍ  ｓｐｐ．）、レピドサフェス属種（Ｌｅｐｉｄｏｓａｐｈｅｓ  ｓｐｐ．）、リパフィス・エリシミ（Ｌｉｐａｐｈｉｓ  ｅｒｙｓｉｍｉ）、マクロシフム属種（Ｍａｃｒｏｓｉｐｈｕｍ  ｓｐｐ．）、マクロステレス・ファシフロン（Ｍａｃｒｏｓｔｅｌｅｓ  ｆａｃｉｆｒｏｎｓ）、マハナルバ属種（Ｍａｈａｎａｒｖａ  ｓｐｐ．）、メラナフィス・サッカリ（Ｍｅｌａｎａｐｈｉｓ  ｓａｃｃｈａｒｉ）、メトカルフィエラ属種（Ｍｅｔｃａｌｆｉｅｌｌａ  ｓｐｐ．）、メトポロフィウム・ジロズム（Ｍｅｔｏｐｏｌｏｐｈｉｕｍ  ｄｉｒｈｏｄｕｍ）、モネリア・コスタリス（Ｍｏｎｅｌｌｉａ  ｃｏｓｔａｌｉｓ）、モネリオプシス・ペカニス（Ｍｏｎｅｌｌｉｏｐｓｉｓ  ｐｅｃａｎｉｓ）、ミズス属種（Ｍｙｚｕｓ  ｓｐｐ．）、ナソノビア・ニビスニグリ（Ｎａｓｏｎｏｖｉａ  ｒｉｂｉｓｎｉｇｒｉ）、ネホテッチキス属種（Ｎｅｐｈｏｔｅｔｔｉｘ  ｓｐｐ．）、ネッチゴニクラ・スペクトラ（Ｎｅｔｔｉｇｏｎｉｃｌｌａ  ｓｐｅｃｔｒａ）、ニラパルバタ・ルゲンス（Ｎｉｌａｐａｒｖａｔａ  ｌｕｇｅｎｓ）、オンコメトピア属種（Ｏｎｃｏｍｅｔｏｐｉａ  ｓｐｐ．）、オルテジア・プラテロンガ（Ｏｒｔｈｅｚｉａ  ｐｒａｅｌｏｎｇａ）、オクシアチネンシス（Ｏｘｙａ  ｃｈｉｎｅｎｓｉｓ）、パチプシラ属種（Ｐａｃｈｙｐｓｙｌｌａ  ｓｐｐ．）、パラベムシア・ミリカエ（Ｐａｒａｂｅｍｉｓｉａ  ｍｙｒｉｃａｅ）、パラトリオザ属種（Ｐａｒａｔｒｉｏｚａ  ｓｐｐ．）、パルラトリア属種（Ｐａｒｌａｔｏｒｉａ  ｓｐｐ．）、ペムフィグス属種（Ｐｅｍｐｈｉｇｕｓ  ｓｐｐ．）、ペレグリヌス・マイジス（Ｐｅｒｅｇｒｉｎｕｓ  ｍａｉｄｉｓ）、フェナコックス属種（Ｐｈｅｎａｃｏｃｃｕｓ  ｓｐｐ．）、フロエオミズス・パセリニイ（Ｐｈｌｏｅｏｍｙｚｕｓ  ｐａｓｓｅｒｉｎｉｉ）、ホロドン・フムリ（Ｐｈｏｒｏｄｏｎ  ｈｕｍｕｌｉ）、フィロキセラ属種（Ｐｈｙｌｌｏｘｅｒａ  ｓｐｐ．）、ピンナスピス・アスピジストラエ（Ｐｉｎｎａｓｐｉｓ  ａｓｐｉｄｉｓｔｒａｅ）、プラノコックス属種（Ｐｌａｎｏｃｏｃｃｕｓ  ｓｐｐ．）、プロソピドプシラ・フラバ（Ｐｒｏｓｏｐｉｄｏｐｓｙｌｌａ  ｆｌａｖａ）、プロトプルビナリア・ピリホルミス（Ｐｒｏｔｏｐｕｌｖｉｎａｒｉａ  ｐｙｒｉｆｏｒｍｉｓ）、プセウダウラカスピス・ペンタゴナ（Ｐｓｅｕｄａｕｌａｃａｓｐｉｓ  ｐｅｎｔａｇｏｎａ）、プセウドコックス属種（Ｐｓｅｕｄｏｃｏｃｃｕｓ  ｓｐｐ．）、プシロプシス属種（Ｐｓｙｌｌｏｐｓｉｓ  ｓｐｐ．）、プシラ属種（Ｐｓｙｌｌａ  ｓｐｐ．）、プテロマルス属種（Ｐｔｅｒｏｍａｌｕｓ  ｓｐｐ．）、ピリラ属種（Ｐｙｒｉｌｌａ  ｓｐｐ．）、クアドラスピジオツス属種（Ｑｕａｄｒａｓｐｉｄｉｏｔｕｓ  ｓｐｐ．）、クエサダ・ギガス（Ｑｕｅｓａｄａ  ｇｉｇａｓ）、ラストロコックス属種（Ｒａｓｔｒｏｃｏｃｃｕｓ  ｓｐｐ．）、ロパロシフム属種（Ｒｈｏｐａｌｏｓｉｐｈｕｍ  ｓｐｐ．）、サイセチア属種（Ｓａｉｓｓｅｔｉａ  ｓｐｐ．）、スカフォイデウス  チタヌス（Ｓｃａｐｈｏｉｄｅｕｓ  ｔｉｔａｎｕｓ）、シザフィス・グラミヌム（Ｓｃｈｉｚａｐｈｉｓ  ｇｒａｍｉｎｕｍ）、セレナスピズス・アルチクラツス（Ｓｅｌｅｎａｓｐｉｄｕｓ  ａｒｔｉｃｕｌａｔｕｓ）、ソガタ属種（Ｓｏｇａｔａ  ｓｐｐ．）、ソガテラ・フルシフェラ（Ｓｏｇａｔｅｌｌａ  ｆｕｒｃｉｆｅｒａ）、ソガトデス属種（Ｓｏｇａｔｏｄｅｓ  ｓｐｐ．）、スチクトセファラ・フェスチナ（Ｓｔｉｃｔｏｃｅｐｈａｌａ  ｆｅｓｔｉｎａ）、シフォニヌス・フィリレアエ（Ｓｉｐｈｏｎｉｎｕｓ  ｐｈｉｌｌｙｒｅａｅ）、テナラファラ・マラエンシス（Ｔｅｎａｌａｐｈａｒａ  ｍａｌａｙｅｎｓｉｓ）、テトラゴノセフェラ属種（Ｔｅｔｒａｇｏｎｏｃｅｐｈｅｌａ  ｓｐｐ．）、チノカリス・カリアエホリアエ（Ｔｉｎｏｃａｌｌｉｓ  ｃａｒｙａｅｆｏｌｉａｅ）、トマスピス属種（Ｔｏｍａｓｐｉｓ  ｓｐｐ．）、トキソプテラ属種（Ｔｏｘｏｐｔｅｒａ  ｓｐｐ．）、トリアエウロデス・バポラリオルム（Ｔｒｉａｌｅｕｒｏｄｅｓ  ｖａｐｏｒａｒｉｏｒｕｍ）、トリオザ属種（Ｔｒｉｏｚａ  ｓｐｐ．）、チフロシバ属種（Ｔｙｐｈｌｏｃｙｂａ  ｓｐｐ．）、ウナスピス属種（Ｕｎａｓｐｉｓ  ｓｐｐ．）、ビテウス・ビチホリイ（Ｖｉｔｅｕｓ  ｖｉｔｉｆｏｌｉｉ）、ジギナ属種（Ｚｙｇｉｎａ  ｓｐｐ．）；
膜翅目（Ｈｙｍｅｎｏｐｔｅｒａ）の、例えば、アクロミルメックス属種（Ａｃｒｏｍｙｒｍｅｘ  ｓｐｐ．）、アタリア属種（Ａｔｈａｌｉａ  ｓｐｐ．）、アッタ属種（Ａｔｔａ  ｓｐｐ．）、ジプリオン属種（Ｄｉｐｒｉｏｎ  ｓｐｐ．）、ホプロカンパ属種（Ｈｏｐｌｏｃａｍｐａ  ｓｐｐ．）、ラシウス属種（Ｌａｓｉｕｓ  ｓｐｐ．）、モノモイウム・ファラオニス（Ｍｏｎｏｍｏｒｉｕｍ  ｐｈａｒａｏｎｉｓ）、シレクス属種（Ｓｉｒｅｘ  ｓｐｐ．）、ソレノプシスインビクタ（Ｓｏｌｅｎｏｐｓｉｓ  ｉｎｖｉｃｔａ）、タピノマ属種（Ｔａｐｉｎｏｍａ  ｓｐｐ．）、ウロセルス属種（Ｕｒｏｃｅｒｕｓ  ｓｐｐ．）、ベスパ属種（Ｖｅｓｐａ  ｓｐｐ．）、キセリス属種（Ｘｅｒｉｓ  ｓｐｐ．）；
等脚目（Ｉｓｏｐｏｄａ）の、例えば、アルマジリジウム・ブルガレ（Ａｒｍａｄｉｌｌｉｄｉｕｍ  ｖｕｌｇａｒｅ）、オニスクス・アセルス（Ｏｎｉｓｃｕｓ  ａｓｅｌｌｕｓ）、ポルセリオ・スカベル（Ｐｏｒｃｅｌｌｉｏ  ｓｃａｂｅｒ）；
等翅目（Ｉｓｏｐｔｅｒａ）の、例えば、コプトテルメス属種（Ｃｏｐｔｏｔｅｒｍｅｓ  ｓｐｐ．）、コルニテルメス・クムランス（Ｃｏｒｎｉｔｅｒｍｅｓ  ｃｕｍｕｌａｎｓ）、クリプトテルメス属種（Ｃｒｙｐｔｏｔｅｒｍｅｓ  ｓｐｐ．）、インシシテルメス属種（Ｉｎｃｉｓｉｔｅｒｍｅｓ  ｓｐｐ．）、ミクロテルメス・オベシ（Ｍｉｃｒｏｔｅｒｍｅｓ  ｏｂｅｓｉ）、オドントテルメス属種（Ｏｄｏｎｔｏｔｅｒｍｅｓ  ｓｐｐ．）、レチクリテルメス属種（Ｒｅｔｉｃｕｌｉｔｅｒｍｅｓ  ｓｐｐ．）；
鱗翅目（Ｌｅｐｉｄｏｐｔｅｒａ）の、例えば、アクロイア・グリセラ（Ａｃｈｒｏｉａ  ｇｒｉｓｅｌｌａ）、アクロニクタ・マジョル（Ａｃｒｏｎｉｃｔａ  ｍａｊｏｒ）、アドキソフィエス属種（Ａｄｏｘｏｐｈｙｅｓ  ｓｐｐ．）、アエジア・レウコメラス（Ａｅｄｉａ  ｌｅｕｃｏｍｅｌａｓ）、アグロチス属種（Ａｇｒｏｔｉｓ  ｓｐｐ．）、アラバマ属種（Ａｌａｂａｍａ  ｓｐｐ．）、アミエロイス・トランシテッラ（Ａｍｙｅｌｏｉｓ  ｔｒａｎｓｉｔｅｌｌａ）、アナルシア属種（Ａｎａｒｓｉａ  ｓｐｐ．）、アンチカルシア属種（Ａｎｔｉｃａｒｓｉａ  ｓｐｐ．）、アルギロプロス属種（Ａｒｇｙｒｏｐｌｏｃｅ  ｓｐｐ．）、バラトラ・ブラシカエ（Ｂａｒａｔｈｒａ  ｂｒａｓｓｉｃａｅ）、ボルボ・シンナラ（Ｂｏｒｂｏ  ｃｉｎｎａｒａ）、ブックラトリクス・ツルベリエラ（Ｂｕｃｃｕｌａｔｒｉｘ  ｔｈｕｒｂｅｒｉｅｌｌａ）、ブパルス・ピニアリウス（Ｂｕｐａｌｕｓ  ｐｉｎｉａｒｉｕｓ）、ブッセオラ属種（Ｂｕｓｓｅｏｌａ  ｓｐｐ．）、カコエキア属種（Ｃａｃｏｅｃｉａ  ｓｐｐ．）、カロプチリア・ティボラ（Ｃａｌｏｐｔｉｌｉａ  ｔｈｅｉｖｏｒａ）、カプラ・レチクラナ（Ｃａｐｕａ  ｒｅｔｉｃｕｌａｎａ）、カルポカプサ・ポモネラ（Ｃａｒｐｏｃａｐｓａ  ｐｏｍｏｎｅｌｌａ）、カルポシナ・ニポメンシス（Ｃａｒｐｏｓｉｎａ  ｎｉｐｏｎｅｎｓｉｓ）、ケイマトビア・ブルマタ（Ｃｈｅｉｍａｔｏｂｉａ  ｂｒｕｍａｔａ）、キロ属種（Ｃｈｉｌｏ  ｓｐｐ．）、コリストネウラ属種（Ｃｈｏｒｉｓｔｏｎｅｕｒａ  ｓｐｐ．）、クリシア・アンビグエラ（Ｃｌｙｓｉａ  ａｍｂｉｇｕｅｌｌａ）、クナファロセルス属種（Ｃｎａｐｈａｌｏｃｅｒｕｓ  ｓｐｐ．）、クナファロクロチス・メジナリス（Ｃｎａｐｈａｌｏｃｒｏｃｉｓ  ｍｅｄｉｎａｌｉｓ）、クネファシア属種（Ｃｎｅｐｈａｓｉａ  ｓｐｐ．）、コノポモルファ属種（Ｃｏｎｏｐｏｍｏｒｐｈａ  ｓｐｐ．）、コノトラケルス属種（Ｃｏｎｏｔｒａｃｈｅｌｕｓ  ｓｐｐ．）、コピタルシア属種（Ｃｏｐｉｔａｒｓｉａ  ｓｐｐ．）、シディア属種（Ｃｙｄｉａ  ｓｐｐ．）、ダラカ・ノクツイデス（Ｄａｌａｃａ  ｎｏｃｔｕｉｄｅｓ）、ジアファニア属種（Ｄｉａｐｈａｎｉａ  ｓｐｐ．）、ジアトラエア・サッカラリス（Ｄｉａｔｒａｅａ  ｓａｃｃｈａｒａｌｉｓ）、エアリアス属種（Ｅａｒｉａｓ  ｓｐｐ．）、エクデュトロパ・アウランティウム（Ｅｃｄｙｔｏｌｏｐｈａ  ａｕｒａｎｔｉｕｍ）、エラスモパルプス・リグノセルス（Ｅｌａｓｍｏｐａｌｐｕｓ  ｌｉｇｎｏｓｅｌｌｕｓ）、エルダナ・サッカリナ（Ｅｌｄａｎａ  ｓａｃｃｈａｒｉｎａ）、エフェスチア属種（Ｅｐｈｅｓｔｉａ  ｓｐｐ．）、エピノチア属種（Ｅｐｉｎｏｔｉａ  ｓｐｐ．）、エピフィアス・ポスティフィッタナ（Ｅｐｉｐｈｙａｓ  ｐｏｓｔｖｉｔｔａｎａ）、エチエッラ属種（Ｅｔｉｅｌｌａ  ｓｐｐ．）、エウリア属種（Ｅｕｌｉａ  ｓｐｐ．）、ユーポエシリア・アンビグエラ（Ｅｕｐｏｅｃｉｌｉａ  ａｍｂｉｇｕｅｌｌａ）、エウプロクチス属種（Ｅｕｐｒｏｃｔｉｓ  ｓｐｐ．）、エウキソア属種（Ｅｕｘｏａ  ｓｐｐ．）、フェルチア属種（Ｆｅｌｔｉａ  ｓｐｐ．）、ガレリア・メロネラ（Ｇａｌ��ｅｒｉａ  ｍｅｌｌｏｎｅｌｌａ）、グラシラリア属種（Ｇｒａｃｉｌｌａｒｉａ  ｓｐｐ．）、グラホリタ属種（Ｇｒａｐｈｏｌｉｔｈａ  ｓｐｐ．）、ヘジレプタ属種（Ｈｅｄｙｌｅｐｔａ  ｓｐｐ．）、ヘリコベルパ属種（Ｈｅｌｉｃｏｖｅｒｐａ  ｓｐｐ．）、ヘリオチス属種（Ｈｅｌｉｏｔｈｉｓ  ｓｐｐ．）、ホフマノフィラ・プセウドスプレテア（Ｈｏｆｍａｎｎｏｐｈｉｌａ  ｐｓｅｕｄｏｓｐｒｅｔｅｌｌａ）、ホモエオソマ属種（Ｈｏｍｏｅｏｓｏｍａ  ｓｐｐ．）、ホモナ属種（Ｈｏｍｏｎａ  ｓｐｐ．）、ヒピノメウタ・パデラ（Ｈｙｐｏｎｏｍｅｕｔａ  ｐａｄｅｌｌａ）、カキボリア・フラボファシアタ（Ｋａｋｉｖｏｒｉａ  ｆｌａｖｏｆａｓｃｉａｔａ）、ラフィグマ属種（Ｌａｐｈｙｇｍａ  ｓｐｐ．）、ラスペイレシア・モレスタ（Ｌａｓｐｅｙｒｅｓｉａ  ｍｏｌｅｓｔａ）、ロイシノデス・オルボナリス（Ｌｅｕｃｉｎｏｄｅｓ  ｏｒｂｏｎａｌｉｓ）、ロイコプテラ属種（Ｌｅｕｃｏｐｔｅｒａ  ｓｐｐ．）、リトコレチス属種（Ｌｉｔｈｏｃｏｌｌｅｔｉｓ  ｓｐｐ．）、リトファネ・アンテンナタ（Ｌｉｔｈｏｐｈａｎｅ  ａｎｔｅｎｎａｔａ）、ロベシア属種（Ｌｏｂｅｓｉａ  ｓｐｐ．）、ロキサグロチス・アルビコスタ（Ｌｏｘａｇｒｏｔｉｓ  ａｌｂｉｃｏｓｔａ）、リマントリア属種（Ｌｙｍａｎｔｒｉａ  ｓｐｐ．）、リオネチア属種（Ｌｙｏｎｅｔｉａ  ｓｐｐ．）、マラコソマ・ネウストリア（Ｍａｌａｃｏｓｏｍａ  ｎｅｕｓｔｒｉａ）、マルカ・テスツラリス（Ｍａｒｕｃａ  ｔｅｓｔｕｌａｌｉｓ）、マメストラ・ブラシカエ（Ｍａｍｓｔｒａ  ｂｒａｓｓｉｃａｅ）、メラニチス・レダ（Ｍｅｌａｎｉｔｉｓ  ｌｅｄａ）、モキス属種（Ｍｏｃｉｓ  ｓｐｐ．）、モノピス・オブビエラ（Ｍｏｎｏｐｉｓ  ｏｂｖｉｅｌｌａ）、ミチムナ・セパラタ（Ｍｙｔｈｉｍｎａ  ｓｅｐａｒａｔａ）、ネマポゴン・コロアセルス（Ｎｅｍａｐｏｇｏｎ  ｃｌｏａｃｅｌｌｕｓ）、ニュムプラ属種（Ｎｙｍｐｈｕｌａ  ｓｐｐ．）、オイケチクス属種（Ｏｉｋｅｔｉｃｕｓ  ｓｐｐ．）、オリア属種（Ｏｒｉａ  ｓｐｐ．）、オルタガ属種（Ｏｒｔｈａｇａ  ｓｐｐ．）、オストリニア属種（Ｏｓｔｒｉｎｉａ  ｓｐｐ．）、オウレマ・オリザエ（Ｏｕｌｅｍａ  ｏｒｙｚａｅ）、パノリス・フランメア（Ｐａｎｏｌｉｓ  ｆｌａｍｍｅａ）、パルナラ属種（Ｐａｒｎａｒａ  ｓｐｐ．）、ペクチノホラ属種（Ｐｅｃｔｉｎｏｐｈｏｒａ  ｓｐｐ．）、ペリロイコプテラ属種（Ｐｅｒｉｌｅｕｃｏｐｔｅｒａ  ｓｐｐ．）、フソリマエア属種（Ｐｈｔｈｏｒｉｍａｅａ  ｓｐｐ．）、フィロクニスチス・シトレラ（Ｐｈｙｌｌｏｃｎｉｓｔｉｓ  ｃｉｔｒｅｌｌａ）、フィロノリクテル属種（Ｐｈｙｌｌｏｎｏｒｙｃｔｅｒ  ｓｐｐ．）、ピエリス属種（Ｐｉｅｒｉｓ  ｓｐｐ．）、プラチノタ・スツルタナ（Ｐｌａｔｙｎｏｔａ  ｓｔｕｌｔａｎａ）、プロジア・インテルプンクテラ（Ｐｌｏｄｉａ  ｉｎｔｅｒｐｕｎｃｔｅｌｌａ）、プルシア属種（Ｐｌｕｓｉａ  ｓｐｐ．）、プルテラ・キシロステラ（Ｐｌｕｔｅｌｌａ  ｘｙｌｏｓｔｅｌｌａ）、プラユス属種（Ｐｒａｙｓ  ｓｐｐ．）、プロデニア属種（Ｐｒｏｄｅｎｉａ  ｓｐｐ．）、プロトパルセ属種（Ｐｒｏｔｏｐａｒｃｅ  ｓｐｐ．���、プセウダレチア属種（Ｐｓｅｕｄａｌｅｔｉａ  ｓｐｐ．）、シューダレティア  ユニプンクタ（Ｐｓｅｕｄａｌｅｔｉａ  ｕｎｉｐｕｎｃｔａ）、プセウドプルシア・インクルデンス（Ｐｓｅｕｄｏｐｌｕｓｉａ  ｉｎｃｌｕｄｅｎｓ）、ピラウスタ・ヌビラリス（Ｐｙｒａｕｓｔａ  ｎｕｂｉｌａｌｉｓ）、ラキプルシア・ヌ（Ｒａｃｈｉｐｌｕｓｉａ  ｎｕ）、スコエノビウス属種（Ｓｃｈｏｅｎｏｂｉｕｓ  ｓｐｐ．）、スキルポファガ属種（Ｓｃｉｒｐｏｐｈａｇａ  ｓｐｐ．）、スキルポファガ・イノタタ（Ｓｃｉｒｐｏｐｈａｇａ  ｉｎｎｏｔａｔａ）、スコチア・セゲツム（Ｓｃｏｔｉａ  ｓｅｇｅｔｕｍ）、セサミア属種（Ｓｅｓａｍｉａ  ｓｐｐ．）、セサミアインフェレンス（Ｓｅｓａｍｉａ  ｉｎｆｅｒｅｎｓ）、スパルガノチス属種（Ｓｐａｒｇａｎｏｔｈｉｓ  ｓｐｐ．）、スポドプテラ属種（Ｓｐｏｄｏｐｔｅｒａ  ｓｐｐ．）、スポドプテラ・プラエフィカ（Ｓｐｏｄｏｐｔｅｒａ  ｐｒａｅｆｉｃａ）、スタトモポダ属種（Ｓｔａｔｈｍｏｐｏｄａ  ｓｐｐ．）、ストモプテリクス・サブセシヴェラ（Ｓｔｏｍｏｐｔｅｒｙｘ  ｓｕｂｓｅｃｉｖｅｌｌａ）、シナンテドン属種（Ｓｙｎａｎｔｈｅｄｏｎ  ｓｐｐ．）、テシア・ソラニボラ（Ｔｅｃｉａ  ｓｏｌａｎｉｖｏｒａ）、テルメシア・ゲンマタリス（Ｔｈｅｒｍｅｓｉａ  ｇｅｍｍａｔａｌｉｓ）、チネア・クロアセラ（Ｔｉｎｅａ  ｃｌｏａｃｅｌｌａ）、チネア・ペリオネラ（Ｔｉｎｅａ  ｐｅｌｌｉｏｎｅｌｌａ）、チネオラ・ビセリエラ（Ｔｉｎｅｏｌａ  ｂｉｓｓｅｌｌｉｅｌｌａ）、トルトリクス属種（Ｔｏｒｔｒｉｘ  ｓｐｐ．）、トリコパガ・タペトゼッラ（Ｔｒｉｃｈｏｐｈａｇａ  ｔａｐｅｔｚｅｌｌａ）、トリコプルシア属種（Ｔｒｉｃｈｏｐｌｕｓｉａ  ｓｐｐ．）、トリポリザ・インセルツラス（Ｔｒｙｐｏｒｙｚａ  ｉｎｃｅｒｔｕｌａｓ）、ツタ・アブソルタ（Ｔｕｔａ  ａｂｓｏｌｕｔａ）、ビラコラ属種（Ｖｉｒａｃｈｏｌａ  ｓｐｐ．）；
直翅目（Ｏｒｔｈｏｐｔｅｒａ）又はサルタトリア目（Ｓａｌｔａｔｏｒｉａ）の、例えば、アケタ・ドメスチクス（Ａｃｈｅｔａ  ｄｏｍｅｓｔｉｃｕｓ）、ジクロプルス属種（Ｄｉｃｈｒｏｐｌｕｓ  ｓｐｐ．）、グリロタルパ属種（Ｇｒｙｌｌｏｔａｌｐａ  ｓｐｐ．）、ヒエログリフス属種（Ｈｉｅｒｏｇｌｙｐｈｕｓ  ｓｐｐ．）、ロクスタ属種（Ｌｏｃｕｓｔａ  ｓｐｐ．）、メラノプルス属種（Ｍｅｌａｎｏｐｌｕｓ  ｓｐｐ．）、シストセルカ・グレガリア（Ｓｃｈｉｓｔｏｃｅｒｃａ  ｇｒｅｇａｒｉａ）；
シラミ目（Ｐｈｔｈｉｒａｐｔｅｒａ）の、例えば、ダマリニア属（Ｄａｍａｌｉｎｉａ  ｓｐｐ．）、ハエマトピヌス属種（Ｈａｅｍａｔｏｐｉｎｕｓ  ｓｐｐ．）、リノグナツス属種（Ｌｉｎｏｇｎａｔｈｕｓ  ｓｐｐ．）、ペジクルス属種（Ｐｅｄｉｃｕｌｕｓ  ｓｐｐ．）、プチルス・プビス（Ｐｔｉｒｕｓ  ｐｕｂｉｓ）、トリコデクテス属種（Ｔｒｉｃｈｏｄｅｃｔｅｓ  ｓｐｐ．）；
チャタテムシ目（Ｐｓｏｃｏｐｔｅｒａ）の、例えば、レピナツス属種（Ｌｅｐｉｎａｔｕｓ  ｓｐｐ．）、リポセリス属種（Ｌｉｐｏｓｃｅｌｉｓ  ｓｐｐ．）；
ノミ目（Ｓｉｐｈｏｎａｐｔｅｒａ）の、例えば、セラトフィルス属種（Ｃｅｒａｔｏｐｈｙｌｌｕｓ  ｓｐｐ．）、クテノセファリデス属種（Ｃｔｅｎｏｃｅｐｈａｌｉｄｅｓ  ｓｐｐ．）、プレクス・イリタンス（Ｐｕｌｅｘ  ｉｒｒｉｔａｎｓ）、ツンガ・ペネトランス（Ｔｕｎｇａ  ｐｅｎｅｔｒａｎｓ）、キセノプシラ・ケオプシス（Ｘｅｎｏｐｓｙｌｌａ  ｃｈｅｏｐｓｉｓ）；
総翅目（Ｔｈｙｓａｎｏｐｔｅｒａ）の、例えば、アナフォトリプス・オブスクルス（Ａｎａｐｈｏｔｈｒｉｐｓ  ｏｂｓｃｕｒｕｓ）、バリオトリプス・ビホルミス（Ｂａｌｉｏｔｈｒｉｐｓ  ｂｉｆｏｒｍｉｓ）、ドレパノトリプス・ロイテリ（Ｄｒｅｐａｎｏｔｈｒｉｐｓ  ｒｅｕｔｅｒｉ）、エンネオトリプス・フラベンス（Ｅｎｎｅｏｔｈｒｉｐｓ  ｆｌａｖｅｎｓ）、フランクリニエラ属種（Ｆｒａｎｋｌｉｎｉｅｌｌａ  ｓｐｐ．）、ヘリオトリプス属種（Ｈｅｌｉｏｔｈｒｉｐｓ  ｓｐｐ．）、ヘルチノトリプス・フェモラリス（Ｈｅｒｃｉｎｏｔｈｒｉｐｓ  ｆｅｍｏｒａｌｉｓ）、リピホロトリプス・クルエンタツス（Ｒｈｉｐｉｐｈｏｒｏｔｈｒｉｐｓ  ｃｒｕｅｎｔａｔｕｓ）、シルトトリプス属種（Ｓｃｉｒｔｏｔｈｒｉｐｓ  ｓｐｐ．）、タエニオトリプス・カルダモミ（Ｔａｅｎｉｏｔｈｒｉｐｓ  ｃａｒｄａｍｏｍｉ）、トリプス属種（Ｔｈｒｉｐｓ  ｓｐｐ．）；
シミ目（Ｚｙｇｅｎｔｏｍａ）（＝Ｔｈｙｓａｎｕｒａ）の、例えば、クテノレピスマ属種（Ｃｔｅｎｏｌｅｐｉｓｍａ  ｓｐｐ．）、レピスマ・サカリナ（Ｌｅｐｉｓｍａ  ｓａｃｃｈａｒｉｎａ）、レスピモデス・インクイリヌス（Ｌｅｐｉｓｍｏｄｅｓ  ｉｎｑｕｉｌｉｎｕｓ）、テルモビア・ドメスチカ（Ｔｈｅｒｍｏｂｉａ  ｄｏｍｅｓｔｉｃａ）；
コムカデ類（Ｓｙｍｐｈｙｌａ）の、例えば、スクチゲラ属種（Ｓｃｕｔｉｇｅｒｅｌｌａ  ｓｐｐ．）；
軟体動物門（Ｍｏｌｌｕｓｃａ）の有害生物、特に、双殻綱（Ｂｉｖａｌｖｉａ）の、例えば、ドレイセナ属種（Ｄｒｅｉｓｓｅｎａ  ｓｐｐ．）、及び、腹足綱（Ｇａｓｔｒｏｐｏｄａ）の、例えば、アリオン属種（Ａｒｉｏｎ  ｓｐｐ．）、ビオムファラリア属種（Ｂｉｏｍｐｈａｌａｒｉａ  ｓｐｐ．）、ブリヌス属種（Ｂｕｌｉｎｕｓ  ｓｐｐ．）、デロセラス属種（Ｄｅｒｏｃｅｒａｓ  ｓｐｐ．）、ガルバ属種（Ｇａｌｂａ  ｓｐｐ．）、リムナエア属種（Ｌｙｍｎａｅａ  ｓｐｐ．）、オンコメラニア属種（Ｏｎｃｏｍｅｌａｎｉａ  ｓｐｐ．）、ポマケア属種（Ｐｏｍａｃｅａ  ｓｐｐ．）、スクシネア属種（Ｓｕｃｃｉｎｅａ  ｓｐｐ．）；
へん形動物門（Ｐｌａｔｈｅｌｍｉｎｔｈｅｓ）及び線形動物門（Ｎｅｍａｔｏｄａ）の有害動物、例えば、アンシロストマ・ズオデナレ（Ａｎｃｙｌｏｓｔｏｍａ  ｄｕｏｄｅｎａｌｅ）、アンシロストマ・セイラニクム（Ａｎｃｙｌｏｓｔｏｍａ  ｃｅｙｌａｎｉｃｕｍ）、アシロストマ・ブラジリエンシス（Ａｃｙｌｏｓｔｏｍａ  ｂｒａｚｉｌｉｅｎｓｉｓ）、アンシロストマ属種（Ａｎｃｙｌｏｓｔｏｍａ  ｓｐｐ．）、アスカリス属種（Ａｓｃａｒｉｓ  ｓｐｐ．）、ブルギア・マライ（Ｂｒｕｇｉａ  ｍａｌａｙｉ）、ブルギア・チモリ（Ｂｒｕｇｉａ  ｔｉｍｏｒｉ）、ブノストムム属種（Ｂｕｎｏｓｔｏｍｕｍ  ｓｐｐ．）、カベルチア属種（Ｃｈａｂｅｒｔｉａ  ｓｐｐ．）、クロノルキス属種（Ｃｌｏｎｏｒｃｈｉｓ  ｓｐｐ．）、コオペリア属種（Ｃｏｏｐｅｒｉａ  ｓｐｐ．）、ジクロコエリウム属（Ｄｉｃｒｏｃｏｅｌｉｕｍ  ｓｐｐ．）、ジクチオカウルス・フィラリア（Ｄｉｃｔｙｏｃａｕｌｕｓ  ｆｉｌａｒｉａ）、ジフィロボトリウム・ラツム（Ｄｉｐｈｙｌｌｏｂｏｔｈｒｉｕｍ  ｌａｔｕｍ）、ドラクンクルス・メジネンシス（Ｄｒａｃｕｎｃｕｌｕｓ  ｍｅｄｉｎｅｎｓｉｓ）、エキノコックス・グラヌロスス（Ｅｃｈｉｎｏｃｏｃｃｕｓ  ｇｒａｎｕｌｏｓｕｓ）、エキノコックス・ムルチロクラリス（Ｅｃｈｉｎｏｃｏｃｃｕｓ  ｍｕｌｔｉｌｏｃｕｌａｒｉｓ）、エンテロビウス・ベルミクラリス（Ｅｎｔｅｒｏｂｉｕｓ  ｖｅｒｍｉｃｕｌａｒｉｓ）、ファシオラ属種（Ｆａｃｉｏｌａ  ｓｐｐ．）、ハエモンクス属種（Ｈａｅｍｏｎｃｈｕｓ  ｓｐｐ．）、ヘテラキス属種（Ｈｅｔｅｒａｋｉｓ  ｓｐｐ．）、ヒメノレピス・ナナ（Ｈｙｍｅｎｏｌｅｐｉｓ  ｎａｎａ）、ヒオストロングルス属種（Ｈｙｏｓｔｒｏｎｇｕｌｕｓ  ｓｐｐ．）、ロア・ロア（Ｌｏａ  Ｌｏａ）、ネマトジルス属種（Ｎｅｍａｔｏｄｉｒｕｓ  ｓｐｐ．）、オエソファゴストムム属種（Ｏｅｓｏｐｈａｇｏｓｔｏｍｕｍ  ｓｐｐ．）、オピストルキス属種（Ｏｐｉｓｔｈｏｒｃｈｉｓ  ｓｐｐ．）、オンコセルカ・ボルブルス（Ｏｎｃｈｏｃｅｒｃａ  ｖｏｌｖｕｌｕｓ）、オステルタギア属種（Ｏｓｔｅｒｔａｇｉａ  ｓｐｐ．）、パラゴニムス属種（Ｐａｒａｇｏｎｉｍｕｓ  ｓｐｐ．）、シストソメン属種（Ｓｃｈｉｓｔｏｓｏｍｅｎ  ｓｐｐ．）、ストロンギロイデス・フエレボルニ（Ｓｔｒｏｎｇｙｌｏｉｄｅｓ  ｆｕｅｌｌｅｂｏｒｎｉ）、ストロンギロイデス・ステルコラリス（Ｓｔｒｏｎｇｙｌｏｉｄｅｓ  ｓｔｅｒｃｏｒａｌｉｓ）、ストロニロイデス属種（Ｓｔｒｏｎｙｌｏｉｄｅｓ  ｓｐｐ．）、タエニア・サギナタ（Ｔａｅｎｉａ  ｓａｇｉｎａｔａ）、タエニア・ソリウム（Ｔａｅｎｉａ  ｓｏｌｉｕｍ）、トリキネラ・スピラリス（Ｔｒｉｃｈｉｎｅｌｌａ  ｓｐｉｒａｌｉｓ）、トリキネラ・ナチバ（Ｔｒｉｃｈｉｎｅｌｌａ  ｎａｔｉｖａ）、トリキネラ・ブリトビ（Ｔｒｉｃｈｉｎｅｌｌａ  ｂｒｉｔｏｖｉ）、トリキネラ・ネルソニ（Ｔｒｉｃｈｉｎｅｌｌａ  ｎｅｌｓｏｎｉ）、トリキネラ・プセウドプシラリス（Ｔｒｉｃｈｉｎｅｌｌａ  ｐｓｅｕｄｏｐｓｉｒａｌｉｓ）、トリコストロングルス属種（Ｔｒｉｃｈｏｓｔｒｏｎｇｕｌｕｓ  ｓｐｐ．）、トリクリス・トリクリア（Ｔｒｉｃｈｕｒｉｓ  ｔｒｉｃｈｕｒｉａ）、ウケレリア・バンクロフチ（Ｗｕｃｈｅｒｅｒｉａ  ｂａｎｃｒｏｆｔｉ）；
線形動物門（Ｎｅｍａｔｏｄａ）の植物寄生性有害生物（ｐｈｙｔｏｐａｒａｓｉｔｉｃ  ｐｅｓｔｓ）、例えば、アフェレンコイデス属種（Ａｐｈｅｌｅｎｃｈｏｉｄｅｓ  ｓｐｐ．）、ブルサフェレンクス属種（Ｂｕｒｓａｐｈｅｌｅｎｃｈｕｓ  ｓｐｐ．）、ジチレンクス属種（Ｄｉｔｙｌｅｎｃｈｕｓ  ｓｐｐ．）、グロボデラ属種（Ｇｌｏｂｏｄｅｒａ  ｓｐｐ．）、ヘテロデラ属種（Ｈｅｔｅｒｏｄｅｒａ  ｓｐｐ．）、ロンギドルス属種（Ｌｏｎｇｉｄｏｒｕｓ  ｓｐｐ．）、メロイドギネ属種（Ｍｅｌｏｉｄｏｇｙｎｅ  ｓｐｐ．）、プラチレンクス属種（Ｐｒａｔｙｌｅｎｃｈｕｓ  ｓｐｐ．）、ラドフォラス属種（Ｒａｄｏｐｈｏｌｕｓ  ｓｐｐ．）、トリコドルス属種（Ｔｒｉｃｈｏｄｏｒｕｓ  ｓｐｐ．）、チレンクルス属種（Ｔｙｌｅｎｃｈｕｌｕｓ  ｓｐｐ．）、キシフィネマ属種（Ｘｉｐｈｉｎｅｍａ  ｓｐｐ．）、ヘリコティレンクス属種（Ｈｅｌｉｃｏｔｙｌｅｎｃｈｕｓ  ｓｐｐ．）、チレンコリンクス属種（Ｔｙｌｅｎｃｈｏｒｈｙｎｃｈｕｓ  ｓｐｐ．）、スクテロネマ属種（Ｓｃｕｔｅｌｌｏｎｅｍａ  ｓｐｐ．）、パラトリコドルス属種（Ｐａｒａｔｒｉｃｈｏｄｏｒｕｓ  ｓｐｐ．）、メロイネマ属種（Ｍｅｌｏｉｎｅｍａ  ｓｐｐ．）、パラフェレンクス属種（Ｐａｒａｐｈｅｌｅｎｃｈｕｓ  ｓｐｐ．）、アグレンクス属種（Ａｇｌｅｎｃｈｕｓ  ｓｐｐ．）、ベロノライムス属種（Ｂｅｌｏｎｏｌａｉｍｕｓ  ｓｐｐ．）、ナコブス属種（Ｎａｃｏｂｂｕｓ  ｓｐｐ．）、ロチレンクルス属種（Ｒｏｔｙｌｅｎｃｈｕｌｕｓ  ｓｐｐ．）、ロチレンクス属種（Ｒｏｔｙｌｅｎｃｈｕｓ  ｓｐｐ．）、ネオチレンクス属種（Ｎｅｏｔｙｌｅｎｃｈｕｓ  ｓｐｐ．）、パラフェレンクス属種（Ｐａｒａｐｈｅｌｅｎｃｈｕｓ  ｓｐｐ．）、ドリコドルス属種（Ｄｏｌｉｃｈｏｄｏｒｕｓ  ｓｐｐ．）、ホプロライムス属種（Ｈｏｐｌｏｌａｉｍｕｓ  ｓｐｐ．）、プンクトデラ属種（Ｐｕｎｃｔｏｄｅｒａ  ｓｐｐ．）、クリコネメラ属種（Ｃｒｉｃｏｎｅｍｅｌｌａ  ｓｐｐ．）、キニスルシウス（Ｑｕｉｎｉｓｕｌｃｉｕｓ  ｓｐｐ．）、ヘミシクロフォラ属種（Ｈｅｍｉｃｙｃｌｉｏｐｈｏｒａ  ｓｐｐ．）、アングイナ属種（Ａｎｇｕｉｎａ  ｓｐｐ．）、スバングイナ属種（Ｓｕｂａｎｇｕｉｎａ  ｓｐｐ．）、ヘミクリコネモイデス属種（Ｈｅｍｉｃｒｉｃｏｎｅｍｏｉｄｅｓ  ｓｐｐ．）、プシレンクス科（Ｐｓｉｌｅｎｃｈｕｓ  ｓｐｐ．）、スードハレンクス属種（Ｐｓｅｕｄｏｈａｌｅｎｃｈｕｓ  ｓｐｐ．）、クリコネモイデス属種（Ｃｒｉｃｏｎｅｍｏｉｄｅｓ  ｓｐｐ．）、カコパウルス属種（Ｃａｃｏｐａｕｒｕｓ  ｓｐｐ．）、ヒルシュマニエラ属種（Ｈｉｒｓｃｈｍａｎｉｅｌｌａ  ｓｐｐ．）、テチレンクス属種（Ｔｅｔｙｌｅｎｃｈｕｓ  ｓｐｐ．）。
【０１９４】
さらにまた、原生動物亜門の生物、特に、コッシジア目（Ｃｏｃｃｉｄｉａ）の、例えば、エイメリア属種（Ｅｉｍｅｒｉａ  ｓｐｐ．）も防除することが可能である。
【０１９５】
さらに、本発明による組成物は、好ましくは、強力な殺微生物活性を有し、そして、作物保護及び材料物質の保護において、菌類及び細菌類などの望ましくない微生物を防除するために使用することができる。
【０１９６】
本発明は、さらに、望ましくない微生物を防除する方法にも関し、ここで、該方法は、本発明の組成物を当該植物病原性菌類、植物病原性細菌類及び／又はそれらの生息環境に施用することを特徴とする。
【０１９７】
殺菌剤は、作物保護において、植物病原性菌類を防除するために使用することができる。それらは、土壌伝染性病原体を包含する広範囲の植物病原性菌類〔ここで、該植物病原性菌類は、特に、ネコブカビ類（Ｐｌａｓｍｏｄｉｏｐｈｏｒｏｍｙｃｅｔｅｓ）、卵菌類（Ｐｅｒｏｎｏｓｐｏｒｏｍｙｃｅｔｅｓ）（同義語：Ｏｏｍｙｃｅｔｅｓ）、ツボカビ類（Ｃｈｙｔｒｉｄｉｏｍｙｃｅｔｅｓ）、接合菌類（Ｚｙｇｏｍｙｃｅｔｅｓ）、子嚢菌類（Ａｓｃｏｍｙｃｅｔｅｓ）、担子菌類（Ｂａｓｉｄｉｏｍｙｃｅｔｅｓ）及び不完全菌類（Ｄｅｕｔｅｒｏｍｙｃｅｔｅｓ）（同義語：Ｆｕｎｇｉ  ｉｍｐｅｒｆｅｃｔｉ）のクラスのメンバーである〕に対する顕著な効力によって特徴付けられる。一部の殺菌剤は、浸透移行的な活性を示し、そして、植物保護において、茎葉処理殺菌剤、種子粉衣殺菌剤又は土壌殺菌剤として使用することができる。さらに、それらは、菌類、特に、材木又は植物の根を侵襲する菌類を駆除するのに適している。
【０１９８】
殺細菌剤（ｂａｃｔｅｒｉｃｉｄｅ）は、作物保護において、、シュードモナス科（Ｐｓｅｕｄｏｍｏｎａｄａｃｅａｅ）、リゾビウム科（Ｒｈｉｚｏｂｉａｃｅａｅ）、腸内細菌科（Ｅｎｔｅｒｏｂａｃｔｅｒｉａｃｅａｅ）、コリネバクテリウム科（Ｃｏｒｙｎｅｂａｃｔｅｒｉａｃｅａｅ）及びストレプトミセス科（Ｓｔｒｅｐｔｏｍｙｃｅｔａｃｅａｅ）を防除するために、使用することができる。
【０１９９】
本発明に従って治療することが可能な菌類病の病原体の非限定的な例としては、以下のものを挙げることができる：
・  例えば以下のような、うどんこ病病原体に起因する病害：  ブルメリア属各種（Ｂｌｕｍｅｒｉａ  ｓｐｅｃｉｅｓ）、例えば、ブルメリア・グラミニス（Ｂｌｕｍｅｒｉａ  ｇｒａｍｉｎｉｓ）；  ポドスファエラ属各種（Ｐｏｄｏｓｐｈａｅｒａ  ｓｐｅｃｉｅｓ）、例えば、ポドスファエラ・レウコトリカ（Ｐｏｄｏｓｐｈａｅｒａ  ｌｅｕｃｏｔｒｉｃｈａ）；  スファエロテカ属各種（Ｓｐｈａｅｒｏｔｈｅｃａ  ｓｐｅｃｉｅｓ）、例えば、スファエロテカ・フリギネア（Ｓｐｈａｅｒｏｔｈｅｃａ  ｆｕｌｉｇｉｎｅａ）；  ウンシヌラ属各種（Ｕｎｃｉｎｕｌａ  ｓｐｅｃｉｅｓ）、例えば、ウンシヌラ・ネカトル（Ｕｎｃｉｎｕｌａ  ｎｅｃａｔｏｒ）；
・  例えば以下のような、さび病病原体に起因する病害：  ギムノスポランギウム属各種（Ｇｙｍｎｏｓｐｏｒａｎｇｉｕｍ  ｓｐｅｃｉｅｓ）、例えば、ギムノスポランギウム・サビナエ（Ｇｙｍｎｏｓｐｏｒａｎｇｉｕｍ  ｓａｂｉｎａｅ）；  ヘミレイア属各種（Ｈｅｍｉｌｅｉａ  ｓｐｅｃｉｅｓ）、例えば、ヘミレイア・バスタトリクス（Ｈｅｍｉｌｅｉａ  ｖａｓｔａｔｒｉｘ）；  ファコプソラ属各種（Ｐｈａｋｏｐｓｏｒａ  ｓｐｅｃｉｅｓ）、例えば、ファコプソラ・パキリジ（Ｐｈａｋｏｐｓｏｒａ  ｐａｃｈｙｒｈｉｚｉ）及びファコプソラ・メイボミアエ（Ｐｈａｋｏｐｓｏｒａ  ｍｅｉｂｏｍｉａｅ）；  プッシニア属各種（Ｐｕｃｃｉｎｉａ  ｓｐｅｃｉｅｓ）、例えば、プッシニア・レコンジテ（Ｐｕｃｃｉｎｉａ  ｒｅｃｏｎｄｉｔｅ）、プッシニア・トリチシナ（Ｐ．  ｔｒｉｔｉｃｉｎａ）、プッシニア・グラミニス（Ｐ．  ｇｒａｍｉｎｉｓ）又はプッシニア・ストリイホルミス（Ｐ．  ｓｔｒｉｉｆｏｒｍｉｓ）又はプッシニア・ホルデイ（Ｐ．  ｈｏｒｄｅｉ）；  ウロミセス属各種（Ｕｒｏｍｙｃｅｓ  ｓｐｅｃｉｅｓ）、例えば、ウロミセス・アペンジクラツス（Ｕｒｏｍｙｃｅｓ  ａｐｐｅｎｄｉｃｕｌａｔｕｓ）；
・  例えば以下のような、卵菌類（Ｏｏｍｙｃｅｔｅｓ）の群の病原体に起因する病害：  アルブゴ属各種（Ａｌｂｕｇｏ  ｓｐｅｃｉｅｓ）、例えば、アルブゴ・カンジダ（Ａｌｂｕｇｏ  ｃａｎｄｉｄａ）；  ブレミア属各種（Ｂｒｅｍｉａ  ｓｐｅｃｉｅｓ）、例えば、ブレミア・ラクツカエ（Ｂｒｅｍｉａ  ｌａｃｔｕｃａｅ）；  ペロノスポラ属各種（Ｐｅｒｏｎｏｓｐｏｒａ  ｓｐｅｃｉｅｓ）、例えば、ペロノスポラ・ピシ（Ｐｅｒｏｎｏｓｐｏｒａ  ｐｉｓｉ）、ペロノスポラ・パラシチカ（Ｐ．  ｐａｒａｓｉｔｉｃａ）又はペロノスポラ・ブラシカエ（Ｐ．  ｂｒａｓｓｉｃａｅ）；  フィトフトラ属各種（Ｐｈｙｔｏｐｈｔｈｏｒａ  ｓｐｅｃｉｅｓ）、例えば、フィトフトラ・インフェスタンス（Ｐｈｙｔｏｐｈｔｈｏｒａ  ｉｎｆｅｓｔａｎｓ）；  プラスモパラ属各種（Ｐｌａｓｍｏｐａｒａ  ｓｐｅｃｉｅｓ）、例えば、プラスモパラ・ビチコラ（Ｐｌａｓｍｏｐａｒａ  ｖｉｔｉｃｏｌａ）；  プセウドペロノスポラ属各種（Ｐｓｅｕｄｏｐｅｒｏｎｏｓｐｏｒａ  ｓｐｅｃｉｅｓ）、例えば、プセウドペロノスポラ・フムリ（Ｐｓｅｕｄｏｐｅｒｏｎｏｓｐｏｒａ  ｈｕｍｕｌｉ）又はプセウドペロノスポラ・クベンシス（Ｐｓｅｕｄｏｐｅｒｏｎｏｓｐｏｒａ  ｃｕｂｅｎｓｉｓ）；  ピシウム属各種（Ｐｙｔｈｉｕｍ  ｓｐｅｃｉｅｓ）、例えば、ピシウム・ウルチムム（Ｐｙｔｈｉｕｍ  ｕｌｔｉｍｕｍ）；
・  例えば以下のものに起因する、斑点病（ｌｅａｆ  ｂｌｏｔｃｈ  ｄｉｓｅａｓｅ）及び萎凋病（ｌｅａｆ  ｗｉｌｔ  ｄｉｓｅａｓｅ）：  アルテルナリア属各種（Ａｌｔｅｒｎａｒｉａ  ｓｐｅｃｉｅｓ）、例えば、アルテルナリア・ソラニ（Ａｌｔｅｒｎａｒｉａ  ｓｏｌａｎｉ）；  セルコスポラ属各種（Ｃｅｒｃｏｓｐｏｒａ  ｓｐｅｃｉｅｓ）、例えば、セルコスポラ・ベチコラ（Ｃｅｒｃｏｓｐｏｒａ  ｂｅｔｉｃｏｌａ）；  クラジオスポリウム属各種（Ｃｌａｄｉｏｓｐｏｒｉｕｍ  ｓｐｅｃｉｅｓ）、例えば、クラジオスポリウム・ククメリヌム（Ｃｌａｄｉｏｓｐｏｒｉｕｍ  ｃｕｃｕｍｅｒｉｎｕｍ）；  コクリオボルス属各種（Ｃｏｃｈｌｉｏｂｏｌｕｓ  ｓｐｅｃｉｅｓ）、例えば、コクリオボルス・サチブス（Ｃｏｃｈｌｉｏｂｏｌｕｓ  ｓａｔｉｖｕｓ）（分生子形態：Ｄｒｅｃｈｓｌｅｒａ，  同義語：Ｈｅｌｍｉｎｔｈｏｓｐｏｒｉｕｍ）、コクリオボルス・ミヤベアヌス（Ｃｏｃｈｌｉｏｂｏｌｕｓ  ｍｉｙａｂｅａｎｕｓ）；  コレトトリクム属各種（Ｃｏｌｌｅｔｏｔｒｉｃｈｕｍ  ｓｐｅｃｉｅｓ）、例えば、コレトトリクム・リンデムタニウム（Ｃｏｌｌｅｔｏｔｒｉｃｈｕｍ  ｌｉｎｄｅｍｕｔｈａｎｉｕｍ）；  シクロコニウム属各種（Ｃｙｃｌｏｃｏｎｉｕｍ  ｓｐｅｃｉｅｓ）、例えば、シクロコニウム・オレアギヌム（Ｃｙｃｌｏｃｏｎｉｕｍ  ｏｌｅａｇｉｎｕｍ）；  ジアポルテ属各種（Ｄｉａｐｏｒｔｈｅ  ｓｐｅｃｉｅｓ）、例えば、ジアポルテ・シトリ（Ｄｉａｐｏｒｔｈｅ  ｃｉｔｒｉ）；  エルシノエ属各種（Ｅｌｓｉｎｏｅ  ｓｐｅｃｉｅｓ）、例えば、エルシノエ・ファウセッチイ（Ｅｌｓｉｎｏｅ  ｆａｗｃｅｔｔｉｉ）；  グロエオスポリウム属各種（Ｇｌｏｅｏｓｐｏｒｉｕｍ  ｓｐｅｃｉｅｓ）、例えば、グロエオスポリウム・ラエチコロル（Ｇｌｏｅｏｓｐｏｒｉｕｍ  ｌａｅｔｉｃｏｌｏｒ）；  グロメレラ属各種（Ｇｌｏｍｅｒｅｌｌａ  ｓｐｅｃｉｅｓ）、例えば、グロメレラ・シングラタ（Ｇｌｏｍｅｒｅｌｌａ  ｃｉｎｇｕｌａｔａ）；  グイグナルジア属各種（Ｇｕｉｇｎａｒｄｉａ  ｓｐｅｃｉｅｓ）、例えば、グイグナルジア・ビドウェリ（Ｇｕｉｇｎａｒｄｉａ  ｂｉｄｗｅｌｌｉ）；  レプトスファエリア属各種（Ｌｅｐｔｏｓｐｈａｅｒｉａ  ｓｐｅｃｉｅｓ）、例えば、レプトスファエリア・マクランス（Ｌｅｐｔｏｓｐｈａｅｒｉａ  ｍａｃｕｌａｎｓ）、レプトスファエリア・ノドルム（Ｌｅｐｔｏｓｐｈａｅｒｉａ  ｎｏｄｏｒｕｍ）；  マグナポルテ属各種（Ｍａｇｎａｐｏｒｔｈｅ  ｓｐｅｃｉｅｓ）、例えば、マグナポルテ・グリセア（Ｍａｇｎａｐｏｒｔｈｅ  ｇｒｉｓｅａ）；  ミクロドキウム属各種（Ｍｉｃｒｏｄｏｃｈｉｕｍ  ｓｐｅｃｉｅｓ）、例えば、ミクロドキウム・ニバレ（Ｍｉｃｒｏｄｏｃｈｉｕｍ  ｎｉｖａｌｅ）；  ミコスファエレラ属各種（Ｍｙｃｏｓｐｈａｅｒｅｌｌａ  ｓｐｅｃｉｅｓ）、例えば、ミコスファエレラ・グラミニコラ（Ｍｙｃｏｓｐｈａｅｒｅｌｌａ  ｇｒａｍｉｎｉｃｏｌａ）、ミコスファエレラ・アラキジコラ（Ｍ．  ａｒａｃｈｉｄｉｃｏｌａ）及びミコスファエレラ・フィジエンシス（Ｍ．  ｆｉｊｉｅｎｓｉｓ）；  ファエオスファエリア属各種（Ｐｈａｅｏｓｐｈａｅｒｉａ  ｓｐｅｃｉｅｓ）、例えば、ファエオスファエリア・ノドルム（Ｐｈａｅｏｓｐｈａｅｒｉａ  ｎｏｄｏｒｕｍ）；  ピレノホラ属各種（Ｐｙｒｅｎｏｐｈｏｒａ  ｓｐｅｃｉｅｓ）、例えば、ピレノホラ・テレス（Ｐｙｒｅｎｏｐｈｏｒａ  ｔｅｒｅｓ）、ピレノホラ・トリチシ・レペンチス（Ｐｙｒｅｎｏｐｈｏｒａ  ｔｒｉｔｉｃｉ  ｒｅｐｅｎｔｉｓ）；  ラムラリア属各種（Ｒａｍｕｌａｒｉａ  ｓｐｅｃｉｅｓ）、例えば、ラムラリア・コロ−シグニ（Ｒａｍｕｌａｒｉａ  ｃｏｌｌｏ−ｃｙｇｎｉ）、ラムラリア・アレオラ（Ｒａｍｕｌａｒｉａ  ａｒｅｏｌａ）；  リンコスポリウム属各種（Ｒｈｙｎｃｈｏｓｐｏｒｉｕｍ  ｓｐｅｃｉｅｓ）、例えば、リンコスポリウム・セカリス（Ｒｈｙｎｃｈｏｓｐｏｒｉｕｍ  ｓｅｃａｌｉｓ）；  セプトリア属各種（Ｓｅｐｔｏｒｉａ  ｓｐｅｃｉｅｓ）、例えば、セプトリア・アピイ（Ｓｅｐｔｏｒｉａ  ａｐｉｉ）、セプトリア・リコペルシイ（Ｓｅｐｔｏｒｉａ  ｌｙｃｏｐｅｒｓｉｉ）；  チフラ属各種（Ｔｙｐｈｕｌａ  ｓｐｅｃｉｅｓ）、例えば、チフラ・インカルナタ（Ｔｙｐｈｕｌａ  ｉｎｃａｒｎａｔａ）；  ベンツリア属各種（Ｖｅｎｔｕｒｉａ  ｓｐｅｃｉｅｓ）、例えば、ベンツリア・イナエクアリス（Ｖｅｎｔｕｒｉａ  ｉｎａｅｑｕａｌｉｓ）；
・  例えば以下のものに起因する、根及び茎の病害：  コルチシウム属各種（Ｃｏｒｔｉｃｉｕｍ  ｓｐｅｃｉｅｓ）、例えば、コルチシウム・グラミネアルム（Ｃｏｒｔｉｃｉｕｍ  ｇｒａｍｉｎｅａｒｕｍ）；  フサリウム属各種（Ｆｕｓａｒｉｕｍ  ｓｐｅｃｉｅｓ）、例えば、フサリウム・オキシスポルム（Ｆｕｓａｒｉｕｍ  ｏｘｙｓｐｏｒｕｍ）；  ガエウマンノミセス属各種（Ｇａｅｕｍａｎｎｏｍｙｃｅｓ  ｓｐｅｃｉｅｓ）、例えば、ガエウマンノミセス・グラミニス（Ｇａｅｕｍａｎｎｏｍｙｃｅｓ  ｇｒａｍｉｎｉｓ）；  リゾクトニア属各種（Ｒｈｉｚｏｃｔｏｎｉａ  ｓｐｅｃｉｅｓ）、例えば、リゾクトニア・ソラニ（Ｒｈｉｚｏｃｔｏｎｉａ  ｓｏｌａｎｉ）；  サロクラジウム（Ｓａｒｏｃｌａｄｉｕｍ）病、これは、例えば、サロクラジウム・オリザエ（Ｓａｒｏｃｌａｄｉｕｍ  ｏｒｙｚａｅ）に起因する；  スクレロチウム（Ｓｃｌｅｒｏｔｉｕｍ）病、これは、例えば、スクレロチウム・オリザエ（Ｓｃｌｅｒｏｔｉｕｍ  ｏｒｙｚａｅ）に起因する；  タペシア属各種（Ｔａｐｅｓｉａ  ｓｐｅｃｉｅｓ）、例えば、タペシア・アクホルミス（Ｔａｐｅｓｉａ  ａｃｕｆｏｒｍｉｓ）；  チエラビオプシス属各種（Ｔｈｉｅｌａｖｉｏｐｓｉｓ  ｓｐｅｃｉｅｓ）、例えば、チエラビオプシス・バシコラ（Ｔｈｉｅｌａｖｉｏｐｓｉｓ  ｂａｓｉｃｏｌａ）；
・  例えば以下のものに起因する、穂の病害（ｅａｒ  ａｎｄ  ｐａｎｉｃｌｅ  ｄｉｓｅａｓｅ）（トウモロコシの穂軸を包含する）：  アルテルナリア属各種（Ａｌｔｅｒｎａｒｉａ  ｓｐｅｃｉｅｓ）、例えば、アルテルナリア属種（Ａｌｔｅｒｎａｒｉａ  ｓｐｐ．）；  アスペルギルス属各種（Ａｓｐｅｒｇｉｌｌｕｓ  ｓｐｅｃｉｅｓ）、例えば、アスペルギルス・フラブス（Ａｓｐｅｒｇｉｌｌｕｓ  ｆｌａｖｕｓ）；  クラドスポリウム属各種（Ｃｌａｄｏｓｐｏｒｉｕｍ  ｓｐｅｃｉｅｓ）、例えば、クラドスポリウム・クラドスポリオイデス（Ｃｌａｄｏｓｐｏｒｉｕｍ  ｃｌａｄｏｓｐｏｒｉｏｉｄｅｓ）；  クラビセプス属各種（Ｃｌａｖｉｃｅｐｓ  ｓｐｅｃｉｅｓ）、例えば、クラビセプス・プルプレア（Ｃｌａｖｉｃｅｐｓ  ｐｕｒｐｕｒｅａ）；  フサリウム属各種（Ｆｕｓａｒｉｕｍ  ｓｐｅｃｉｅｓ）、例えば、フサリウム・クルモルム（Ｆｕｓａｒｉｕｍ  ｃｕｌｍｏｒｕｍ）；  ジベレラ属各種（Ｇｉｂｂｅｒｅｌｌａ  ｓｐｅｃｉｅｓ）、例えば、ジベレラ・ゼアエ（Ｇｉｂｂｅｒｅｌｌａ  ｚｅａｅ）；  モノグラフェラ属各種（Ｍｏｎｏｇｒａｐｈｅｌｌａ  ｓｐｅｃｉｅｓ）、例えば、モノグラフェラ・ニバリス（Ｍｏｎｏｇｒａｐｈｅｌｌａ  ｎｉｖａｌｉｓ）；  セプトリア属各種（Ｓｅｐｔｏｒｉａ  ｓｐｅｃｉｅｓ）、例えば、セプトリア・ノドルム（Ｓｅｐｔｏｒｉａ  ｎｏｄｏｒｕｍ）；
・  例えば以下のものなどの、黒穂病菌類（ｓｍｕｔ  ｆｕｎｇｉ）に起因する病害：  スファセロテカ属各種（Ｓｐｈａｃｅｌｏｔｈｅｃａ  ｓｐｅｃｉｅｓ）、例えば、スファセロテカ・レイリアナ（Ｓｐｈａｃｅｌｏｔｈｅｃａ  ｒｅｉｌｉａｎａ）；  チレチア属各種（Ｔｉｌｌｅｔｉａ  ｓｐｅｃｉｅｓ）、例えば、チレチア・カリエス（Ｔｉｌｌｅｔｉａ  ｃａｒｉｅｓ）、チレチア・コントロベルサ（Ｔ．  ｃｏｎｔｒｏｖｅｒｓａ）；  ウロシスチス属各種（Ｕｒｏｃｙｓｔｉｓ  ｓｐｅｃｉｅｓ）、例えば、ウロシスチス・オクルタ（Ｕｒｏｃｙｓｔｉｓ  ｏｃｃｕｌｔａ）；  ウスチラゴ属各種（Ｕｓｔｉｌａｇｏ  ｓｐｅｃｉｅｓ）、例えば、ウスチラゴ・ヌダ（Ｕｓｔｉｌａｇｏ  ｎｕｄａ）、ウスチラゴ・ヌダ・トリチシ（Ｕ．  ｎｕｄａ  ｔｒｉｔｉｃｉ）；
・  例えば以下のものに起因する、果実の腐敗（ｆｒｕｉｔ  ｒｏｔ）：  アスペルギルス属各種（Ａｓｐｅｒｇｉｌｌｕｓ  ｓｐｅｃｉｅｓ）、例えば、アスペルギルス・フラブス（Ａｓｐｅｒｇｉｌｌｕｓ  ｆｌａｖｕｓ）；  ボトリチス属各種（Ｂｏｔｒｙｔｉｓ  ｓｐｅｃｉｅｓ）、例えば、ボトリチス・シネレア（Ｂｏｔｒｙｔｉｓ  ｃｉｎｅｒｅａ）；  ペニシリウム属各種（Ｐｅｎｉｃｉｌｌｉｕｍ  ｓｐｅｃｉｅｓ）、例えば、ペニシリウム・エキスパンスム（Ｐｅｎｉｃｉｌｌｉｕｍ  ｅｘｐａｎｓｕｍ）及びペニシリウム・プルプロゲヌム（Ｐ．  ｐｕｒｐｕｒｏｇｅｎｕｍ）；  スクレロチニア属各種（Ｓｃｌｅｒｏｔｉｎｉａ  ｓｐｅｃｉｅｓ）、例えば、スクレロチニア・スクレロチオルム（Ｓｃｌｅｒｏｔｉｎｉａ  ｓｃｌｅｒｏｔｉｏｒｕｍ）；  ベルチシリウム属各種（Ｖｅｒｔｉｃｉｌｉｕｍ  ｓｐｅｃｉｅｓ）、例えば、ベルチシリウム・アルボアトルム（Ｖｅｒｔｉｃｉｌｉｕｍ  ａｌｂｏａｔｒｕｍ）；
・  例えば以下のものに起因する、種子及び土壌が媒介する腐朽性、黴性、萎凋性、腐敗性及び苗立ち枯れ性の病害（ｓｅｅｄ  ａｎｄ  ｓｏｉｌｂｏｒｎｅ  ｄｅｃａｙ，  ｍｏｕｌｄ，  ｗｉｌｔ，  ｒｏｔ  ａｎｄ  ｄａｍｐｉｎｇ−ｏｆｆ  ｄｉｓｅａｓｅ）：  アルテルナリア属各種（Ａｌｔｅｒｎａｒｉａ  ｓｐｅｃｉｅｓ）、例えば、アルテルナリア・ブラシシコラ（Ａｌｔｅｒｎａｒｉａ  ｂｒａｓｓｉｃｉｃｏｌａ）に起因する；  アファノミセス属各種（Ａｐｈａｎｏｍｙｃｅｓ  ｓｐｅｃｉｅｓ）、例えば、アファノミセス・エウテイケス（Ａｐｈａｎｏｍｙｃｅｓ  ｅｕｔｅｉｃｈｅｓ）に起因する；  アスコキタ属各種（Ａｓｃｏｃｈｙｔａ  ｓｐｅｃｉｅｓ）、例えば、アスコキタ・レンチス（Ａｓｃｏｃｈｙｔａ  ｌｅｎｔｉｓ）に起因する；  アスペルギルス属各種（Ａｓｐｅｒｇｉｌｌｕｓ  ｓｐｅｃｉｅｓ）、例えば、アスペルギルス・フラブス（Ａｓｐｅｒｇｉｌｌｕｓ  ｆｌａｖｕｓ）に起因する；  クラドスポリウム属各種（Ｃｌａｄｏｓｐｏｒｉｕｍ  ｓｐｅｃｉｅｓ）、例えば、クラドスポリウム・ヘルバルム（Ｃｌａｄｏｓｐｏｒｉｕｍ  ｈｅｒｂａｒｕｍ）に起因する；  コクリオボルス属各種（Ｃｏｃｈｌｉｏｂｏｌｕｓ  ｓｐｅｃｉｅｓ）、例えば、コクリオボルス・サチブス（Ｃｏｃｈｌｉｏｂｏｌｕｓ  ｓａｔｉｖｕｓ）に起因する；（分生子形態：Ｄｒｅｃｈｓｌｅｒａ、Ｂｉｐｏｌａｒｉｓ  異名：Ｈｅｌｍｉｎｔｈｏｓｐｏｒｉｕｍ）；  コレトトリクム属各種（Ｃｏｌｌｅｔｏｔｒｉｃｈｕｍ  ｓｐｅｃｉｅｓ）、例えば、コレトトリクム・ココデス（Ｃｏｌｌｅｔｏｔｒｉｃｈｕｍ  ｃｏｃｃｏｄｅｓ）に起因する；  フサリウム属各種（Ｆｕｓａｒｉｕｍ  ｓｐｅｃｉｅｓ）、例えば、フサリウム・クルモルム（Ｆｕｓａｒｉｕｍ  ｃｕｌｍｏｒｕｍ）に起因する；  ジベレラ属各種（Ｇｉｂｂｅｒｅｌｌａ  ｓｐｅｃｉｅｓ）、例えば、ジベレラ・ゼアエ（Ｇｉｂｂｅｒｅｌｌａ  ｚｅａｅ）に起因する；  マクロホミナ属各種（Ｍａｃｒｏｐｈｏｍｉｎａ  ｓｐｅｃｉｅｓ）、例えば、マクロホミナ・ファセオリナ（Ｍａｃｒｏｐｈｏｍｉｎａ  ｐｈａｓｅｏｌｉｎａ）に起因する；  モノグラフェラ属各種（Ｍｏｎｏｇｒａｐｈｅｌｌａ  ｓｐｅｃｉｅｓ）、例えば、モノグラフェラ・ニバリス（Ｍｏｎｏｇｒａｐｈｅｌｌａ  ｎｉｖａｌｉｓ）に起因する；  ペニシリウム属各種（Ｐｅｎｉｃｉｌｌｉｕｍ  ｓｐｅｃｉｅｓ）、例えば、ペニシリウム・エキスパンスム（Ｐｅｎｉｃｉｌｌｉｕｍ  ｅｘｐａｎｓｕｍ）に起因する；  ホマ属各種（Ｐｈｏｍａ  ｓｐｅｃｉｅｓ）、例えば、ホマ・リンガム（Ｐｈｏｍａ  ｌｉｎｇａｍ）に起因する；  ホモプシス属各種（Ｐｈｏｍｏｐｓｉｓ  ｓｐｅｃｉｅｓ）、例えば、ホモプシス・ソジャエ（Ｐｈｏｍｏｐｓｉｓ  ｓｏｊａｅ）に起因する；  フィトフトラ属各種（Ｐｈｙｔｏｐｈｔｈｏｒａ  ｓｐｅｃｉｅｓ）、例えば、フィトフトラ・カクトルム（Ｐｈｙｔｏｐｈｔｈｏｒａ  ｃａｃｔｏｒｕｍ）に起因する；  ピレノホラ属各種（Ｐｙｒｅｎｏｐｈｏｒａ  ｓｐｅｃｉｅｓ）、例えば、ピレノホラ・グラミネア（Ｐｙｒｅｎｏｐｈｏｒａ  ｇｒａｍｉｎｅａ）に起因する；  ピリクラリア属各種（Ｐｙｒｉｃｕｌａｒｉａ  ｓｐｅｃ���ｅｓ）、例えば、ピリクラリア・オリザエ（Ｐｙｒｉｃｕｌａｒｉａ  ｏｒｙｚａｅ）に起因する；  ピシウム属各種（Ｐｙｔｈｉｕｍ  ｓｐｅｃｉｅｓ）、例えば、ピシウム・ウルチムム（Ｐｙｔｈｉｕｍ  ｕｌｔｉｍｕｍ）に起因する；  リゾクトニア属各種（Ｒｈｉｚｏｃｔｏｎｉａ  ｓｐｅｃｉｅｓ）、例えば、リゾクトニア・ソラニ（Ｒｈｉｚｏｃｔｏｎｉａ  ｓｏｌａｎｉ）に起因する；  リゾプス属各種（Ｒｈｉｚｏｐｕｓ  ｓｐｅｃｉｅｓ）、例えば、リゾプス・オリザエ（Ｒｈｉｚｏｐｕｓ  ｏｒｙｚａｅ）に起因する；  スクレロチウム属各種（Ｓｃｌｅｒｏｔｉｕｍ  ｓｐｅｃｉｅｓ）、例えば、スクレロチウム・ロルフシイ（Ｓｃｌｅｒｏｔｉｕｍ  ｒｏｌｆｓｉｉ）に起因する；  セプトリア属各種（Ｓｅｐｔｏｒｉａ  ｓｐｅｃｉｅｓ）、例えば、セプトリア・ノドルム（Ｓｅｐｔｏｒｉａ  ｎｏｄｏｒｕｍ）に起因する；  チフラ属各種（Ｔｙｐｈｕｌａ  ｓｐｅｃｉｅｓ）、例えば、チフラ・インカルナタ（Ｔｙｐｈｕｌａ  ｉｎｃａｒｎａｔａ）に起因する；  ベルチシリウム属各種（Ｖｅｒｔｉｃｉｌｌｉｕｍ  ｓｐｅｃｉｅｓ）、例えば、ベルチシリウム・ダーリアエ（Ｖｅｒｔｉｃｉｌｌｉｕｍ  ｄａｈｌｉａｅ）に起因する；
・  例えば以下のものに起因する、癌性病害（ｃａｎｃｅｒ）、こぶ（ｇａｌｌ）及び天狗巣病（ｗｉｔｃｈｅｓ’  ｂｒｏｏｍ）：  例えば、ネクトリア属各種（Ｎｅｃｔｒｉａ  ｓｐｅｃｉｅｓ）、例えば、ネクトリア・ガリゲナ（Ｎｅｃｔｒｉａ  ｇａｌｌｉｇｅｎａ）；
・  例えば以下のものに起因する、萎凋病（ｗｉｌｔ  ｄｉｓｅａｓｅ）：  モニリニア属各種（Ｍｏｎｉｌｉｎｉａ  ｓｐｅｃｉｅｓ）：  例えば、モニリニア・ラキサ（Ｍｏｎｉｌｉｎｉａ  ｌａｘａ）；
・  例えば以下のものに起因する、葉水泡性病害又は縮葉病（ｌｅａｆ  ｂｌｉｓｔｅｒ  ｏｒ  ｌｅａｆ  ｃｕｒｌ  ｄｉｓｅａｓｅ）：  例えば、エキソバシジウム属各種（Ｅｘｏｂａｓｉｄｉｕｍ  ｓｐｅｃｉｅｓ）、例えば、エキソバシジウム・ベキサンス（Ｅｘｏｂａｓｉｄｉｕｍ  ｖｅｘａｎｓ）；  タフリナ属各種（Ｔａｐｈｒｉｎａ  ｓｐｅｃｉｅｓ）、例えば、タフリナ・デホルマンス（Ｔａｐｈｒｉｎａ  ｄｅｆｏｒｍａｎｓ）；
・  例えば以下のものに起因する、木本植物の衰退性病害（ｄｅｃｌｉｎｅ  ｄｉｓｅａｓｅ  ｏｆ  ｗｏｏｄｅｎ  ｐｌａｎｔ）：  エスカ（Ｅｓｃａ）病、これは、例えば、ファエオモニエラ・クラミドスポラ（Ｐｈａｅｍｏｎｉｅｌｌａ  ｃｌａｍｙｄｏｓｐｏｒａ）、ファエオアクレモニウム・アレオフィルム（Ｐｈａｅｏａｃｒｅｍｏｎｉｕｍ  ａｌｅｏｐｈｉｌｕｍ）及びフォミチポリア・メジテラネア（Ｆｏｍｉｔｉｐｏｒｉａ  ｍｅｄｉｔｅｒｒａｎｅａ）に起因する；ユーティパダイバック病（Ｅｕｔｙｐａ  ｄｙｅｂａｃｋ）、これは、例えば、ユーティパ・ラタ（Ｅｕｔｙｐａ  ｌａｔａ）に起因する；  ガノデルマ（Ｇａｎｏｄｅｒｍａ）病、これは、例えば、ガノデルマ・ボニネンセ（Ｇａｎｏｄｅｒｍａ  ｂｏｎｉｎｅｎｓｅ）に起因する；リギドポルス（Ｒｉｇｉｄｏｐｏｒｕｓ）病、これは、例えば、リギドポルス・リグノスス（Ｒｉｇｉｄｏｐｏｒｕｓ  ｌｉｇｎｏｓｕｓ）に起因する；
・  例えば以下のものに起因する、花及び種子の病害：  ボトリチス属各種（Ｂｏｔｒｙｔｉｓ  ｓｐｅｃｉｅｓ）、例えば、ボトリチス・シネレア（Ｂｏｔｒｙｔｉｓ  ｃｉｎｅｒｅａ）；
・  例えば以下のものに起因する、植物塊茎の病害：  リゾクトニア属各種（Ｒｈｉｚｏｃｔｏｎｉａ  ｓｐｅｃｉｅｓ）、例えば、リゾクトニア・ソラニ（Ｒｈｉｚｏｃｔｏｎｉａ  ｓｏｌａｎｉ）；  ヘルミントスポリウム属各種（Ｈｅｌｍｉｎｔｈｏｓｐｏｒｉｕｍ  ｓｐｅｃｉｅｓ）、例えば、ヘルミントスポリウム・ソラニ（Ｈｅｌｍｉｎｔｈｏｓｐｏｒｉｕｍ  ｓｏｌａｎｉ）；
・  例えば以下のものに起因する、根瘤病（ｃｌｕｂ  ｒｏｏｔ）：  プラスモジオホラ属各種（Ｐｌａｓｍｏｄｉｏｐｈｏｒａ  ｓｐｅｃｉｅｓ）、例えば、プラスモジオホラ・ブラシカエ（Ｐｌａｍｏｄｉｏｐｈｏｒａ  ｂｒａｓｓｉｃａｅ）；
・  例えば以下のものなどの、細菌性病原体に起因する病害：  キサントモナス属各種（Ｘａｎｔｈｏｍｏｎａｓ  ｓｐｅｃｉｅｓ）、例えば、キサントモナス・カムペストリス  ｐｖ．オリザエ（Ｘａｎｔｈｏｍｏｎａｓ  ｃａｍｐｅｓｔｒｉｓ  ｐｖ．  ｏｒｙｚａｅ）；  シュードモナス属各種（Ｐｓｅｕｄｏｍｏｎａｓ  ｓｐｅｃｉｅｓ）、例えば、シュードモナス・シリンガエ  ｐｖ．ラクリマンス（Ｐｓｅｕｄｏｍｏｎａｓ  ｓｙｒｉｎｇａｅ  ｐｖ．  ｌａｃｈｒｙｍａｎｓ）；  エルウィニア属各種（Ｅｒｗｉｎｉａ  ｓｐｅｃｉｅｓ）、例えば、エルウィニア・アミロボラ（Ｅｒｗｉｎｉａ  ａｍｙｌｏｖｏｒａ）。
【０２００】
ダイズの以下の病害を、好ましくは、防除することができる：
・  例えば以下のものに起因する、葉、茎、鞘及び種子の菌類病：
アルテルナリア斑点病（ａｌｔｅｒｎａｒｉａ  ｌｅａｆ  ｓｐｏｔ）（Ａｌｔｅｒｎａｒｉａ  ｓｐｅｃ．  ａｔｒａｎｓ  ｔｅｎｕｉｓｓｉｍａ）、炭疽病（Ｃｏｌｌｅｔｏｔｒｉｃｈｕｍ  ｇｌｏｅｏｓｐｏｒｏｉｄｅｓ  ｄｅｍａｔｉｕｍ  ｖａｒ．  ｔｒｕｎｃａｔｕｍ）、褐紋病（ｂｒｏｗｎ  ｓｐｏｔ）（Ｓｅｐｔｏｒｉａ  ｇｌｙｃｉｎｅｓ）、紫斑病（ｃｅｒｃｏｓｐｏｒａ  ｌｅａｆ  ｓｐｏｔ  ａｎｄ  ｂｌｉｇｈｔ）（Ｃｅｒｃｏｓｐｏｒａ  ｋｉｋｕｃｈｉｉ）、コアネホラ葉枯病（ｃｈｏａｎｅｐｈｏｒａ  ｌｅａｆ  ｂｌｉｇｈｔ）（Ｃｈｏａｎｅｐｈｏｒａ  ｉｎｆｕｎｄｉｂｕｌｉｆｅｒａ  ｔｒｉｓｐｏｒａ（Ｓｙｎ．））、ダクツリオホラ斑点病（ｄａｃｔｕｌｉｏｐｈｏｒａ  ｌｅａｆ  ｓｐｏｔ）（Ｄａｃｔｕｌｉｏｐｈｏｒａ  ｇｌｙｃｉｎｅｓ）、べと病（Ｐｅｒｏｎｏｓｐｏｒａ  ｍａｎｓｈｕｒｉｃａ）、ドレクスレラ胴枯病（ｄｒｅｃｈｓｌｅｒａ  ｂｌｉｇｈｔ）（Ｄｒｅｃｈｓｌｅｒａ  ｇｌｙｃｉｎｉ）、斑点病（ｆｒｏｇｅｙｅ  ｌｅａｆ  ｓｐｏｔ）（Ｃｅｒｃｏｓｐｏｒａ  ｓｏｊｉｎａ）、そばかす病（ｌｅｐｔｏｓｐｈａｅｒｕｌｉｎａ  ｌｅａｆ  ｓｐｏｔ）（Ｌｅｐｔｏｓｐｈａｅｒｕｌｉｎａ  ｔｒｉｆｏｌｉｉ）、灰星病（ｐｈｙｌｌｏｓｔｉｃａ  ｌｅａｆ  ｓｐｏｔ）（Ｐｈｙｌｌｏｓｔｉｃｔａ  ｓｏｊａｅｃｏｌａ）、黒点病（ｐｏｄ  ａｎｄ  ｓｔｅｍ  ｂｌｉｇｈｔ）（Ｐｈｏｍｏｐｓｉｓ  ｓｏｊａｅ）、うどんこ病（Ｍｉｃｒｏｓｐｈａｅｒａ  ｄｉｆｆｕｓａ）、ピレノカエタ斑点病（ｐｙｒｅｎｏｃｈａｅｔａ  ｌｅａｆ  ｓｐｏｔ）（Ｐｙｒｅｎｏｃｈａｅｔａ  ｇｌｙｃｉｎｅｓ）、葉腐病（ｒｈｉｚｏｃｔｏｎｉａ  ａｅｒｉａｌ，  ｆｏｌｉａｇｅ，  ａｎｄ  ｗｅｂ  ｂｌｉｇｈｔ）（Ｒｈｉｚｏｃｔｏｎｉａ  ｓｏｌａｎｉ）、さび病（Ｐｈａｋｏｐｓｏｒａ  ｐａｃｈｙｒｈｉｚｉ，  Ｐｈａｋｏｐｓｏｒａ  ｍｅｉｂｏｍｉａｅ）、黒とう病（Ｓｐｈａｃｅｌｏｍａ  ｇｌｙｃｉｎｅｓ）、ステムフィリウム葉枯病（ｓｔｅｍｐｈｙｌｉｕｍ  ｌｅａｆ  ｂｌｉｇｈｔ）（Ｓｔｅｍｐｈｙｌｉｕｍ  ｂｏｔｒｙｏｓｕｍ）、褐色輪紋病（Ｃｏｒｙｎｅｓｐｏｒａ  ｃａｓｓｉｉｃｏｌａ）；
・  例えば以下のものに起因する、根及び茎基部の菌類病：
黒根腐病（Ｃａｌｏｎｅｃｔｒｉａ  ｃｒｏｔａｌａｒｉａｅ）、炭腐病（Ｍａｃｒｏｐｈｏｍｉｎａ  ｐｈａｓｅｏｌｉｎａ）、赤かび病（ｆｕｓａｒｉｕｍ  ｂｌｉｇｈｔ  ｏｒ  ｗｉｌｔ，  ｒｏｏｔ  ｒｏｔ，  ａｎｄ  ｐｏｄ  ａｎｄ  ｃｏｌｌａｒ  ｒｏｔ）（Ｆｕｓａｒｉｕｍ  ｏｘｙｓｐｏｒｕｍ、Ｆｕｓａｒｉｕｍ  ｏｒｔｈｏｃｅｒａｓ、Ｆｕｓａｒｉｕｍ  ｓｅｍｉｔｅｃｔｕｍ、Ｆｕｓａｒｉｕｍ  ｅｑｕｉｓｅｔｉ）、ミコレプトジスクス根腐病（ｍｙｃｏｌｅｐｔｏｄｉｓｃｕｓ  ｒｏｏｔ  ｒｏｔ）（Ｍｙｃｏｌｅｐｔｏｄｉｓｃｕｓ  ｔｅｒｒｅｓｔｒｉｓ）、根腐病（ｎｅｏｃｏｓｍｏｓｐｏｒａ）（Ｎｅｏｃｏｓｍｏｓｐｏｒａ  ｖａｓｉｎｆｅｃｔａ）、黒点病（Ｄｉａｐｏｒｔｈｅ  ｐｈａｓｅｏｌｏｒｕｍ）、茎腐爛病（ｓｔｅｍ  ｃａｎｋｅｒ）（Ｄｉａｐｏｒｔｈｅ  ｐｈａｓｅｏｌｏｒｕｍ  ｖａｒ．  ｃａｕｌｉｖｏｒａ）、茎疫病（ｐｈｙｔｏｐｈｔｈｏｒａ  ｒｏｔ）（Ｐｈｙｔｏｐｈｔｈｏｒａ  ｍｅｇａｓｐｅｒｍａ）、落葉病（ｂｒｏｗｎ  ｓｔｅｍ  ｒｏｔ）（Ｐｈｉａｌｏｐｈｏｒａ  ｇｒｅｇａｔａ）、根茎腐敗病（ｐｙｔｈｉｕｍ  ｒｏｔ）（Ｐｙｔｈｉｕｍ  ａｐｈａｎｉｄｅｒｍａｔｕｍ、Ｐｙｔｈｉｕｍ  ｉｒｒｅｇｕｌａｒｅ、Ｐｙｔｈｉｕｍ  ｄｅｂａｒｙａｎｕｍ、Ｐｙｔｈｉｕｍ  ｍｙｒｉｏｔｙｌｕｍ、Ｐｙｔｈｉｕｍ  ｕｌｔｉｍｕｍ）、リゾクトニア根腐病（ｒｈｉｚｏｃｔｏｎｉａ  ｒｏｏｔ  ｒｏｔ，  ｓｔｅｍ  ｄｅｃａｙ，  ａｎｄ  ｄａｍｐｉｎｇ−ｏｆｆ）（Ｒｈｉｚｏｃｔｏｎｉａ  ｓｏｌａｎｉ）、菌核病（ｓｃｌｅｒｏｔｉｎｉａ  ｓｔｅｍ  ｄｅｃａｙ）（Ｓｃｌｅｒｏｔｉｎｉａ  ｓｃｌｅｒｏｔｉｏｒｕｍ）、スクレロチニアサウザンブライト病（ｓｃｌｅｒｏｔｉｎｉａ  ｓｏｕｔｈｅｒｎ  ｂｌｉｇｈｔ）（Ｓｃｌｅｒｏｔｉｎｉａ  ｒｏｌｆｓｉｉ）、チエラビオプシス根腐病（ｔｈｉｅｌａｖｉｏｐｓｉｓ  ｒｏｏｔ  ｒｏｔ）（Ｔｈｉｅｌａｖｉｏｐｓｉｓ  ｂａｓｉｃｏｌａ）。
【０２０１】
本発明の組成物は、植物病原性菌類を治療的又は保護的／予防的に防除するために使用することができる。従って、本発明は、本発明の組成物を使用して植物病原性菌類を防除するための治療的方法及び保護的方法にも関し、ここで、該組成物は、種子、植物若しくは植物の部分、果実又は植物がそこで成育している土壌に施用される。
【０２０２】
植物病害を防除するのに必要とされる濃度の該組成物に対して植物は充分な耐性を示すという事実により、植物の地上部の処理、繁殖器官（ｐｒｏｐａｇａｔｉｏｎ  ｓｔｏｃｋ）及び種子の処理、並びに、土壌の処理が可能である。
【０２０３】
本発明に従って、全ての植物及び植物の部分を処理することができる。植物は、望ましい及び望ましくない野生植物、栽培品種（ｃｕｌｔｉｖａｒ）及び植物変種（ｐｌａｎｔ  ｖａｒｉｅｔｙ）（植物変種又は植物育種家の権利によって保護されても又は保護されなくても）のような全ての植物及び植物個体群を意味する。栽培品種及び植物変種は、慣習的な繁殖方法及び育種方法（これらは、１種類以上の生物工学的方法によって、例えば、倍加半数体、プロトプラスト融合、ランダム突然変異誘発及び定方向突然変異誘発、分子標識若しくは遺伝標識又は生物工学法及び遺伝子工学法などを使用して、補助することができるか又は補うことができる）によって得られる植物であることができる。植物の部分は、植物の地上及び地下の全ての部分及び全ての器官、例えば、枝条、葉、花及び根などを意味し、ここで、例えば、葉、針状葉、茎、枝、花、子実体、果実及び種子、並びに、根、球茎及び根茎などを挙げることができる。作物並びに栄養繁殖器官及び生殖繁殖器官（ｖｅｇｅｔａｔｉｖｅ  ａｎｄ  ｇｅｎｅｒａｔｉｖｅ  ｐｒｏｐａｇａｔｉｎｇ  ｍａｔｅｒｉａｌ）、例えば、挿木（ｃｕｔｔｉｎｇ）、球茎、根茎、匍匐茎及び種子なども、植物の部分に属する。
【０２０４】
本発明の組成物は、植物が良好な耐性を示し、温血動物に対する毒性が望ましい程度であり、及び、環境によって充分に許容される場合、植物及び植物の器官を保護するのに適しており、収穫高を増大させるのに適しており、収穫物の質を向上させるのに適している。それは、好ましくは、作物保護組成物として使用することができる。それは、通常の感受性種及び抵抗性種に対して有効であり、並びに、全ての発育段階又は一部の発育段階に対して有効である。
【０２０５】
本発明に従って処理することが可能な植物としては、以下の主要な作物植物を挙げることができる：トウモロコシ、ダイズ、アルファルファ、ワタ、ヒマワリ、アブラナ属油料種子（Ｂｒａｓｓｉｃａ  ｏｉｌ  ｓｅｅｄｓ）、例えば、セイヨウアブラナ（Ｂｒａｓｓｉｃａ  ｎａｐｕｓ）（例えば、カノラ、ナタネ）、カブ（Ｂｒａｓｓｉｃａ  ｒａｐａ）、カラシナ（Ｂ．ｊｕｎｃｅａ）（例えば、（フィールド）マスタード）及びアビシニアガラシ（Ｂｒａｓｓｉｃａ  ｃａｒｉｎａｔａ）、ヤシ科各種（Ａｒｅｃａｃｅａｅ  ｓｐ．）（例えば、ギネアアブラヤシ、ココナツ）、イネ、コムギ、テンサイ、サトウキビ、エンバク、ライムギ、オオムギ、アワ及びソルガム、ライコムギ、アマ、ナッツ、ブドウ及びブドウの木、並びに、種々の植物学的分類群に属するさまざまな果実及び野菜、例えば、バラ科各種（Ｒｏｓａｃｅａｅ  ｓｐ．）（例えば、仁果、例えば、リンゴ及びナシ、さらに、核果、例えば、アンズ、サクラ、アーモンド、プラム及びモモ、並びに、液果（ｂｅｒｒｙ  ｆｒｕｉｔｓ）、例えば、イチゴ、キイチゴ、アカフサスグリ、クロフサスグリ及びグーズベリー）、リベシオイダエ科各種（Ｒｉｂｅｓｉｏｉｄａｅ  ｓｐ．）、クルミ科各種（Ｊｕｇｌａｎｄａｃｅａｅ  ｓｐ．）、カバノキ科各種（Ｂｅｔｕｌａｃｅａｅ  ｓｐ．）、ウルシ科各種（Ａｎａｃａｒｄｉａｃｅａｅ  ｓｐ．）、ブナ科各種（Ｆａｇａｃｅａｅ  ｓｐ．）、クワ科各種（Ｍｏｒａｃｅａｅ  ｓｐ．）、モクセイ科各種（Ｏｌｅａｃｅａｅ  ｓｐ．）（例えば、オリーブの木）、マタタビ科各種（Ａｃｔｉｎｉｄａｃｅａｅ  ｓｐ．）、クスノキ科各種（Ｌａｕｒａｃｅａｅ  ｓｐ．）（例えば、アボガド、シナモン、樟脳）、バショウ科各種（Ｍｕｓａｃｅａｅ  ｓｐ．）（例えば、バナナの木及びプランテーション）、アカネ科各種（Ｒｕｂｉａｃｅａｅ  ｓｐ．）（例えば、コーヒー）、ツバキ科各種（Ｔｈｅａｃｅａｅ  ｓｐ．）（例えば、チャ）、アオギリ科各種（Ｓｔｅｒｃｕｌｉｃｅａｅ  ｓｐ．）、ミカン科各種（Ｒｕｔａｃｅａｅ  ｓｐ．）（例えば、レモン、オレンジ、マンダリン及びグレープフルーツ）；ナス科各種（Ｓｏｌａｎａｃｅａｅ  ｓｐ．）（例えば、トマト、ジャガイモ、カラシ、トウガラシ、ナス、タバコ）、ユリ科各種（Ｌｉｌｉａｃｅａｅ  ｓｐ．）、キク科各種（Ｃｏｍｐｏｓｉｔｉａｅ  ｓｐ．）（例えば、レタス、チョウセンアザミ及びチコリー（これは、ルートチコリー（ｒｏｏｔ  ｃｈｉｃｏｒｙ）、エンダイブ又はキクニガナを包含する））、セリ科各種（Ｕｍｂｅｌｌｉｆｅｒａｅ  ｓｐ．）（例えば、ニンジン、パセリ、セロリ及びセルリアック）、ウリ科各種（Ｃｕｃｕｒｂｉｔａｃｅａｅ  ｓｐ．）（例えば、キュウリ（これは、ガーキンを包含する）、カボチャ、スイカ、ヒョウタン及びメロン）、ネギ科各種（Ａｌｌｉａｃｅａｅ  ｓｐ．）（例えば、リーキ及びタマネギ）、アブラナ科各種（Ｃｒｕｃｉｆｅｒａｅ  ｓｐ．）（例えば、白キャベツ、赤キャベツ、ブロッコリー、カリフラワー、芽キャベツ、タイサイ、コールラビ、ラディッシュ、セイヨウワサビ、コショウソウ及びハクサイ）、マメ科各種（Ｌｅｇｕｍｉｎｏｓａｅ  ｓｐ．）（例えば、ラッカセイ���エンドウ、ヒラマメ及びインゲンマメ（例えば、インゲンマメ（ｃｏｍｍｏｎ  ｂｅａｎ）及びソラマメ））、アカザ科各種（Ｃｈｅｎｏｐｏｄｉａｃｅａｅ  ｓｐ．）（例えば、フダンソウ、飼料用ビート、ホウレンソウ、ビートルート）、アマ科各種（Ｌｉｎａｃｅａｅ  ｓｐ．）（例えば、アサ）、アサ科各種（Ｃａｎｎａｂｅａｃｅａ  ｓｐ．）（例えば、タイマ）、アオイ科（Ｍａｌｖａｃｅａｅ）（例えば、オクラ、ココア）、ケシ科各種（Ｐａｐａｖｅｒａｃｅａｅ）（例えば、ケシ）、クサスギカズラ科（Ａｓｐａｒａｇａｃｅａｅ）（例えば、アスパラガス）；庭園及び森林における有用な植物及び観賞植物、例えば、芝生（ｔｕｒｆ）、芝生（ｌａｗｎ）、牧草及びステビア（Ｓｔｅｖｉａ  ｒｅｂａｕｄｉａｎａ）；及び、いずれの場合にも、これら植物の遺伝子組み換えが行われたタイプのもの。
【０２０６】
植物種又は植物品種、それらの生育場所及び生育条件（土壌、気候、生育期、養分（ｄｉｅｔ））に応じて、本発明による組成物を使用又は利用した場合、本発明の処理により、相加効果を超える効果（「相乗効果」）も生じ得る。かくして、例えば、本発明による処理において本発明の組成物を使用又は利用することによって、施用量の低減及び／又は活性スペクトルの拡大及び／又は活性の増強、植物の生育の向上、高温又は低温に対する耐性の向上、渇水又は水中若しくは土壌中に含まれる塩分に対する耐性の向上、開花能力の向上、収穫の容易性の向上、促進された成熟、収穫量の増加、果実の大きさの増大、植物の高さの増大、葉の緑色の向上、より早い開花、収穫された生産物の品質の向上及び／又は栄養価の増加、果実内の糖度の上昇、収穫された生産物の貯蔵安定性の向上及び／又は加工性の向上などが可能であり、ここで、これらは、実際に予期されるであろう効果を超える。
【０２０７】
本発明による処理における本発明の組成物の特定の施用量は、植物において強化効果（ｓｔｒｅｎｇｔｈｅｎｉｎｇ  ｅｆｆｅｃｔ）も示し得る。望ましくない植物病原性の菌類及び／又は微生物類及び／又はウイルス類による攻撃に対して植物の防御システムが動員される。植物を強化する（抵抗性を誘導する）物質は、本発明に関連して、処理された植物が、その後で望ましくない植物病原性の菌類及び／又は微生物類及び／又はウイルス類を接種されたときに、それら植物病原性の菌類及び／又は微生物類及び／又はウイルス類に対して実質的な程度の抵抗性を示すように、植物の防御システムを刺激することができる物質又は物質の組合せを意味するものと理解される。かくして、本発明による処理において本発明の組成物を使用又は利用することによって、植物は、処理後ある一定の期間、上記病原体による攻撃に対して保護され得る。保護がもたらされる期間は、植物が該活性化合物で処理されてから、一般に、１〜１０日間、好ましくは、１〜７日間である。
【０２０８】
本発明に従って処理するのが同様に好ましい植物及び植物品種は、１以上の生物的ストレスに対して抵抗性を示す。即ち、そのような植物は、害虫及び有害微生物に対して、例えば、線虫類、昆虫類、ダニ類、植物病原性の菌類、細菌類、ウイルス類及び／又はウイロイド類などに対して、良好な防御を示す。
【０２０９】
本発明に従って同様に処理し得る植物及び植物品種は、１以上の非生物的ストレスに対して抵抗性を示す植物、即ち、ストレス耐性に関して、増進された植物の健康を既に示している植物である。非生物的なストレス状態としては、例えば、渇水、低温に晒されること、熱に晒されること、浸透ストレス、湛水、土壌中の塩分濃度の上昇、より多くの鉱物に晒されること、オゾンに晒されること、強い光に晒されること、利用可能な窒素養分が限られていること、利用可能なリン養分が限られていること、日陰回避などを挙げることができる。好ましくは、本発明の組成物を用いて上記植物及び植物品種を処理することによって、付加的に、植物の全体的な健康が増進される（上記参照）。
【０２１０】
本発明に従って同様に処理し得る植物及び植物品種は、増大した収量特性を特徴とする植物、即ち、この特性に関して、増進された植物の健康を既に示している植物である。そのような植物における増大した収量は、例えば、改善された植物の生理機能、成長及び発育、例えば、水の利用効率、水の保持効率、改善された窒素の利用性、強化された炭素同化作用、改善された光合成、上昇した発芽効率及び促進された成熟などの結果であり得る。
【０２１１】
収量は、さらに、改善された植物の構成（ａｒｃｈｉｔｅｃｔｕｒｅ）によっても影響され得る（ストレス条件下及び非ストレス条件下）。そのような改善された植物の構成としては、限定するものではないが、早咲き、ハイブリッド種子産生のための開花制御、実生の活力、植物の寸法、節間の数及び距離、根の成長、種子の寸法、果実の寸法、莢の寸法、莢又は穂の数、１つの莢又は穂当たりの種子の数、種子の体積、強化された種子充填、低減された種子分散、低減された莢の裂開及び耐倒伏性などがある。収量についてのさらなる形質としては、種子の組成、例えば、炭水化物含有量、タンパク質含有量、油含有量及び油の組成、栄養価、抗栄養化合物の低減、改善された加工性並びに向上した貯蔵安定性などがある。好ましくは、本発明の組成物を用いて上記植物及び植物品種を処理することによって、付加的に、植物の全体的な健康が増進される（上記参照）。
【０２１２】
本発明に従って処理し得る植物は、雑種強勢（これは、結果として、一般に、増加した収量、向上した活力、向上した健康状態並びに生物的及び非生物的ストレス因子に対する向上した抵抗性をもたらす）の特性を既に呈しているハイブリッド植物である。そのような植物は、典型的には、雄性不稔交配母体近交系（ｉｎｂｒｅｄ  ｍａｌｅ−ｓｔｅｒｉｌｅ  ｐａｒｅｎｔ  ｌｉｎｅ）（雌性親）を別の雄性稔性交配母体近交系（ｉｎｂｒｅｄ  ｍａｌｅ−ｆｅｒｔｉｌｅ  ｐａｒｅｎｔ  ｌｉｎｅ）（雄性親）と交雑させることによって作られる。ハイブリッド種子は、典型的には、雄性不稔植物から収穫され、そして、栽培者に販売される。雄性不稔植物は、場合により（例えば、トウモロコシにおいて）、雄穂を除去することによって〔即ち、雄性繁殖器官（又は、雄花）を機械的に除去することによって〕、作ることができる。しかしながら、より典型的には、雄性不稔性は、植物ゲノム内の遺伝的決定基の結果である。その場合、及び、特に種子がハイブリッド植物から収穫される所望の生産物である場合、典型的には、該ハイブリッド植物において雄性稔性を確実に完全に回復させることは有用である。これは、雄性不稔性に関与する遺伝的決定基を含んでいるハイブリッド植物において雄性稔性を回復させることが可能な適切な稔性回復遺伝子を雄性親が有していることを確実なものとすることによって達成することができる。雄性不稔性に関する遺伝的決定基は、細胞質内に存在し得る。細胞質雄性不稔（ＣＭＳ）の例は、例えば、アブラナ属各種（Ｂｒａｓｓｉｃａ  ｓｐｅｃｉｅｓ）に関して記述された。しかしながら、雄性不稔性に関する遺伝的決定基は、核ゲノム内にも存在し得る。雄性不稔性植物は、遺伝子工学などの植物バイオテクノロジー法によっても得ることができる。雄性不稔性植物を得る特に有用な方法は、ＷＯ  ８９／１０３９６に記載されており、ここでは、例えば、バルナーゼなどのリボヌクレアーゼを雄ずい中のタペータム細胞内において選択的に発現させる。次いで、タペータム細胞内においてバルスターなどのリボヌクレアーゼインヒビターを発現させることによって、稔性を回復させることができる。
【０２１３】
本発明に従って処理し得る植物又は植物品種（遺伝子工学などの植物バイオテクノロジー法によって得られたもの）は、除草剤耐性植物、即ち、１種類以上の所与の除草剤に対して耐性にされた植物である。そのような植物は、遺伝的形質転換によって得ることができるか、又は、当該除草剤耐性を付与する突然変異を含んでいる植物を選抜することによって得ることができる。
【０２１４】
除草剤耐性植物は、例えば、グリホセート耐性植物、即ち、除草剤グリホセート又はその塩に対して耐性にされた植物である。植物は、種々の方法によって、グリホセートに対して耐性にすることができる。例えば、グリホセート耐性植物は、酵素５−エノールピルビルシキミ酸−３−リン酸シンターゼ（ＥＰＳＰＳ）をコードする遺伝子で植物を形質転換させることによって得ることができる。そのようなＥＰＳＰＳ遺伝子の例は、以下のものである：細菌サルモネラ・チフィムリウム（Ｓａｌｍｏｎｅｌｌａ  ｔｙｐｈｉｍｕｒｉｕｍ）のＡｒｏＡ遺伝子（突然変異ＣＴ７）、細菌アグロバクテリウム属各種（Ａｇｒｏｂａｃｔｅｒｉｕｍ  ｓｐ．）のＣＰ４遺伝子、ペチュニアのＥＰＳＰＳをコードする遺伝子、トマトのＥＰＳＰＳをコードする遺伝子又はオヒシバ属（Ｅｌｅｕｓｉｎｅ）のＥＰＳＰＳをコードする遺伝子。それは、突然変異ＥＰＳＰＳであることも可能である。グリホセート耐性植物は、さらにまた、グリホセートオキシドレダクターゼ酵素をコードする遺伝子を発現させることによって得ることもできる。グリホセート耐性植物は、さらにまた、グリホセートアセチルトランスフェラーゼ酵素をコードする遺伝子を発現させることによって得ることもできる。グリホセート耐性植物は、さらにまた、上記遺伝子の自然発生突然変異を含んでいる植物を選抜することによって得ることもできる。
【０２１５】
別の除草剤抵抗性植物は、例えば、酵素グルタミンシンターゼを阻害する除草剤（例えば、ビアラホス、ホスフィノトリシン又はグルホシネート）に対して耐性にされている植物である。そのような植物は、当該除草剤を解毒する酵素を発現させるか、又は、阻害に対して抵抗性を示す突然変異グルタミンシンターゼ酵素を発現させることによって、得ることができる。そのような有効な一解毒酵素は、ホスフィノトリシンアセチルトランスフェラーゼをコードする酵素である（例えば、ストレプトマイセス属各種（Ｓｔｒｅｐｔｏｍｙｃｅｓ  ｓｐｅｃｉｅｓ）に由来するｂａｒタンパク質又はｐａｔタンパク質）。外因性のホスフィノトリシンアセチルトランスフェラーゼを発現する植物も記述されている。
【０２１６】
さらなる除草剤耐性植物は、さらにまた、酵素ヒドロキシフェニルピルビン酸ジオキシゲナーゼ（ＨＰＰＤ）を阻害する除草剤に対して耐性にされている植物である。ヒドロキシフェニルピルビン酸ジオキシゲナーゼ類は、パラ−ヒドロキシフェニルピルベート（ＨＰＰ）がホモゲンチセートに変換される反応を触媒する酵素である。
【０２１７】
ＨＰＰＤ阻害薬に対して耐性を示す植物は、自然発生抵抗性ＨＰＰＤ酵素をコードする遺伝子を用いて、又は、突然変異ＨＰＰＤ酵素をコードする遺伝子を用いて、形質転換させることができる。ＨＰＰＤ阻害薬に対する耐性は、さらにまた、ＨＰＰＤ阻害薬による天然ＨＰＰＤ酵素の阻害にもかかわらずホモゲンチセートを形成させることが可能な特定の酵素をコードする遺伝子を用いて植物を形質転換させることによっても得ることができる。ＨＰＰＤ阻害薬に対する植物の耐性は、さらにまた、、ＨＰＰＤ耐性酵素をコードする遺伝子に加えて酵素プレフェナートデヒドロゲナーゼをコードする遺伝子を用いて植物を形質転換させることによって改善することもできる。
【０２１８】
さらに別の除草剤抵抗性植物は、アセトラクテートシンターゼ（ＡＬＳ）阻害薬に対して耐性にされている植物である。既知ＡＬＳ阻害薬としては、例えば、スルホニル尿素系除草剤、イミダゾリノン系除草剤、トリアゾロピリミジン系除草剤、ピリミジニルオキシ（チオ）ベンゾエート系除草剤、及び／又は、スルホニルアミノカルボニルトリアゾリノン系除草剤などがある。ＡＬＳ酵素（「アセトヒドロキシ酸シンターゼ（ＡＨＡＳ）」としても知られている）における種々の突然変異体は、種々の除草剤及び除草剤の群に対する耐性を付与することが知られている。スルホニル尿素耐性植物及びイミダゾリノン耐性植物の作製については、ＷＯ  １９９６／０３３２７０に記述されている。別のイミダゾリノン耐性植物についても記述されている。さらなるスルホニル尿素耐性植物及びイミダゾリノン耐性植物は、さらにまた、例えば、ＷＯ  ２００７／０２４７８２などにも記述されている。
【０２１９】
イミダゾリノン及び／又はスルホニル尿素に対して耐性を示す別の植物は、例えば、ダイズに関して、イネに関して、テンサイに関して、レタスに関して、又は、ヒマワリに関して記述されているように、誘導された突然変異誘発、当該除草剤の存在下での細胞培養における選抜又は突然変異育種によって得ることができる。
【０２２０】
本発明に従って同様に処理し得る植物又は植物品種（遺伝子工学などの植物バイオテクノロジー法によって得られたもの）は、昆虫抵抗性トランスジェニック植物、即ち、特定の標的昆虫による攻撃に対して抵抗性にされた植物である。そのような植物は、遺伝的形質転換によって得ることができるか、又は、そのような昆虫抵抗性を付与する突然変異を含んでいる植物を選抜することによって得ることができる。
【０２２１】
本明細書中で使用されている場合、「昆虫抵抗性トランスジェニック植物」には、以下のものをコードするコード配列を含んでいる少なくとも１の導入遺伝子を含んでいる任意の植物が包含される：
（１）  バシルス・ツリンギエンシス（Ｂａｃｉｌｌｕｓ  ｔｈｕｒｉｎｇｉｅｎｓｉｓ）に由来する殺虫性結晶タンパク質又はその殺虫活性を示す一部分、例えば、オンライン上で「ｗｗｗ．ｌｉｆｅｓｃｉ．ｓｕｓｓｅｘ．ａｃ．ｕｋ／Ｈｏｍｅ／Ｎｅｉｌ＿Ｃｒｉｃｋｍｏｒｅ／Ｂｔ／」において挙げられている殺虫性結晶タンパク質又はその殺虫活性を示す一部分、例えば、Ｃｒｙタンパク質類（Ｃｒｙ１Ａｂ、Ｃｒｙ１Ａｃ、Ｃｒｙ１Ｆ、Ｃｒｙ２Ａｂ、Ｃｒｙ３Ａａ、又は、Ｃｒｙ３Ｂｂ）のタンパク質又はその殺虫活性を示す一部分；又は、
（２）  バシルス・ツリンギエンシス（Ｂａｃｉｌｌｕｓ  ｔｈｕｒｉｎｇｉｅｎｓｉｓ）に由来する第２の別の結晶タンパク質又はその一部分の存在下において殺虫活性を示す、バシルス・ツリンギエンシス（Ｂａｃｉｌｌｕｓ  ｔｈｕｒｉｎｇｉｅｎｓｉｓ）に由来する結晶タンパク質又はその一部分、例えば、Ｃｒｙ３４結晶タンパク質とＣｒｙ３５結晶タンパク質で構成されているバイナリートキシン；又は、
（３）  バシルス・ツリンギエンシス（Ｂａｃｉｌｌｕｓ  ｔｈｕｒｉｎｇｉｅｎｓｉｓ）に由来する種々の殺虫性結晶タンパク質の一部分を含んでいる殺虫性ハイブリッドタンパク質、例えば、上記（１）のタンパク質のハイブリッド、又は、上記（２）のタンパク質のハイブリッド、例えば、トウモロコシイベントＭＯＮ９８０３４で産生されるＣｒｙ１Ａ．１０５タンパク質（ＷＯ  ２００７／０２７７７７）；又は、
（４）  上記（１）〜（３）のうちのいずれか１つのタンパク質において、標的昆虫種に対するさらに強い殺虫活性を得るために、及び／又は、影響を受ける標的昆虫種の範囲を拡大するために、及び／又は、クローニング若しくは形質転換に際してコード化ＤＮＡ中に導入された変化に起因して、幾つかのアミノ酸（特に、１〜１０のアミノ酸）が別のアミノ酸で置き換えられていているもの、例えば、トウモロコシイベントＭＯＮ８６３若しくはＭＯＮ８８０１７におけるＣｒｙ３Ｂｂ１タンパク質又はトウモロコシイベントＭＩＲ６０４におけるＣｒｙ３Ａタンパク質；又は、
（５）  バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する殺虫性分泌タンパク質又はその殺虫活性を示す一部分、例えば、「ｗｗｗ．ｌｉｆｅｓｃｉ．ｓｕｓｓｅｘ．ａｃ．ｕｋ／ｈｏｍｅ／Ｎｅｉｌ＿Ｃｒｉｃｋｍｏｒｅ／Ｂｔ／ｖｉｐ．ｈｔｍｌ」において挙げられている栄養成長期殺虫性タンパク質（ｖｅｇｅｔａｔｉｖｅ  ｉｎｓｅｃｔｉｃｉｄａｌ  ｐｒｏｔｅｉｎ）（ＶＩＰ）、例えば、ＶＩＰ３Ａａタンパク質類のタンパク質；又は、
（６）  バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する第２の分泌タンパク質の存在下において殺虫活性を示す、バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する分泌タンパク質、例えば、ＶＩＰ１Ａタンパク質とＶＩＰ２Ａタンパク質で構成されているバイナリートキシン；又は、
（７）  バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する種々の分泌タンパク質の一部分を含んでいる殺虫性ハイブリッドタンパク質、例えば、上記（１）のタンパク質のハイブリッド、又は、上記（２）のタンパク質のハイブリッド；又は、
（８）  上記（１）〜（３）のうちのいずれか１つのタンパク質において、標的昆虫種に対するさらに強い殺虫活性を得るために、及び／又は、影響を受ける標的昆虫種の範囲を拡大するために、及び／又は、クローニング若しくは形質転換に際してコード化ＤＮＡ中に導入された変化（それでも、まだ、殺虫性タンパク質をコードしている）に起因して、幾つかのアミノ酸（特に、１〜１０のアミノ酸）が別のアミノ酸で置き換えられていているもの、例えば、ワタイベントＣＯＴ１０２におけるＶＩＰ３Ａａタンパク質。
【０２２２】
もちろん、「昆虫抵抗性トランスジェニック植物」は、本明細書中で使用されている場合、上記クラス（１）〜（８）のいずれか１つのタンパク質をコードする遺伝子の組合せを含んでいる任意の植物も包含する。一実施形態では、異なった標的昆虫種を対象とする異なったタンパク質を使用した場合に影響を受ける標的昆虫種の範囲を拡大するために、又は、同一の標的昆虫種に対して殺虫活性を示すが作用機序は異なっている（例えば、当該昆虫体内の異なった受容体結合部位に結合する）異なったタンパク質を用いることによって当該植物に対する昆虫の抵抗性の発達を遅延させるために、昆虫抵抗性植物は、上記クラス（１）〜（８）のいずれか１つのタンパク質をコードする２つ以上の導入遺伝子を含んでいる。
【０２２３】
本発明に従って同様に処理し得る植物又は植物品種（遺伝子工学などの植物バイオテクノロジー法によって得られたもの）は、非生物的ストレスに対して耐性を示す。そのような植物は、遺伝的形質転換によって得ることができるか、又は、そのようなストレス抵抗性を付与する突然変異を含んでいる植物を選抜することによって得ることができる。特に有用なストレス耐性植物としては、以下のものなどがある：
（ａ）  植物細胞内又は植物内におけるポリ（ＡＤＰ−リボース）ポリメラーゼ（ＰＡＲＰ）遺伝子の発現及び／又は活性を低減させることが可能な導入遺伝子を含んでいる植物；
（ｂ）  植物又は植物細胞のポリ（ＡＤＰ−リボース）グリコヒドロラーゼ（ＰＡＲＧ）コード化遺伝子の発現及び／又は活性を低減させることが可能なストレス耐性を強化する導入遺伝子を含んでいる植物；
（ｃ）  ニコチンアミダーゼ、ニコチン酸ホスホリボシルトランスフェラーゼ、ニコチン酸モノヌクレオチドアデニルトランスフェラーゼ、ニコチンアミドアデニンジヌクレオチドシンテターゼ又はニコチンアミドホスホリボシルトランスフェラーゼを包含するニコチンアミドアデニンジヌクレオチドサルベージ合成経路の植物機能性酵素（ｐｌａｎｔ−ｆｕｎｃｔｉｏｎａｌ  ｅｎｚｙｍｅ）をコードするストレス耐性を強化する導入遺伝子を含んでいる植物。
【０２２４】
本発明に従って同様に処理し得る植物又は植物品種（遺伝子工学などの植物バイオテクノロジー法によって得られたもの）は、収穫された生産物の改変された量、品質及び／若しくは貯蔵安定性、並びに／又は、収穫された生産物の特定の成分の改変された特性を示す。例えば：
（１）  野生型の植物細胞又は植物において合成された澱粉と比較して、その物理化学的特性〔特に、アミロース含有量若しくはアミロース／アミロペクチン比、枝分かれ度、平均鎖長、側鎖分布、粘性挙動、ゲル化強度（ｇｅｌｌｉｎｇ  ｓｔｒｅｎｇｔｈ）、澱粉粒径及び／又は澱粉粒子形態〕が変えられていて、特定の用途により適した変性澱粉を合成するトランスジェニック植物；
（２）  非澱粉炭水化物ポリマーを合成するか又は遺伝子組換えがなされていない野生型植物と比較して改変された特性を有する非澱粉炭水化物ポリマーを合成するトランスジェニック植物。その例は、ポリフルクトース（特に、イヌリン型及びレバン型のポリフルクトース）を産生する植物、α−１，４−グルカン類を産生する植物、α−１，６−分枝  α−１，４−グルカン類を産生する植物、アルテルナンを産生する植物である；
（３）  ヒアルロナンを産生するトランスジェニック植物。
【０２２５】
本発明に従って同様に処理し得る植物又は植物品種（遺伝子工学などの植物バイオテクノロジー法によって得ることができるもの）は、改変された繊維特性を有する植物（例えば、ワタ植物）である。そのよう植物は、遺伝的形質転換によって得ることができるか、又は、そのような改変された繊維特性を付与する突然変異を含んでいる植物を選抜することによって得ることができる。そのような植物としては、以下のものなどがある：
（ａ）  改変された形態のセルロースシンターゼ遺伝子を含んでいる植物（例えば、ワタ植物）；
（ｂ）  改変された形態のｒｓｗ２相同核酸又はｒｓｗ３相同核酸を含んでいる植物（例えば、ワタ植物）；
（ｃ）  スクロースリン酸シンターゼの発現が増大している植物（例えば、ワタ植物）；
（ｄ）  スクロースシンターゼの発現が増大している植物（例えば、ワタ植物）；
（ｅ）  繊維細胞に基づいた原形質連絡のゲーティングのタイミングが（例えば、繊維選択的β−１，３−グルカナーゼのダウンレギュレーションを介して）改変されている植物（例えば、ワタ植物）；
（ｆ）  反応性が（例えば、ｎｏｄＣを包含するＮ−アセチルグルコサミントランスフェラーゼ遺伝子の発現及びキチンシンターゼ遺伝子の発現を介して）改変されている繊維を有する植物（例えば、ワタ植物）。
【０２２６】
本発明に従って同様に処理し得る植物又は植物品種（遺伝子工学などの植物バイオテクノロジー法によって得ることができるもの）は、改変されたオイルプロフィール特性を有する植物（例えば、ナタネ植物又は関連するアブラナ属植物）である。そのよう植物は、遺伝的形質転換によって得ることができるか、又は、そのような改変されたオイル特性を付与する突然変異を含んでいる植物を選抜することによって得ることができる。そのような植物としては、以下のものなどがある：
（ａ）  オレイン酸含有量が高いオイルを産生する植物（例えば、ナタネ植物）；
（ｂ）  リノレン酸含有量が低いオイルを産生する植物（例えば、ナタネ植物）；
（ｃ）  飽和脂肪酸のレベルが低いオイルを産生する植物（例えば、ナタネ植物）。
【０２２７】
本発明に従って処理し得る特に有用なトランスジェニック植物は、１種類以上の毒素をコードする１種類以上の遺伝子を含んでいる植物、例えば、下記商品名で販売されている以下のものである：ＹＩＥＬＤ  ＧＡＲＤ（登録商標）（例えば、トウモロコシ、ワタ、ダイズ）、ＫｎｏｃｋＯｕｔ（登録商標）（例えば、トウモロコシ）、ＢｉｔｅＧａｒｄ（登録商標）（例えば、トウモロコシ）、ＢＴ−Ｘｔｒａ（登録商標）（例えば、トウモロコシ）、ＳｔａｒＬｉｎｋ（登録商標）（例えば、トウモロコシ）、Ｂｏｌｌｇａｒｄ（登録商標）（ワタ）、Ｎｕｃｏｔｎ（登録商標）（ワタ）、Ｎｕｃｏｔｎ  ３３Ｂ（登録商標）（ワタ）、ＮａｔｕｒｅＧａｒｄ（登録商標）（例えば、トウモロコシ）、Ｐｒｏｔｅｃｔａ（登録商標）及びＮｅｗＬｅａｆ（登録商標）（ジャガイモ）。挙げることができる除草剤耐性植物の例は、Ｒｏｕｎｄｕｐ  Ｒｅａｄｙ（登録商標）（グリホセートに対する耐性、例えば、トウモロコシ、ワタ、ダイズ）、Ｌｉｂｅｒｔｙ  Ｌｉｎｋ（登録商標）（ホスフィノトリシンに対する耐性、例えば、ナタネ）、ＩＭＩ（登録商標）（イミダゾリノン系に対する耐性）及びＳＴＳ（登録商標）（スルホニル尿素系に対する耐性、例えば、トウモロコシ）の商品名で販売されているトウモロコシ品種、ワタ品種及びダイズ品種である。挙げることができる除草剤抵抗性植物（除草剤耐性に関して慣習的な方法で品種改良された植物）としては、Ｃｌｅａｒｆｉｅｌｄ（登録商標）（例えば、トウモロコシ）の商品名で販売されている品種などがある。
【０２２８】
本発明に従って処理することができる特に有用なトランスジェニック植物は、下記のものを包含する形質転換イベント又は形質転換イベントの組合せを含んでいて例えば国又は地域のさまざまな規制機関に関するデータベースに記載されている植物である：
イベント１１４３−１４Ａ（ワタ、昆虫防除、寄託されていない、ＷＯ  ０６／１２８５６９に記載されている）；イベント１１４３−５１Ｂ（ワタ、昆虫防除、寄託されていない、ＷＯ  ０６／１２８５７０に記載されている）；イベント１４４５（ワタ、除草剤耐性、寄託されていない、ＵＳ−Ａ  ２００２−１２０９６４又はＷＯ  ０２／０３４９４６に記載されている）；イベント１７０５３（イネ、除草剤耐性、ＰＴＡ−９８４３として寄託されている、ＷＯ  １０／１１７７３７に記載されている）；イベント１７３１４（イネ、除草剤耐性、ＰＴＡ−９８４４として寄託されている、ＷＯ  １０／１１７７３５に記載されている）；イベント２８１−２４−２３６（ワタ、昆虫防除−除草剤耐性、ＰＴＡ−６２３３として寄託されている、ＷＯ  ０５／１０３２６６又はＵＳ−Ａ  ２００５−２１６９６９に記載されている）；イベント３００６−２１０−２３（ワタ、昆虫防除−除草剤耐性、ＰＴＡ−６２３３として寄託されている、ＵＳ−Ａ  ２００７−１４３８７６又はＷＯ  ０５／１０３２６６に記載されている）；イベント３２７２（トウモロコシ、品質形質、ＰＴＡ−９９７２として寄託されている、ＷＯ  ０６／０９８９５２又はＵＳ−Ａ  ２００６−２３０４７３に記載されている）；イベント４０４１６（トウモロコシ、昆虫防除−除草剤耐性、ＡＴＣＣ  ＰＴＡ−１１５０８として寄託されている、ＷＯ  １１／０７５５９３に記載されている）；イベント４３Ａ４７（トウモロコシ、昆虫防除−除草剤耐性、ＡＴＣＣ  ＰＴＡ−１１５０９として寄託されている、ＷＯ  １１／０７５５９５に記載されている）；イベント５３０７（トウモロコシ、昆虫防除、ＡＴＣＣ  ＰＴＡ−９５６１として寄託されている、ＷＯ  １０／０７７８１６に記載されている）；イベントＡＳＲ−３６８（ベントグラス、除草剤耐性、ＡＴＣＣ  ＰＴＡ−４８１６として寄託されている、ＵＳ−Ａ  ２００６−１６２００７又はＷＯ  ０４／０５３０６２に記載されている）；イベントＢ１６（トウモロコシ、除草剤耐性、寄託されていない、ＵＳ−Ａ  ２００３−１２６６３４に記載されている）；イベントＢＰＳ−ＣＶ１２７−９（ダイズ、除草剤耐性、ＮＣＩＭＢ  Ｎｏ．４１６０３として寄託されている、ＷＯ  １０／０８０８２９に記載されている）；イベントＣＥ４３−６７Ｂ（ワタ、昆虫防除、ＤＳＭ  ＡＣＣ２７２４として寄託されている、ＵＳ−Ａ  ２００９−２１７４２３又はＷＯ  ０６／１２８５７３に記載されている）；イベントＣＥ４４−６９Ｄ（ワタ、昆虫防除、寄託されていない、ＵＳ−Ａ  ２０１０−００２４０７７に記載されている）；イベントＣＥ４４−６９Ｄ（ワタ、昆虫防除、寄託されていない、ＷＯ  ０６／１２８５７１に記載されている）；イベントＣＥ４６−０２Ａ（ワタ、昆虫防除、寄託されていない、ＷＯ  ０６／１２８５７２に記載されている）；イベントＣＯＴ１０２（ワタ、昆虫防除、寄託されていない、ＵＳ−Ａ  ２００６−１３０１７５又はＷＯ  ０４／０３９９８６に記載されている）；イベントＣＯＴ２０２（ワタ、昆虫防除、寄託されていない、ＵＳ−Ａ  ２００７−０６７８６８又はＷＯ  ０５／０５４４７９に記載されている）；イベントＣＯＴ２０３（ワタ���昆虫防除、寄託されていない、ＷＯ  ０５／０５４４８０に記載されている）；イベントＤＡＳ４０２７８（トウモロコシ、除草剤耐性、ＡＴＣＣ  ＰＴＡ−１０２４４として寄託されている、ＷＯ  １１／０２２４６９に記載されている）；イベントＤＡＳ−５９１２２−７（トウモロコシ、昆虫防除−除草剤耐性、ＡＴＣＣ  ＰＴＡ  １１３８４として寄託されている、ＵＳ−Ａ  ２００６−０７０１３９に記載されている）；イベントＤＡＳ−５９１３２（トウモロコシ、昆虫防除−除草剤耐性、寄託されていない、ＷＯ  ０９／１００１８８に記載されている）；イベントＤＡＳ６８４１６（ダイズ、除草剤耐性、ＡＴＣＣ  ＰＴＡ−１０４４２として寄託されている、ＷＯ  １１／０６６３８４又はＷＯ  １１／０６６３６０に記載されている）；イベントＤＰ−０９８１４０−６（トウモロコシ、除草剤耐性、ＡＴＣＣ  ＰＴＡ−８２９６として寄託されている、ＵＳ−Ａ  ２００９／１３７３９５又はＷＯ  ０８／１１２０１９に記載されている）；イベントＤＰ−３０５４２３−１（ダイズ、品質形質、寄託されていない、ＵＳ−Ａ  ２００８−３１２０８２又はＷＯ  ０８／０５４７４７に記載されている）；イベントＤＰ−３２１３８−１（トウモロコシ、ハイブリダイゼーション系、ＡＴＣＣ  ＰＴＡ−９１５８として寄託されている、ＵＳ−Ａ  ２００９−０２１０９７０又はＷＯ  ０９／１０３０４９に記載されている）；イベントＤＰ−３５６０４３−５（ダイズ、除草剤耐性、ＡＴＣＣ  ＰＴＡ−８２８７として寄託されている、ＵＳ−Ａ  ２０１０−０１８４０７９又はＷＯ  ０８／００２８７２に記載されている）；イベントＥＥ−１（ナス、昆虫防除、寄託されていない、ＷＯ  ０７／０９１２７７に記載されている）；イベントＦＩ１１７（トウモロコシ、除草剤耐性、ＡＴＣＣ  ２０９０３１として寄託されている、ＵＳ−Ａ  ２００６−０５９５８１又はＷＯ  ９８／０４４１４０に記載されている）；イベントＧＡ２１（トウモロコシ、除草剤耐性、ＡＴＣＣ  ２０９０３３として寄託されている、ＵＳ−Ａ  ２００５−０８６７１９又はＷＯ  ９８／０４４１４０に記載されている）；イベントＧＧ２５（トウモロコシ、除草剤耐性、ＡＴＣＣ  ２０９０３２として寄託されている、ＵＳ−Ａ  ２００５−１８８４３４又はＷＯ  ９８／０４４１４０に記載されている）；イベントＧＨＢ１１９（ワタ、昆虫防除−除草剤耐性、ＡＴＣＣ  ＰＴＡ−８３９８として寄託されている、ＷＯ  ０８／１５１７８０に記載されている）；イベントＧＨＢ６１４（ワタ、除草剤耐性、ＡＴＣＣ  ＰＴＡ−６８７８として寄託されている、ＵＳ−Ａ  ２０１０−０５０２８２又はＷＯ  ０７／０１７１８６に記載されている）；イベントＧＪ１１（トウモロコシ、除草剤耐性、ＡＴＣＣ  ２０９０３０として寄託されている、ＵＳ−Ａ  ２００５−１８８４３４又はＷＯ  ９８／０４４１４０に記載されている）；イベントＧＭ  ＲＺ１３（テンサイ、ウイルス抵抗性、ＮＣＩＭＢ−４１６０１として寄託されている、ＷＯ  １０／０７６２１２に記載されている）；イベントＨ７−１（テンサイ、除草剤耐性、ＮＣＩＭＢ  ４１１５８又はＮＣＩＭＢ  ４１１５９として寄託されている、ＵＳ−Ａ  ２００４−１７２６６９又はＷＯ  ０４／０７４４９２に記載されている）；イベントＪＯＰＬＩＮ１（コムギ、耐病性、寄託されていない、ＵＳ−Ａ  ２００８−０６４０３２に記載されている）；イベントＬＬ２７（ダイズ、除草剤耐性、ＮＣＩＭＢ４１６５８として寄託されている、ＷＯ  ０６／１０８６７４又はＵＳ−Ａ  ２００８−３２０６１６に記載されている）；イベントＬＬ５５（ダイズ、除草剤耐性、ＮＣＩＭＢ  ４１６６０として寄託されている、ＷＯ  ０６／１０８６７５又はＵＳ−Ａ  ２００８−１９６１２７に記載されている）；イベントＬＬワタ２５（ワタ、除草剤耐性、ＡＴＣＣ  ＰＴＡ−３３４３として寄託されている、ＷＯ  ０３／０１３２２４又はＵＳ−Ａ  ２００３−０９７６８７に記載されている）；イベントＬＬＲＩＣＥ０６（イネ、除草剤耐性、ＡＴＣＣ−２３３５２として寄託されている、ＵＳ  ６，４６８，７４７又はＷＯ  ００／０２６３４５に記載されている）；イベントＬＬＲＩＣＥ６０１（イネ、除草剤耐性、ＡＴＣＣ  ＰＴＡ−２６００として寄託されている、ＵＳ−Ａ  ２００８−２２８９０６０又はＷＯ  ００／０２６３５６に記載されている）；イベントＬＹ０３８（トウモロコシ、品質形質、ＡＴＣＣ  ＰＴＡ−５６２３として寄託されている、ＵＳ−Ａ  ２００７−０２８３２２又はＷＯ  ０５／０６１７２０に記載されている）；イベントＭＩＲ１６２（トウモロコシ、昆虫防除、ＰＴＡ−８１６６として寄託されている、ＵＳ−Ａ  ２００９−３００７８４又はＷＯ  ０７／１４２８４０に記載されている）；イベントＭＩＲ６０４（トウモロコシ、昆虫防除、寄託されていない、ＵＳ−Ａ  ２００８−１６７４５６又はＷＯ  ０５／１０３３０１に記載されている）；イベントＭＯＮ１５９８５（ワタ、昆虫防除、ＡＴＣＣ  ＰＴＡ−２５１６として寄託されている、ＵＳ−Ａ  ２００４−２５０３１７又はＷＯ  ０２／１００１６３に記載されている）；イベントＭＯＮ８１０（トウモロコシ、昆虫防除、寄託されていない、ＵＳ−Ａ  ２００２−１０２５８２に記載されている）；イベントＭＯＮ８６３（トウモロコシ、昆虫防除、ＡＴＣＣ  ＰＴＡ−２６０５として寄託されている、ＷＯ  ０４／０１１６０１又はＵＳ−Ａ  ２００６−０９５９８６に記載されている）；イベントＭＯＮ８７４２７（トウモロコシ、授粉制御、ＡＴＣＣ  ＰＴＡ−７８９９として寄託されている、ＷＯ  １１／０６２９０４に記載されている）；イベントＭＯＮ８７４６０（トウモロコシ、ストレス耐性、ＡＴＣＣ  ＰＴＡ−８９１０として寄託されている、ＷＯ  ０９／１１１２６３又はＵＳ−Ａ  ２０１１−０１３８５０４に記載されている）；イベントＭＯＮ８７７０１（ダイズ、昆虫防除、ＡＴＣＣ  ＰＴＡ−８１９４として寄託されている、ＵＳ−Ａ  ２００９−１３００７１又はＷＯ  ０９／０６４６５２に記載されている）；イベントＭＯＮ８７７０５（ダイズ、品質形質−除草剤耐性、ＡＴＣＣ  ＰＴＡ−９２４１として寄託されている、ＵＳ−Ａ  ２０１０−００８０８８７又はＷＯ  １０／０３７０１６に記載されている）；イベントＭＯＮ８７７０８（ダイズ、除草剤耐性、ＡＴＣＣ  ＰＴＡ９６７０として寄託されている、ＷＯ  １１／０３４７０４に記載されている）；イベントＭＯＮ８７７５４（ダイズ、品質形質、ＡＴＣＣ  ＰＴＡ−９３８５として寄託されている、ＷＯ  １０／０２４９７６に記載されている）；イベントＭＯＮ８７７６９（ダイズ、品質形質、ＡＴＣＣ  ＰＴＡ−８９１１として寄託されている、ＵＳ−Ａ  ２０１１−００６７１４１又はＷＯ  ０９／１０２８７３に記載されている）；イベントＭＯＮ８８０１７（トウモロコシ、昆虫防除−除草剤耐性、ＡＴＣＣ  ＰＴＡ−５５８２として寄託されている、ＵＳ−Ａ  ２００８−０２８４８２又はＷＯ  ０５／０５９１０３に記載されている）；イベントＭＯＮ８８９１３（ワタ、除草剤耐性、ＡＴＣＣ  ＰＴＡ−４８５４として寄託されている、ＷＯ  ０４／０７２２３５又はＵＳ−Ａ  ２００６−０５９５９０に記載されている）；イベントＭＯＮ８９０３４（トウモロコシ、昆虫防除、ＡＴＣＣ  ＰＴＡ−７４５５として寄託されている、ＷＯ  ０７／１４０２５６又はＵＳ−Ａ  ２００８−２６０９３２に記載されている）；イベントＭＯＮ８９７８８（ダイズ、除草剤耐性、ＡＴＣＣ  ＰＴＡ−６７０８として寄託されている、ＵＳ−Ａ  ２００６−２８２９１５又はＷＯ  ０６／１３０４３６に記載されている）；イベントＭＳ１１（ナタネ、授粉制御−除草剤耐性、ＡＴＣＣ  ＰＴＡ−８５０又はＰＴＡ−２４８５として寄託されている、ＷＯ  ０１／０３１０４２に記載されている）；イベントＭＳ８（ナタネ、授粉制御−除草剤耐性、ＡＴＣＣ  ＰＴＡ−７３０として寄託されている、ＷＯ  ０１／０４１５５８又はＵＳ−Ａ  ２００３−１８８３４７に記載されている）；イベントＮＫ６０３（トウモロコシ、除草剤耐性、ＡＴＣＣ  ＰＴＡ−２４７８として寄託されている、ＵＳ−Ａ  ２００７−２９２８５４に記載されている）；イベントＰＥ−７（イネ、昆虫防除、寄託されていない、ＷＯ  ０８／１１４２８２に記載されている）；イベントＲＦ３（ナタネ、授粉制御−除草剤耐性、ＡＴＣＣ  ＰＴＡ−７３０として寄託されている、ＷＯ  ０１／０４１５５８又はＵＳ−Ａ  ２００３−１８８３４７に記載されている）；イベントＲＴ７３（ナタネ、除草剤耐性、寄託されていない、ＷＯ  ０２／０３６８３１又はＵＳ−Ａ  ２００８−０７０２６０に記載されている）；イベントＴ２２７−１（テンサイ、除草剤耐性、寄託されていない、ＷＯ  ０２／４４４０７
又はＵＳ−Ａ  ２００９−２６５８１７に記載されている）；イベントＴ２５（トウモロコシ、除草剤耐性、寄託されていない、ＵＳ−Ａ  ２００１−０２９０１４又はＷＯ  ０１／０５１６５４に記載されている）；イベントＴ３０４−４０（ワタ、昆虫防除−除草剤耐性、ＡＴＣＣ  ＰＴＡ−８１７１として寄託されている、ＵＳ−Ａ  ２０１０−０７７５０１又はＷＯ  ０８／１２２４０６に記載されている）；イベントＴ３４２−１４２（ワタ、昆虫防除、寄託されていない、ＷＯ  ０６／１２８５６８に記載されている）；イベントＴＣ１５０７（トウモロコシ、昆虫防除−除草剤耐性、寄託されていない、ＵＳ−Ａ  ２００５−０３９２２６又はＷＯ  ０４／０９９４４７に記載されている）；イベントＶＩＰ１０３４（トウモロコシ、昆虫防除−除草剤耐性、ＡＴＣＣ  ＰＴＡ−３９２５として寄託されている、ＷＯ  ０３／０５２０７３に記載されている）、イベント３２３１６（トウモロコシ、昆虫防除−除草剤耐性、ＰＴＡ−１１５０７として寄託されている、ＷＯ  １１／０８４６３２に記載されている）、イベント４１１４（トウモロコシ、昆虫防除−除草剤耐性、ＰＴＡ−１１５０６として寄託されている、ＷＯ  １１／０８４６２１に記載されている）、イベントＤＡＳ２１６０６（ダイズ、除草剤耐性、ＡＴＴＣ  ＰＴＡ−１１０２８として寄託されている、ＷＯ  ２０１２／０３３７９４に記載されている）、イベントＤＡＳ４４４０６（ダイズ、除草剤耐性、ＡＴＣＣ  ＰＴＡ−１１３３６として寄託されている、ＷＯ  ２０１２／０７５４２６に記載されている）、イベントＦＰ７２（ダイズ、除草剤耐性、ＮＣＩＭＢ４１６５９として寄託されている、ＷＯ  ２０１１／０６３４１１に記載されている）、イベントＫＫ１７９−２（アルファルファ、品質形質、ＡＴＣＣ  ＰＴＡ−１１８３３として寄託されている、ＷＯ  ２０１３／００３５５８に記載されている）、イベントＬＬＲＩＣＥ６２（イネ、除草剤耐性、ＡＴＣＣ−２０３３５２として寄託されている、ＷＯ  ２０００／０２６３４５に記載されている）、イベントＭＯＮ８７７１２（ダイズ、ＡＴＴＣ  ＰＴＡ−１０２９６として寄託されている、ＷＯ  ２０１２／０５１１９９に記載されている）、イベントＭＯＮ８８３０２（ナタネ、除草剤耐性、ＷＯ  ２０１１／１５３１８６に記載されている）、イベントＭＳ８（ナタネ、授粉制御及び除草剤耐性、ＡＴＣＣ  ＰＴＡ−７３０として寄託されている、ＷＯ  ２００１／０４１５５８に記載されている）、イベントＭＺＤＴ０９Ｙ（トウモロコシ、ストレス耐性、ＡＴＣＣ  ＰＴＡ−１３０２５として寄託されている、ＷＯ  ２０１３／０１２７７５に記載されている）、イベントｐＤＡＢ８２６４．４２．３２（ダイズ、除草剤耐性、ＡＴＣＣ  ＰＴＡ−１１９９３として寄託されている、ＷＯ  ２０１３／０１００９４に記載されている）、イベントｐＤＡＢ８２６４．４４．０５（ダイズ、除草剤耐性、ＡＴＣＣ  ＰＴＡ−１１３３６として寄託されている、ＷＯ  ２０１２／０７５４２６）に記載されている、イベントｐＤＡＢ８２９１（ダイズ、除草剤耐性、ＡＴＣＣ  ＰＴＡ−１１３５５として寄託されている、ＷＯ  ２０１２／０７５４２６に記載されている）。
【０２２９】
本発明に従って処理し得る特に有用なトランスジェニック植物は、形質転換イベント又は形質転換イベントの組合せを含んでいる植物であり、それらは、例えば、国又は地域のさまざまな規制機関によるデータベースに記載されている〔例えば、「ｇｍｏｉｎｆｏ．ｊｒｃ．ｉｔ／ｇｍｐ＿ｂｒｏｗｓｅ．ａｓｐｘ」及び「ｗｗｗ．ａｇｂｉｏｓ．ｃｏｍ／ｄｂａｓｅ．ｐｈｐ」を参照されたい〕。
【０２３０】
実施例によって、本発明について例証する。
【実施例】
【０２３１】
実施例１．  ハダニに対する活性
ナミハダニ（「ＴＳＳＭ」）に対するストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の効力をより詳細に決定するために、試験を行った。ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の培養ストックを、１Ｌ容振盪フラスコ内の培地１又は培地２において、２８℃で５日間増殖させた。培地１は、２．０％デンプン、１．０％デキストロース、０．５％酵母エキス、０．５％カゼイン加水分解物及び０．１％ＣａＣＯ３で構成されていた。培地２は、２％ＰｒｏＦｌｏ綿実粕、２％麦芽エキス、０．６％ＫＨ２ＰＯ４及び０．４８％Ｋ２ＨＰＯ４で構成されていた。得られた発酵産物を、水及び０．０３％界面活性剤ＢＲＥＡＫ−ＴＨＲＵ  ＦＩＲＳＴ  ＣＨＯＩＣＥ（登録商標）を用いて希釈して２５％溶液とし、２つの植物体のライマメ葉の上面及び下面に流れ出すまで施用した。そのような処理に付した後、同じ日に、５０〜１００匹のＴＳＳＭを植物に寄生させ、温室内に５日間放置した。６日目、植物を、ダニ及び卵の存在に関して１〜４のスケールで評価した。殺ダニ剤Ａｖｉｄ（登録商標）（Ｓｙｎｇｅｎｔａ）を、陽性対照として使用した。ダニ及び卵に関して、１は１００％の死亡率を示し、１．５は９０％〜９５％の死亡率を示し、２．０は７５％〜９０％の死亡率を表し、２．５は４０％〜５５％の死亡率を表し、３．０は２０％〜３５％の死亡率を表し、４．０は０％〜１０％の死亡率を表す。結果は、下記表１に示されている。ストレプトミセス・ミクロフラブス（Ｓｔｒｅｐｔｏｍｙｃｅｓ  ｍｉｃｒｏｆｌａｖｕｓ）ＮＲＲＬ  Ｂ−５０５５０の両方の発酵産物は、９０％以上のダニ死亡率をもたらした。
【表１】
2016511244.tif 000002
【０２３２】
アーモンドでのパシフィックスパイダーマイト（Ｐａｃｉｆｉｃ  ｓｐｉｄｅｒ  ｍｉｔｅ）、ブドウでのパシフィックスパイダーマイト（Ｐａｃｉｆｉｃ  ｓｐｉｄｅｒ  ｍｉｔｅ）及びイチゴでのナミハダニに対する圃場試験で、上記の温室での結果が確認された。アーモンドにおけるパシフィックスパイダーマイト（Ｐａｃｉｆｉｃ  ｓｐｉｄｅｒ  ｍｉｔｅ）に対する圃場試験の結果が、下記表２〜４に示されている。殺ダニ剤ＡＧＲＩ−ＭＥＫ（登録商標）（Ｓｙｎｇｅｎｔａ）を、陽性対照として使用した。培地１を含有する振盪フラスコに、ＮＲＲＬ  Ｂ−５０５５０の凍結培養を用いて接種し、２８〜３０℃で１〜２日間増殖させた。得られた発酵産物を用いて、培地（６．０％デンプン、３．０％デキストロース、１．５％酵母エキス、及び、１．５％カゼイン加水分解物、並びに、０．３％炭酸カルシウム）を含有する２０Ｌ容バイオリアクターに播種した。この培地を、２８℃で７日間発酵させた。得られた全ブロスを用いて、０．０３％のアジュバントＢＲＥＡＫ−ＴＨＲＵ  ＦＩＲＳＲ  ＣＨＯＩＣＥ（登録商標）と混合した凍結乾燥粉末（「ＦＤＰ」）を作成し、その後、試験に使用した。
【表２】
2016511244.tif 000003
2016511244.tif 000004
【表３】
2016511244.tif 000005
【表４】
2016511244.tif 000006
2016511244.tif 000007
【０２３３】
実施例２．  残効性
別の研究によって、ＮＲＲＬ  Ｂ−５０５５０が残効性を有することが明らかになった。実施例１の培地１を含有する振盪フラスコに、ＮＲＲＬ  Ｂ−５０５５０のルリアブロスに基づく培養（ＮＲＲＬ  Ｂ−５０５５０の凍結培養を用いて接種しておいたもの）で接種し、２８℃で１〜２日間増殖させた。得られた発酵産物を用いて、培地（８．０％デキストロース、１．５％酵母エキス、１．５％カゼイン加水分解物、及び、０．１％炭酸カルシウム）を含有する２０Ｌ容バイオリアクターに播種した。この培地を、２８℃で７〜８日間発酵させた。得られた発酵産物を、水及び０．３５％界面活性剤を用いて希釈して３．１３％溶液とし、２つの植物体のライマメ葉の上面及び下面に流れ出すまで施用した。そのような処理に付してから６日経過した後、植物に５０〜１００匹のＴＳＳＭを寄生させ、そして、処理の１２日後に、ダニ及び卵の存在に関して前記スケールに基づいて評価した。殺ダニ剤Ａｖｉｄ（登録商標）を、陽性対照として使用した。結果は、下記表５に示されている。
【表５】
2016511244.tif 000008
【０２３４】
実施例３．  層透過活性
ＮＲＲＬ  Ｂ−５０５５０が層透過活性を有するか否かを決定するために、研究を行った。実施例２に記載したのと同様にして、全ブロスを調製した。得られた全ブロスを、水及び０．３５％界面活性剤を用いて希釈し、そして、２つの植物体のライマメ葉の下の表面に流れ出すまで施用した。処理してから１日経過した後、処理された葉の上の表面に、５０〜１００匹のＴＳＳＭを寄生させた。そのＴＳＳＭを、葉の上の表面に配置し、葉の上の表面においたワセリンリング／物理的障壁を用いて閉じ込めた。処理してから５日経過した後、植物を、ダニ及び卵の存在に関して前記スケールに基づいて評価した。結果は、下記表６に示されている。
【表６】
2016511244.tif 000009
【０２３５】
実施例４．  殺卵活性
殺卵活性に関して、ＮＲＲＬ  Ｂ−５０５５０を以下のように試験した。実施例２に記載したのと同様にして、全ブロスを調製した。処理前の４８時間、葉の表面上で成虫雌ダニに産卵させることによって、ＴＳＳＭの卵を２つのライマメ植物に予め寄生させた。次いで、植物を、全ブロスの様々な希釈液で処理した。処理してから５日経過した後、植物を評価した。各処理及び対照において存在する生きている卵と死んだ卵の数が、以下の表７に示されている。
【表７】
2016511244.tif 000010
【０２３６】
実施例５．  潅注活性
砂で成育させたライマメを用いて、ＮＲＲＬ  Ｂ−５０５５０の潅注活性について調べた。全ブロスの１２．５％希釈液の各１０ｍＬを、その砂に２回施用した。ポットの底面からの全ブロスの浸出を防ぐために、植物に注意深く給水した。施用は、植え付けの４日後及び５日後に行った。処理２の３日後に、運動性のＴＳＳＭを下位の葉に寄生させた。下位の葉に寄生させてから９日経過した後、上位の三つ葉に寄生させた。評価は、寄生させてから４日、５日、８日及び１１日経過した後、下位の葉で行った。上位の葉に対する評価は、寄生の２日後に行った。結果（これは、実施例１に記載したスコアシステムに基づく）は、下記表８に示されている。
【表８】
2016511244.tif 000011
【０２３７】
実施例６．  菌類植物病原体に対する活性
ＮＲＲＬ  Ｂ−５０５５０を、さまざまな菌類植物病原体に対する活性について試験した。コムギ赤さび病及びキュウリうどんこ病の両方に対して活性を示すことが分かった。培地１を含有する振盪フラスコに、ＮＲＲＬ  Ｂ−５０５５０の凍結培養を用いて接種し、２０〜３０℃で１〜２日間増殖させた。得られた発酵産物を用いて、同様な培地を含有する２０Ｌ容バイオリアクターに播種し、２８℃で１〜２日間増殖させた。次に、得られた発酵産物を用いて、培地（７．０％デンプン、３．０％デキストロース、１．５％酵母エキス、２．０％大豆酸加水分解物、０．８％グリシン、及び、０．２％炭酸カルシウム）を含有する２００Ｌ容発酵槽に播種した。この培地を、２６℃で８日間発酵させた。６日齢のコムギ実生を、下記表９に示されている０．０３％アジュバント（ＢＲＥＡＫ−ＴＨＲＵ  ＦＩＲＳＴ  ＣＨＯＩＣＥ（登録商標））でさまざまに希釈することで調製したＮＲＲＬ−５０５５０の全ブロスを用いて、葉の両方の表面を全ブロスで被覆し、乾燥させることによって、処理した。そのような処理に付してから１日経過した後、実生に、コムギ赤さび病懸濁液を用いて接種した。処理の約１週後、０〜１００％防除に基づいたスケール（ここで、０％は防除なしであり、及び、１００％は完全な防除である）を用いて、植物を評価した。
【表９】
2016511244.tif 000012
【０２３８】
さらに、ＮＲＲＬ  Ｂ−５０５５０は、全ブロスを下位の葉の表面に施用し、病原体を上位の葉の表面に付けた場合、キュウリうどんこ病に対して活性を示した。
【０２３９】
ＮＲＲＬ  Ｂ−５０５５０は、さらにまた、キュウリうどんこ病に対する治療的試験においても、活性を示した。植物がマイクロプロットを覆って密なキャノピーを形成し、隣接するプロットスリード（ｐｌｏｔｓｒｅｅｄ）において天然のうどんこ病が現れ始めた時点で、キュウリマイクロプロットにキュウリうどんこ病を接種した。感染の６日後、該接種に由来する病害の目に見える徴候はなかった。実施例７において記載した方法と同様の方法で調製した発酵ブロスから、ＮＲＲＬ  Ｂ−５０５５０の凍結乾燥粉末を得た。次いで、不活性成分（湿潤剤、安定剤、担体、流動助剤及び分散剤）を用いて凍結乾燥粉末を製剤して、水和剤とした。製剤された生成物は、７５重量％の凍結乾燥粉末を含んでいた。水和剤を水で希釈し、下記表１４に示されている施用量で、１００ガロン／エーカーで施用した（注記：１エーカー当たり１００ガロンは、１マイクロプロット当たり２００ｍＬの散布体積に換算される）。評価は、上記で記載したスケールと同じスケールに基づいて実施した。
【表１０】
2016511244.tif 000013
【０２４０】
実施例７．  増大したレベルのグーゲロチンを含有する発酵産物  −  グリシンの使用
ＮＲＲＬ  Ｂ−５０５５０のグーゲロチン産生及び殺ダニ活性を最適化するために、発酵を行った。１０．０ｇ／Ｌのデンプン、１５．０ｇ／Ｌのグルコース、１０．０ｇ／Ｌの酵母エキス、１０．０ｇ／Ｌのカゼイン加水分解物（又は、１０．０ｇ／Ｌの大豆ペプトン）及び２．０ｇ／ＬのＣａＣＯ３で構成される培地を用いて、実施例１に記載されているのと同様にして、２Ｌ容振盪フラスコの中で、２０〜３０℃で、初期種培養を調製した。約１〜２日経過した後、振盪フラスコ内で菌糸が充分に増殖したとき、その内容物を新たな培地（上記と同様、０．１％消泡剤含有）に移し、４００Ｌ容発酵槽の中で、２０〜３０℃で増殖させた。約２０〜３０時間経過した後、菌糸が充分に増殖したとき、その内容物を３０００Ｌ容発酵槽に移し、８０．０ｇ／Ｌ（８．０％）のマルトデキストリン、３０．０ｇ／Ｌ（３．０％）のグルコース、１５．０ｇ／Ｌ（１．５％）の酵母エキス、２０．０ｇ／Ｌ（２．０％）の大豆酸加水分解物、１０．０ｇ／Ｌ（１．０％）のグリシン及び２．０ｇ／Ｌ（０．２％）の炭酸カルシウム並びに２．０ｍＬ／Ｌの消泡剤で構成される培地の中で、２０〜３０℃で、１６０〜２００時間増殖させた。
【表１１】
2016511244.tif 000014
【０２４１】
最初の３０００Ｌ発酵を一例として用いて、発酵槽内のグーゲロチンの収量は次のようにして計算される。３３９７ｋｇ×１．７ｍｇ／ｇ発酵ブロス＝５７７４．９０ｇグーゲロチン＝５．７８ｋｇ。発酵槽内の初期重量は、３４９６ｋｇ（３２５６ｋｇ培地＋２４０ｋｇシード）であり、これが目標体積３０００Ｌより大きい最終体積となった。目標体積３０００Ｌは、生産培地中の全ての成分の量を計算するための基礎となるので、規格化された体積測定生産性は、５７７４．９ｇ／３０００Ｌ＝１．９ｇ／Ｌである。このグーゲロチン濃度は、上記で記載した培地と同じ培地を使用して、該最終発酵段階で培地にグリシン（アミノ酸として）を含有させて行う２０Ｌ発酵で達成される１．８ｇ／Ｌと同様であった。
【０２４２】
グーゲロチン産生は、分析用ＨＰＬＣクロマトグラフィーを用いてを測定した。簡単にいうと、被験サンプル（１．０ｇ）を遠心分離管に移し、３ｍＬの水で抽出する。その成分をボルテックス及び超音波処理により混合させ、その後、遠心分離を用いて分離させる。上清をデカントして、きれいなフラスコの中に入れる。この手順をもう一回繰り返し、上清を先に分離した上清と合する。その水性抽出物を最終体積１０ｍＬとし、分析用ＨＰＬＣクロマトグラフィーを用いてグーゲロチン含有量をアッセイする。
【０２４３】
希釈したサンプルを濾過し、Ｄｉａｍｏｎｄ  Ｈｙｄｒｉｄガードカラムを備えたＣｏｇｅｎｔ  Ｄｉａｍｏｎｄハイブリッドカラム（１００Ａ、４μｍ、１５０×４．６ｍｍ）を用いてＨＰＬＣにより分析する。そのカラムを、３０分間アセトニトリル／ＮＨ４ＯＡＣ勾配（下記参照）で溶出する。流量は、１ｍＬ／分である。所望の代謝物質の検出は、２５４ｎｍで行う。グーゲロチンは、約１７〜１９分の保持時間で、単一のピークとして溶離する。
【０２４４】
実施例８．  ２種類の化合物の組合せの効力に関する式
本発明による活性化合物組合せの高度な殺菌活性は、下記実施例から明らかである。個々の活性化合物は殺菌活性に関して不充分であるが、当該組合せは、活性の単なる和を超えた活性を示す。
【０２４５】
活性化合物組合せの殺菌活性が、個別的に施用されたときの活性化合物の活性の総和を超えている場合、殺菌剤の相乗効果が常に存在している。２種類の活性化合物の所与の組合せに対して期待される活性は、以下のように計算することができる（ｃｆ．  Ｃｏｌｂｙ，  Ｓ．Ｒ．，  “Ｃａｌｃｕｌａｔｉｎｇ  Ｓｙｎｅｒｇｉｓｔｉｃ  ａｎｄ  Ａｎｔａｇｏｎｉｓｔｉｃ  Ｒｅｓｐｏｎｓｅｓ  ｏｆ  Ｈｅｒｂｉｃｉｄｅ  Ｃｏｍｂｉｎａｔｉｏｎｓ”，  Ｗｅｅｄｓ  １９６７，  １５，  ２０−２２）：
Ｘは、活性化合物Ａがｍ（ｐｐｍ）（又は、ｇ／ｈａ）の施用量で施用されたときの効力であり；
Ｙは、活性化合物Ｂがｎ（ｐｐｍ）（又は、ｇ／ｈａ）の施用量で施用されたときの効力であり；
Ｅは、活性化合物Ａ及び活性化合物Ｂが、それぞれ、ｍ及びｎ（ｐｐｍ）（又は、ｇ／ｈａ）の施用量で施用されたときの効力である；
とした場合、
【数１】
2016511244.tif 000015
【０２４６】
「％」で表される効力の程度が示される。０％は、対照の効力に相当する効力を意味し、１００％の効力は、病害が観察されないことを意味する。
【０２４７】
実際の殺菌活性が算出された値を超えている場合、該組合せの活性は、相加的なものを超えている。即ち、相乗効果が存在している。この場合、実際に観察された効力は、期待される効力（Ｅ）について上記式から算出された値よりも大きくなければならない。
【０２４８】
相乗効果を立証するさらなる方法は、Ｔａｍｍｅｓの方法である（ｃｆ．  “Ｉｓｏｂｏｌｅｓ，  ａ  ｇｒａｐｈｉｃ  ｒｅｐｒｅｓｅｎｔａｔｉｏｎ  ｏｆ  ｓｙｎｅｒｇｉｓｍ  ｉｎ  ｐｅｓｔｉｃｉｄｅｓ”  ｉｎ  Ｎｅｔｈ．  Ｊ．  Ｐｌａｎｔ  Ｐａｔｈ．，  １９６４，  ７０，  ７３−８０）。
【０２４９】
実施例９
アルテルナリア（Ａｌｔｅｒｎａｒｉａ）試験（トマト）／予防
本実施例及び以下の実施例において、ＮＲＲＬ  Ｂ−５０５５０を別の生物的防除剤と組み合わせて試験して、当該２種類の成分がさまざまな標的植物病原体に対して相乗的に作用するか否かについて確認した。以下の各実施例において、ＮＲＲＬ  Ｂ−５０５５０の凍結乾燥粉末は、実施例７において記載されている方法と同様の方法で調製した発酵ブロスから得た。次いで、この凍結乾燥粉末（即ち、発酵産物）を、不活性成分（湿潤剤、安定剤、担体、流動助剤及び分散剤）を用いて製剤して、水和剤とした。製剤された生成物は、７５重量％の凍結乾燥粉末及び２２．２ｍｇ／ｇのグーゲロチンを含んでいた。かくして、該凍結乾燥粉末（即ち、発酵産物）は、３．０％のグーゲロチンを含んでいる。この製剤された凍結乾燥粉末は、本明細書中においては、「ＮＲＲＬ  Ｂ−５０５５０  ７５ＷＰ」と称される。
【０２５０】
ＮＲＲＬ  Ｂ−５０５５０の発酵産物（７５０ｇ／ｋｇ）及び生物的防除剤又はそれらの組合せを水で希釈して、所望の濃度とした。
【０２５１】
ＳＯＮＡＴＡ（登録商標）バシルス・プミルス（Ｂａｃｉｌｌｕｓ  ｐｕｍｉｌｕｓ）ＱＳＴ２８０８の施用量は、製品ＳＯＮＡＴＡ  ＡＳＯの中に含まれている（１．３８％）バシルス・プミルス（Ｂａｃｉｌｌｕｓ  ｐｕｍｉｌｕｓ）ＱＳＴ２８０８（即ち、胞子調製物）の量を示している。
【０２５２】
ＳＥＲＥＮＡＤＥ（登録商標）  ＭＡＸの施用量は、製品ＳＥＲＥＮＡＤＥ（登録商標）  ＭＡＸの中に含まれている（１５．６７％）乾燥バシルス・スブチリス（Ｂａｃｉｌｌｕｓ  ｓｕｂｔｉｌｉｓ）ＱＳＴ７１３（即ち、胞子調製物）の量を示している。
【０２５３】
ＱＳＴ３００２の施用量は、ＱＳＴ３０００２の製剤の中に含まれている（１．３４％）バシルス・スブチリス（Ｂａｃｉｌｌｕｓ  ｓｕｂｔｉｌｉｓ）ＱＳＴ３０００２（ＮＲＲＬ受託番号Ｎｏ．Ｂ−５０４２１）（即ち、胞子調製物）の量を示している。特に、ＡＱ３０００２  ｓｗｒＡ−細胞は、大豆に基づく培地の中で増殖させ、そして、市販されているＳＥＲＥＮＡＤＥ（登録商標）  ＡＳＯ製品と（例えば、胞子調製物の割合（％）及び／又はｃｆｕ／ｇに関して）同様に製剤した。
【０２５４】
下記表のそれぞれの施用量は、該実験において使用した発酵産物の量（ＮＲＲＬ  Ｂ−５０５５０  ７５ＷＰの場合）又は胞子調製物の量（「ＳＥＲＥＮＡＤＥ  ＭＡＸ」、「ＳＯＮＡＴＡ」及びＱＳＴ３０００２製剤の場合）を示している。
【０２５５】
予防活性について試験するために、幼植物に、活性化合物又は活性化合物組合せの該調製物を記載されている施用量で噴霧する。その噴霧による被膜が乾燥した後、該植物に、アルテルナリア・ソラニ（Ａｌｔｅｒｎａｒｉａ  ｓｏｌａｎｉ）の胞子の水性懸濁液を用いて接種する。次いで、その植物を、約２０℃で相対大気湿度１００％のインキュベーション室の中に置く。
【０２５６】
当該試験について、上記接種の３日後に評価する。０％は、処理されていない対照の効力に相当する効力を意味し、１００％の効力は、病害が観察されないことを意味する。
【０２５７】
下記表は、本発明による活性化合物組合せについて観察された活性が算出された活性よりも高いこと、即ち、相乗効果が存在していることを、明瞭に示している。
【表１２】
2016511244.tif 000016
【０２５８】
実施例１０
フィトフトラ（Ｐｈｙｔｏｐｈｔｈｏｒａ）試験（トマト）／予防
ＮＲＲＬ  Ｂ−５０５５０の発酵産物（７５０ｇ／ｋｇ）及び生物的防除剤又はそれらの組合せを水で希釈して、所望の濃度とした。
【０２５９】
ＳＯＮＡＴＡ  ＱＳＴ２８０８の施用量は、製品ＳＯＮＡＴＡ（登録商標）  ＱＳＴ２８０８の中に含まれている（１．３８％）乾燥バシルス・プミルス（Ｂａｃｉｌｌｕｓ  ｐｕｍｉｌｕｓ）ＱＳＴ２８０８の量を示している。
【０２６０】
ＳＥＲＥＮＡＤＥ（登録商標）  ＭＡＸの施用量は、製品ＳＥＲＥＮＡＤＥ（登録商標）  ＭＡＸの中に含まれている（１５．６７％）乾燥バシルス・スブチリス（Ｂａｃｉｌｌｕｓ  ｓｕｂｔｉｌｉｓ）ＱＳＴ７１３の量を示している。
【０２６１】
ＱＳＴ３００２の施用量は、ＱＳＴ３０００２の製剤の中に含まれている（１．３４％）バシルス・スブチリス（Ｂａｃｉｌｌｕｓ  ｓｕｂｔｉｌｉｓ）ＱＳＴ３０００２（ＮＲＲＬ受託番号Ｎｏ．Ｂ−５０４２１）（即ち、胞子調製物）の量を示している。特に、ＡＱ３０００２  ｓｗｒＡ−細胞は、大豆に基づく培地の中で増殖させ、そして、市販されているＳＥＲＥＮＡＤＥ（登録商標）  ＡＳＯ製品と（例えば、胞子調製物の割合（％）及び／又はｃｆｕ／ｇに関して）同様に製剤した。
【０２６２】
予防活性について試験するために、幼植物に、活性化合物又は活性化合物組合せの該調製物を記載されている施用量で噴霧する。その噴霧による被膜が乾燥した後、該植物に、フィトフトラ・インフェスタンス（Ｐｈｙｔｏｐｈｔｈｏｒａ  ｉｎｆｅｓｔａｎｓ）の胞子の水性懸濁液を用いて接種する。次いで、その植物を、約２０℃で相対大気湿度１００％のインキュベーション室の中に置く。
【０２６３】
当該試験について、上記接種の３日後に評価する。０％は、処理されていない対照の効力に相当する効力を意味し、１００％の効力は、病害が観察されないことを意味する。
【０２６４】
下記表は、本発明による活性化合物組合せについて観察された活性が算出された活性よりも高いこと、即ち、相乗効果が存在していることを、明瞭に示している。
【表１３】
2016511244.tif 000017
【０２６５】
実施例１１
スファエロテカ（Ｓｐｈａｅｒｏｔｈｅｃａ）試験（キュウリ）／予防
ＮＲＲＬ  Ｂ−５０５５０の発酵産物（７５０ｇ／ｋｇ）及び生物的防除剤又はそれらの組合せを水で希釈して、所望の濃度とした。
【０２６６】
ＳＥＲＥＮＡＤＥ−ＭＡＸ（登録商標）の施用量は、製品ＳＥＲＥＮＡＤＥ−ＭＡＸ（登録商標）の中に含まれている（１５．６７％）乾燥バシルス・スブチリス（Ｂａｃｉｌｌｕｓ  ｓｕｂｔｉｌｉｓ）ＱＳＴ７１３の量を示している。
【０２６７】
ＱＳＴ３００２の施用量は、ＱＳＴ３０００２の製剤の中に含まれている（１．３４％）バシルス・スブチリス（Ｂａｃｉｌｌｕｓ  ｓｕｂｔｉｌｉｓ）ＱＳＴ３０００２（ＮＲＲＬ受託番号Ｎｏ．Ｂ−５０４２１）（即ち、胞子調製物）の量を示している。特に、ＡＱ３０００２  ｓｗｒＡ−細胞は、大豆に基づく培地の中で増殖させ、そして、市販されているＳＥＲＥＮＡＤＥ（登録商標）  ＡＳＯ製品と（例えば、胞子調製物の割合（％）及び／又はｃｆｕ／ｇに関して）同様に製剤した。
【０２６８】
予防活性について試験するために、幼植物に、活性化合物又は活性化合物組合せの該調製物を記載されている施用量で噴霧する。その噴霧による被膜が乾燥した後、該植物に、スファエロテカ・フリギネア（Ｓｐｈａｅｒｏｔｈｅｃａ  ｆｕｌｉｇｉｎｅａ）の胞子の水性懸濁液を用いて接種する。次いで、その植物を、約２３℃で相対大気湿度約７０％の温室の中に置く。
【０２６９】
当該試験について、上記接種の７日後に評価する。０％は、処理されていない対照の効力に相当する効力を意味し、１００％の効力は、病害が観察されないことを意味する。
【０２７０】
下記表は、本発明による活性化合物組合せについて観察された活性が算出された活性よりも高いこと、即ち、相乗効果が存在していることを、明瞭に示している。
【表１４】
2016511244.tif 000018
【０２７１】
実施例１２
ベンツリア（Ｖｅｎｔｕｒｉａ）試験（リンゴ）／予防
ＮＲＲＬ  Ｂ−５０５５０の発酵産物（７５０ｇ／ｋｇ）及び生物的防除剤又はそれらの組合せを水で希釈して、所望の濃度とした。
【０２７２】
ＳＯＮＡＴＡ（登録商標）  ＱＳＴ２８０８の施用量は、製品ＳＯＮＡＴＡ  ＱＳＴ２８０８（登録商標）の中に含まれている（１．３８％）乾燥バシルス・プミルス（Ｂａｃｉｌｌｕｓ  ｐｕｍｉｌｕｓ）ＱＳＴ２８０８の量を示している。
【０２７３】
ＳＥＲＥＮＡＤＥ（登録商標）  ＭＡＸの施用量は、製品ＳＥＲＥＮＡＤＥ（登録商標）  ＭＡＸの中に含まれている（１５．６７％）乾燥バシルス・スブチリス（Ｂａｃｉｌｌｕｓ  ｓｕｂｔｉｌｉｓ）ＱＳＴ７１３の量を示している。
【０２７４】
ＱＳＴ３００２の施用量は、ＱＳＴ３０００２の製剤の中に含まれている（１．３４％）バシルス・スブチリス（Ｂａｃｉｌｌｕｓ  ｓｕｂｔｉｌｉｓ）ＱＳＴ３０００２（ＮＲＲＬ受託番号Ｎｏ．Ｂ−５０４２１）（即ち、胞子調製物）の量を示している。特に、ＡＱ３０００２  ｓｗｒＡ−細胞は、大豆に基づく培地の中で増殖させ、そして、市販されているＳＥＲＥＮＡＤＥ（登録商標）  ＡＳＯ製品と（例えば、胞子調製物の割合（％）及び／又はｃｆｕ／ｇに関して）同様に製剤した。
【０２７５】
予防活性について試験するために、幼植物に、活性化合物又は活性化合物組合せの該調製物を記載されている施用量で噴霧する。その噴霧による被膜が乾燥した後、該植物に、リンゴ黒星病の病原であるベンツリア・イナエクアリス（Ｖｅｎｔｕｒｉａ  ｉｎａｅｑｕａｌｉｓ）の分生子の水性懸濁液を用いて接種し、次いで、その植物を、約２０℃で相対大気湿度１００％のインキュベーション室の中に１日間維持する。次いで、その植物を、約２１℃で相対大気湿度約９０％の温室の中に置く。
【０２７６】
当該試験について、上記接種の１０日後に評価する。０％は、処理されていない対照の効力に相当する効力を意味し、１００％の効力は、病害が観察されないことを意味する。  下記表は、本発明による活性化合物組合せについて観察された活性が算出された活性よりも高いこと、即ち、相乗効果が存在していることを、明瞭に示している。
【表１５】
2016511244.tif 000019
【国際調査報告】
2016511244.tif 000020
2016511244.tif 000021
2016511244.tif 000022
2016511244.tif 000023